(57)【要約】  複数のサービス提供者のドメイン全体にわたって、ユーザ毎、装置毎、及びドメイン毎のセキュリティが提供されるトランザクションを含む電子トランザクションをサポートするための方法及びシステムが提供される。【特許請求の範囲】
【請求項１】
ユニバーサル電子トランザクションファシリティを提供することと、
ドメイン、装置、及び、前記ユニバーサル電子トランザクションファシリティのユーザに少なくとも基づいて、個別のセキュリティプロトコルを提供すること
を含む方法。
【請求項２】
前記ユニバーサル電子トランザクションファシリティに関連する安全な分散型ウェブベースプラットフォームを提供することをさらに含む、請求項１の方法。
【請求項３】
前記ユニバーサル電子トランザクションファシリティを介して、及び、前記ウェブベースプラットフォームに関連して、ユーザに安全なトランザクション能力を提供することをさらに含む、請求項２の方法。
【請求項４】
トランザクションを安全にするために該トランザクションに前記セキュリティプロトコルを適用することをさらに含む、請求項３の方法。
【請求項５】
前記セキュリティプロトコルは、前記トランザクションを安全にするために３次元認証を用いる、請求項３の方法。
【請求項６】
前記３次元認証は、前記ユーザ、前記ユニバーサル電子トランザクションファシリティ、及び前記ドメインの身元を検証することを含む、請求項５の方法。
【請求項７】
前記ユニバーサル電子トランザクションファシリティに関連して安全なトランザクションファシリティを提供することをさらに含み、前記安全なトランザクションファシリティは、ユーザが安全なトランザクションを行うのを可能にする、請求項１の方法。
【請求項８】
前記安全なトランザクションファシリティは、ユーザが、実世界でのセキュリティ能力を具備するクライアント装置を用いて、前記安全なトランザクションを行うことを許可し、前記セキュリティ能力は、赤外線、RF、バーコード及び近接センサからなるグループから選択される、請求項７の方法。
【請求項９】
前記クライアント装置は、一時的な個人使用のための公共装置である、請求項７の方法。
【請求項１０】
前記ユニバーサル電子トランザクションファシリティは、複数のドメインと相互作用することができる、請求項１の方法。
【請求項１１】
前記ユニバーサル電子トランザクションファシリティにデータを送信することをさらに含む、請求項１の方法。
【請求項１２】
前記データは、確認応答、受領書、トークンのうちの少なくとも１つである、請求項１１の方法。
【請求項１３】
ユニバーサル電子トランザクションファシリティと、
ドメイン、装置、及び、前記ユニバーサル電子トランザクションファシリティのユーザに少なくとも基づく、個別のセキュリティプロトコル
を有するシステム。
【請求項１４】
前記ユニバーサル電子トランザクションファシリティに関連する安全な分散型ウェブベースプラットフォームをさらに有する、請求項１３のシステム。
【請求項１５】
前記ユニバーサル電子トランザクションファシリティ、及び、前記分散型ウェブベースプラットフォームに関連する安全なトランザクションファシリティを更に有する、請求項１４のシステム。
【請求項１６】
前記ユニバーサル電子トランザクションファシリティはクライアント装置である。請求項１５のシステム。
【請求項１７】
前記安全なトランザクションファシリティは、ユーザが、実世界でのセキュリティ能力を具備するクライアント装置を用いて、安全なトランザクションを行うことを可能にし、前記セキュリティ能力は、赤外線、RF、バーコード及び近接センサからなるグループから選択される、請求項１６のシステム。
【請求項１８】
前記トランザクションを安全にするために該トランザクションに前記セキュリティプロトコルが適用される、請求項１３の方法。
【請求項１９】
前記セキュリティプロトコルは、トランザクションを安全にするために３次元認証を含む、請求項１８のシステム。
【請求項２０】
前記３次元認証は、ユーザ、ユニバーサル電子トランザクションファシリティ、及びドメインの身元を検証することを含む、請求項１９のシステム
【請求項２１】
ユニバーサル電子トランザクションファシリティを提供することを含み、前記ユニバーサル電子トランザクションファシリティは、複数のドメインと安全に相互作用することができることからなる、方法。
【請求項２２】
前記ユニバーサル電子トランザクションファシリティは、複数のドメインと無線で相互作用する、請求項２１の方法。
【請求項２３】
前記ユニバーサル電子トランザクションファシリティは、複数のドメインと有線接続を介して相互作用する、請求項２１の方法。
【請求項２４】
前記ユニバーサル電子トランザクションファシリティは、クライアント装置を介してユーザに個人用のトークンを提供する、請求項２１の方法。
【請求項２５】
前記クライアント装置は個人のクライアント装置である、請求項２４の方法。
【請求項２６】
前記クライアント装置は、一時的な個人使用のための公共装置である、請求項２４の方法。
【請求項２７】
前記ユニバーサル電子トランザクションファシリティは、クライアント装置からのトランザクションを開始する、請求項２１の方法。
【請求項２８】
前記ユニバーサル電子トランザクションファシリティは、クライアント装置からのトランザクションを完了する、請求項２１の方法。
【請求項２９】
前記ユニバーサル電子トランザクションファシリティは、実行されたトランザクションに対する応答をクライアント装置に伝える、請求項２１の方法。
【請求項３０】
前記応答は、前記実行されたトランザクションの確認応答を含む、請求項２９の方法。
【請求項３１】
前記応答は、実行されたトランザクションに対する受領書を含む、請求項２９の方法。
【請求項３２】
前記応答は、運転免許証、パスポート、明細書、クーポン、プロモーション、チケット、違反に関するチケット、小切手帳、小切手、安全な電子トークン、ブランド付きのトークン、クレジットカード、バックカード、銀行口座、フリークエントフライヤーカード、ストアードヴァリューカード、ロイヤルティカード、保険証、請求書、手形、商人発行のクレジットカード、商人発行のロイヤルティカード、プリペイド式エアタイム、為替、振替、口座、のうちの少なくとも１つである、請求項３１の方法。
【請求項３３】
ユニバーサル電子トランザクションファシリティを有し、前記ユニバーサル電子トランザクションファシリティは、複数のドメインと安全に相互作用することができることからなる、システム。
【請求項３４】
前記ユニバーサル電子トランザクションファシリティは、複数のドメインと無線で相互作用する、請求項３３のシステム。
【請求項３５】
前記ユニバーサル電子トランザクションファシリティは、複数のドメインと有線接続を介して相互作用する、請求項３３のシステム。
【請求項３６】
前記ユニバーサル電子トランザクションファシリティは、クライアント装置を介してユーザに個人用のトークンを提供する、請求項３３のシステム。
【請求項３７】
前記クライアント装置は個人のクライアント装置である、請求項３６のシステム。
【請求項３８】
前記クライアント装置は、一時的な個人使用のための公共装置である、請求項３６のシステム。
【請求項３９】
前記ユニバーサル電子トランザクションファシリティは、クライアント装置からのトランザクションを開始する、請求項３３のシステム。
【請求項４０】
前記ユニバーサル電子トランザクションファシリティは、クライアント装置からのトランザクションを完了する、請求項３３のシステム。
【請求項４１】
ユニバーサル電子トランザクションファシリティからデータを受け取ることと、
ユニバーサル電子トランザクションファシリティから受け取ったデータに応答してトランザクションを実行すること
を含む方法。
【請求項４２】
ユニバーサル電子トランザクションファシリティに関連して個人用トークンを提供することを含み、前記ユニバーサル電子トランザクションファシリティは、ドメイン、装置、及び、前記ユニバーサル電子トランザクションファシリティのユーザに少なくとも基づいて、個別のセキュリティプロトコルを提供することができることからなる、方法。
【請求項４３】
前記個人用トークンは、ユーザの公式の電子識別子である、請求項４２の方法。
【請求項４４】
前記個人用トークンは、運転免許証とパスポートのうちの少なくとも一方に関連する、請求項４３の方法。
【請求項４５】
前記個人用トークンは、以下の種類のトークンのうちの少なくとも１つ、すなわち、安全な電子トークンとブランド付きトークンのうちの少なくとも１つである、請求項４３の方法。
【請求項４６】
前記個人用トークンは、トランザクションの場所で提供される、請求項４２の方法。
【請求項４７】
前記セキュリティプロトコルは、前記トランザクションを安全にするために３次元認証を利用する、請求項４６の方法。
【請求項４８】
前記個人用トークンはリアルタイムで提供される、請求項４２の方法。
【請求項４９】
ユーザ毎、装置毎、及び、ドメイン毎に公開鍵／秘密鍵基盤の性質をカスタマイズすることをさらに含む、請求項４２の方法。
【請求項５０】
ユニバーサル電子トランザクションファシリティに関連してモバイルウォレットを提供することを含む方法。
【請求項５１】
前記モバイルウォレットは、ユーザに関連するアイテムの電子的表現を含む、請求項５０の方法。
【請求項５２】
前記アイテムは、運転免許証、パスポート、明細書、クーポン、プロモーション、チケット、違反に関するチケット、小切手帳、小切手、安全な電子トークン、ブランド付きのトークン、クレジットカード、バックカード、銀行口座、フリークエントフライヤーカード、ストアードヴァリューカード、ロイヤルティカード、保険証、請求書、手形、商人発行のクレジットカード、商人発行のロイヤルティカード、プリペイド式エアタイム、為替、振替、口座、のうちの少なくとも１つである、請求項５１の方法。
【請求項５３】
ユニバーサル電子トランザクションファシリティと、
前記ユニバーサル電子トランザクションファシリティに関連した個人用トークン
を有し、
前記ユニバーサル電子トランザクションファシリティは、ドメイン、装置、及び、前記ユニバーサル電子トランザクションファシリティのユーザに少なくとも基づく個別のセキュリティプロトコルを含むことからなる、システム。
【請求項５４】
前記個人用トークンは、以下の種類のトークンのうちの少なくとも１つ、すなわち、安全な電子トークンとブランド付きトークンのうちの少なくとも１つである、請求項５３のシステム。
【請求項５５】
前記個人用トークンは、ユーザの公式の電子識別子である、請求項５３のシステム。
【請求項５６】
前記個人用トークンは、運転免許証とパスポートのうちの少なくとも一方に関連する、請求項５５のシステム。
【請求項５７】
ユニバーサル電子トランザクションファシリティを提供することを含み、ユーザインターフェースによって、ユーザが、トランザクションを行うためのトークンを電子的に取得することが可能とされる、方法。
【請求項５８】
前記ユニバーサル電子トランザクションファシリティは、前記トークンを取得することに関連する個別のセキュリティプロトコルを提供することができる、請求項５７の方法。
【請求項５９】
前記トークンはブランド付きトークンである、請求項５７の方法。
【請求項６０】
前記トークンは、ユーザの個人用クライアント装置に対して直接発行される、請求項５７の方法。
【請求項６１】
前記トークンは、ユーザの公共のクライアント装置に対して直接発行される、請求項５７の方法。
【請求項６２】
前記ブランド付きトークンは、運転免許証、パスポート、明細書、クーポン、プロモーション、チケット、違反に関するチケット、小切手帳、小切手、安全な電子トークン、ブランド付きのトークン、クレジットカード、銀行口座、フリークエントフライヤーカード、ストアードヴァリューカード、ロイヤルティカード、保険証、請求書、手形、商人発行のクレジットカード、商人発行のロイヤルティカード、プリペイド式エアタイム、為替、振替、口座、のうちの少なくとも１つに関連する、請求項５９の方法。
【発明の詳細な説明】
【技術分野】
【０００１】
関連出願への相互参照
本願は、２００６年１０月５日に出願された米国特許出願第11/539,024号及び２００５年１０月５日に出願された米国仮特許出願第60/724,066号に基づいて優先権を主張するものである。
【０００２】
いくつかのシステム及び方法が、Satyan Pitrodaに付与された「Universal Electronic Transaction Card and system and Methods of Conducting Electronic Transactions,」と題するPCT公開番号 WO 95/35546号（本明細書では「Pitroda」という）に記載されている。尚、当該PCT公報の開示内容全体を参照により本明細書に組み込むものとする。
【０００３】
本願は、以下の米国特許に関連する。すなわち、１９９６年１１月２１日に出願された、「Security device for controlling the access to a personal computer or to a computer terminal」と題する米国特許第5,952,641号、１９９９年３月１０日に出願された、「Device, system and methods of conducting paperless transactions」と題する米国特許第6,925,439号、２０００年６月６日に出願された「Point of sale and display adapter for electronic transaction device」と題する米国特許第6,769,607号、１９９９年１１月１５日に出願された、「Point of sale adapter for electronic transaction device」と題する米国特許第6,705,520号、１９９４年６月２０日に出願された「Universal electronic transaction card including receipt storage and system and methods of conducting electronic transactions」と題する米国特許第5,590,038号、１９７５年１０月１０日に出願された、「Electronic diary」と題する米国特許第3,999,050号、及び、１９９６年９月６日に出願された、「Device, system and methods of conducting paperless transactions device」と題する米国特許第5,884,271号に関連する。尚、これらの米国特許の全体を参照により本明細書に組み込むものとする。
【０００４】
本願は、また、公開された以下のPCT出願に関連する。すなわち、２００２年１月１７日に出願された、「Method and system for managing user activities and information using a customized computer interface」と題するPCT公開番号WO 02/057899、２００１年７月３０日に出願された「System for distribution and use of virtual stored value cards」と題するPCT公開番号WO 03/012717、２００１年７月１日に出願された、「Doctor service provider」と題するPCT公開番号WO 01/93172、２０００年９月２１日に出願された、「Point of sale and display adapter for electronic transaction device」と題するPCT公開番号WO 01/37200、２０００年９月８日に出願された「Point of sale adapter for electronic transaction device」と題するPCT公開番号WO 01/37199、２０００年８月１０日に出願された、「System and methods for servicing electronic transactions」と題するPCT公開番号WO 01/18629、２０００年８月１０日に出願された、「System and methods for servicing electronic transactions」と題するPCT公開番号WO 01/18629、１９９８年１２月３０日に出願された、「Universal electronic communications card」と題するPCT公開番号WO 99/34314、１９９５年６月７日に出願された、「Universal electronic transaction card and system and methods of conducting electronic transactions」と題するPCT公開番号WO 95/35546、及び、１９８２年５月２１日に出願された、「System with remote computer data entry device, associated apparatus and method of using same」と題するPCT公開番号WO 83/04327に関連する。尚、これらの出願内容の全体を参照により本明細書に組み込むものとする。
【０００５】
本明細書で参照する全ての特許、特許出願、及び他の文書は、参照により本明細書に組み込まれるものとする。
【０００６】
本願は、電子トランザクションの方法及びシステムに関し、特に、モバイル装置を用いた安全な電子トランザクションに関する。
【背景技術】
【０００７】
多機能化しつつあるモバイル装置によって、ユーザは、互いに通信できるだけでなく、他のコンピューティング機能を実行することもできる。
【発明の開示】
【発明が解決しようとする課題】
【０００８】
しかしながら、これらの装置が普及することによってビジネストランザクション（商取引）が可能になる一方で、これらのトランザクション（商取引や業務など）を安全にサポートすることも難しくなってきている。そこで、様々な電子トランザクションを可能にするための方法及びシステムを改善する必要がある。
【課題を解決するための手段】
【０００９】
ドメイン、ユーザ及び装置のレベルにおける安全性をサポートするトランザクションを含む安全な電子トランザクションをサポートするための方法及びシステムが本明細書で開示される。
【００１０】
本明細書で開示する方法及びシステムは、第１のファシリティからの要求を第２のファシリティ（ファシリティとは、特定の機能を実現するための実体であり、装置、ソフトウエア、またはそれらの組み合わせ、またはそれらを具備する設備などである）において受け取り、その要求に対する確認応答を第２のファシリティから第１のファシリティに送るための方法及びシステムを含む。いくつかの実施形態では、第１のファシリティを初期設定することができ、いくつかの実施形態では、第１のファシリティの初期設定には、コード、個人識別子、パスワード、個人識別番号、署名（サイン）、及びこれらに類似の識別子、のうちの１つ以上を入力することが含まれる。いくつかの実施形態では、第１のファシリティは、ユニバーサル電子トランザクションファシリティ（universal electronic transaction facility）である。いくつかの実施形態では、第２のファシリティはサービスファシリティである。いくつかの実施形態では、このサービスファシリティは、トランザクションサービスファシリティである。いくつかの実施形態は、第１のファシリティに金融トランザクションサービスを提供するための方法を含む。いくつかの例では、第１のファシリティからの要求はトランザクション要求である。これらの方法及びシステムは、ユニバーサル電子トランザクションファシリティとトランザクションサービスファシリティの間の通信を確立する第１のステップを含むことができる。いくつかの実施形態では、サービスファシリティはウォレットサービスセンターである。ウォレットサービスセンターは、電子トランザクションファシリティの特徴及び機能に関連する種々のサービスを提供するサービスファシリティを含むことができ、それらのサービスには、ユーザの装置、商人（販売業者）の装置、及び、種々のサービス提供者の装置によってアクセス可能なサービスが含まれる。ウォレットサービスセンターは、１つの以上のサーバー、１つ以上のデータベース、及び、１つ以上の他のコンピューティングファシリティを含むことができる。いくつかの実施形態では、ウォレットサービスセンターは、多次元セキュリティファシリティとすることができる１つ以上のセキュリティーファシリティを含むことができる。いくつかの例では、そのようなセキュリティファシリティは、１つ以上のユーザ装置、１つ以上のネットワークまたはトランスポートドメインまたはファシリティ、１つ以上の商人システム、または、１つ以上のサービス提供者システムに固有のセキュリティプロトコルなどの種々の個別のセキュリティプロトコルにしたがって動作することができる。ウェレットサービスセンターの他の特徴は、本明細書、及び、参照により本明細書に組み込んだ文書に記載された実施形態を参照することによって理解されよう。
【００１１】
本明細書に開示した方法及びシステムは、第２のファシリティから第１のファシリティに要求を送り、第２のファシリティにおいてその要求の確認応答を受け取るための方法及びシステムを含む。いくつかの実施形態では、第１のファシリティを初期設定することができ、いくつかの実施形態では、第１のファシリティの初期設定には、１つ以上のコード、個人識別子、パスワード、個人識別番号、署名（サイン）、及びこれらに類似の識別子、のうちの１つ以上を入力することが含まれる。いくつかの実施形態では、第１のファシリティはトランザクションファシリティである。いくつかの実施形態では、第２のファシリティはサービスファシリティである。いくつかの実施形態では、サービスファシリティはトランザクションサービスファシリティである。いくつかの実施形態では、この方法は、第１のファシリティに金融トランザクション（金融取引）サービスを提供するための方法である。いくつかの実施形態では、第２のファシリティからの要求はトランザクション要求である。いくつかの実施形態では、トランザクションファシリティは、ユニバーサル電子トランザクションファシリティである。
【００１２】
本明細書で開示される方法及びシステムは、未決のトランザクションに関連する警報を第１のファシリティから第２のファシリティに送り、この警報に対する応答を第２のファシリティで受け取り（いくつかの例では、この応答は、第２のファシリティにおけるトランザクションの直接精算（決済）に対する要求である）、トランザクションに関連する情報を含むメッセージを第３のファシリティから受け取り、コードの要求を第２のファシリティから第１のファシリティに送り、第２のファシリティで第１のファシリティからのコードを受け取り、コードの有効性を決定し、トランザクションを処理（たとえば決済）し、及び、第２のファシリティから第１のファシリティと第３のファシリティの両方に、処理（たとえば決済）中のトランザクションの確認応答を送るための方法及びシステムを含む。いくつかの実施形態では、第１のファシリティはトランザクションファシリティである。いくつかの実施形態では、第２のファシリティはサービスファシリティである。いくつかの実施形態では、サービスファシリティはトランザクションサービスファシリティである。いくつかの実施形態では、トランザクションファシリティはユニバーサル電子トランザクションファシリティである。いくつかの実施形態では、第３のファシリティはマーチャント（商人）ファシリティである。いくつかの実施形態では、第３のファシリティから受け取ったメッセージはさらに、第３のファシリティに固有の識別子を含む。いくつかの実施形態では、この方法は、第１のファシリティに、第３のファシリティとのトランザクションの能力を提供するための方法である。いくつかの実施形態では、この方法は、最初に第１のファシリティに請求書を送り、次に、第１のファシリティからの請求書に対する支払いを受け取る能力を第３のファシリティに提供するための方法である。いくつかの実施形態では、サービスファシリティはウォレットサービスセンターである。いくつかの実施形態では、トランザクションの警報は請求書である。いくつかの実施形態では、コードは個人識別子である。
【００１３】
本明細書で開示される方法及びシステムは、第１のファシリティから第２のファシリティへの照会（参照）を受け取り、第１のファシリティへの要求を送り、第１のファシリティから応答を受け取り、その応答の有効性を判定し、第１のファシリティと第２のファシリティとの間のトランザクションを処理（たとえば決済）し、第１のファシリティと第２のファシリティの両方にトランザクションの確認（書）を送ることを含む、トランザクションを実行するための方法及びシステムを含む。いくつかの実施形態では、第１のファシリティを初期設定することができ、いくつかの実施形態では、第１のファシリティの初期設定には、コード、個人識別子、パスワード、個人識別番号、署名（サイン）、及び、これらに類似の識別子、のうちの１つ以上を入力することが含まれる。いくつかの実施形態では、第１のファシリティは送り側のファシリティである、いくつかの実施形態では、送り側のファシリティは、トランザクションファシリティである。いくつかの実施形態では、このトランザクションファシリティは、ユニバーサル電子トランザクションファシリティである。いくつかの実施形態では、第２のファシリティは受取人のファシリティである。いくつかの実施形態では、受取人のファシリティはトランザクションファシリティである。いくつかの実施形態では、このトランザクションファシリティはユニバーサル電子トランザクションファシリティである。いくつかの実施形態では、この方法は、第１のファシリティから第２のファシリティへの個人間の資産移転を可能にするための方法である。いくつかの実施形態では、第２のファシリティへの照会（参照）はある識別子である。いくつかの実施形態では、この識別子は固有の識別子である。
【００１４】
本明細書で開示される方法及びシステムは、ある金融口座から別の金融口座に送金する（または振替を行う）ための方法及びシステムを含む。この送金には、第１のファシリティから資金移転（資金振替）の要求を受け取り（この要求は、送金元口座への照会、送金先口座への照会、及び振替額を含む）、資金移転の要求に応答して第１のファシリティからのコードを要求し、第１のファシリティからコードを受け取り、第１のファシリティへの資金移転の確認（書）を送ることが含まれる。いくつかの実施形態では、第１のファシリティを初期設定することができ、いくつかの実施形態では、第１のファシリティの初期設定には、コード、個人識別子、パスワード、個人識別番号、署名（サイン）、及びこれらに類似の識別子、のうちの１つ以上を入力することが含まれる。いくつかの実施形態では、送金元口座への照会はある識別子である。いくつかの実施形態では、この識別子は固有の識別子である。いくつかの実施形態では、送金先口座への照会はある識別子である。いくつかの実施形態では、この送金先識別子は固有の識別子である。いくつかの実施形態では、第１のファシリティはトランザクションファシリティである。いくつかの実施形態では、トランザクションファシリティはユニバーサル電子トランザクションファシリティである。
【００１５】
本明細書で開示される方法及びシステムは、第２のファシリティへ資金を移転するための要求を第１のファシリティから受け取り（この要求は、第１のファシリティへの照会、第２のファシリティへの照会、及び、移転額を含む）、資金移転の要求に応答して第１のファシリティからのコードを要求し、第１のファシリティからコードを受け取り、第１のファシリティから第２のファシリティへの資金移転の要求を第２のファシリティから受け取り、第２のファシリティからの要求に応答して、第２のファシリティの固有の識別子とコードを要求する要求を第２のファシリティに送り、第２のファシリティの固有の識別子とそのコードを第２のファシリティから受け取り、第２のファシリティに資金を拠出することの承認を第２のファシリティに送るための方法及びシステムを含む。いくつかの実施形態では、第１のファシリティを初期設定することができ、いくつかの実施形態では、第１のファシリティの初期設定には、コード、個人識別子、パスワード、個人識別番号、署名（サイン）、及びこれらに類似の識別子、のうちの１つ以上を入力することが含まれる。いくつかの実施形態では、第１のファシリティは送り元ファシリティである。いくつかの実施形態では、送り元ファシリティは商人である。いくつかの実施形態では、第２のファシリティは送り先ファシリティである。いくつかの実施形態では、送り先ファシリティは商人である。いくつかの実施形態では、第１のファシリティへの照会はある識別子である。いくつかの実施形態では、この識別子は固有の識別子である。いくつかの実施形態では、第２のファシリティへの照会はある識別子である。いくつかの実施形態では、この識別子は固有の識別子である。
【００１６】
本明細書で開示される方法及びシステムは、トランザクションを実行するための方法及びシステムを含む。いくつかの実施形態では、この方法は、電信送金のための方法である。いくつかの実施形態では、この方法は、為替のための方法である。いくつかの実施形態では、第１のファシリティはトランザクションファシリティである。いくつかの実施形態では、第１のファシリティはユニバーサル電子トランザクションファシリティである。いくつかの実施形態では、第２のファシリティはトランザクションファシリティである。いくつかの実施形態では、第２のファシリティは、ユニバーサル電子トランザクションファシリティである。
【００１７】
本明細書で開示される方法及びシステムは、トランザクションを実行するための方法及びシステムを含み、これには、第２のファシリティからのトランザクション要求を受け取り（いくつかの実施形態では、このトランザクション要求は、第１のファシリティと第３のファシリティに関連する）、トランザクション要求の受け取りに応答して、あるコードの要求を第１のファシリティに送り、第１のファシリティからそのコードを受け取り、コードの有効性を検証して、トランザクション要求を第３のファシリティに送り、トランザクションの確認（書）を第３のファシリティから受け取り、トランザクションの認可を第２のファシリティに送ることが含まれる。いくつかの実施形態では、第１のファシリティを初期化することができ、いくつかの実施形態では、第１のファシリティの初期設定には、コード、または、個人識別子、または、パスワード、または、個人識別番号、または、署名（サイン）、またはこれらに類似の識別子を入力することが含まれる。いくつかの実施形態では、トランザクションは購入である。いくつかの実施形態では、トランザクションはプリペード式ショッピングカードの活性化である。いくつかの実施形態では、トランザクションは、プリペード式ショッピングカードの再入金（リチャージ）である。いくつかの実施形態では、トランザクションは、プリペード式携帯電話のトップアップ（トップアップとは、お金を補充して、前払い済みの通話可能時間（分）を増やすこと）である。いくつかの実施形態では、第２のファシリティは、マーチャントファシリティ（商人ファシリティ）である。いくつかの実施形態では、第１のファシリティは顧客ファシリティである。いくつかの実施形態では、第３のファシリティは、サプライヤー（供給業者）ファシリティである。いくつかの実施形態では、第１のファシリティはトランザクションファシリティである。いくつかの実施形態では、トランザクションファシリティは、ユニバーサル電子トランザクションファシリティである。
【００１８】
本明細書で開示される方法及びシステムは、顧客に誘因を提供するための方法及びシステムを含み、これは、第１のファシリティに電子クーポンを送信すること含む。いくつかの実施形態では、第１のファシリティを初期設定することができ、いくつかの実施形態では、第１のファシリティの初期設定には、コード、個人識別子、パスワード、個人識別番号、署名（サイン）、及びこれらに類似の識別子、のうちの１つ以上を入力することが含まれる。いくつかの実施形態では、第１のファシリティは消費者ファシリティである。いくつかの実施形態では、消費者ファシリティはトランザクションファシリティである。いくつかの実施形態では、消費者ファシリティはユニバーサル電子トランザクションファシリティである。
【００１９】
本明細書で開示される方法及びシステムは、第１のファシリティに電子クーポンを送り、第２のファシリティから第１のファシリティの固有の識別子を受け取り、マーチャントファシリティからクーポンに関連するデータを受け取り、あるコードの要求を第１のファシリティに送り、第１のファシリティからそのコードを受け取り、そのコードの有効性を検証し、第２のファシリティに電子クーポンの引き換え許可を送るための方法及びシステムを含む。いくつかの実施形態では、第１のファシリティを初期設定することができ、いくつかの実施形態では、第１のファシリティの初期設定には、コード、または、個人識別子、または、パスワード、または、個人識別番号、または、署名（サイン）、またはこれらに類似の識別子を入力することが含まれる。いくつかの実施形態では、第１のファシリティは消費者ファシリティである。いくつかの実施形態では、消費者ファシリティはトランザクションファシリティである。いくつかの実施形態では、トランザクションファシリティは、ユニバーサル電子トランザクションファシリティである。いくつかの実施形態では、第２のファシリティはマーチャントファシリティである。
【００２０】
種々の実施形態では、マーチャントファシリティは、プロセッサを有する任意の装置を含むか、または、その任意の装置をホスト装置とすることができる。そのような販売業者のファシリティには、ＰＯＳ端末装置、レジスター（金銭登録器）、パーソナルコンピュータ、ラップトップコンピュータ、携帯電話、ＰＤＡ、プロセッサを装備した小売りディスプレイ、キオスク、ＡＴＭ、プロセッサを装備した棚、標識、掲示板、バーコードスキャナ、ＲＦＩＤ装置、スキャナ、機械視覚システム、カメラ、カードリーダー、磁気ストライプリーダー、または他の装置などがある。
【００２１】
本明細書で開示される方法及びシステムは、トランザクションを実行するための方法及びシステムを含み、これには、第１のファシリティとのセッションを確立し、第２のファシリティから在庫状況報告を要求し、在庫状況報告を第１のファシリティに送り、第１のファシリティから購入要求を受け取り、第２のファシリティで購入要求を実行し、第１のファシリティに受領書を発行することが含まれる。いくつかの実施形態では、第１のファシリティを初期設定することができ、いくつかの実施形態では、第１のファシリティの初期設定には、コード、個人識別子、パスワード、個人識別番号、署名（サイン）、及びこれらに類似の識別子、のうちの１つ以上を入力することが含まれる。いくつかの実施形態では、第１のファシリティは消費者ファシリティである。いくつかの実施形態では、消費者ファシリティはトランザクションファシリティである。いくつかの実施形態では、このトランザクションファシリティは、ユニバーサル電子トランザクションファシリティである。いくつかの実施形態では、第２のファシリティはサプライヤー（供給業者）ファシリティである。いくつかの実施形態では、サプライヤーファシリティは、チケット小売りファシリティである。いくつかの実施形態では、サプライヤーファシリティは、発券（チケット発行）ファシリティである。これらの方法及びシステムは、第１のファシリティにチケットを発行することを含むこともできる。いくつかの実施形態では、購入要求はチケットの注文である。いくつかの実施形態では、在庫状況報告は、チケットの入手可能性についての報告である。いくつかの実施形態では、セッションは安全なセッションである。
【００２２】
本明細書で開示される方法及びシステムは、口座からお金を引き出すための方法及びシステムを含み、これには、第１のファシリティに関連する口座からの引き出しの要求を受け取り、あるコードの要求を第１のファシリティに送り、第１のファシリティからそのコードを受け取り、第１のファシリティから資金を受け取るための許可を第２のファシリティに送り、第１のファシリティに引き出しの確認（書）を送ることが含まれる。いくつかの実施形態では、第１のファシリティを初期設定することができ、いくつかの実施形態では、第１のファシリティの初期化には、コード、個人識別子、パスワード、個人識別番号、署名（サイン）、及びこれらに類似の識別子、のうちの１つ以上を入力することが含まれる。いくつかの実施形態では、第１のファシリティは消費者ファシリティである。いくつかの実施形態では、消費者ファシリティはトランザクションファシリティである。いくつかの実施形態では、トランザクションファシリティはユニバーサル電子トランザクションファシリティである。いくつかの実施形態では、第２のファシリティはマーチャントファシリティである。いくつかの実施形態では、マーチャントファシリティは銀行である。
【００２３】
本明細書で開示される方法及びシステムは、口座に預金するための方法及びシステムを含み、これには、第１のファシリティに関連する口座に資金を預けるための第２のファシリティからの要求を受け取ることが含まれる。いくつかの実施形態では、この要求は、第１のファシリティの固有の識別子、第１のファシリティに関連する口座の識別子、及び預けられる金額を含む。これらの方法及びシステムは、あるコードに対する要求を第２のファシリティに送り、第２のファシリティからそのコードを受け取り、第１のファシリティに関連する口座への預金の確認（書）を第２のファシリティに送り、第１のファシリティに預金の確認（書）を送ることを含むことができる。いくつかの実施形態では、第１のファシリティを初期設定することができ、いくつかの実施形態では、第１のファシリティの初期設定には、コード、個人識別子、パスワード、個人識別番号、署名（サイン）、及びこれらに類似の識別子、のうちの１つ以上を入力することが含まれる。いくつかの実施形態では、第１のファシリティは消費者ファシリティである。いくつかの実施形態では、消費者ファシリティはトランザクションファシリティである。いくつかの実施形態では、トランザクションファシリティはユニバーサル電子トランザクションファシリティである。いくつかの実施形態では、第２のファシリティはマーチャントファシリティである。
【００２４】
本明細書に記載されているユニバーサル電子トランザクションファシリティは、本明細書に開示されている種々の実施形態における任意の／全ての特徴及び属性を有することができる。いくつかの実施形態では、ユニバーサル電子トランザクションファシリティは、ユーザに「電子財布（電子ウォレット）」機能を提供する。人間の革製の物理的な財布と同じように、電子財布は、１つ以上のＩＤカード、クレジットカード、またはそれらと同様のものを含む。電子財布は、これらの物理的な要素の１つ以上のタイプの電子的な集合であり、それらを、電子的に調べて、見て、及び使うことによって、物理的な類似物と同様の結果を達成することができる。このように、いくつかの実施形態では、電子財布にはクレジットカードが含まれる。いくつかの実施形態では、電子財布にはメディカルカード（医療カード）が含まれる。いくつかの実施形態では、電子財布には会員カードが含まれる。いくつかの実施形態では、電子財布には、プロモーション（販促用）カードが含まれる。いくつかの実施形態では、電子財布にはクーポンが含まれる。いくつかの実施形態では、電子財布はペーパーレスである。いくつかの実施形態では、電子財布はデータセキュリティ機能を提供する。いくつかの実施形態では、ユニバーサル電子トランザクションファシリティは、サービスを可能にするコンポーネントを含む。いくつかの実施形態では、サービスを可能にすることには、サービスファシリティとの相互作用が含まれる。いくつかの実施形態では、このサービスファシリティは、トランザクションの参加者を認証する。いくつかの実施形態では、サービスファシリティは、トランザクションの確定（決済）に関する最終権限者である。いくつかの実施形態では、サービスファシリティは、メインサービスファシリティを有する。いくつかの実施形態では、サービスファシリティとの相互作用には、通信ファシリティを利用してメインサービスファシリティにデータを送ることが含まれる。いくつかの実施形態では、通信ファシリティを利用することには、ネットワーク通信ファシリティを利用することが含まれる。いくつかの実施形態では、サービスにはトランザクション方法が含まれる。いくつかの実施形態では、トランザクション方法には、金融トランザクション（金融取引）方法が含まれる。いくつかの実施形態では、サービスはトランザクションを含む。いくつかの実施形態では、このトランザクションは金融トランザクションを含む。いくつかの実施形態では、サービスはサービスパートナーによって提供される。いくつかの実施形態では、サービスは、ウェブサービス指向アーキテクチャを介して届けられる。いくつかの実施形態では、サービスは手数料に関連するプレミアムサービスを含む。いくつかの実施形態では、サービスは無料サービスを含む。いくつかの実施形態では、サービスは料金の支払いである。いくつかの実施形態では、料金の支払いには受領書（領収書）が含まれる。いくつかの実施形態では、料金の支払いには請求書の支払いが含まれる。いくつかの実施形態では、料金の支払いには領収書と請求書の支払いが含まれる。いくつかの実施形態では、サービスは個人データ管理である。いくつかの実施形態では、サービスはセキュリティである。いくつかの実施形態では、セキュリティは、ユニバーサル電子トランザクションファシリティの機能に関連する。いくつかの実施形態では、セキュリティは、ユニバーサル電子トランザクションファシリティに関連するプライバシー機能を有する。いくつかの実施形態では、セキュリティは、窃盗を阻止することを含む。いくつかの実施形態では、セキュリティにはトランザクションの完全性（または整合性）が含まれる。いくつかの実施形態では、セキュリティにはデータの完全性（または整合性）が含まれる。いくつかの実施形態では、セキュリティには身元認証が含まれる。いくつかの実施形態では、セキュリティには、否認防止が含まれる。いくつかの実施形態では、セキュリティには取り消しが含まれる。いくつかの実施形態では、セキュリティには更新できることが含まれる。いくつかの実施形態では、セキュリティは、ユニバーサル電子トランザクションファシリティに関連する。いくつかの実施形態では、サービスはプロモーション（販売促進）である。いくつかの実施形態では、プロモーションはロイヤルティカード（ポイントカード）に関連する。いくつかの実施形態では、プロモーションはクーポンに関連する。いくつかの実施形態では、プロモーションには、インセンティブプログラムが含まれる。いくつかの実施形態では、プロモーションはユニバーサル電子トランザクションファシリティに関連する。いくつかの実施形態では、プロモーションは直接配送される。いくつかの実施形態では、直接配送されるプロモーションは、ベンダーによって配送される。いくつかの実施形態では、プロモーションは商人によって配送される。いくつかの実施形態では、商人には小売業者が含まれる。いくつかの実施形態では、サービスは銀行業務である。いくつかの実施形態では、銀行業務には口座振替が含まれる。いくつかの実施形態では、銀行業務には、ATMファシリティへのアクセスが含まれる。いくつかの実施形態では、銀行業務にはマイクロクレジット（小額融資）トランザクションが含まれる。いくつかの実施形態では、銀行業務にはマイクロクレジット決済が含まれる。いくつかの実施形態では、銀行業務には、ユニバーサル電子トランザクションファシリティのユーザに提供される機能が含まれる。いくつかの実施形態では、サービスには、新口座開設の申請が含まれる。いくつかの実施形態では、新口座開設の申請には、必要な情報をサービスファシリティに提供することが含まれる。いくつかの実施形態では、サービスファシリティには銀行が含まれる。いくつかの実施形態では、サービスファシリティにはクレジットカード会社が含まれる。いくつかの実施形態では、サービスは、既存の口座を更新（期限を延長）することである。いくつかの実施形態では、サービスは、クレジットカードを発行することである。いくつかの実施形態では、サービスはサブ口座の管理である。いくつかの実施形態では、サービスは口座を移動させることである。いくつかの実施形態では、サービスは、口座を解約することである。いくつかの実施形態では、サービスはショッピング（買物をすること）である。いくつかの実施形態では、ショッピングには、個人情報を提供することが含まれる。いくつかの実施形態では、個人情報は、商品をざっと見るのに役立つ。いくつかの実施形態では、個人情報は、製品を選択するのに役立つ。いくつかの実施形態では、ショッピングは、買物行為に関連する。いくつかの実施形態では、買物行為には、お買い得品をチェックすることが含まれる。いくつかの実施形態では、買物行為には、値引きをチェックすることが含まれる。いくつかの実施形態では、買物行為には、関連製品をチェックすることが含まれる。いくつかの実施形態では、買物行為には、プロモーション情報（販売促進情報）を受け取ることが含まれる。いくつかの実施形態では、買物行為は、商品をざっと見ることに関連する。いくつかの実施形態では、サービスには購買代理人が含まれる。いくつかの実施形態では、サービスには政府サービスが含まれる。いくつかの実施形態では、政府サービスはパスポートに関連する。いくつかの実施形態では、政府サービスはビザに関連する。いくつかの実施形態では、政府サービスは社会保障番号に関連する。いくつかの実施形態では、政府サービスは自動車に関連する。いくつかの実施形態では、政府サービスは投票に関連する。いくつかの実施形態では、サービスはカスタマー（顧客）プロファイリングである。いくつかの実施形態では、カスタマープロファイリングは、ユニバーサル電子トランザクションファシリティのユーザに有益である。いくつかの実施形態では、カスタマープロファイリングはベンダーに有益である。いくつかの実施形態では、カスタマープロファイリングは、一群のユーザについてカスタマープロファイリングすることを含む。いくつかの実施形態では、サービスはベンダー間の協同作業である。いくつかの実施形態では、サービスはベンダー間の提携である。いくつかの実施形態では、サービスは金融サービスを含む。いくつかの実施形態では、金融サービスは、個人から個人への送金に関連する。いくつかの実施形態では、金融サービスは為替に関連する。いくつかの実施形態では、金融サービスは電子送金に関連する。いくつかの実施形態では、サービスにはプリペイドサービスが含まれる。いくつかの実施形態では、プリペイドサービスにはプリペイド式テレホンカードが含まれる。いくつかの実施形態では、プリペイドサービスには、プリペイド式携帯電話が含まれる。いくつかの実施形態では、プリペイドサービスにはデビットカードが含まれる。いくつかの実施形態では、サービスは発券業務（チケット販売）である。いくつかの実施形態では、発券業務は航空会社に関連する。いくつかの実施形態では、発券業務は遊技に関連する。いくつかの実施形態では、発券業務はスポーツイベントに関連する。いくつかの実施形態では、発券業務はオークション（競売）に関連する。いくつかの実施形態では、発券業務は慈善活動に関連する。いくつかの実施形態では、発券業務は教育活動に関連する。いくつかの実施形態では、発券業務はセレモニー（祭典）に関連する。いくつかの実施形態では、発券業務はスピーチ（演説）に関連する。いくつかの実施形態では、発券業務はエンターテイメント（娯楽）イベントに関連する。いくつかの実施形態では、発券業務は接客ファシリティに関連する。いくつかの実施形態では、接客ファシリティにはホテルが含まれる。いくつかの実施形態では、発券業務は、紙を使用しないチケットに関連する。いくつかの実施形態では、紙を使用しないチケットはユニバーサル電子トランザクションファシリティに直接発行される。いくつかの実施形態では、サービスには有人ATMが含まれる。いくつかの実施形態では、サービスにはプロキシミティトランザクション（近接トランザクション）が含まれる。いくつかの実施形態では、サービスはユニバーサル電子トランザクションファシリティに関連する。いくつかの実施形態では、サービスには、ユニバーサル電子トランザクションファシリティの認可されたユーザが商人と取引できるようにすることが含まれる。いくつかの実施形態では、サービスには、ユニバーサル電子トランザクションファシリティの認可されたユーザが仲間と取引できるようにすることが含まれる。いくつかの実施形態では、サービスには、ユニバーサル電子トランザクションファシリティの認可されたユーザがサプライヤー（供給者）と取引できるようにすることが含まれる。いくつかの実施形態では、サービスには、ユニバーサル電子トランザクションファシリティの認可されたユーザが、トランザクションの参加者とトランザクションを行うことができるようにすることが含まれる。いくつかの実施形態では、サービスには、ウェブサーバーが含まれる。いくつかの実施形態では、サービスにはトランザクション（取引）サービスが含まれる。いくつかの実施形態では、サービスにはユーザインターフェースが含まれる。
【００２５】
本明細書で開示するユーザインターフェースは、多種多様の特徴及び属性を含むことができる。いくつかの実施形態では、ユーザインターフェースはディスプレイ装置を含む。いくつかの実施形態では、ディスプレイ装置はLCDを含む。いくつかの実施形態では、ディスプレイ装置はタッチスクリーンを含む。いくつかの実施形態では、ディスプレイ装置は有機発光ダイオードを含む。いくつかの実施形態では、ディスプレイ装置は、フレキシブル有機発光ダイオードを含む。いくつかの実施形態では、ディスプレイ装置は投写型ディスプレイである。いくつかの実施形態では、ディスプレイ装置は識別子を表示する。いくつかの実施形態では、識別子は署名を含む。いくつかの実施形態では、識別子はバーコードを含む。いくつかの実施形態では、識別子は、サポートコンピュータのオペレータに情報を提供する。いくつかの実施形態では、ディスプレイ装置は署名を表示する。いくつかの実施形態では、ディスプレイ装置は、ユニバーサル電子トランザクションファシリティのユーザに視覚フィードバックを提供する。いくつかの実施形態では、ディスプレイ装置は、ユニバーサル電子トランザクションファシリティのユーザに情報を提供する。いくつかの実施形態では、ディスプレイ装置は、通常サイズのディスプレイ装置である。いくつかの実施形態では、通常サイズのディスプレイ装置は、タブレット型ＰＣのサイズである。いくつかの実施形態では、通常サイズのディスプレイ装置は、デスクトップＰＣのサイズである。いくつかの実施形態では、通常サイズのディスプレイ装置は、リモート（遠隔）のディスプレイ装置を含む。いくつかの実施形態では、リモートのディスプレイ装置は、リモートコンピュータに関連する。いくつかの実施形態では、ディスプレイ装置は小型のディスプレイ装置である。いくつかの実施形態では、小型のディスプレイ装置は、ＰＤＡのディスプレイ装置のサイズである。いくつかの実施形態では、小型のディスプレイ装置は、携帯電話のディスプレイ装置のサイズである。いくつかの実施形態では、小型のディスプレイ装置は、カメラのディスプレイ装置のサイズである。いくつかの実施形態では、小型のディスプレイ装置は、ディジタル（腕）時計のディスプレイ装置のサイズである。いくつかの実施形態では、ディスプレイ装置は、持ち運ぶのに十分小さい。いくつかの実施形態では、ディスプレイ装置は、ユーザが読み取ることができるメッセージを表示するのに十分大きい。いくつかの実施形態では、ディスプレイ装置は、タッチコントロールを表示するのに十分大きい。いくつかの実施形態では、ディスプレイ装置は、持ち運ぶのに十分小さく、ユーザ読み取ることができるメッセージを表示するのには十分大きく、そして、タッチコントロールを表示するのには十分大きい。いくかの実施形態では、ディスプレイ装置はリモートの装置に具現化される。いくつかの実施形態では、リモートの装置はウェブブラウザを含む。いくつかの実施形態では、そのコンポーネントはコントロールファシリティを含む。いくつかの実施形態では、コントロールファシリティは、ユニバーサル電子トランザクションファシリティの機能を制御する。いくつかの実施形態では、コントロールファシリティはプロセッサを含む。いくつかの実施形態では、コントロールファシリティはマイクロプロセッサを含む。いくつかの実施形態では、コントロールファシリティはコンピュータを含む。いくつかの実施形態では、コントロールファシリティは、ディスプレイコントローラを含む。いくつかの実施形態では、コントロールファシリティはメモリコンポーネントを含む。いくつかの実施形態では、メモリコンポーネントは、ユニバーサル電子トランザクションファシリティの機能に関連するトランザクション方法に関連する値を記憶する。いくつかの実施形態では、その値は、固有の識別子を含む。いくつかの実施形態では、固有の識別子は、１つのユニバーサル電子トランザクションファシリティを別のものと区別するために使用される。いくつかの実施形態では、その値は、アクセスコントロール情報を含む。いくつかの実施形態では、アクセスコントロール情報は、ユニバーサル電子トランザクションファシリティの認可されていない使用を防止するために使用される。いくつかの実施形態では、アクセスコントロール情報は、符号化された署名を含む。いくつかの実施形態では、アクセスコントロール情報は、個人識別番号を含む。いくつかの実施形態では、アクセスコントロール情報は、指紋や虹彩スキャンなどの生物測定基準を含む。これらの及び他の生物測定基準を符号化してセキュリティをさらに強化することもできる。
【００２６】
いくつかの実施形態では、その値は、ユニバーサル電子トランザクションファシリティの所有者を識別する個人情報を含む。この個人情報には、個人の名前、ビジネス名（職業名）、自宅の住所、自宅の電話番号、自宅のFAX番号、自宅の電子メールアドレス、勤務先住所、勤務先の電話番号、勤務先のFAX番号、勤務先の電子メールアドレス、URL、URI、身長、体重、生年月日、社会保障番号、血液型、及び／または、婚姻関係を含めることができる。いくつかの実施形態では、その値は、クレジットカード番号、発行日、有効期限、信用限度、預貯金口座番号、当座預金口座番号、投資口座番号、金融口座に関連するユーザ名などの金融口座情報を含む。いくつかの実施形態では、その値は、ユニバーサル電子トランザクションファシリティの所有者に関連する医療及び健康情報を含む。これには、アレルギー、病歴、病状、健康保険制度に関連する健康保険番号、医師の名前、病院の名称、薬局の名称を示すものを含めることができる。いくつかの実施形態では、その値には、記録された金銭価値が含まれる。いくつかの実施形態では、その値には、ブランド情報が含まれる。いくつかの実施形態では、ブランド情報はロゴを含む。いくつかの実施形態では、ブランド情報は、クレジットカードのイメージ（画像）を含む。
【００２７】
いくつかの実施形態では、メモリコンポーネントはRAMを含む。いくつかの実施形態では、メモリコンポーネントはROMを含む。いくつかの実施形態では、メモリコンポーネントは、不揮発性RAMを含む。いくつかの実施形態では、メモリコンポーネントは、データ記憶ファシリティを含む。いくつかの実施形態では、データ記憶ファシリティはファイルを含む。いくつかの実施形態では、データ記憶ファシリティは、オブジェクト指向データベースを含む。いくつかの実施形態では、データ記憶ファシリティは、リレーショナルデータベースを含む。いくつかの実施形態では、データ記憶ファシリティはオブジェクトを含む。いくつかの実施形態では、データ記憶ファシリティは、データを記憶するためのファシリティを含む。いくつかの実施形態では、データ記憶ファシリティは、アプリケーションを記憶するためのファシリティを含む。いくつかの実施形態では、データ記憶ファシリティは、プログラムを記憶するためのファシリティを含む。いくつかの実施形態では、データ記憶ファシリティは、電子ファシリティに関連するアイテムを記憶するためのファシリティを含む。いくつかの実施形態では、メモリコンポーネントは、トランザクション方法を実行する際に、ユニバーサル電子トランザクションファシリティの参加者に関連する全てのデータを記憶するのに十分なものである。いくつかの実施形態では、メモリコンポーネントは、情報漏れ防止効果の高い暗号化ファシリティを含む。いくつかの実施形態では、情報漏れ防止効果の高い暗号化ファシリティはスマートカードである。いくつかの実施形態では、メモリコンポーネントは磁気ファシリティを含む。いくつかの実施形態では、メモリコンポーネントは光学ファシリティを含む。いくつかの実施形態では、メモリコンポーネントは電子ファシリティを含む。いくつかの実施形態では、メモリコンポーネントは内容（またはコンテンツ）を記憶する。いくつかの実施形態では、その内容の全部が、サポートコンピュータにアップロードされる。いくつかの実施形態では、その内容は多次元データベースに記憶される。いくつかの実施形態では、その内容は、トランザクション方法に関連する。いくつかの実施形態では、メモリコンポーネントは、ソフトウエアコンジットに動作可能に結合する。いくつかの実施形態では、ソフトウエアコンジットは、上記内容の一部をサポートコンピュータにアップロードする。いくつかの実施形態では、ソフトウエアコンジットは、上記内容の一部をローカルコンピュータにアップロードする。いくつかの実施形態では、ソフトウエアコンジットは、上記内容の一部をメインサービスファシリティにアップロードする。いくつかの実施形態では、ソフトウエアコンジットは、上記内容の全部をメインサービスファシリティにアップロードする。いくつかの実施形態では、ソフトウエアコンジットは、上記内容の全部をローカルコンピュータにアップロードする。いくつかの実施形態では、ソフトウエアコンジットは、上記内容の全部をメインサービスファシリティにアップロードする。いくつかの実施形態では、上記内容は、バックアップファシリティにアップロードされる。いくつかの実施形態では、バックアップファシリティはメインサービスファシリティである。いくつかの実施形態では、上記内容は、メインサービスファシリティによって記憶されたデータのタイプと同じタイプのデータである。いくつかの実施形態では、コントロールファシリティは、入力／出力ポート管理を含む。いくつかの実施形態では、コントロールファシリティは、発光ダイオードを含む。いくつかの実施形態では、発光ダイオードは、オン／オフ状態を示す。いくつかの実施形態では、オン／オフ状態はスイッチによって決定される。いくつかの実施形態では、コントロールファシリティは、電子ブザー（ビーパー）を含む。いくつかの実施形態では、コントロールファシリティは、スピーカを含む。いくつかの実施形態では、コントロールファシリティはコンタクトファシリティを含む。いくつかの実施形態では、コンタクトファシリティは、外部のファシリティに接続する。いくつかの実施形態では、コンタクトファシリティは、バッテリーの充電に関連する。いくつかの実施形態では、バッテリーは、ユニバーサル電子トランザクションファシリティに一体化される。いくつかの実施形態では、コンタクトファシリティは、ユニバーサル電子トランザクションファシリティに電力を供給する。いくつかの実施形態では、コンタクトファシリティは、ユニバーサル電子トランザクションファシリティにデータ通信能力を提供する。いくつかの実施形態では、コンタクトファシリティは電力ピンを含む。いくつかの実施形態では、コンタクトファシリティは磁気ストライプを含む。いくつかの実施形態では、コンタクトファシリティは、接触型スマートカードファシリティを含む。いくつかの実施形態では、コンタクトファシリティは電力ファシリティを含む。いくつかの実施形態では、コンタクトファシリティはデータファシリティを含む。いくつかの実施形態では、コントロールファシリティはバッテリーを含む。いくつかの実施形態では、コントロールファシリティは非接触ファシリティを含む。いくつかの実施形態では、コントロールファシリティは通信ファシリティを含む。いくつかの実施形態では、通信ファシリティはコンタクトファシリティを含む。いくつかの実施形態では、通信ファシリティは、非接触ファシリティを含む。いくつかの実施形態では、非接触ファシリティは外部のファシリティと相互作用することを含む。いくつかの実施形態では、非接触ファシリティは赤外線ファシリティを含む。いくつかの実施形態では、赤外線ファシリティはIrDAファシリティを含む。いくつかの実施形態では、非接触ファシリティはRFファシリティを含む。いくつかの実施形態では、RFファシリティはRFIDファシリティである。いくつかの実施形態では、非接触ファシリティは非接触型スマートカードファシリティを含む。いくつかの実施形態では、通信ファシリティは直接通信ファシリティを含む。いくつかの実施形態では、通信ファシリティはローカル通信ファシリティを含む。いくつかの実施形態では、通信ファシリティはネットワーク通信ファシリティを含む。いくつかの実施形態では、ネットワーク通信ファシリティはPSTNへの接続を含む。いくつかの実施形態では、PSTNへの接続は、モデムを含む。いくつかの実施形態では、ネットワーク通信ファシリティ���データネットワークへの接続を含む。いくつかの実施形態では、データネットワークへの接続は、イーサネット（登録商標）カード、802.11無線カード、Bluetooth（ブルートゥース）ファシリティ、携帯電話ネットワーク（CDPD、GPRS、GSM、CSD、HSCSD、SMSなどのプロトコルを使用する）を含むことができる。いくつかの実施形態では、ネットワーク通信ファシリティは、特殊なインターフェースへの接続を含む。いくつかの実施形態では、特殊なインターフェースは、メインサービスファシリティに動作可能に結合されるデータ通信インターフェースである。いくつかの実施形態では、ネットワーク通信ファシリティは、（VPN、IPSec接続、SSH接続などの）安全なデータ接続を含む。いくつかの実施形態では、通信ファシリティは物理コンポーネントを含む。いくつかの実施形態では、物理コンポーネントは、カテゴリ5eケーブルまたは他のネットワークコンポーネントである。いくつかの実施形態では、通信ファシリティは、アプリケーション指向のコンポーネントを含む。いくつかの実施形態では、アプリケーション指向のコンポーネントはウェブサーバーである。いくつかの実施形態では、アプリケーション指向のコンポーネントはウェブブラウザである。いくつかの実施形態では、アプリケーション指向のコンポーネントはユニバーサル電子トランザクションファシリティに関連する。
【００２８】
いくつかの実施形態では、通信ファシリティは、外部のファシリティを介してメインサービスファシリティへの直接接続を提供するファシリティを含む。いくつかの実施形態では、外部のファシリティを介してメインサービスファシリティへの直接接続を提供するファシリティは、Telnet（テルネット）プロトコル、またはFTPプロトコル、またはSSHプロトコルを実施するアプリケーションである。いくつかの実施形態では、外部のファシリティを介してメインサービスファシリティへの直接接続を提供するファシリティは、外部のファシリティを介してメインサービスファシリティにコネクションベースのトンネルを提供するアプリケーションを含む。いくつかの実施形態では、外部のファシリティを介してメインサービスファシリティへの直接接続を提供するファシリティは、外部のファシリティを介してメインサービスファシリティにセッションベースのトンネルを提供するアプリケーションを含む。いくつかの実施形態では、通信ファシリティは、アプリケーション指向の通信ファシリティを含む。いくつかの実施形態では、アプリケーション指向の通信ファシリティは、サービスプロバイダーのウェブサーバーに接続するためのファシリティを含む。いくつかの実施形態では、サービスプロバイダーは小売業者である。いくつかの実施形態では、サービスプロバイダーに接続することには、HTTPまたはHTTPSを使用することが含まれる。いくつかの実施形態では、その通信は、ユニバーサル電子トランザクションファシリティの実施形態に関連する。いくつかの実施形態では、コントロールファシリティは電力ファシリティ（たとえば、バッテリー、DC電源、太陽電池、燃料電池、充電器、インダクティブ充電器及び／またはシガレットライターアダプタ）を含む。いくつかの実施形態では、電力ファシリティは、実現可能な電力源を含む。いくつかの実施形態では、電力ファシリティは、外部のファシリティとの無線による相互作用を含む。いくつかの実施形態では、外部ファシリティとの相互作用は電磁誘導を含む。
【００２９】
いくつかの実施形態では、ユニバーサル電子トランザクションファシリティはある形態で具現化される。いくつかの実施形態では、その形態は、３．５インチ×２．５インチである。いくつかの実施形態では、その形態のサイズは、クレジットカードのサイズである。いくつかの実施形態では、その形態のサイズは、クレジットカードを積み重ねたサイズである。いくつかの実施形態では、その形態は、モバイル装置を含む。いくつかの実施形態では、モバイル装置はPDAを含む。いくつかの実施形態では、モバイル装置はスマートカードを含む。いくつかの実施形態では、モバイル装置は携帯電話を含む。いくつかの実施形態では、モバイル装置は着用可能なコンピュータを含む。いくつかの実施形態では、モバイル装置は腕時計を含む。いくつかの実施形態では、モバイル装置はブラックベリー（Blackberry）を含む。いくつかの実施形態では、可動でデバイスはサイドキック（Sidekick）を含む。いくつかの実施形態では、モバイル装置は指輪を含む。いくつかの実施形態では、モバイル装置はブレスレットを含む。いくつかの実施形態では、モバイル装置はペンダントを含む。いくつかの実施形態では、モバイル装置は靴を含む。いくつかの実施形態では、モバイル装置はめがねの縁を含む。いくつかの実施形態では、モバイル装置はヘアクリップを含む。いくつかの実施形態では、モバイル装置はユーザが身に付ける個人用品を含む。いくつかの実施形態では、その形態はレジスター（金銭登録器）を含む。いくつかの実施形態では、その形態は店舗販売時点情報管理システムを含む。いくつかの実施形態では、その形態はパーソナルコンピュータを含む。いくつかの実施形態では、その形態は携帯デジタル音楽プレーヤーを含む。いくつかの実施形態では、その形態はデジタルカメラを含む。いくつかの実施形態では、その形態はセットトップボックスを含む。いくつかの実施形態では、その形態はデジタルビデオレコーダを含む。いくつかの実施形態では、その形態は衛星受信機を含む。いくつかの実施形態では、その形態は自動車を含む。いくつかの実施形態では、その形態は需給計器を含む。いくつかの実施形態では、需給計器は電気メーターを含む。いくつかの実施形態では、需給計器はガスメーターを含む。いくつかの実施形態では、その形態は販売に関連する。いくつかの実施形態では、その形態は資金の移転に関連する。
【００３０】
いくつかの実施形態では、コンポーネントは自動車に対するインターフェースを含む。いくつかの実施形態では、コンポーネントはGPS受信機を含む。いくつかの実施形態では、コンポーネントは、移動可能な（または携帯型の）、位置検知型トランザクションを可能にするファシリティを含む。いくつかの実施形態では、コンポーネントはユーザインターフェースを含む。いくつかの実施形態では、コンポーネントは輝度調整ファシリティを含む。いくつかの実施形態では、コンポーネントは筐体（エンクロージャ）を含む。いくつかの実施形態では、筐体は、周囲の照明条件を適度なものにする。いくつかの実施形態では、筐体がなければ、周囲の照明条件によって、ユニバーサル電子トランザクションファシリティの有用性が損なわれる可能性がある。いくつかの実施形態では、コンポーネントは、周囲の照明条件を感知できる可視光センサを含む。いくつかの実施形態では、ディスプレイ装置は、ユニバーサル電子トランザクションファシリティに一体化されて、可視光センサに動作可能に結合される。いくつかの実施形態では、ディスプレイ装置の輝度は、周囲の照明条件の明るさに基づいて調節され、この場合、ディスプレイ装置の輝度を調節することによって、ユニバーサル電子トランザクションファシリティのユーザによるディスプレイ装置の可読性が高まる。
【００３１】
いくつかの実施形態では、コンポーネントは、トランザクションに関連する方法をサポートするためのソフトウエアを含む。いくつかの実施形態では、ソフトウエアはオペレーティングシステムを含む。このソフトウエアは、メモリディスプレイプレイマネージャ、データベースディスプレイマネージャ、分析アルゴリズム、分析手順、インターフェースコントローラ、デイ・プランナー（日程プランナー）、I/Oドライバ、ディスプレイドライバ、スケジューラ、コマンドマネージャ、時計、カレンダー、ユニバーサル電子トランザクションファシリティ初期化プログラム、認可プログラム、セキュリティマネージャ、シグネチャ（署名）マネージャを含むことができる。いくつかの実施形態では、ソフトウエアは、物理的なカードをエミュレートする使用可能なアプリケーションを含む。いくつかの実施形態では、物理的なカードはクレジットカードである。いくつかの実施形態では、使用可能なアプリケーションは入力値に作用する。いくつかの実施形態では、その入力値は謝礼金である。いくつかの実施形態では、その入力値はキャッシュバックの額である。いくつかの実施形態では、その入力値はトランザクションに関連する金額の量である。いくつかの実施形態では、物理的なカードはバンクカードである。いくつかの実施形態では、使用可能なアプリケーションは入力値に作用する。いくつかの実施形態では、その入力値は謝礼金である。いくつかの実施形態では、その入力値はキャッシュバックの量である。いくつかの実施形態では、その入力値はトランザクションに関連する金額の量である。
【００３２】
いくつかの実施形態では、物理的なカードはメディカルカードである。いくつかの実施形態では、使用可能なアプリケーションは、個人の医療面に関する情報に関連する。いくつかの実施形態では、個人は、ユニバーサル電子トランザクションファシリティに関連する。いくつかの実施形態では、個人の医療面に関する情報は病歴である。いくつかの実施形態では、個人の医療面に関する情報は保険情報である。いくつかの実施形態では、個人の医療面に関する情報は写真付き身分証明書である。いくつかの実施形態では、物理的なカードは運転免許証である。いくつかの実施形態では、物理的なカードはテレホンカードである。いくつかの実施形態では、物理的なカードは航空機トラベルカードである。いくつかの実施形態では、使用可能なアプリケーションは航空座席予約ファシリティとインターフェースする。いくつかの実施形態では、使用可能なアプリケーションは、航空機による旅行に関連するファシリティとインターフェースする。いくつかの実施形態では、物理的なカードはレンタカーカードである。いくつかの実施形態では、物理的なカードはユニバーサルICカードである。いくつかの実施形態では、ユニバーサルICカードは、複数の使用可能なアプリケーションの統合、ユニバーサル電子トランザクションファシリティに関連するユーザの識別、及び、ユーザの識別とトランザクションの両方に関連するアカウント（口座）を含む。いくつかの実施形態では、トランザクションは、複数の使用可能なアプリケーションのうちの少なくとも１つに関連する。いくつかの実施形態では、コンポーネントは、スマートカードファシリティを含む。いくつかの実施形態では、コンポーネントは、音声認識機能付きマイクを含む。いくつかの実施形態では、コンポーネントはBluetooth（ブルートゥース）ファシリティを含む。いくつかの実施形態では、コンポーネントは仮想プライベートネットワークを含む。いくつかの実施形態では、コンポーネントはホログラフィックメモリファシリティを含む。いくつかの実施形態では、コンポーネントは脱着可能なRAMファシリティを含む。いくつかの実施形態では、コンポーネントは脱着可能なROMファシリティを含む。いくつかの実施形態では、コンポーネントは、中央のセキュリティファシリティに登録することが可能な登録ファシリティを含む。いくつかの実施形態では、コンポーネントは、サービスファシリティと相互作用できるアクティベーションファシリティを含む。いくつかの実施形態では、ユニバーサル電子トランザクションファシリティを、Linux（リナックス）、Macintosh（マッキントッシュ）、またはWindows（登録商標）（ウインドウズ）コンピュータとすることができる。いくつかの実施形態では、ユニバーサル電子トランザクションファシリティは、トランザクション方法と全体的なアクティビティ（作業）の一方に関連する追加の機能をサポートする。いくつかの実施形態では、この追加の機能にはコードの入力が含まれる。いくつかの実施形態では、このコードは英数字コードである。いくつかの実施形態では、このコードは個人識別子である。いくつかの実施形態では、このコードはパスワードである。いくつかの実施形態では、このコードは個人識別番号で��る。いくつかの実施形態では、このコードは署名である。いくつかの実施形態では、上記追加の機能は、ユニバーサル電子トランザクションファシリティのオプションの表示を含む。いくつかの実施形態では、このオプションは口座取引要約である。いくつかの実施形態では、上記追加の機能は、トランザクションに関連するステータスの表示を含む。いくつかの実施形態では、このステータスは、完了したトランザクションを示す。いくつかの実施形態では、上記追加の機能は数値キーパッドの表示を含む。いくつかの実施形態では、この数値キーパッドはユーザのタッチ入力に応答する。いくつかの実施形態では、上記追加の機能は、ノートパッドを含む。いくつかの実施形態では、上記追加の機能は、To Do リスト（やることリスト）を含む。いくつかの実施形態では、上記追加の機能はコンタクト（接触）を含む。いくつかの実施形態では、上記追加の機能は電子メールプログラムを含む。いくつかの実施形態では、上記追加の機能はあるタスクを含む。いくつかの実施形態では、上記追加の機能はメッセージを含む。いくつかの実施形態では、上記追加の機能はインスタントメッセージを含む。いくつかの実施形態では、上記追加の機能はアラーム（警報）を含む。いくつかの実施形態では、上記追加の機能はリマインダー（催促）を含む。いくつかの実施形態では、上記追加の機能は、一般的な計算機能に関連する。いくつかの実施形態では、上記追加の機能は、トランザクション方法に関連する。いくつかの実施形態では、上記追加の機能は、一般的なユーザのアクティビティに関連する。
【００３３】
いくつかの実施形態では、ユニバーサル電子トランザクションファシリティは、メインサービスファシリティと相互作用する。いくつかの実施形態では、メインサービスファシリティはHTTPサーバーである。いくつかの実施形態では、メインサービスファシリティはパーソナルコンピュータである。いくつかの実施形態では、メインサービスファシリティはワークステーションである。いくつかの実施形態では、メインサービスファシリティはラップトップコンピュータである。いくつかの実施形態では、メインサービスファシリティは、サービス指向のアーキテクチャにおけるサービスとしての機能を提供する。いくつかの実施形態では、サービスは、そのようなサービスのレジストリ（登録簿）にリストされている。いくつかの実施形態では、レジストリは、メインサービスファシリティのクライアントによってアクセスされる。いくつかの実施形態では、クライアントはユニバーサル電子トランザクションファシリティである。いくつかの実施形態では、メインサービスファシリティは分散コンピュータである。いくつかの実施形態では、メインサービスファシリティはクラスタコンピュータである。いくつかの実施形態では、メインサービスファシリティは、ワークステーションのネットワークである。いくつかの実施形態では、メインサービスファシリティはサーバーである。いくつかの実施形態では、メインサービスファシリティはスーパーコンピュータである。いくつかの実施形態では、メインサービスファシリティはメインフレームコンピュータである。いくつかの実施形態では、メインサービスファシリティはサーバーファームである。いくつかの実施形態では、メインサービスファシリティは、異なる地理的位置に配置された１組のサーバーである。いくつかの実施形態では、相互作用は外部コネクタを介して生じる。いくつかの実施形態では、外部コネクタは、トランザクション方法の実行中に、ユニバーサル電子トランザクションファシリティ及びメインサービスファシリティに関連して使用される。いくつかの実施形態では、外部コネクタは、遠隔通信ファシリティを含む。いくつかの実施形態では、外部コネクタはインターネットファシリティを含む。いくつかの実施形態では、外部コネクタは情報処理ファシリティを含む。いくつかの実施形態では、外部コネクタはユーザ入力キーを含む。いくつかの実施形態では、外部コネクタは液晶ディスプレイを含む。いくつかの実施形態では、外部コネクタはパーソナルコンピュータインターフェースファシリティを含む。いくつかの実施形態では、外部コネクタは、ユニバーサル電子トランザクションファシリティとメインサービスファシリティとの間のトランザクション方法を可能にする。いくつかの実施形態では、外部コネクタはRFファシリティを含む。いくつかの実施形態では、外部コネクタはIRファシリティを含む。いくつかの実施形態では、外部コネクタはユニバーサル電子トランザクションファシリティとメインサービスファシリティとの間の通信を容易にする。いくつかの実施形態では、外部コネクタは商人に関連する。いくつかの実施形態では、外部コネクタはトランザクションの参加者に関連する。
【００３４】
いくつかの実施形態では、ユニバーサル電子トランザクションファシリティは、使用する前に初期化手順の完了を要求する。いくつかの実施形態では、初期化手順は、ユーザをユニバーサル電子トランザクションファシリティに関連付ける。いくつかの実施形態では、初期化手順のあるステップが、ユーザに署名を入力することを要求する。いくつかの実施形態では、その署名は永久的な記録となる。いくつかの実施形態では、その署名は検証のために使用される。いくつかの実施形態では、その署名は身元確認のために使用される。いくつかの実施形態では、その署名はセキュリティ目的で使用される。いくつかの実施形態では、その署名は不揮発性RAMに記憶される。いくつかの実施形態では、その署名は、トランザクション方法の実行中に、ユニバーサル電子トランザクションファシリティに関連するディスプレイ装置に自動的に表示される。いくつかの実施形態では、ユニバーサル電子トランザクションファシリティは、ユーザが署名を入力した後にのみ、通常の使用に対する準備が整う。いくつかの実施形態では、初期化プロセスのあるステップがユーザにコードを選択することを要求する。いくつかの実施形態では、そのコードは最大１０桁である。いくつかの実施形態では、そのコードは個人識別番号である。いくつかの実施形態では、後でコードを思い起こして提供することは、ユニバーサル電子トランザクションファシリティに記憶された情報にアクセスするための必要条件である。いくつかの実施形態では、後でコードを思い起こして提供することにユーザが失敗すると、ユニバーサル電子トランザクションファシリティが部分的に使用不能になる。いくつかの実施形態では、後でコードを思い出して提供することにユーザが失敗すると、ユニバーサル電子トランザクションファシリティが全面的に使用不能になる。いくつかの実施形態では、ユニバーサル電子トランザクションファシリティは、ユーザがコードを選択した後にのみ通常の使用に対する準備が整う。
【００３５】
いくつかの実施形態では、ユニバーサル電子トランザクションファシリティは、ユニバーサル電子トランザクションファシリティに一体化されたディスプレイ装置にコマンドボックスを表示する。いくつかの実施形態では、コマンドボックスは、ディスプレイの上部に表示される。いくつかの実施形態では、コマンドボックスはコマンドに関連する。いくつかの実施形態では、コマンドは「タイプ（入力）」である。いくつかの実施形態では、コマンドは「プリント」である。いくつかの実施形態では、コマンドは「消去」である。いくつかの実施形態では、コマンドは「セキュリティ」である。いくつかの実施形態では、コマンドは「シフト」である。いくつかの実施形態では、コマンドは、ユニバーサル電子トランザクションファシリティによってサポートされている。いくつかの実施形態では、ディスプレイの残りの部分は、トランザクション方法に関連する情報の表示用に利用できる。いくつかの実施形態では、ユニバーサル電子トランザクションファシリティは、オリジナルの署名用に割り当てられた特定の領域を含む。いくつかの実施形態では、オリジナルの署名は、初期化手順中に、ユーザによってユニバーサル電子トランザクションファシリティに入力される。いくつかの実施形態では、その署名は、ユニバーサル電子トランザクションファシリティに永久的に記憶される。いくつかの実施形態では、その署名は身元確認のために使用される。いくつかの実施形態では、上記特定の領域は、ユーザによって署名を書き込むために後で使用される。いくつかの実施形態では、ユーザは、トランザクション方法の実行中に署名を書く。
【００３６】
いくつかの実施形態では、ユニバーサル電子トランザクションファシリティは、写真、指紋、声紋、及び／または虹彩スキャンで捕捉される、ユーザに関連する身体的（または生物測定学的）特徴のデジタル化を提供する。いくつかの実施形態では、身体的特徴は、各ユーザ固有のものであり、他のユーザには関連しない可能性が高い。いくつかの実施形態では、身体的特徴のデジタル化はユーザの身元確認を提供する。いくつかの実施形態では、身体的特徴のデジタル化はユーザの認可を提供する。いくつかの実施形態では、ユニバーサル電子トランザクションファシリティは、物理的なカードのシミュレーション（模造物）を表示する。いくつかの実施形態では、そのシミュレーションは像である。いくつかの実施形態では、物理的なカードはクレジットカードである。いくつかの実施形態では、ユニバーサル電子トランザクションファシリティに関連する初期化手順中に収集された署名は、トランザクション方法の実行中に表示される。いくつかの実施形態では、その署名は商人によって検査される。いくつかの実施形態では、その署名はトランザクション方法における参加者によって検査される。いくつかの実施形態では、上記像は基本的なカード情報を含む。いくつかの実施形態では、基本的なカード情報には、名前、カード番号、発行日、及び／または、有効期限を含めることができる。いくつかの実施形態では、基本的なカード情報は、ユニバーサル電子トランザクションファシリティ内に記憶される。いくつかの実施形態では、基本的なカード情報は、バーコードの形態で提示される。いくつかの実施形態では、バーコードはバーコードリーダーによって読み取られる。
【００３７】
ユーザインターフェースの実施形態は、多くの特徴及び属性を含むことができる。あるユーザインターフェースは、タッチスクリーンを含むことができる。いくつかの実施形態では、ユーザインターフェースは、タッチ（式）メモリボタン（touch memory button）を含む。いくつかの実施形態では、ユーザインターフェースは、タッチ（式）メモリリーダー（touch memory reader）を含む。いくつかの実施形態では、ユーザインターフェースはマウスを含む。いくつかの実施形態では、ユーザインターフェースはトラックボールを含む。いくつかの実施形態では、トラックボールはユニバーサル電子トランザクションファシリティに一体化されている。いくつかの実施形態では、ユーザインターフェースはマイクロホンを含む。いくつかの実施形態では、マイクロホンは音声認識が可能である。いくつかの実施形態では、ユーザインターフェースはRFIDスキャナを含む。いくつかの実施形態では、ユーザインターフェースは外部ユーザインターフェースへのBluetooth（ブルートゥース）インターフェースを含む。いくつかの実施形態では、ユーザインターフェースはネットワークインターフェースを含む。いくつかの実施形態では、ユーザインターフェースは、ネットワークを介してユニバーサル電子トランザクションファシリティに動作可能に結合されたリモートのウェブブラウザを含む。いくつかの実施形態では、ユーザインターフェースはキーボードを含む。いくつかの実施形態では、ユーザインターフェースはクリックホイールを含む。いくつかの実施形態では、ユーザインターフェースはトラックホイールを含む。いくつかの実施形態では、ユーザインターフェースはポインターを含む。いくつかの実施形態では、ユーザインターフェースはスライダーを含む。いくつかの実施形態では、ユーザインターフェースはボタンを含む。いくつかの実施形態では、ユーザインターフェースは音声作動式インターフェースを含む。いくつかの実施形態では、ユーザインターフェースはスタイラスを含む。いくつかの実施形態では、ユーザインターフェースはスマートペンを含む。いくつかの実施形態では、ユーザインターフェースはリモートコントロールを含む。いくつかの実施形態では、ユーザインターフェースはネットワークインターフェースを含む。いくつかの実施形態では、ユーザインターフェースはソフトウエアインターフェースを含む。いくつかの実施形態では、ユーザインターフェースはウェブページを含む。いくつかの実施形態では、ユーザインターフェースはブラウザを含む。いくつかの実施形態では、ユーザインターフェースはカメラを含む。いくつかの実施形態では、カメラはビデオカメラである。いくつかの実施形態では、カメラはウェブカメラである。
【００３８】
UET、すなわちユニバーサル電子トランザクションファシリティは、多くの機能を実行することができ、及び、多くの属性を有することができる。いくつかの実施形態では、ユニバーサル電子トランザクションファシリティは、ユニバーサル電子トランザクションファシリティの初期化プロセスの重要な部分としてユーザの署名を記憶することができる。いくつかの実施形態では、ユニバーサル電子トランザクションファシリティは、ユニバーサル電子トランザクションファシリティの初期化プロセスの一部としてセキュリティコードを記憶することができる。いくつかの実施形態では、ユニバーサル電子トランザクションファシリティを初期化することができ、いくつかの実施形態では、ユニバーサル電子トランザクションファシリティの初期化には、コード、または、個人識別子、または、パスワード、または、個人識別番号、または、署名、または類似の識別子を入力することが含まれる。いくつかの実施形態では、ユニバーサル電子トランザクションファシリティの初期化には、クライアントのプロファイルを生成することがさらに含まれる。いくつかの実施形態では、ユニバーサル電子トランザクションファシリティの初期化には、トランザクションサービスプロバイダーを選択することがさらに含まれる。いくつかの実施形態では、ユニバーサル電子トランザクションファシリティの初期化には、中央の警備機関に登録することがさらに含まれる。
【００３９】
本明細書で開示する方法及びシステムは、電子トランザクションファシリティに小切手の表現物（画像など）を発行すること、電子トランザクションファシリティに関連するメモリにその表現物を記憶すること、及び、トランザクションに関連してその表現物を送ることを含む、支払いを行うための方法及びシステムを含む。これらの方法及びシステムは、その表現物に関連する情報にアクセスし、金融機関を介してその情報の少なくとも一部を処理するステップを含むこともできる。いくつかの実施形態では、金融機関はACH処理ファシリティである。これらの方法及びシステムは、競合するトランザクションに応答して、支払い済み小切手とトランザクションの受領書の少なくとも一方を電子トランザクションファシリティに送り返すステップを含むこともできる。いくつかの実施形態では、電子トランザクションファシリティは、携帯電話、PDA、PDAと携帯電話を組み合わせたもの、衛星電話、自動車電話、モバイル通信ファシリティ、ラップトップコンピュータ、ハンドヘルドコンピュータ、デスクトップコンピュータ、及びコンピュータ、のうちの少なくとも１つを含む。
【００４０】
本明細書で開示する方法及びシステムは、為替の表現物を電子トランザクションファシリティに発行すること、電子トランザクションファシリティに関連するメモリにその表現物を記憶すること、及び、その表現物をトランザクションに関連して送ることを含む、支払いを行うための方法及びシステムを含む。これらの方法及びシステムは、競合するトランザクションに応答して、トランザクションの受領書を電子トランザクションファシリティに送り返すステップを含むこともできる。これらの方法及びシステムは、メモリにトランザクションの受領書を記憶するためのステップを含むこともできる。
【００４１】
本明細書で開示する方法及びシステムは、個人の健康管理情報を、実際の記録を表す形式で、ユニバーサル電子トランザクションファシリティに発行することを含む、トランザクションを行うための方法及びシステムを含む。いくつかの実施形態では、個人の健康管理情報は、患者の電子医療記録である。いくつかの実施形態では、電子医療記録は、ユーザ装置に記録される。いくつかの実施形態では、電子医療記録は、患者の住所、電話番号、電子メールアドレス、緊急連絡先情報、かかりつけの医者、年齢、身長、体重、血液型、病状（たとえば、病気、血圧、コレステロール値）、現在処方されている薬剤、アレルギー、既往手術、以前の医療提供者、現在の健康保険提供者、及び保険証券番号、のうちの少なくとも１つに関連する情報を含む。いくつかの実施形態では、ユーザは、個人の健康管理情報に関連するトランザクションを医療提供者と開始する。いくつかの実施形態では、ユーザは、該ユーザの電子医療記録を医療提供者の電子ネットワークに送る。いくつかの実施形態では、ユーザは、該ユーザの電子医療記録を健康保険提供者の電子ネットワークに送る。いくつかの実施形態では、医療提供者は、ユーザの電子医療記録に新しい情報を送る。いくつかの実施形態では、個人の健康管理情報は、健康保険キャリア情報に関連する。いくつかの実施形態では、健康保険キャリア情報は、健康管理機構、優先医療給付機構、保険証券番号、かかりつけの医者による自動化された紹介の承認、及びサービスの承認、のうちの少なくとも１つに関連する情報を含む。いくつかの実施形態では、個人の健康管理情報は処方せんに関連する。いくつかの実施形態では、処方せんには、薬局との関係、医者、患者との関係、病院との関係、診療所との関係、電話での処方せん薬の代金支払いと薬剤師による受け取り、健康保険業者との関係、及び、償還者との関係、のうちの少なくとも１つが含まれる。いくつかの実施形態では、上記記録には電子医療記録が含まれる。いくつかの実施形態では、医療記録には、治療歴を含む完全な医療記録、現在の投薬、医師、病気、及び病的状態、のうちの少なくとも１つに関連する情報が含まれる。いくつかの実施形態では、上記記録には、インフォームドコンセントが含まれる。いくつかの実施形態では、インフォームドコンセントには、治療、医療委任状、及び臨床試験への参加、のうちの少なくとも１つに関連する情報が含まれる。いくつかの実施形態では、上記記録には臓器提供者情報が含まれる。いくつかの実施形態では、臓器提供者情報は、提供される臓器、署名のある適正な同意、証明書、のうちの少なくとも１つに関連する。いくつかの実施形態では、上記記録は、医療緊急時の連絡先情報を含む。いくつかの実施形態では、医療緊急時の連絡先情報には、住所、電話番号、医療記録の場所、薬剤に対するアレルギー、個人が服用している現在の薬剤のリスト、血液型、病気、及び、個人の現在の病的状態、のうちの少なくとも１つが含まれる。
【００４２】
本明細書で開示する方法及びシステムは、ユニバーサル電子トランザクションファシリティに安全な投票用紙を発行することを含む、トランザクションを行うための方法及びシステムを含む。いくつかの実施形態では、投票用紙は、実際の投票用紙の表現物（画像など）からなる。これらの方法及びシステムはまた、ユニバーサル電子トランザクションファシリティを用いて投票をするステップを含むことができる。これらの方法及びシステムはまた、投票に応答して受領書を発行するステップを含むことができる。いくつかの実施形態では、ユーザは、ユニバーサル電子トランザクションファシリティを用いて、投票に関連した投票トランザクションを行う。いくつかの実施形態では、投票は公選のための投票である。いくつかの実施形態では、投票は公選職員に対する投票である。いくつかの実施形態では、公選職員は、地方自治体、市役所、郡政府、州政府、連邦政府の公選職員である。いくつかの実施形態では、投票は国民投票である。いくつかの実施形態では、投票は法人における選任（corporate election）のための投票である。いくつかの実施形態では、投票は、取締役、株主、代理人、及び株式公開買付に対する投票である。いくつかの実施形態では、投票は、製品に対する投票である。いくつかの実施形態では、ユーザは、調査の一部として投票を行う。いくつかの実施形態では、法人は製品調査を実施する。いくつかの実施形態では、製品調査は自宅にいるときに行われる。いくつかの実施形態では、製品調査は店にいるときに行われる。いくつかの実施形態では、製品調査は、広告を見ているときに行われる。いくつかの実施形態では、投票は、エンターテイメント（娯楽）に対する投票である。いくつかの実施形態では、エンターテイメントへの投票はショーの一部である。いくつかの実施形態では、投票は、参加している観客によって行われる。いくつかの実施形態では、投票は、テレビ視聴者によって行われる。いくつかの実施形態では、投票は好きなショーに対する投票である。いくつかの実施形態では、ショーはテレビで放映される。いくつかの実施形態では、ショーは映画で放映される。いくつかの実施形態では、投票は、ショーの代替のエンディングに対する投票である。いくつかの実施形態では、投票は、法案または法律に対する投票である。いくつかの実施形態では、投票は、公選職員によって行われる。いくつかの実施形態では、公選職員による投票は上院で行われる。いくつかの実施形態では、公選職員による投票は下院で行われる。いくつかの実施形態では、投票に対する確認応答がある。いくつかの実施形態では、ユーザクライアントファシリティは受領書を受け取る。いくつかの実施形態では、受領書は、投票用紙の複写（または電送写真）である。いくつかの実施形態では、投票用紙は、記録投票（recorded vote）を示すためのマークが付されている。いくつかの実施形態では、投票は後で記録される。いくつかの実施形態では、ユーザへの投票の受領書は、投票が遅く受領されたことを示す。いくつかの実施形態では、次の選挙がいつであるかがユーザに通知される。いくつかの実施形態では、ユーザの識別情報が投票したときに刻印される。いくつかの実施形態では、ユーザは、同��選挙に２回以上は投票できない。いくつかの実施形態では、少なくとも１つの投票用紙がクライアントファシリティに記憶される。いくつかの実施形態では、投票用紙は、地方自治体、または、市役所、または、郡政府、または、州政府、または、連邦政府、または、法人、または、エンターテイメント、または、製品、または、法案に対する選挙用である。いくつかの実施形態では、ユーザは、投票するために投票用紙を選択する。いくつかの実施形態では、投票者は、投票をすべきことを指摘される。これらの方法及びシステムはまた、実際の投票用紙の複写をユーザに発行することを含むことができる。いくつかの実施形態では、投票を実施する機関が投票用紙の複写を送る。いくつかの実施形態では、ユーザは、投票機関からの投票用紙の複写を要求する。これらの方法及びシステムはまた、ユーザクライアントファシリティが少なくとも１つの投票用紙の複写を記憶することを含むことができる。いくつかの実施形態では、投票用紙は属性を有する。いくつかの実施形態では、属性には、名前、住所、個人識別情報、投票日、投票開始時刻、投票締め切り時刻、または、その他の投票に関する属性が含まれる。これらの方法及びシステムはまた、ユーザが投票を行うことを含むことができる。いくつかの実施形態では、ユーザは投票用紙を選択する。いくつかの実施形態では、ユーザは、投票用紙にユーザの票をマークする。これらの方法及びシステムはまた、投票場所において投票の受領書を発行することを含むことができる。いくつかの実施形態では、受領書は、投票したことに対する確認応答がマークされた投票用紙の複写である。いくつかの実施形態では、受領書は、投票したことに対する確認応答の複写である。これらの方法及びシステムはまた、ユーザが、投票に対する受領書を保管（アーカイブ）することを含むことができる。いくつかの実施形態では、この保管は、ユーザ定義の分類によってなされる。いくつかの実施形態では、少なくとも１つの受領書が保管される。これらの方法及びシステムはまた、クライアントファシリティを用いて、安全な分散型ウェブベースのプラットフォームによってサポートされた安全なトランザクション能力を含むことができる。いくつかの実施形態では、安全なトランザクションは、任意のクライアントファシリティを介して行われる。これらの方法及びシステムはまた、トークン全体を安全かつ電子的に発行する能力を含むことができる。いくつかの実施形態では、トークンは、トランザクションを実行するために必要な全ての画像、ブランド（銘柄や商標など）、及び／またはデータを有する。いくつかの実施形態では、トークンは、ユーザに直接送られる。いくつかの実施形態では、トークンは、有線媒体及び／または無線媒体を介して送られる。いくつかの実施形態では、トークンは、PC、移動電話などを含む個人のクライアントファシリティ、及び／または、一時的に個人に使用される公共装置（公共の使用に供される装置）に送られる。これらの方法及びシステムは、また、複数の既存のカード、口座、及びベンダー情報を安全かつ電子的に再現する能力を含むことができる。いくつかの実施形態では、再現されるものには、トランザクションを実行するために必要なデータと共に、ブランド及び画像が含まれる。いくつかの実施形態では、再現はクライアントファシリティで行われる。これらの方法及びシステムはまた、赤外線、RF、及びバーコードなどを用いて、または、種々の形態の無線トランザクションなどを用いて安全なトランザクションを実行する能力を含むことができる。これらの方法及びシステムはまた、クライアントファシリティに対して、実行されたトランザクションに関する受領書または確認応答を安全かつ電子的に発行する能力を含むことができる。いくつかの実施形態では、トランザクションを局所的に実行することができる。いくつかの実施形態では、トランザクションは、無線トランザクションを用いて実行される。これらの方法及びシステムはまた、任意の有線媒体及び／または無線媒体を介して、複数のドメインと安全かつ電子的に相互作用（対話）をする能力を含むことができる。いくつかの実施形態では、トランザクションは、個人用のトークン（個人専用のトークン）を獲得するために使用される。いくつかの実施形態では、トランザクションを開始して完了するためにUETが使用される。いくつかの実施形態では、ユーザーは、トランザクションの受領書または確認応答を受け取る。
【００４３】
これらの方法及びシステムはまた、３次元認証を用いて、トークン及び受領書の発行を含む、全てのプロキシミティトランザクションと無線トランザクションを安全に保護する能力を含むことができる。いくつかの実施形態では、３次元検証（認証）とは、全てのトランザクションについて、ユーザ、装置、及びドメインの身元（または同一性）を確認することである。いくつかの実施形態では、これは、暗号化ツールを用いることを含む。いくつかの実施形態では、ユーザは、ユーザ毎、装置毎、及びドメイン毎に、公開鍵／秘密鍵基盤をカスタマイズできる。これらの方法及びシステムはまた、トークン及び受領書が発行される場合に、トークン及び受領書を安全に暗号化する能力を含むことができる。いくつかの実施形態では、その後、トークン及び受領書がクライアントファシリティに記憶される。
【００４４】
これらの方法及びシステムはまた、（オプションとしてユーザの好みに基づいて）クライアントファシリティにおけるユーザインターフェース及び個人（専）用／非個人（専）用アプリケーションを構成する能力を含むことができる。また、いくつかの実施形態では、この構成は、エキスパートシステムのサポートを受けて行われる。いくつかの実施形態では、エキスパートシステムは、ユーザの動作、使用パターン、トランザクションの履歴、及び適格な外部入力に基づいて、ある期間中動作する。
【００４５】
本明細書で開示される方法及びシステムは、ユニバーサル電子トランザクションファシリティに個人情報を発行することを含む、安全なトランザクションを可能にするための方法及びシステムを含む。この場合、個人情報は、トランザクションに関連して使用されるように適合化され、トランザクションは、実際の対象物を複写したものを通信することを含むことができる。いくつかの実施形態では、個人情報にはユーザに関する情報が含まれる。いくつかの実施形態では、個人情報は、電話番号、住所、電子メールアドレス、社会保障番号、運転免許証、クレジットカード口座、デビットカード口座、名刺情報、住所録、及び電子メールアドレス帳、のうちの少なくとも１つである。いくつかの実施形態では、個人情報は、安全なファシリティを介して通信される。いくつかの実施形態では、個人情報は暗号化される。いくつかの実施形態では、個人情報は暗号化された状態で記憶される。いくつかの実施形態では、個人情報は暗号化された状態で送信される。いくつかの実施形態では、個人情報にはユーザの知人に関する情報が含まれる。いくつかの実施形態では、個人情報は、電話番号、住所、電子メールアドレス、及び名刺情報、のうちの少なくとも１つである。いくつかの実施形態では、知人の個人情報は、安全な方法で通信される。いくつかの実施形態では、個人情報は暗号化される。いくつかの実施形態では、個人情報は暗号化された形態で記憶される。いくつかの実施形態では、個人情報は暗号化された形態で送信される。いくつかの実施形態では、個人情報マネージャはユーザの活動を追跡する。いくつかの実施形態では、個人情報マネージャは金融取引を追跡する。いくつかの実施形態では、個人情報マネージャは知人との通信を追跡する。いくつかの実施形態では、個人情報マネージャは、関連付けされている知人のグループを認識する。いくつかの実施形態では、個人情報マネージャは追加のコンタクト（接触や連絡など）を提供する。いくつかの実施形態では、追加のコンタクトは、知人のグループのユーザコンタクトによって決定される。いくつかの実施形態では、追加のコンタクトは電子メールによってなされる。いくつかの実施形態では、コンタクトは電話によってなされる。いくつかの実施形態では、個人情報マネージャはユーザの位置と相互作用する。いくつかの実施形態では、ユーザの位置はGPSによって決定される。いくつかの実施形態では、ユーザの位置は、携帯電話の基地局の三角測量によって決定される。いくつかの実施形態では、個人情報マネージャは、知人に対するユーザの近接度を決定する。いくつかの実施形態では、この近接度は、少なくとも部分的に、ユーザの住所録にある情報と合致するごく近くにいる人々とユーザの位置を比較することによって決定される。いくつかの実施形態では、上記対象物は、運転免許証、ソーシャルセキュリティーカード、クレジットカード、デビットカード、個人ＩＤ（パーソナル識別子）、及び他の個人文書、のうちの少なくとも１つを含む。これらの方法及びシステムはまた、ユニバーサル電子トランザクションファシリティに関連するメモリに、個人情報の１つ以上の複製を記憶するステップを含むことができる。いくつかの実施形態では、これらの複製は関連する属性を含む。いくつかの実施形態では、属性には、名前、住所、有効期限、身長、体重、及びID番号、のうちの少なくとも１つが含まれる。これらの方法及びシステムはまた、トランザクションの場所において個人情報を送ることを含むことができる。いくつかの実施形態では、トランザクションの場所は受取人から離れている。いくつかの実施形態では、トランザクションの場所は受取人の近くである。これらの方法及びシステムはまた、ユーザがトランザクションからの応答を受け取ることを含むことができる。いくつかの実施形態では、応答には、電子メール、または、メッセージ、または、名刺、または、アドレスカード、または、電話番号が含まれる。これらの方法及びシステムはまた、ユーザが応答の複製を保管（アーカイブ）するステップを含むことができる。いくつかの実施形態では、応答は文書の種類毎に保管される。いくつかの実施形態では、文書の種類には、電子メール、メッセージ、住所、電話番号、及び名刺、のうちの少なくとも１つが含まれる。いくつかの実施形態では、保管（アーカイブ）は知人によって開始される。これらの方法及びシステムは、また、安全なトランザクション能力を提供することを含むことができる。この場合、安全なトランザクション能力には、安全な分散型ウェブベースプラットフォームによってサポートされたクライアントファシリティを用いることが含まれる。これらの方法及びシステムはまた、トークン全体を安全かつ電子的に発行する能力を含むことができる。いくつかの実施形態では、トークンには、トランザクションを実行するための画像、ブランド、及び／または、データが含まれる。いくつかの実施形態では、トークンはユーザに直接送信される。いくつかの実施形態では、この送信には、有線媒体及び／または無線媒体を介して送信することが含まれる。いくつかの実施形態では、トークンは、PC、移動電話、及び、一時的に個人に使用される公共装置、のうちの少なくとも１つを含む個人のクライアントファシリティに送信される。これらの方法及びシステムは、また、複数の既存のカード、口座、及びベンダー情報を安全かつ電子的に再現する能力を提供するステップを含むことができる。いくつかの実施形態では、再現されるものには、ブランド及び画像が含まれる。いくつかの実施形態では、再現するステップは、クライアントファシリティで実行される。これらの方法及びシステムはまた、安全なトランザクションを実行する能力を提供するステップを含むことができる。いくつかの実施形態では、安全なトランザクションには、赤外線、RF、及びバーコード、のうちの少なくとも１つを使用することが含まれる。いくつかの実施形態では、安全なトランザクションには、複数の無線トランザクションのうちの少なくとも１つを使用することが含まれる。これらの方法及びシステムはまた、実行されるトランザクションに関連する受領書または確認応答を、クライアントファシリティに対して安全に発行する能力を提供するステップを含むことができる。
【００４６】
本明細書で開示される方法及びシステムは、ユニバーサル電子トランザクションファシリティに対して安全なロイヤルティカードを発行することを含む、安全なトランザクションを可能にするための方法及びシステムを含む。いくつかの実施形態では、ロイヤルティカードは、航空会社のマイレージサービス、鉄道会社のマイレージサービス、ホテルの頻繁な利用に対する報酬（hotel frequent stay reward）、ストア・リワード（店舗からの報酬）、ストア・クーポン、サービス事業の推進、及び店舗での販売促進、のうちの少なくとも１つに関連する。いくつかの実施形態では、ロイヤルティカードは、商人のところで償還を受けるように適合化される。いくつかの実施形態では、ロイヤルティカードは、お金と交換されるように適合化される。いくつかの実施形態では、ロイヤルティカードは、製品と交換されるように適合化される。いくつかの実施形態では、ロイヤルティカードは、サービスと交換されるように適合化される。いくつかの実施形態では、ユーザは、ユニバーサル電子トランザクションファシリティを介してロイヤルティ情報トランザクションを開始する。いくつかの実施形態では、このトランザクションは商人を対象とする。いくつかの実施形態では、トランザクションは、商人のある共通の集合を対象とする。いくつかの実施形態では、トランザクションは、利用可能な全ての商人を対象とする。いくつかの実施形態では、商人が、ユニバーサル電子トランザクションファシリティを介して、ロイヤルティ情報トランザクションを開始する。いくつかの実施形態では、商人が、ロイヤルティ情報を既定のリストにあるユーザに送る。いくつかの実施形態では、商人が、ロイヤルティ情報をユーザのある共通の集合に送る。いくつかの実施形態では、商人が、ロイヤルティ情報を関連する全てのユーザに送る。これらの方法及びシステムはまた、関連する属性と共にロイヤルティカードの複製を記憶するステップを含むことができる。これらの方法及びシステムはまた、ユニバーサル電子トランザクションファシリティから償還（または引き換え）の連絡を送信するステップを含むことができる。いくつかの実施形態では、償還は離れた場所で行われる。いくつかの実施形態では、償還は取引の場所（営業所など）で行われる。いくつかの実施形態では、償還はリアルタイムで（すなわち、即時に）行われる。これらの方法及びシステムはまた、トランザクションの商人によるトランザクションの受領を提供するステップを含むことができる。いくつかの実施形態では、この受領は離れた場所で行われる。いくつかの実施形態では、この受領は取引の場所（営業所など）で行われる。いくつかの実施形態では、この受領はリアルタイムで行われる。これらの方法及びシステムはまた、ユニバーサル電子トランザクションファシリティに関連するメモリにその受領（書）を記憶するステップを含むことができる。いくつかの実施形態では、２つ以上の受領（書）が記憶される。これらの方法及びシステムは、また、安全な分散型ウェブベースプラットフォームによってサポートされたクライアントファシリティを用いて、安全なトランザクション能力を提供することを含むことができる。いくつかの実施形態では、安全���トランザクションは任意のクライアントファシリティを介して行われる。これらの方法及びシステムはまた、トークン全体を安全かつ電子的に発行するステップを含むことができる。いくつかの実施形態では、トークンは、トランザクションを実行するのに必要な全ての画像、ブランド、及び／またはデータを有する。いくつかの実施形態では、トークンは、ユーザに直接送られる。いくつかの実施形態では、トークンは、有線媒体及び／または無線媒体を介して送信される。いくつかの実施形態では、トークンは、PC、移動電話などを含む個人のクライアントファシリティ、及び／または、一時的に個人に使用される公共装置に送信される。これらの方法及びシステムはまた、複数の既存のカード、口座、及びベンダー情報を安全かつ電子的に再現するように適合化された再現ファシリティを提供するステップを含むことができる。いくつかの実施形態では、この再現には、トランザクションを実行するための必要なデータと共に、ブランド及び画像が含まれる。いくつかの実施形態では、再現はクライアントファシリティで行われる。これらの方法及びシステムはまた、赤外線、RF及びバーコード、または、種々の形態の無線トランザクションなどを介して、安全なトランザクションを実行する能力を具備するユニバーサル電子トランザクションファシリティを可能にするステップを含むことができる。これらの方法及びシステムはまた、受領書を提供するステップを含むことができる。これらの方法及びシステムはまた、任意の有線媒体及び／または無線媒体を介して、複数のドメインと安全かつ電子的に相互作用するようにトランザクションファシリティを適合化するステップを含むことができる。いくつかの実施形態では、方法及びシステムは、個人用のトークンを取得するために使用される。いくつかの実施形態では、方法及びシステムは、トランザクションを開始して完了するために使用される。いくつかの実施形態では、方法及びシステムは、トランザクションの受領（書）または確認応答を受け取るために使用される。これらの方法及びシステムは、また、３次元認証を用いて、トークン及び受領書の発行を含む、全てのプロキシミティトランザクション（近接トランザクション）及び無線トランザクションを安全に保護するようにトランザクションファシリティを適合化するステップを含むことができる。いくつかの実施形態では、３次元検証（認証）は、全てのトランザクションについて、ユーザ、装置及びドメインの身元（または同一性）を確認することである。いくつかの実施形態では暗号化ツールが使用される。いくつかの実施形態では、方法及びシステムは、ユーザ毎、装置毎、及びドメイン毎に公開鍵／秘密鍵基盤をカスタマイズするために使用される。これらの方法及びシステムは、また、トークン及び受領書を安全に暗号化する能力を具備するトランザクションファシリティを適合化するステップを含むことができる。いくつかの実施形態では、その後、トークン及び受領書が発行される。いくつかの実施形態では、トークン及び受領書はクライアントファシリティに記憶される。これらの方法及びシステムは、また、クライアントファシリティにおけるユーザインターフェース及び個人用／非個人用アプリケーションを構成するようにトランザクションファシリティの能力を適合化するステップを含むことができる。いくつかの実施形態では、装置は、ユーザの好みに基づいて構成される。いくつかの実施形態では、装置は、エキスパートシステム（たとえば、ある期間にわたって、装置は、ユーザの動作、使用パターン、トランザクションの履歴及び適格な外部入力に基づいて自動的に構成される）のサポートを受けて構成される。これらの方法及びシステムは、また、高レベルのスループット、効率、及び対障害性でもって、複数のトークン、複数のサービス及び複数の個人用／非個人用アプリケーションを供給する能力を具備するトランザクションファシリティを適合化することを含むことができる。いくつかの実施形態では、ユーザの好みに基づいて、及びエキスパートシステムのサポートを受けて適合化される。いくつかの実施形態では、ユーザの動作、使用パターン、トランザクションの履歴及び適格な外部入力に基づいて適合化される。
【００４７】
本明細書で開示する方法及びシステムは、ユニバーサル電子トランザクションファシリティにインフォテイメントファイルを発行すること、及び、インフォテイメントに関連するトランザクションを行うことを含む、トランザクションを可能にするための方法及びシステムを含む。いくつかの実施形態では、インフォテイメントは、映画、映画のクリップ（ムービー・クリップ）、ラジオ番組、電子ブック、ビデオ、ゲーム、ビデオゲーム、音楽、及び音楽クリップを含むグループからのものである。いくつかの実施形態では、インフォテイメントは、ユーザクライアントファシリティで再生される。いくつかの実施形態では、インフォテイメントはライセンスを有する。これらの方法及びシステムは、また、インフォテイメントの複製を記憶することを含むことができる。いくつかの実施形態では、少なくとも１つのバージョンのインフォテイメントの複製が記憶される。いくつかの実施形態では、少なくとも１つのタイプのインフォテイメントの複製が記録される。これらの方法及びシステムは、また、購入要求を送ることを含むことができる。いくつかの実施形態では、購入は離れた場所でなされる。いくつかの実施形態では、購入は販売地点でなされる。いくつかの実施形態では、購入要求中に、資金がユーザから移転される。いくつかの実施形態では、資金取引はリアルタイムで行われる。これらの方法及びシステムは、また、商人からの受領書の送信を含むことができる。いくつかの実施形態では、受領書は離れた場所で送信される。いくつかの実施形態では、受領書は販売地点で送信される。いくつかの実施形態では、受領書はリアルタイムで送信される。これらの方法及びシステムは、また、ユーザが受領書の複製を保管（アーカイブ）することを含むことができる。いくつかの実施形態では、ユーザクライアントは、少なくとも１つの複製を記憶することができる。いくつかの実施形態では、ユーザクライアントは、少なくとも一人の商人に対する複製を記憶することができる。これらの方法及びシステムはまた、クライアントファシリティを用いて、安全な分散型ウェブベースプラットフォームによってサポートされた安全なトランザクション能力を提供することを含むことができる。いくつかの実施形態では、安全なトランザクションは任意のクライアントファシリティを介して行われる。これらの方法及びシステムはまた、トークン全体を安全かつ電子的に発行する能力を具備するトランザクションファシリティを適合化することを含むことができる。いくつかの実施形態では、トークンは、トランザクションを実行するのに必要な全ての画像、ブランド、及び／または、データを有する。いくつかの実施形態では、トークンは、ユーザに直接送られる。いくつかの実施形態では、トークンは、有線媒体及び／または無線媒体を介して送られる。いくつかの実施形態では、トークンは、PC、移動電話などを含む個人用クライアントファシリティ、及び／または、一時的に個人によって使用される公共装置に送られる。
【００４８】
これらの方法及びシステムはまた、複数の既存のカード、口座、及びベンダー情報を安全かつ電子的に再現する能力を具備するトランザクションファシリティを適合化することを含むことができる。いくつかの実施形態では、この再現には、トランザクションを実行するために必要なデータと共に、ブランド及び画像が含まれる。いくつかの実施形態では、再現はクライアントファシリティで行われる。これらの方法及びシステムは、また、赤外線、RF、及びバーコードなどを用いて、または、無線トランザクションやこれと同様のものを用いて、安全なトランザクションを実行する能力を具備するトランザクションファシリティを適合化することを含むことができる。これらの方法及びシステムは、また、実行されたトランザクションに関連する受領書または確認応答を安全かつ電子的にクライアントファシリティに対して発行する能力を具備するトランザクションファシリティを適合化することを含むことができる。いくつかの実施形態では、受領書または確認応答は、商人の場所といったユーザの場所において発行され、オプションとして、無線トランザクションを用いて発行される。これらの方法及びシステムは、また、個人用のトークンを取得したり、トランザクションを開始して完了したり、トランザクションの受領書または確認応答を受け取るなどのために、任意の有線媒体及び／または無線媒体を介して、複数のドメインと安全かつ電子的に相互作用する能力を具備するトランザクションファシリティを適合化することを含むことができる。これらの方法及びシステムは、また、３次元認証を用いて、トークン及び受領書の発行を含む、全てのプロキシミティトランザクション及び無線トランザクションを安全に保護する能力を具備するトランザクションファシリティを適合化することを含むことができる。いくつかの実施形態では、３次元検証（認証）は、全てのトランザクションについてのユーザ、装置、及びドメインの身元（または同一性）の確認であり、この確認は、オプションとして、DES暗号化や、PGP暗号化や、公開鍵−秘密鍵技術や、他の暗号化ツールなどの既知の暗号化ツールを用いて行うことができる。いくつかの実施形態では、ホストは、ユーザ毎、装置毎、及びドメイン毎に公開鍵／秘密鍵基盤をカスタマイズすることができる。これらの方法及びシステムは、また、トークン及び受領書が発行されるときにトークン及び受領書を安全に暗号化する能力を具備するトランザクションファシリティを適合化することを含むことができる。いくつかの実施形態では、その後、トークン及び受領書がクライアントファシリティに記憶される。これらの方法及びシステムは、また、たとえば、好みに基づいて、または、エキスパートシステムを介して、クライアントファシリティにおけるユーザインターフェース及び個人用／非個人用アプリケーションを構成する能力を具備するトランザクションファシリティを適合化することを含むことができる。ユーザの動作、使用パターン、トランザクションの履歴及び適格な外部入力に基づいて、個人化または構成（コンフィグレーション）をある期間にわたって行うことができる。これらの方法及びシステムは、また、高レベルのスループット、効率、及び対���害性でもって、複数のトークン、複数のサービス及び複数の個人用／非個人用アプリケーションを供給する能力を具備するトランザクションファシリティを適合化することを含むことができ、この適合化は、オプションとして、ユーザの好みに基づいて、また、エキスパートシステムのサポートを受けて行うことができる。いくつかの実施形態では、ユーザの動作、使用パターン、トランザクションの履歴及び適格な外部入力に基づいて適合化される。本発明のこれら及び他のシステム、方法、物、特徴、及び利点は、以下の好適な実施形態の詳細な説明及び図面から当業者には明らかになろう。本明細書で言及した全ての文書は、参照によりそれらの全内容を本明細書に組み込むものとする。
【００４９】
本願は、ユニバーサル電子トランザクションを提供するための方法及びシステムを開示する。本発明の１側面では、方法は、ユニバーサル電子トランザクションファシリティを提供することを含むことができる。この方法の変形態様では、ユニバーサル電子トランザクションファシリティは、少なくとも、ユニバーサル電子トランザクションファシリティのドメイン、装置及びユーザに基づいて（または、少なくとも、ドメイン、装置、及びユニバーサル電子トランザクションファシリティのユーザに基づいて）、個別のセキュリティプロトコルを提供することができる。この方法の変形態様では、方法はさらに、ユニバーサル電子トランザクションファシリティに関連する、安全な分散型ウェブベースプラットフォームを提供することを含むことができる。この変形態様のいくつかのバージョンでは、方法はさらに、ユニバーサル電子トランザクションファシリティを介して、及び、ウェブベースプラットフォームに関連して、安全なトランザクション能力をユーザに提供することを含むことができる。
【００５０】
この方法のいくつかのバージョンでは、方法はさらに、ユニバーサル電子トランザクションファシリティを介して、安全なトランザクション能力をユーザに提供することを含むことができる。この変形態様のくつかのバージョンでは、トランザクション能力は支払い（決済）アプリケーションに関連する。この変形態様のいくつかのバージョンでは、トランザクション能力は、非支払い（非決済）アプリケーションに関連する。この変形態様のいくつかのバージョンでは、安全なトランザクション能力は、トランザクションの確認応答をユニバーサル電子トランザクションファシリティに発行する能力を含むことができる。確認応答を受領（書）とすることができる。
【００５１】
この方法のいくつかの変形態様では、ユニバーサル電子トランザクションファシリティをクライアント装置とすることができる。この方法のいくつかの変形態様では、ユニバーサル電子トランザクションファシリティは、ウォレット・メタファー（wallet metaphor）にしたがって動作することができる。この方法のいくつかの変形態様では、ユニバーサル電子トランザクションファシリティは、ウォレット・メタファーにしたがった動作をしないものとすることができる。
【００５２】
この方法のいくつかの変形態様では、ユニバーサル電子トランザクションファシリティは個人用の装置でありうる。この方法のいくつかの変形態様では、ユニバーサル電子トランザクションファシリティは公共装置でありうる。この方法のいくつかの変形態様では、ユニバーサル電子トランザクションファシリティは複数のドメインと相互作用することができる。
【００５３】
この方法のいくつかの変形態様では、方法はさらに、ユニバーサル電子トランザクションファシリティにデータを送信することを含むことができる。この変形態様のいくつかのバージョンでは、データは、確認応答、受領書、トークンのうちの少なくとも１つでありうる。この変形態様のいくつかのバージョンでは、ユニバーサル電子トランザクションファシリティは、ユニバーサル電子トランザクションファシリティにおいてデータを暗号化することができる。ユニバーサル電子トランザクションファシリティはさらに、ユニバーサル電子トランザクションファシリティにおいて、暗号化されたデータを記憶することができる。データは、請求書、確認応答、受領書、明細書、ロイヤルティ明細書、クーポン、プロモーション（販促）、トランザクションの概要、違反歴（violation record）、チケット、運転免許証、小切手帳、小切手、トークンのうちの１つ以上における１つ以上のインスタンス（例）でありうる。
【００５４】
本発明の１側面では、システムは、ユニバーサル電子トランザクションファシリティを備えることができる。このシステムのいくつかの変形態様では、ユニバーサル電子トランザクションファシリティは、少なくとも、ユニバーサル電子トランザクションファシリティのドメイン、装置、及びユーザに基づく個別のセキュリティプロトコルの発生器を備えることができる。このシステムのいくつかの変形態様では、システムはさらに、ユニバーサル電子トランザクションファシリティに関連する安全な分散型ウェブベースプラットフォームを備えることができる。この変形態様のいくつかのバージョンでは、システムはさらに、ユニバーサル電子トランザクションファシリティとウェブベースプラットフォームに関連した安全なトランザクション能力を有することができる。
【００５５】
このシステムのいくつかの変形態様では、システムはさらに、ユニバーサル電子トランザクションファシリティに関連して安全なトランザクション能力を有することができる。この変形態様のいくつかのバージョンでは、トランザクション能力は、支払い（決済）アプリケーションに関連する。この変形態様のいくつかのバージョンでは、トランザクション能力は、非支払い（非決済）アプリケーションに関連する。この変形態様のいくつかのバージョンでは、安全なトランザクション能力は、ユニバーサル電子トランザクションファシリティと通信するトランザクション確認応答ファシリティを有することができる。この確認応答ファシリティには受領書を含めることができる。
【００５６】
このシステムのいくつかの変形態様では、ユニバーサル電子トランザクションファシリティをクライアント装置とすることができる。このシステムのいくつかの変形態様では、ユニバーサル電子トランザクションファシリティは、ウォレット・メタファーにしたがって動作することができる。この方法のいくつかの変形態様では、ユニバーサル電子トランザクションファシリティは、ウォレット・メタファーにしたがった動作をしないものとすることができる。
【００５７】
このシステムのいくつかの変形態様では、ユニバーサル電子トランザクションファシリティは個人用の装置でありうる。このシステムのいくつかの変形態様では、ユニバーサル電子トランザクションファシリティは公共装置でありうる。このシステムのいくつかの変形態様では、ユニバーサル電子トランザクションファシリティは、複数のドメインに対する相互作用能力を有する。
【００５８】
このシステムのいくつかの変形態様では、システムはさらに、ユニバーサルトランザクションファシリティと通信するデータ送信ファシリティを有することができる。この変形態様のいくつかのバージョンでは、データ送信ファシリティは、確認応答、受領書、トークンのうちの少なくとも１つを有する。この変形態様のいくつかのバージョンでは、ユニバーサル電子トランザクションファシリティは、データ暗号化ファシリティを有する。ユニバーサル電子トランザクションファシリティはさらに、暗号化データ記憶ファシリティを有することができる。このデータ記憶ファシリティは、請求書、確認応答、受領書、明細書、ロイヤルティ明細書、クーポン、プロモーション（販促）、トランザクションの概要、違反歴、チケット、運転免許証、小切手帳、小切手、トークン、のうちの少なくとも１つに対するデータ記憶能力を含むことができる。
【００５９】
本発明の１側面では、方法及びシステムは、ユニバーサル電子トランザクションファシリティと外部システムとの間に動作可能な結合手段を提供することを含むことができる。この方法の変形態様では、ユニバーサル電子トランザクションファシリティは、ユニバーサル電子トランザクションファシリティのドメイン、装置及びユーザに少なくとも基づいて、個別のセキュリティプロトコルを提供することができる。この方法の変形態様では、外部システムは、トランザクションシステムである。この変形態様のいくつかのバージョンでは、トランザクションシステムは販売時点情報管理システムである。
【００６０】
この方法のいくつかの変形態様では、動作可能な結合手段は安全（セキュア）である。この方法のいくつかの変形態様では、動作可能な結合手段は無線である。この方法のいくつかの変形態様では、動作可能な結合手段は有線接続である。
【００６１】
本発明の１側面では、システムは、ユニバーサル電子トランザクションファシリティと、これに動作可能に結合された外部システムを備えることができる。システムの１実施形態では、ユニバーサル電子トランザクションファシリティは、ユニバーサル電子トランザクションファシリティのドメイン、装置及びユーザに少なくとも基づいて、個別のセキュリティプロトコルファシリティを有することができる。システムの１実施形態では、外部システムはトランザクションシステムである。この実施形態のいくつかのバージョンでは、トランザクションシステムは販売時点情報管理システムである。
【００６２】
システムのいくつかの実施形態では、動作可能な結合は、安全な結合である。システムのいくつかの実施形態では、動作可能な結合は無線による結合である。システムのいくつかの実施形態では、動作可能な結合は有線による結合である。
【００６３】
本発明の別の側面では、方法は、ユニバーサル電子トランザクションファシリティからデータを受け取ることと、ユニバーサル電子トランザクションファシリティから受け取ったデータに応答してあるアクションを行うことを含むことができる。この方法の１変形態様では、ユニバーサル電子トランザクションファシリティは、ユニバーサル電子トランザクションファシリティのドメイン、装置及びユーザに少なくとも基づいて、個別のセキュリティプロトコルを提供することができる。
【００６４】
この方法の１変形態様では、方法はさらに、ユニバーサル電子トランザクションファシリティのユーザに、データを受け取る前にトークンを発行することを含む。このデータはトークンに関連する。この変形態様のいくつかのバージョンでは、アクションは、トークンの検証に基づくトランザクションでありうる。トランザクションは、実社会で行うことができる。実社会は、装置間通信を含むことができる。実社会は、バーコードとバーコードリーダーを含むことができる。実社会で実行されるトランザクションをプロキシミティトランザクションとすることができる。トランザクションは、仮想社会で行うことができる。仮想社会で実行されるトランザクションを無線トランザクションとすることができる。トランザクションを、生物測定パラメータに関連するものとすることができる。トランザクションを、生物測定パラメータに関連しないものとすることができる。この変形態様のいくつかのバージョンでは、トークンの発行を安全かつ電子的に行うことができる。この変形態様のいくつかのバージョンでは、トークンをユーザ専用のものにすることができる。この変形態様のいくつかのバージョンでは、トークンをユーザ専用のものにしないことができる。この変形態様のいくつかのバージョンでは、トークンは、アクションを行うのに必要なデータを含むことができる。この変形態様のいくつかのバージョンでは、トークンは、画像とブランドの少なくとも一方を符号化することができる。この変形態様のいくつかのバージョンでは、トークンの発行を有線媒体を介して行うことができる。この変形態様のいくつかのバージョンでは、トークンの発行を無線媒体を介して行うことができる。この変形態様のいくつかのバージョンでは、トークンを、クレジットカード、銀行口座、フリークエントフライヤー（航空機頻繁利用客）カード、ストアードヴァリューカード（stored value card）、ロイヤルティカード、保険証、運転免許証、請求書、クーポンのうちの少なくとも１つに関連付けることができる。
【００６５】
この方法の１変形態様では、方法はさらに、データを受け取る前に、ユニバーサル電子トランザクションファシリティのユーザに複数のトークンを発行することを含むことができる。このデータはトークンに関連する。この方法の１変形態様では、方法はさらに、３次元認証を用いてアクションを安全に保護することを含むことができる。この変形態様のいくつかのバージョンでは、３次元認証は、ユーザ、ユニバーサル電子トランザクションファシリティ、及びドメインの身元（または正当なものとの同一性）を検証することを含むことができる。
【００６６】
本発明の他の側面では、システムは、ユニバーサル電子トランザクションファシリティと、ユニバーサル電子トランザクションファシリティと通信するデータ受信器とを含むことができ、この場合、データ受信器は、ユニバーサル電子トランザクションファシリティから受信したデータに応答する。この方法の１変形態様では、ユニバーサル電子トランザクションファシリティは、ユニバーサル電子トランザクションファシリティのドメイン、装置及びユーザに少なくとも基づく、個別のセキュリティプロトコルファシリティを含むことができる。この方法の１変形態様では、方法はさらに、ユニバーサル電子トランザクションファシリティに関連するデータトークンを含むことができる。この変形態様のいくつかのバージョンはさらに、トークン検証トランザクションを含むことができる。トークン検証トランザクションを実社会のトランザクションとすることができる。実社会のトランザクションは装置間通信を含むことができる。実社会のトランザクションは、バーコードリーダーとバーコードを含むことができる。実社会のトランザクションをプロキシミティトランザクションとすることができる。トークン検証トランザクションを仮想社会のトランザクションとすることができる。仮想社会のトランザクションを無線トランザクションとすることができる。トークン検証トランザクションを生物測定パラメータに関連付けることができる。トークン検証トランザクションを生物測定パラメータに関連付けないようにすることができる。トークン検証トランザクションをさらに、３次元認証セキュリティに関連付けることができる。３次元認証は、ユーザ同定検証ファシリティ、ユニバーサル電子トランザクション検証ファシリティ、及び、ドメイン検証ファシリティを含むことができる。この変形態様のいくつかのバージョンでは、データトークンを安全で電子的なものとすることができる。このバージョンはさらに、ユニバーサル電子トランザクションに関連する複数のユーザデータトークンを含むことができ、この場合、データは、ユーザデータトークンの各々に関連する。この変形態様のいくつかのバージョンでは、データトークンをユーザ専用のものとすることができる。この変形態様のいくつかのバージョンでは、データトークンをユーザ専用のものとしないようにすることができる。この変形態様のいくつかのバージョンでは、データトークンはアクションに必要なデータを含むことができる。この変形態様のいくつかのバージョンでは、データトークンは、画像とブランドの少なくとも一方を符号化することを含むことができる。この変形態様のいくつかのバージョンでは、データトークンの関連付けを有線媒体を介して行うことができる。この変形態様のいくつかのバージョンでは、データトークンの関連付けを無線媒体を介して行うことができる。この変形態様のいくつかのバージョンでは、データトークンの関連付けを、クレジットカード、銀行口座、フリークエントフライヤー（航空機頻繁利用客）カード、ストアードヴァリューカード（stored value card）、ロイヤルティカード、保険証、運転免許証、請求書、クーポンのうちの少なくとも１つに関連付けることができる。
【００６７】
本発明の別の側面では、サービスを提供する方法は、ユニバーサル電子トランザクションファシリティと通信すること、及び、サービスプロバイダーと通信することを含むことができる。この方法の１変形態様では、通信を、サービスプロバイダーによって提供されるサービスの提供に関連付けることができる。この変形態様のいくつかのバージョンでは、サービスは、ユニバーサル電子トランザクションファシリティを介してユーザに提供される。この変形態様のいくつかのバージョンでは、サービスは、請求書の支払い、個人間のトランザクション、為替／送金（振替）、プリペイド式エアタイムトップアップ、チケット発行（発券）、マーケティング、電子検査（electronic checking）、ライセンス供与、保健サービス、旅行サービス、インフォテイメントサービス（情報娯楽用のテレビ番組乃至記事などを提供するサービス）、個人情報管理サービス、トレーニング、宝くじ、投票、のうちのサービスの１つとすることができる。
【００６８】
この方法の１変形態様では、ユニバーサル電子トランザクションファシリティは、ユニバーサル電子トランザクションファシリティのドメイン、装置、及びユーザに少なくとも基づいて個別のセキュリティプロトコルを提供することができる。この方法の１変形態様では、通信を安全なものとすることができる。この変形態様のいくつかのバージョンでは、安全な通信は３次元認証にしたがって提供される。
【００６９】
この方法の１変形態様では、通信を、サービスプロバイダーともう一つのサービスプロバイダーの少なくとも一方によって提供される複数のサービスの提供に関連付けることができる。この方法の１変形態様では、通信を複数のアプリケーションに関連付けることができる。この変形態様のいくつかのバージョンでは、少なくとも１つのアプリケーションを個人用のものとすることができる。この変形態様のいくつかのバージョンでは、少なくとも１つのアプリケーションを個人用ではないものとすることができる。
【００７０】
この方法の１変形態様では、通信をユーザの好みに従うものとすることができる。この方法の１変形態様では、通信をエキスパートシステムによって提供されるデータに従うものとすることができる。
【００７１】
本発明の別の側面では、システムは、ユニバーサル電子トランザクションファシリティ及びこれと通信するサービスプロバイダーを含むことができる。このシステムの１変形態様では、サービスプロバイダーは、上記通信に応答するサービスファシリティを含むことができる。この変形態様の１つのバージョンでは、サービスファシリティは、請求書の支払い、個人間のトランザクション、為替／送金（振替）、プリペイド式エアタイムトップアップ、チケット発行（発券）、マーケティング、電子検査（electronic checking）、ライセンス供与、保健サービス、旅行サービス、インフォテイメントサービス、個人情報管理サービス、トレーニング、宝くじ、投票といったサービスのうちの１つを含むことができる。このシステムの１変形態様では、ユニバーサル電子トランザクションファシリティは、ユニバーサル電子トランザクションファシリティのドメイン、装置、及びユーザに少なくとも基づいた個別のセキュリティプロトコル能力を含むことができる。この変形態様のいくつかのバージョンでは、サービスプロバイダーは、ユニバーサル電子トランザクションファシリティを介してユーザと通信することができる。
【００７２】
このシステムの１変形態様では、通信は安全である。この変形態様のいくつかのバージョンでは、安全な通信は３次元認証である。このシステムの１変形態様では、システムはさらに、サービスプロバイダーともう一つのサービスプロバイダーの少なくとも一方に関連付けられた複数のサービス、及び、もう一つのサービスプロバイダーを含むことができる。このシステムの１変形態様では、システムはさらに、サービスプロバイダーに関連付けられた複数のアプリケーションを含むことができる。この変形態様のいくつかのバージョンでは、少なくとも１つのアプリケーションを個人用のものとすることができる。この変形態様のいくつかのバージョンでは、少なくとも１つのアプリケーションを個人用ではないものとすることができる。
【００７３】
このシステムの１変形態様では、通信をユーザの好みに従うものとすることができる。このシステムの１変形態様では、通信をエキスパートシステムによって提供されるデータに従うものとすることができる。
【００７４】
本発明の１側面では、方法は、ユニバーサル電子トランザクションファシリティに関連して多次元データベースを提供することを含むことができる。この方法の１変形態様では、ユニバーサル電子トランザクションファシリティは、ユニバーサル電子トランザクションファシリティのドメイン、装置及びユーザに少なくとも基づいて、個別のセキュリティプロトコルを提供することができる。
【００７５】
本発明の別の側面では、システムは、多次元データベース及びこれに関連したユニバーサル電子トランザクションファシリティを含むことができる。このシステムの１実施形態では、ユニバーサル電子トランザクションファシリティは、ユニバーサル電子トランザクションファシリティのドメイン、装置及びユーザに少なくとも基づいた、個別のセキュリティプロトコルを含むことができる。
【００７６】
本発明の１側面では、方法は、ユニバーサル電子トランザクションファシリティに関連して個人用のトークンを提供することを含むことができる。この方法の１変形態様では、ユニバーサル電子トランザクションファシリティは、ユニバーサル電子トランザクションファシリティのドメイン、装置及びユーザに少なくとも基づいて、個別のセキュリティプロトコルを提供することができる。この方法の１変形態様では、個人用のトークンを、ユーザの公式の電子識別子とすることができる。この変形態様のいくつかのバージョンでは、個人用のトークンを、運転免許証とパスポートの少なくとも一方に関連付けることができる。この変形態様のいくつかのバージョンでは、個人用のトークンを、安全な電子トークンというトークンの種類とブランド付きのトークンというトークンの種類のうちの少なくとも一方とすることができる。この方法の１変形態様では、個人用のトークンをトランザクションの場所で提供することができる。この方法の１変形態様では、個人用のトークンをリアルタイムで提供することができる。
【００７７】
本発明の１側面では、システムは、ユニバーサル電子トランザクションファシリティ及びこれと関連する個人用のトークンを含むことができる。このシステムの１変形態様では、ユニバーサル電子トランザクションファシリティは、ユニバーサル電子トランザクションファシリティのドメイン、装置、及びユーザに少なくとも基づいた個別のセキュリティプロトコルを含むことができる。このシステムの１変形態様では、個人用のトークンを、ユーザの公式の電子識別子とすることができる。この変形態様のいくつかのバージョンでは、個人用のトークンを、運転免許証とパスポートの少なくとも一方に関連付けることができる。この変形態様のいくつかのバージョンでは、個人用のトークンを、安全な電子トークンとブランド付きのトークンの少なくとも一方とすることができる。
【００７８】
このシステムの１変形態様では、個人用のトークンをトランザクションの場所におけるトークンとすることができる。このシステムの１変形態様では、個人用のトークンをリアルタイム（即時応答）トークンとすることができる。
【００７９】
本発明の別の側面では、方法は、ユニバーサル電子トランザクションファシリティに関連して、商人指向のユーザインターフェースを提供することを含むことができ、この場合、そのユーザインターフェースによって、商人は、ユニバーサル電子トランザクションファシリティのユーザに対してトークンを発行することができる。この方法の１変形態様では、ユニバーサル電子トランザクションファシリティは、ユニバーサル電子トランザクションファシリティのドメイン、装置、及びユーザに少なくとも基づいて、個別のセキュリティプロトコルを提供することができる。この方法の１変形態様では、トークンはブランド付きのトークンである。この変形態様の１つのバージョンでは、ブランド付きのトークンを安全で電子的なものとすることができる。この変形態様の１つのバージョンでは、ブランド付きのトークンを、運転免許証、パスポート、明細書、クーポン、プロモーション（販促）、チケット、違反に関連するチケット、小切手帳、小切手、安全な電子トークン、ブランド付きのトークン、クレジットカード、銀行口座、フリークエントフライヤー（航空機頻繁利用客）カード、ストアードヴァリューカード、ロイヤルティカード、保険証、請求書、手形、商人発行クレジットカード、商人発行ロイヤルティカード、プリペイド式エアタイム、為替、送金（振替）、口座（アカウント）、のうちの少なくとも１つに関連付けることができる。
【００８０】
本発明の別の側面では、システムは、ユニバーサル電子トランザクションファシリティ及びこれに関連する商品指向のユーザインターフェースを含むことができ、この場合、商品指向のユーザインターフェースは、ユニバーサル電子トランザクションファシリティと通信するユーザトークン発行ファシリティを含む。このシステムの１変形態様では、ユニバーサル電子トランザクションファシリティは、ユニバーサル電子トランザクションファシリティのドメイン、装置及びユーザに少なくとも基づいた個別のセキュリティプロトコルを含むことができる。このシステムの１変形態様では、ユーザトークン発行ファシリティは、ブランド付きトークン発行ファシリティを含むことができる。この変形態様の１つのバージョンでは、ブランド付きトークン発行ファシリティを、安全で電子的なものとすることができる。この変形態様の１つのバージョンでは、ブランド付きトークン発行ファシリティを、運転免許証、パスポート、明細書、クーポン、プロモーション（販促）、チケット、違反に関連するチケット、小切手帳、小切手、安全な電子トークン、ブランド付きのトークン、クレジットカード、銀行口座、フリークエントフライヤー（航空機頻繁利用客）カード、ストアードヴァリューカード、ロイヤルティカード、保険証、請求書、小切手、商人発行クレジットカード、商人発行ロイヤルティカード、プリペイド式エアタイム、為替、送金（振替）、口座（アカウント）、のうちの少なくとも１つに関連付けることができる。
【００８１】
本発明の１側面では、方法は、ユニバーサル電子トランザクションファシリティを初期化するためのユーザインターフェースを提供することを含むことができる。この方法の１変形態様では、ユニバーサル電子トランザクションファシリティは、ユニバーサル電子トランザクションファシリティのドメイン、装置及びユーザに少なくとも基づく個別のセキュリティプロトコルを提供することができる。この方法の１変形態様では、ユーザインターフェースによって、ユーザが、ユニバーサル電子トランザクションファシリティの少なくとも１つのパラメータを管理することができる。この変形態様のいくつかのバージョンでは、この少なくとも１つのパラメータを、ドメイン、装置、ユーザ識別子、パスワード、セキュリティプロトコルのうちの少なくとも１つに関連付けることができる。この方法の１変形態様では、ユーザを管理者とすることができる。
【００８２】
本発明の１側面では、システムはユーザインターフェースを備えることができ、この場合、ユーザインターフェースは、ユニバーサル電子トランザクションファシリティのための初期化ファシリティを含む。このシステムの１変形態様では、システムはさらに、ドメイン、装置及びユニバーサル電子トランザクションファシリティのユーザに少なくとも基づいた個別のセキュリティプロトコルを含むことができる。このシステムの１変形態様では、ユーザインターフェースは、少なくとも１つのユニバーサル電子トランザクションファシリティパラメータに関連するマネジメントファシリティを含むことができる。この変形態様のいくつかのバージョンでは、この少なくとも１つのユニバーサル電子トランザクションファシリティパラメータを、ドメイン、装置、ユーザ識別子、パスワード、セキュリティプロトコルのうちの少なくとも１つに関連付けることができる。このシステムの１変形態様では、ユーザインターフェースを管理者インターフェースとすることができる。
【００８３】
本発明の１側面では、方法は、ユニバーサル電子トランザクションファシリティに関連しておサイフケータイ（モバイルウォレット：携帯型の電子財布）を提供することを含むことができる。この方法の１変形態様では、ユニバーサル電子トランザクションファシリティは、ユニバーサル電子トランザクションファシリティのドメイン、装置、及びユーザに少なくとも基づいて、個別のセキュリティプロトコルを提供することができる。この方法の１変形態様では、おサイフケータイは、ユーザに関連するアイテムの電子的な表現を含むことができる。この変形態様の１つのバージョンでは、このアイテムを、運転免許証、パスポート、明細書、クーポン、プロモーション（販促）、チケット、違反に関連するチケット、小切手帳、小切手、安全な電子トークン、ブランド付きのトークン、クレジットカード、バックカード、銀行口座、フリークエントフライヤー（航空機頻繁利用客）カード、ストアードヴァリューカード、ロイヤルティカード、保険証、請求書、小切手、商人発行クレジットカード、商人発行ロイヤルティカード、プリペイド式エアタイム、為替、送金（振替）、口座（アカウント）、のうちの少なくとも１つとすることができる。この変形態様の１つのバージョンでは、上記アイテムを、ユーザの公式な識別用資料とすることができる。
【００８４】
本発明の１側面では、システムは、ユニバーサル電子トランザクションファシリティ及びこれに関連するおサイフケータイを含むことができる。このシステムの１変形態様では、システムはさらに、ユニバーサル電子トランザクションファシリティのドメイン、装置、及びユーザに少なくとも基づいた個別のセキュリティプロトコルを含むことができ、この場合、個別のセキュリティプロトコルは、ユニバーサル電子トランザクションファシリティに関連付けられる。このシステムの１変形態様では、おサイフケータイは、ユーザのアイテムの電子的な表現を含むことができる。この変形態様のいくつかのバージョンでは、ユーザのアイテムを、運転免許証、パスポート、明細書、クーポン、プロモーション（販促品）、チケット、違反に関連するチケット、小切手帳、小切手、安全な電子トークン、ブランド付きのトークン、クレジットカード、バックカード、銀行口座、フリークエントフライヤー（航空機頻繁利用客）カード、ストアードヴァリューカード、ロイヤルティカード、保険証、請求書、小切手、商人発行クレジットカード、商人発行ロイヤルティカード、プリペイド式エアタイム、為替、送金（振替）、口座（アカウント）、のうちの少なくとも１つとすることができる。この変形態様のいくつかのバージョンでは、ユーザのアイテムを、ユーザの公式な識別用資料とすることができる。
【００８５】
本発明の１側面では、方法は、非標準トランザクションドメイン内のトランザクションをサポートするように適合化されたユニバーサル電子トランザクションファシリティを提供することを含むことができる。この方法の１変形態様では、ユニバーサル電子トランザクションファシリティは、ユニバーサル電子トランザクションファシリティのドメイン、装置及びユーザに少なくとも基づいて、個別のセキュリティプロトコルを提供することができる。この方法の１変形態様では、非標準トランザクションドメインをウェブとすることができ、ユニバーサル電子トランザクションファシリティは、安全なウェブベースの個人用ポータルを用いてトランザクションをサポートする。この方法の１変形態様では、非標準トランザクションドメインを賭博に関連付けることができ、ユニバーサル電子トランザクションファシリティは、安全な賭博ポータルを用いてトランザクションをサポートする。この方法の１変形態様では、非標準トランザクションドメインを商人に関連付けることができ、ユニバーサル電子トランザクションファシリティは、安全なマーチャントポータル（merchant portal：商人ポータル）を用いてトランザクションをサポートする。この方法の１変形態様では、非標準トランザクションドメインを政府に関連付けることができ、ユニバーサル電子トランザクションファシリティは、安全な政府ポータルを用いてトランザクションをサポートする。この方法の１変形態様では、非標準トランザクションドメインを企業に関連付けることができ、ユニバーサル電子トランザクションファシリティは、安全な企業ポータルを用いてトランザクションをサポートする。この方法の１変形態様では、非標準トランザクションドメインを健康／フィットネスに関連付けることができ、ユニバーサル電子トランザクションファシリティは、安全な健康／フィットネスポータルを用いてトランザクションをサポートする。この方法の１変形態様では、非標準トランザクションドメインを宗教に関連付けることができ、ユニバーサル電子トランザクションファシリティは、安全な宗教ポータルを用いてトランザクションをサポートする。この方法の１変形態様では、非標準トランザクションドメインをスポーツに関連付けることができ、ユニバーサル電子トランザクションファシリティは、安全なスポーツポータルを用いてトランザクションをサポートする。この方法の１変形態様では、非標準トランザクションドメインを保険に関連付けることができ、ユニバーサル電子トランザクションファシリティは、安全な保険ポータルを用いてトランザクションをサポートする。この方法の１変形態様では、非標準トランザクションドメインを大学に関連付けることがき、ユニバーサル電子トランザクションファシリティは、安全な大学ポータルを用いてトランザクションをサポートする。この方法の１変形態様では、非標準トランザクションドメインをパーティに関連付けることができ、ユニバーサル電子トランザクションファシリティは、安全なパーティポータルを用いてトランザクションをサポートする。この変形態様のいくつかのバージョンでは、パーティを政党とすることができる。この方法の１変形態様では、非標準トランザクションドメインを薬剤取引に関連付けることができ、ユニバーサル電子トランザクションファシリティは、安全な薬剤取引ポータルを用いてトランザクションをサポートする。この方法の１変形態様では、非標準トランザクションドメインを商品取引に関連付けることができ、ユニバーサル電子トランザクションファシリティは、安全な商品取引ポータルを用いてトランザクションをサポートする。この方法の１変形態様では、非標準トランザクションドメインを航空会社に関連付けることができ、ユニバーサル電子トランザクションファシリティは、安全な航空会社ポータルを用いてトランザクションをサポートする。この方法の１変形態様では、非標準トランザクションドメインを輸送機関に関連付けることができ、ユニバーサル電子トランザクションファシリティは、安全な輸送機関ポータルを用いてトランザクションをサポートする。
【００８６】
本発明の１側面では、システムは、非標準トランザクションドメイン内のトランザクションをサポートするよう適合化されたユニバーサル電子トランザクションファシリティを含むことができる。このシステムの１変形態様では、システムはさらに、ドメイン、装置及びユニバーサル電子トランザクションファシリティのユーザに少なくとも基づいた個別のセキュリティプロトコルを含むことができ、この場合、個別のセキュリティプロトコルは、ユニバーサル電子トランザクションファシリティに関連付けられる。このシステムの１変形態様では、非標準トランザクションドメインをウェブとすることができ、ユニバーサル電子トランザクションファシリティは、安全なウェブベースの個人用ポータルを含むことができる。このシステムの１変形態様では、非標準トランザクションドメインを賭博に関連付けることができ、ユニバーサル電子トランザクションファシリティは、安全な賭博ポータルを含むことができる。このシステムの１変形態様では、非標準トランザクションドメインを商人に関連付けることができ、ユニバーサル電子トランザクションファシリティは、安全なマーチャントポータルを含むことができる。このシステムの１変形態様では、非標準トランザクションドメインを政府に関連付けることができ、ユニバーサル電子トランザクションファシリティは、安全な政府ポータルを含むことができる。このシステムの１変形態様では、非標準トランザクションドメインを企業に関連付けることができ、ユニバーサル電子トランザクションファシリティは、安全な企業ポータルを含むことができる。このシステムの１変形態様では、非標準トランザクションドメインを健康／フィットネスに関連付けることができ、ユニバーサル電子トランザクションファシリティは、安全な健康／フィットネスポータルを含むことができる。このシステムの１変形態様では、非標準トランザクションドメインを宗教に関連付けることができ、ユニバーサル電子トランザクションファシリティは、安全な宗教ポータルを含むことができる。このシステムの１変形態様では、非標準トランザクションドメインをスポーツに関連付けることができ、ユニバーサル電子トランザクションファシリティは、安全なスポーツポータルを含むことができる。このシステムの１変形態様では、非標準トランザクションドメインを保険に関連付けることができ、ユニバーサル電子トランザクションファシリティシステムは、安全な保険ポータルを含むことができる。このシステムの１変形態様では、非標準トランザクションドメインを大学に関連付けることがき、ユニバーサル電子トランザクションファシリティは、安全な大学ポータルを含むことができる。このシステムの１変形態様では、非標準トランザクションドメインをパーティに関連付けることができ、ユニバーサル電子トランザクションファシリティは、安全なパーティポータルを含むことができる。この変形態様のいくつかのバージョンでは、パーティを政党とすることができる。このシステムの１変形態様では、非標準トランザクションドメインを薬剤取引（または薬剤交換）に関連付けることができ、ユニバーサル電子トランザクションファシリティは、安全な薬剤取引（または薬剤交換）ポータルを含むことができる。このシステムの１変形態様では、非標準トランザクションドメインを商品取引（または商品交換）に関連付けることができ、ユニバーサル電子トランザクションファシリティは、安全な商品取引（または商品交換）ポータルを含むことができる。このシステムの１変形態様では、非標準トランザクションドメインを航空会社に関連付けることができ、ユニバーサル電子トランザクションファシリティは、安全な航空会社ポータルを含むことができる。このシステムの１変形態様では、非標準トランザクションドメインを輸送機関に関連付けることができ、ユニバーサル電子トランザクションファシリティは、安全な輸送機関ポータルを含むことができる。
【００８７】
本発明の別の側面では、方法は、ユニバーサル電子トランザクションファシリティに関連して金融サービスを提供することを含むことができる。この方法の１変形態様では、ユニバーサル電子トランザクションファシリティは、ユニバーサル電子トランザクションファシリティのドメイン、装置、及びユーザに少なくとも基づいて、個別のセキュリティプロトコルを提供することができる。この方法の１変形態様では、金融サービスを、請求書の支払い、個人間の支払い、為替支払い、資金移転、トップアップトランザクション、チケット販売（発券）トランザクション、クーポンの発行、小切手の決済からなるグループから選択することができる。
【００８８】
この方法の１変形態様では、金融サービスは、ユニバーサル電子トランザクションファシリティに対して、請求書発行人からの請求書、支払いトークン、為替、送金（振替）トークン、プリペイド式エアタイムトークン、チケット、違反に関連するチケット、ロイヤルティカード、口座（アカウント）、クーポン、プロモーション（販促品）、小切手帳、小切手、ライセンス、運転免許証の少なくとも１つのうちの少なくとも１つの電子的複製を安全に発行することを含むことができる。
【００８９】
この変形態様の１つのバージョンでは、金融サービスはさらに、トランザクションを完了するのに必要なブランド、画像、及び情報のうちの少なくとも１つをやり取りすることを含むことができる。トランザクションは、商人からサービスを取得することを含むことができる。トランザクションを、チケット発行人からのサービスの取得とすることができる。
【００９０】
この変形態様の１つのバージョンでは、金融サービスはさらに、少なくとも１つのアイテムの少なくとも１つ属性に基づいてユーザに警告することを含むことができる。この属性を、有効期限（契約満期日）、住所変更、小切手の番号、残りの小切手の数、クーポンの引き換え期日までの日数、引き換え期日、旅行日、期限、時刻、発行時刻、財務バランス、のうちの少なくとも１つに関連付けることができる。
【００９１】
この変形態様の１つのバージョンでは、金融サービスはさらに、ユニバーサル電子トランザクションファシリティを用いて、ユーザが、請求書の支払いを安全に行うことできるようにすることを含むことができる。請求書の支払いはリアルタイムで（すなわち即時に）行うことができる。請求書の支払いを請求書のオンライン決済に関連付けることができ、請求書の支払いを請求書のオフライン決済に関連付けることもできる。請求書の支払いを、好みの支払い方法、好みの時間、好みの場所、のうちの少なくとも１つに関連付けることができる。
【００９２】
この変形態様の１つのバージョンでは、金融サービスはさらに、ユニバーサル電子トランザクションファシリティに対して、次の確認書、すなわち、請求書に関連する領収書、トランザクション概要の明細書、マーケティング媒体（marketing vehicle）、違反に関連するチケット、ライセンス、のうちの少なくとも１つの電子的複製を安全に発行することを含むことができる。ライセンスは、運転免許証、銃ライセンス、酒類販売許可証、漁業許可証、狩猟許可証、のうちの少なくとも１つとすることができる。マーケティング媒体は、ロイヤルティカード、口座（アカウント）、クーポン、プロモーション（販促品）、のうちの少なくとも１つとすることができる。トランザクション概要明細書を、ユニバーサル電子トランザクションファシリティのユーザと他のユーザとの間のトランザクションに関連付けることができる。電子的複製は支払済み印を含むことができる。金融サービスはさらに、ユーザが他のユーザに支払いができるようにすることを含むことができる。他のユーザは、ユニバーサル電子トランザクションファシリティを有することができる。他のユーザへの支払いは、安全かつリアルタイムで行うことができる。他のユーザへの支払いをオンライン決済に関連付けることができる。他のユーザへの支払いをオフライン決済に関連付けることができる。電子的複製を、金融サービスに従って資金を受け取るユーザのユニバーサル電子トランザクションファシリティに送ることができる。電子的複製は、金融サービスに関連する要約を含むことができる。この要約をフリークエントフライヤーに関する要約とすることができる。電子的複製は支払済み小切手を含むことができる。
【００９３】
この変形態様の１つのバージョンでは、金融サービスはさらに、ユニバーサル電子トランザクションファシリティで安全に開始される（取引）単位の移転を可能にすることを含むことができる。金融サービスは、第１の口座から単位を引き落とし、第２の口座へ単位を振り込むことを含むことができ、この場合、引き落としと振り込みのうちの少なくとも一方は、ユーザ及び要求の正当性が立証されることを条件とする。金融サービスを可能にすることには、サービスプロバイダーへの要求を発行することを含めることができ、この場合、この要求は、サービスプロバイダーの制御下で引き落としと振り込みを完了することに関連付けられる。移転の発行を無線通信を介して開始することができる。移転の発行を、近接ベースの通信を介して開始することができる。単位は金融単位とすることができる。ユニットはエアタイム（通信時間または放映時間）単位とすることができる。金融サービスはさらに、資金を受け取るユーザによってその資金を使用できるようにすることを含むことができる。金融サービスはチケット発行サービスである。
【００９４】
この変形態様の１つのバージョンでは、金融サービスはさらに、口座のトップアップ（追加）を可能にすることを含むことができ、ここで、トップアップは、ユニバーサル電子トランザクションファシリティにおいて安全に開始される。
【００９５】
この変形態様の１つのバージョンでは、金融サービスはさらに、電子的複製に対する償還を安全に行うことを含むことができる。無線通信は、電子的複製に対する償還を安全に開始することができる。近接ベースの通信は、電子的複製に対する償還を安全に開始することができる。
【００９６】
この変形態様の１つのバージョンでは、金融サービスはさらに、電子的複製を安全に受け取ることを含むことができる。
【００９７】
この変形態様の１つのバージョンでは、金融サービスを、違反に関連するチケットの発行とすることができ、この場合、電子的複製は、運転免許証の電子的複製である。
【００９８】
この変形態様の１つのバージョンでは、金融サービスはさらに、単位移転可能化ファシリティを含むことができ、この場合、単位移転可能化ファシリティは、ユニバーサル電子トランザクションファシリティと安全に通信する。金融サービスは、第１の口座に関連する単位引き落とし（単位借方）ファシリティと、第２の口座に関連する単位振り込み（単位貸方）ファシリティを含むことができ、この場合、単位引き落としファシリティと単位振り込みファシリティの少なくとも一方が、ユーザと要求の正当性が立証されることを条件とする。金融サービスはさらに、サービスプロバイダーの引き落とし及び振り込みファシリティに関連するサービスプロバイダーの要求発行ファシリティを含むことができる。単位移動イネーブリングファシリティを、無線通信を介して通信可能なものとすることができる。単位移転可能化ファシリティを、近接ベースの通信を介して通信可能なものとすることができる。単位移転可能化ファシリティは金融単位を含むことができる。単位移転可能化ファシリティは金融単位を含むことができる。単位移転可能化ファシリティはエアタイム単位を含むことができる。金融サービスはさらに、ユーザ資金イネーブルメント及び受領ファシリティを含むことができる。
【００９９】
この方法の１変形態様では、ユニバーサル電子トランザクションファシリティをクライアント装置とすることができる。
【０１００】
本発明の１側面では、システムは、ユニバーサル電子トランザクションファシリティ及びこれに関連する金融サービスを含むことができる。このシステムの１変形態様では、ユニバーサル電子トランザクションファシリティは、ドメイン、装置、及びユニバーサル電子トランザクションファシリティのユーザに少なくと基づく個別のセキュリティプロトコルを含むことができる。このシステムの１変形態様では、金融サービスを、請求書の支払い、個人間の支払い、為替支払い、資金移転、トップアップトランザクション、チケット販売（発券）トランザクション、クーポンの発行、小切手の決済からなるグループから選択することができる。
【０１０１】
このシステムの１変形態様では、金融サービスは、請求書発行人からの請求書、支払いトークン、為替、送金トークン、プリペイド式エアタイムトークン、チケット、違反に関連するチケット、ロイヤルティカード、口座（アカウント）、クーポン、プロモーション（販促品）、小切手帳、小切手、ライセンス、運転免許証のうちの少なくとも１つアイテムの少なくとも１つの電子的複製と、ユニバーサル電子トランザクションファシリティに関連する安全な発行ファシリティを含む。
【０１０２】
この変形態様の１つのバージョンでは、金融サービスはさらに、トランザクションを完了するのに必要なブランド、画像、情報のうちの少なくとも１つを含む通信ファシリティを含むことができる。トランザクションは、商人のサービスの取得を含むことができる。トランザクションは、チケット発行サービスの取得を含むことができる。
【０１０３】
この変形態様の１つのバージョンでは、金融サービスはさらに、少なくとも１つのアイテムの少なくとも１つの属性に基づくユーザへの警告を含む。この属性を、有効期限（契約満期日）、住所変更、小切手の番号、残りの小切手の数、クーポンの引き換え期日までの日数、引き換え期日、旅行日、期限、時刻、発行時刻、財務バランス、のうちの少なくとも１つに関連付けることができる。
【０１０４】
この変形態様の１つのバージョンでは、金融サービスはさらに、ユニバーサル電子トランザクションファシリティに関連する安全な請求書支払いファシリティを含むことができる。安全な請求書支払いファシリティはリアルタイム（即時処理）ベースものとすることができる。安全な請求書支払いファシリティを、請求書のオンライン決済に関連付けることができる。安全な請求書支払いファシリティを請求書のオフライン決済に関連付けることができる。安全な請求書支払いファシリティを、好みの支払い方法、好みの時間、好みの位置のうちの少なくとも１つに関連付けることができる。安全な請求書支払いファシリティはさらに、安全な電子複製償還ファシリティを含むことができる。安全な電子複製償還ファシリティを近接ベースのものとすることができる。
【０１０５】
この変形態様の１つのバージョンでは、金融サービスはさらに、ユニバーサル電子トランザクションファシリティと通信する、安全な電子複製発行ファシリティを含むことができ、この場合、安全な電子複製発行ファシリティは、次の確認書、すなわち、請求書に関連する領収書、トランザクション概要の明細書、マーケティング媒体、違反に関連するチケット、ライセンス、のうちの少なくとも１つの電子的複製を含む。ライセンスは、運転免許証、銃ライセンス、酒類販売許可証、漁業許可証、狩猟許可証、のうちの少なくとも１つとすることができる。マーケティング媒体は、ロイヤルティカード、口座（アカウント）、クーポン、プロモーション（販促品）、のうちの少なくとも１つとすることができる。トランザクション概要明細書を、ユニバーサル電子トランザクションファシリティのユーザと他のユーザとの間のトランザクションに関連付けることができる。電子的複製は支払済み印を含むことができる。金融サービスはさらに、複数のユーザに対するユーザ対ユーザ支払いイネーブリングファシリティを含むことができる。複数のユーザのうちの少なくとも一人の追加のユーザは、ユニバーサル電子トランザクションファシリティを有することができる。ユーザ対ユーザ支払いイネーブリングファシリティを安全かつリアルタイムのものとすることができる。ユーザ対ユーザ支払いイネーブリングファシリティをオンライン決済に関連付けることができる。ユーザ対ユーザ支払いイネーブリングファシリティをオフライン決済に関連付けることができる。安全な電子的複製発行ファシリティは、ａ）ユニバーサル電子トランザクションファシリティ、及びｂ）金融サービスに関連するユーザ資金受領ファシリティに応答する電子複製配送ファシリティを含むことができる。電子的複製は、金融サービスに関連する要約を含むことができる。この要約をフリークエントフライヤーに関する要約とすることができる。電子的複製は支払済み小切手を含むことができる。
【０１０６】
この変形態様の１つのバージョンでは、金融サービスはさらに、ユニバーサル電子トランザクションファシリティに応答する安全な口座トップアップイネーブルメントを含むことができる。
【０１０７】
この変形態様の１つのバージョンでは、金融サービスはさらに、電子的複製の安全な償還（または引き換え）を含むことができる。
【０１０８】
この変形態様の１つのバージョンでは、金融サービスはさらに、安全な電子的複製受け取りファシリティを含むことができる。
【０１０９】
この変形態様の１つのバージョンでは、金融サービスは、違反に関連するチケット発行ファシリティを含むことができ、この場合、電子的複製は運転免許証の電子的複製である。
【０１１０】
このシステムの１変形態様では、ユニバーサル電子トランザクションファシリティをクライアント装置とすることができる。
【０１１１】
ユニバーサル電子トランザクションファシリティのための情報システム及び方法
本発明の別の側面では、方法は、ユニバーサル電子トランザクションファシリティに関連して情報サービスを提供することを含むことができる。この方法の１変形態様では、ユニバーサル電子トランザクションファシリティは、ユニバーサル電子トランザクションファシリティのドメイン、装置、及び、ユーザに少なくとも基づいて、個別のセキュリティプロトコルを提供することができる。この方法の１変形態様では、情報サービスを、個別のセキュリティプロトコルの完了時に提供することができる。
【０１１２】
本発明の別の側面では、システムは、ユニバーサル電子トランザクションファシリティ及びこれに関連する情報サービスを含むことができる。このシステムの１変形態様では、ユニバーサル電子トランザクションファシリティは、ドメイン、装置、及び、ユニバーサル電子トランザクションファシリティのユーザに少なくとも基づく個別のセキュリティプロトコルを含む。このシステムの１変形態様では、情報サービスは、個別のセキュリティプロトコルに応答することができる。このシステムの変形態様では、情報サービスは、ユニバーサル電子トランザクションファシリティのユーザに応答する個人用ファシリティを含むことができる。
【０１１３】
本発明の別の側面では、方法は、ユニバーサル電子トランザクションファシリティをユーザの携帯型装置に実装することを含むことができる。この方法の１変形態様では、ユニバーサル電子トランザクションファシリティは、ユニバーサル電子トランザクションファシリティのドメイン、装置、及びユーザに少なくとも基づいて、個別のセキュリティプロトコルを提供することができる。この方法の１変形態様では、携帯型装置をハンドセット（送受話器）とすることができる。
【０１１４】
本発明の別の側面では、システムは、ユニバーサル電子トランザクションファシリティ、及びこれに関連する携帯型装置実装ファシリティを含むことができる。このシステムの１変形態様では、ユニバーサル電子トランザクションファシリティは、ユニバーサル電子トランザクションファシリティのドメイン、装置、及びユーザに少なくとも基づく個別のセキュリティプロトコルを含むことができる。このシステムの１変形態様では、携帯型装置実装ファシリティを、ハンドセット実装ファシリティとすることができる。
【０１１５】
本発明の別の側面では、方法は、ユニバーサル電子トランザクションファシリティを提供し、かつ、ユーザの金融口座情報をユニバーサル電子トランザクションファシリティに表示することを含むことができる。この方法の１変形態様では、ユニバーサル電子トランザクションファシリティは、ユニバーサル電子トランザクションファシリティのドメイン、装置、及びユーザに少なくとも基づいて、個別のセキュリティプロトコルを提供することができる。
【０１１６】
この方法の１変形態様では、ユニバーサル電子トランザクションファシリティは、ユーザの携帯型装置を含むことができる。この変形態様のいくつかのバージョンでは、携帯型装置をハンドセットとすることができる。
【０１１７】
本発明の別の側面では、システムは、ユニバーサル電子トランザクションファシリティ、及び、これに関連するユーザ金融口座情報表示ファシリティを含むことができる。このシステムの１変形態様では、ユニバーサル電子トランザクションファシリティは、ユニバーサル電子トランザクションファシリティのドメイン、装置、及びユーザに少なくとも基づく個別のセキュリティプロトコルを含むことができる。このシステムの１変形態様では、ユニバーサル電子トランザクションファシリティはユーザの携帯型装置を含むことができる。この変形態様のいくつかのバージョンでは、ユーザの携帯型装置をハンドセットとすることができる。
【０１１８】
本発明の別の側面では、方法は、ユニバーサル電子トランザクションファシリティを提供し、かつ、鉄道乗車券をユーザのユニバーサル電子トランザクションファシリティに提供することを含むことができる。この方法の１変形態様では、ユニバーサル電子トランザクションファシリティは、ユニバーサル電子トランザクションファシリティのドメイン、装置、及びユーザに少なくとも基づいて、個別のセキュリティプロトコルを提供することができる。この方法の１変形態様では、ユニバーサル電子トランザクションファシリティは、ユーザの携帯型装置を含むことができる。この変形態様のいくつかのバージョンでは、携帯型装置をハンドセットとすることができる。
【０１１９】
本発明の別の側面では、システムは、ユニバーサル電子トランザクションファシリティ、及び、これに関連するユーザの鉄道乗車券を含むことができる。このシステムの１変形態様では、ユニバーサル電子トランザクションファシリティは、ドメイン、装置、及び、ユニバーサル電子トランザクションファシリティのユーザに少なくとも基づく、個別のセキュリティプロトコルを含むことができる。このシステムの１変形態様では、ユニバーサル電子トランザクションファシリティは、ユーザの携帯型装置を含むことができる。この変形態様のいくつかのバージョンでは、ユーザの携帯型装置をハンドセットとすることができる。
【０１２０】
本発明の別の側面では、方法は、ユニバーサル電子トランザクションファシリティを提供すること、及び、ユニバーサル電子トランザクションファシリティに関連して安全なトランザクションファシリティを提供することを含むことができる。この方法の１変形態様では、方法はさらに、安全なトランザクションファシリティとインターフェースするクライアント装置を含むことができる。この方法の１変形態様では、安全なトランザクションファシリティを、安全な分散型ウェブベースプラットフォームによってサポートすることができる。この方法の１変形態様では、ユニバーサル電子トランザクションファシリティは、ウォレット・メタファー（wallet metaphor）にしたがって動作することができる。この方法の１変形態様では、ユニバーサル電子トランザクションファシリティを、支払いアプリケーションに関連付けることができる。この方法の１変形態様では、ユニバーサル電子トランザクションファシリティをユーザ専用のものとすることができる。この変形態様のいくつかのバージョンでは、RFIDを介してシステムに対してユーザを識別することができる。
【０１２１】
本発明の別の側面では、システムは、ユニバーサル電子トランザクションファシリティ、及び、ユニバーサル電子トランザクションファシリティに関連する安全なトランザクションファシリティを含むことができる。このシステムの１変形態様では、システムはさらに、安全なトランザクションファシリティとインターフェースするクライアント装置を備える。このシステムの１変形態様では、安全なトランザクションファシリティを、安全な分散型ウェブベースプラットフォームによってサポートすることができる。このシステムの１変形態様では、ユニバーサル電子トランザクションファシリティは、ウォレット・メタファーにしたがって動作することができる。このシステムの１変形態様では、ユニバーサル電子トランザクションファシリティをユーザ専用のものとすることができる。この変形態様のいくつかのバージョンでは、RFIDを介してユーザをシステムに対して識別することができる。
【０１２２】
本発明の別の側面では、方法は、ユニバーサル電子トランザクションファシリティを提供することを含むことができ、この場合、ユーザインターフェースによって、ユーザは、トランザクションを行うためのトークンを電子的に取得することができる。
【０１２３】
この方法の１変形態様では、ユニバーサル電子トランザクションファシリティは、トークンを取得することに関連する個別のセキュリティプロトコルを提供することができる。この方法の１変形態様では、トークンをブランド付きのトークンとすることができる。この変形態様のいくつかのバージョンでは、ブランド付きのトークンを、運転免許証、パスポート、明細書、クーポン、プロモーション（販促品）、チケット、違反に関連するチケット、小切手帳、小切手、安全な電子トークン、ブランド付きのトークン、クレジットカード、銀行口座、フリークエントフライヤー（航空機頻繁利用客）カード、ストアードヴァリューカード、ロイヤルティカード、保険証、請求書、手形、商人発行クレジットカード、商人発行ロイヤルティカード、プリペイド式エアタイム、為替、送金（振替）、口座（アカウント）、のうちの少なくとも１つに関連付けることができる。この方法の１変形態様では、トークンを、ユーザの個人用クライアント装置に直接発行することができる。この変形態様のいくつかのバージョンでは、個人用クライアント装置を、PC、移動電話、及び携帯型のパーソナルコンピュータからなるグループから選択することができる。この方法の１変形態様では、トークンを、ユーザの公共用クライアント装置に直接発行することができる。この方法の１変形態様では、トークンを、無線媒体を介して発行することができる。この方法の１変形態様では、トークンを、有線媒体を介して発行することができる。
【０１２４】
本発明の別の側面では、システムはユニバーサル電子トランザクションファシリティを含むことができ、この場合、ユーザインターフェースによってユーザは、トランザクションを実行するためのトークンを電子的に取得することができる。このシステムの１変形態様では、ユニバーサル電子トランザクションファシリティは、トークンを取得することに関連する個別のセキュリティプロトコルを提供することができる。このシステムの１変形態様では、トークンをブランド付きのトークンとすることができる。この変形態様のいくつかのバージョンでは、ブランド付きのトークンを、運転免許証、パスポート、明細書、クーポン、プロモーション、チケット、違反に関連するチケット、小切手帳、小切手、安全な電子トークン、ブランド付きのトークン、クレジットカード、銀行口座、フリークエントフライヤー（航空機頻繁利用客）カード、ストアードヴァリューカード（stored value card）、ロイヤルティカード、保険証、請求書、手形、商人発行クレジットカード、商人発行ロイヤルティカード、プリペイド式エアタイム、為替、送金（振替）、口座（アカウント）、のうちの少なくとも１つに関連付けることができる。このシステムの１変形態様では、トークンを、ユーザの個人用クライアント装置に直接発行することができる。この変形態様のいくつかのバージョンでは、個人用クライアント装置を、PC、移動電話、及び携帯型のパーソナルコンピュータからなるグループから選択することができる。このシステムの１変形態様では、トークンを、ユーザの公共用クライアント装置に直接発行することができる。このシステムの１変形態様では、トークンを、無線媒体を介して発行することができる。このシステムの１変形態様では、トークンを、有線媒体を介して発行することができる。
【０１２５】
本発明の別の側面では、方法は、ユニバーサル電子トランザクションファシリティを提供することを含むことができ、この場合、ユーザインターフェースによって、ユーザは、クライアント装置においてトランザクションを実行するためのデータを安全かつ電子的に再生することができる。この方法の１変形態様では、トランザクションを実行するためのデータは、第１の既存の口座に関連する少なくとも１つのデータセットを含むことができる。この変形態様のいくつかのバージョンでは、第１の既存の口座は、クレジットカード口座（アカウント）、デビット口座、銀行口座、仲介業者の口座、及びベンダーの口座からなるグループから選択することができる。この変形態様のいくつかのバージョンはさらに、第２の既存の口座に関連する第２のデータセットを含むことができる。第２の既存の口座は、クレジットカード口座、デビット口座（引き落とし口座）、銀行口座、仲介業者の口座、及びベンダーの口座からなるグループから選択することができる。
【０１２６】
この方法の１変形態様では、ユーザインターフェースは、クライアント装置においてトランザクションを実行するためのデータに関連するブランドデータを表示することができる。この方法の１変形態様では、トランザクションを実行するためのデータを、ユーザの個人用クライアント装置で再生することができる。この方法の１変形態様では、トランザクションを実行するためのデータを、ユーザの公共のクライアント装置で再生することができる。この変形態様のいくつかのバージョンでは、公共のクライアント装置を、一時的な個人的使用のために指定することができる。
【０１２７】
この方法の１変形態様では、クライアント装置で再生されるデータを、クライアント装置で直接表示することができる。この方法の１変形態様では、クライアント装置で再生されるデータをオンスクリーンアイコンで示すことができる。この変形態様のいくつかのバージョンでは、オンスクリーンアイコンをブランドデータに関連付けることができる。
【０１２８】
本発明の別の側面では、システムはユニバーサル電子トランザクションファシリティを含むことができ、この場合、ユーザインターフェースによって、ユーザは、トランザクションを実行するためのデータをクライアント装置において安全かつ電子的に再生することができる。このシステムの１変形態様では、トランザクションを実行するためのデータは、第１の既存の口座に関連する少なくとも１つのデータセットを含むことができる。この変形態様のいくつかのバージョンでは、第１の既存の口座は、クレジットカード口座、デビット口座（引き落とし口座）、銀行口座、仲介業者の口座、及びベンダーの口座からなるグループから選択することができる。この変形態様のいくつかのバージョンはさらに、第２の既存の口座に関連する第２のデータセットを含むことができる。第２の既存の口座は、クレジットカード口座、デビット口座（引き落とし口座）、銀行口座、仲介業者の口座、及びベンダーの口座からなるグループから選択することができる。
【０１２９】
このシステムの１変形態様では、ユーザインターフェースは、トランザクションを実行するためのデータに関連するブランドデータをクライアント装置に表示することができる。このシステムの１変形態様では、トランザクションを実行するためのデータをユーザの個人用クライアント装置で再生することができる。この変形態様のいくつかのバージョンでは、個人用クライアント装置は、PC、移動電話、携帯型のパーソナルコンピュータからなるグループから選択することができる。
【０１３０】
このシステムの１変形態様では、トランザクションを実行するためのデータをユーザの公共用クライアント装置において再生することができる。この変形態様のいくつかのバージョンでは、公共用クライアント装置を、一時的な個人使用のために指定することができる。
【０１３１】
このシステムの１変形態様では、クライアント装置で再生されるデータを、クライアント装置で直接表示することができる。この方法の１変形態様では、クライアント装置で再生されるデータをオンスクリーンアイコンによって示すことができる。この変形態様のいくつかのバージョンでは、オンスクリーンアイコンをブランドデータに関連付けることができる。
【０１３２】
本発明の別の側面では、方法は、ユニバーサル電子トランザクションファシリティを提供することを含むこと、及び、ユニバーサル電子トランザクションファシリティに関連して安全なトランザクションファシリティを提供することを含むことができ、この場合、安全なトランザクションファシリティによって、ユーザは、安全なトランザクションを実行することができる。
【０１３３】
この方法の１変形態様では、安全なトランザクションファシリティによって、ユーザは、赤外線、RF、バーコード及び近接センサからなるグループから選択された実社会セキュリティ能力を具備するクライアント装置を用いて安全なトランザクションを実行することができる。この変形態様のいくつかのバージョンでは、実社会セキュリティ能力を近接トランザクション用に適合化することができる。この変形態様のいくつかのバージョンでは、クライアント装置を個人用装置とすることができる。この変形態様のいくつかのバージョンでは、クライアント装置を、一時的な個人使用のための公共装置とすることができる。
【０１３４】
この方法の１変形態様では、安全なトランザクションファシリティによって、ユーザは、仮想社会セキュリティ能力を具備するクライアント装置を用いて安全なトランザクションを実行することができる。この変形態様のいくつかのバージョンでは、仮想社会セキュリティ能力を無線トランザクション用に適合化することができる。この変形態様のいくつかのバージョンでは、クライアント装置を個人用装置とすることができる。この変形態様のいくつかのバージョンでは、クライアント装置を、一時的な個人使用のための公共装置とすることができる。
【０１３５】
この方法の１変形態様では、方法はさらに、安全なトランザクションファシリティにアクセスするための生物測定パラメータを提供することを含む。この方法の１変形態様では、方法はさらに、ユニバーサル電子トランザクションファシリティに関連する安全な個人用のウェブベースポータルを提供することを含む。この変形態様のいくつかのバージョンでは、安全な個人用のウェブベースポータルは、追加のトランザクションサービスへのアクセスを提供することができる。
【０１３６】
本発明の別の側面では、システムは、ユニバーサル電子トランザクションファシリティ、及び、ユニバーサル電子トランザクションファシリティに関連する安全なトランザクションファシリティを含むことができ、この場合、安全なトランザクションファシリティによって、ユーザは、安全なトランザクションを実行することができる。
【０１３７】
このシステムの１変形態様では、安全なトランザクションファシリティによって、ユーザは、赤外線、RF、バーコード及び近接センサからなるグループから選択した実社会セキュリティ能力を具備するクライアント装置を用いて安全なトランザクションを実行することができる。この変形態様のいくつかのバージョンでは、実社会セキュリティ能力を近接トランザクション用に適合化することができる。この変形態様のいくつかのバージョンでは、クライアント装置を個人用装置とすることができる。この変形態様のいくつかのバージョンでは、クライアント装置を、一時的な個人使用のための公共装置とすることができる。
【０１３８】
このシステムの１変形態様では、安全なトランザクションファシリティによって、ユーザは、仮想社会セキュリティ能力を具備するクライアント装置を用いて安全なトランザクションを実行することができる。この変形態様のいくつかのバージョンでは、仮想社会セキュリティ能力を無線トランザクション用に適合化することができる。この変形態様のいくつかのバージョンでは、クライアント装置を個人用装置とすることができる。この変形態様のいくつかのバージョンでは、クライアント装置を、一時的な個人使用のための公共装置とすることができる。
【０１３９】
このシステムの１変形態様では、方法はさらに、安全なトランザクションファシリティにアクセスするための生物測定パラメータを提供することを含む。この方法の１変形態様では、方法はさらに、ユニバーサル電子トランザクションファシリティに関連する安全な個人用のウェブベースポータルを提供することを含む。この変形態様のいくつかのバージョンでは、安全な個人用のウェブベースポータルは、追加のトランザクションサービスへのアクセスを提供することができる。
【０１４０】
本発明の別の側面では、方法は、ユニバーサル電子トランザクションファシリティを提供することを含むことができ、この場合、ユーザインターフェースによって、ユーザは、実行されたトランザクションに対する応答を電子的に取得することができる。この方法の１変形態様では、実行されたトランザクションに対する応答は、実行されたトランザクションに対する受領書を含む。この方法の１変形態様では、実行されたトランザクションに対する応答は、実行されたトランザクションに対する確認応答を含むことができる。この方法の１変形態様では、実行されたトランザクションに対する応答は、実行されたトランザクションに対する確認を含むことができる。この方法の１変形態様では、応答を、ユーザのクライアント装置に直接発行することができる。この変形態様のいくつかのバージョンでは、クライアント装置を個人用クライアント装置とすることができる。この変形態様のいくつかのバージョンでは、クライアント装置は、一時的な使用のために構成された公共装置である。この変形態様のいくつかのバージョンでは、応答の電子的複製をクライアント装置に記憶することができる。電子的複製を、アドレス指定可能なアーカイブに保管することができる。
【０１４１】
この方法の１変形態様では、安全な個人用のウェブベースポータルを、応答を受け取るためにユニバーサル電子トランザクションファシリティに関連付けることができる。この変形態様のいくつかのバージョンでは、応答の電子的複製をウェブベースポータルに関連して記憶することができる。電子的複製をアドレス指定可能なアーカイブに保管することができる。
【０１４２】
本発明の別の側面では、システムはユニバーサル電子トランザクションファシリティを含むことができ、この場合、ユーザインターフェースによって、ユーザは、実行されたトランザクションに対する応答を電子的に取得することができる。このシステムの１変形態様では、実行されたトランザクションに対する応答は、実行されたトランザクションに対する受領書を含む。このシステムの１変形態様では、実行されたトランザクションに対する応答は、実行されたトランザクションに対する確認応答を含むことができる。このシステムの１変形態様では、実行されたトランザクションに対する応答は、実行されたトランザクションに対する確認を含むことができる。このシステムの１変形態様では、応答を、ユーザのクライアント装置に直接発行することができる。この変形態様のいくつかのバージョンでは、クライアント装置を個人用クライアント装置とすることができる。この変形態様のいくつかのバージョンでは、クライアント装置は、一時的な使用のために構成された公共装置である。この変形態様のいくつかのバージョンでは、応答の電子的複製をクライアント装置に記憶することができる。電子的複製を、アドレス指定可能なアーカイブに保管することができる。
【０１４３】
このシステムの１変形態様では、安全な個人用のウェブベースポータルを、応答を受け取るためにユニバーサル電子トランザクションファシリティに関連付けることができる。この変形態様のいくつかのバージョンでは、応答の電子的複製をウェブベースポータルに関連して記憶することができる。電子的複製をアドレス指定可能なアーカイブに保管することができる。
【０１４４】
本発明の別の側面では、方法はユニバーサル電子トランザクションファシリティを提供することを含むことができ、この場合、ユニバーサル電子トランザクションファシリティは複数のドメインと安全に相互作用することができる。この方法の１変形態様では、ユニバーサル電子トランザクションファシリティは、複数のドメインと無線で相互作用することができる。この方法の１変形態様では、ユニバーサル電子トランザクションファシリティは、有線接続を介して複数のドメインと相互作用することができる。この方法の１変形態様では、ユニバーサル電子トランザクションファシリティは、個人用トークンをクライアント装置を介してユーザに提供することができる。この変形態様のいくつかのバージョンでは、クライアント装置を個人用クライアント装置とすることができる。この変形態様のいくつかのバージョンでは、クライアント装置を、一時的な個人使用のための公共装置とすることができる。
【０１４５】
この方法の１変形態様では、ユニバーサル電子トランザクションファシリティはクライアント装置からのトランザクションを開始することができる。この方法の１変形態様では、ユニバーサル電子トランザクションファシリティは、クライアント装置からのトランザクションを完了することができる。
【０１４６】
この方法の１変形態様では、ユニバーサル電子トランザクションファシリティは、実行されたトランザクションに対する応答をクライアント装置に送ることができる。この変形態様のいくつかのバージョンでは、応答は、実行されたトランザクションの確認応答を含むことができる。この変形態様のいくつかのバージョンでは、応答は、実行されたトランザクションに対する受領書を含むことができる。
【０１４７】
本発明の別の側面では、システムは、ユニバーサル電子トランザクションファシリティを含むことができ、この場合、ユニバーサル電子トランザクションファシリティは、複数のドメインと安全に相互作用することができる。このシステムの１変形態様では、ユニバーサル電子トランザクションファシリティは、複数のドメインと無線で相互作用することができる。このシステムの１変形態様では、ユニバーサル電子トランザクションファシリティは、有線接続を介して複数のドメインと相互作用することができる。このシステムの１変形態様では、ユニバーサル電子トランザクションファシリティは、個人用トークンをクライアント装置を介してユーザに提供することができる。この変形態様のいくつかのバージョンでは、クライアント装置を個人用クライアント装置とすることができる。この変形態様のいくつかのバージョンでは、クライアント装置を、一時的な個人使用のための公共装置とすることができる。
【０１４８】
このシステムの１変形態様では、ユニバーサル電子トランザクションファシリティはクライアント装置からのトランザクションを開始することができる。このシステムの１変形態様では、ユニバーサル電子トランザクションファシリティは、クライアント装置からのトランザクションを完了することができる。
【０１４９】
このシステムの１変形態様では、ユニバーサル電子トランザクションファシリティは、実行されたトランザクションに対する応答をクライアント装置に送ることができる。この変形態様のいくつかのバージョンでは、応答は、実行されたトランザクションの確認応答を含むことができる。この変形態様のいくつかのバージョンでは、応答は、実行されたトランザクションに対する受領書を含むことができる。
【０１５０】
本発明の別の側面では、方法は、ユニバーサル電子トランザクションファシリティからのデータを受け取ること、及び、ユニバーサル電子トランザクションファシリティから受け取ったデータに応答してトランザクションを実行することを含むことができる。この方法の１変形態様では、方法はさらに、ユニバーサル電子トランザクションファシリティのドメイン、装置、及びユーザに少なくとも基づいて個別のセキュリティプロトコルを提供することを含むことができる。この変形態様の１つのバージョンでは、方法はさらに、トランザクションを安全に保護するためにトランザクションにセキュリティプロトコルを適用することを含むことができる。セキュリティプロトコルは、３次元認証を利用してトランザクションを安全に保護することができる。３次元認証は、ユーザ、ユニバーサル電子トランザクションファシリティ、及びドメインの身元を検証することを含むことができる。この変形態様の１つのバージョンでは、個別のセキュリティプロトコルは、暗号化ツールを利用することができる。この変形態様の１つのバージョンでは、個別のセキュリティプロトコルは、暗号強度（strength of encryption）を利用することができる。この変形態様の１つのバージョンでは、方法はさらに、ユーザ毎、装置毎、及びドメイン毎の公開鍵／秘密鍵基盤の性質をカスタマイズすることを含む。
【０１５１】
この方法の１変形態様では、トランザクションを近接トランザクションとすることができる。この方法の１変形態様ではトランザクションを無線トランザクションとすることができる。この方法の１変形態様では、トランザクションはトークンの発行を含むことができる。この方法の１変形態様では、トランザクションは受領書の発行を含むことができる。
【０１５２】
本発明の別の側面では、方法は、ユーザインターフェースを有するユニバーサル電子トランザクションファシリティを提供することを含むことができ、この場合、ユーザインターフェースによって、ユーザはトランザクションを実行することが可能となる。この方法の１変形態様では、方法はさらに、ユニバーサル電子トランザクションファシリティを介してユーザに安全なトランザクション能力を提供することを含む。この変形態様のいくつかのバージョンでは、安全なトランザクション能力は、ユニバーサル電子トランザクションファシリティに記憶された電子データを保護することができる。電子データはトークンを含むことができる。電子データは受領書を含むことができる。電子データはトランザクション確認応答を含むことができる。この変形態様のいくつかのバージョンでは、安全なトランザクション能力は暗号化プロトコルを含むことができる。暗号化プロトコルは、ユニバーサル電子トランザクションファシリティに記憶された電子データを暗号化することができる。
【０１５３】
この方法の１変形態様では、ユニバーサル電子トランザクションファシリティをクライアント装置とすることができる。この方法の１変形態様では、ユーザインターフェースによって、ユーザは、トランザクションを実行するための電子トークンを取得することが可能になる。この方法の１変形態様では、ユーザインターフェースによって、ユーザは、トランザクションを実行した後の応答を取得することが可能になる。
【０１５４】
本発明の別の側面では、方法は、ユーザインターフェースを有するユニバーサル電子トランザクションファシリティを提供することを含むことができ、この場合、ユーザインターフェースはユーザによって構成可能でる。
【０１５５】
この方法の１変形態様では、ユニバーサル電子トランザクションファシリティをクライアント装置とすることができる。この変形態様のいくつかのバージョンでは、クライアント装置を個人用装置とすることができる。この変形態様のいくつかのバージョンでは、クライアント装置を、一時的な個人使用のための公共装置とすることができる。この変形態様のいくつかのバージョンでは、少なくとも１つの個人用アプリケーションをクライアント装置に常駐させることができる。この変形態様のいくつかのバージョンでは、少なくとも１つの個人用でないアプリケーションをクライアント装置に常駐させることができる。
【０１５６】
この方法の１変形態様では、ユーザは、ユーザの１組の好みにしたがってユーザインターフェースを構成することができる。この方法の１変形態様では、ユーザは、エキスパートシステムとの相互作用を通じてユーザインターフェースを構成することができる。この変形態様のいくつかのバージョンでは、エキスパートシステムを自己変更（self-modification）可能なものとすることができる。自己変更は動作を学習することを含むことができる。自己変更を、ユーザの動作、使用パターン、トランザクションの履歴、及び適格な外部入力からなるグループから選択された入力に基づくものとすることができる。自己変更を複数の入力に基づくものとすることができる。自己変更はさらに、後続のトランザクションに対するパラメータを提案することを含むことができる。
【０１５７】
本発明の別の側面では、方法は、ユーザによって構成可能なユーザインターフェースを有するユニバーサル電子トランザクションファシリティを提供することを含むことができ、この場合、ユーザインターフェースによって、ユーザは、安全かつ電子的にクライアント装置でデータを再生することが可能になる。この方法の１変形態様では、ユーザは、ユーザの１組の好みにしたがってユーザインターフェースを構成することができる。この方法の１変形態様では、ユーザは、エキスパートシステムとの相互作用を通じてユーザインターフェースを構成することができる。この変形態様のいくつかのバージョンでは、エキスパートシステムは、ユーザの動作、ユーザの使用パターン、ユーザトランザクションの履歴、及び適格な外部入力からなるグループから選択された入力に基づいて自己変更を行うことができる。
【０１５８】
この方法の１変形態様では、クライアント装置を個人用装置とすることができる。この方法の１変形態様では、クライアント装置を、一時的な個人使用のための公共装置とすることができる。この方法の１変形態様では、データは、トランザクションを実行するためのトークンを含むことができる。この方法の１変形態様では、データは、トランザクションを実行するためのサービスを含むことができる。この方法の１変形態様では、データはアプリケーションを含むことができる。この変形態様のいくつかのバージョンでは、アプリケーションを個人用のものとすることができる。この変形態様のいくつかのバージョンでは、アプリケーションを個人用のものではないものとすることができる。
【０１５９】
この方法の１変形態様では、データを、複数のトークン、複数のサービス、複数の個人用アプリケーション、及び複数の非個人用アプリケーションからなるグループから選択することができる。この変形態様のいくつかのバージョンでは、データをユーザの好みにしたがって管理することができる。この変形態様のいくつかのバージョンでは、データをエキスパートシステムにしたがって管理することができる。エキスパートシステムは、ユーザの動作、ユーザの使用パターン、ユーザトランザクションの履歴、及び適格な外部入力からなるグループから選択された入力に基づいて自己変更を行うことができる。この変形態様のいくつかのバージョンでは、データは複数のデータセットを含むことができ、これらのデータセットは、複数のトークン、複数のサービス、複数の個人用アプリケーション、及び複数の非個人用アプリケーションからなるグループから選択される。
【０１６０】
本発明の別の側面では、方法及びシステムは、ユニバーサル電子トランザクションファシリティに関連する請求書支払いサービスを提供することを含むことができる。このサービスは、予定の時間に支払われるべき請求書に対して時間に間に合うように、オフラインの銀行から支払いを引き出すことを含むことができる。
【０１６１】
本発明の別の側面では、方法及びシステムは、ユニバーサル電子トランザクションファシリティに関連して個人間トランザクションサービスを提供することを含むことができる。
【０１６２】
本発明の別の側面では、方法及びシステムは、ユニバーサル電子トランザクションファシリティに関連して、為替／資金移転サービスを提供することを含むことができる。これらの方法及びシステムでは、電子トークンは、為替または資金移転（送金）の電子的複製を含むことができる。トランザクションを為替または資金移転に関連付けることができる。これらの方法及びシステムでは、サービスは、ユーザの口座に安全に振り込み、金融サービス提供者の口座から安全に引き落とすことができる。サービス提供者は、銀行や信用組合や金融機関とすることができる。これらの方法及びシステムでは、サービスは、決済／取得ネットワークを通じて為替／資金移転トランザクションを完了するために、金融サービス提供者に要求を発行することができる。サービスをトランザクションの履歴に関連付けることができる。付加価値サービスもトランザクションの履歴に関連付けることができる。
【０１６３】
本発明の別の側面では、方法及びシステムは、ユニバーサル電子トランザクションファシリティに関連するプリペイド式エアタイムサービスを含むことができる。これらの方法及びシステムでは、電子トークンは、プリペイド式エアタイムカードの電子的複製を含むことができる。トランザクションをプリペイド式エアタイムカードに関連付けることができる。サービスは、プリペイド式エアタイム口座に（資金を）安全に補充することを含むことができる。補充作業は、予め構成された時間／額のパッケージを選択すること、所望の額／時間のパッケージを指定すること、好みの支払い方法を選択すること、のうちの少なくとも１つによって達成される。サービスは、ユーザの口座に安全に振り込み、電気通信サービス提供者の口座から安全に引き落とし、及び、ユーザのエアタイム口座に安全に補充することができる。
【０１６４】
本発明の別の側面では、方法及びシステムは、ユニバーサル電子トランザクションファシリティに関連するチケット販売（発券）サービスを含むことができる。これらの方法及びシステムでは、電子トークンは、チケットの電子的複製を含むことができる。トランザクションをチケットに関連付けることができる。
【０１６５】
本発明の別の側面では、方法及びシステムは、ユニバーサル電子トランザクションファシリティに関連するロイヤルティクーポン／プロモーション（販促）サービスを含むことができる。これらの方法及びシステムでは、電子トークンは、口座（アカウント）、ロイヤルティの明細書、トランザクションの概要のうちの１つ以上の電子的複製を含むことができる。トランザクションを、口座（アカウント）、ロイヤルティの明細書、トランザクションの概要のうちの１つ以上に関連付けることができる。
【０１６６】
本発明の別の側面では、方法及びシステムは、ユニバーサル電子トランザクションファシリティに関連する電子小切手帳サービスを含むことができる。これらの方法及びサービスでは、電子トークンは小切手帳、小切手、概要明細書、入出金明細書、支払い済み小切手の電子的複製を含むことができる。トランザクションを、小切手帳、小切手、概要明細書、取引明細書、支払い済み小切手に関連付けることができる。これらの方法及びシステムでは、ユニバーサル電子トランザクションファシリティの属性には、残りの小切手の数、予め指定された小切手番号、小切手台帳における収支、のうちの１つ以上を含めることができる。
【０１６７】
本発明の別の側面では、方法及びシステムは、ユニバーサル電子トランザクションファシリティの関連する運転免許証サービスを含むことができる。このれらの方法及びシステムでは、サービスを、トランザクションの場所における少なくとも１つの装置、及び、法執行代理人のクライアント装置に関連付けることができる。
【０１６８】
本発明の別の側面では、方法及びシステムは、ユニバーサル電子トランザクションファシリティに関連する保健サービスを含むことができる。これらの方法及びシステムでは、電子トークンは、健康記録、健康保険証、処方箋、検査指示、医療機関紹介、医療の必要性についての承認、ｘ線、ソノグラム、CATスキャン、検査報告書、診断、予後診断、治療方針、MRIの結果、検査結果、市販品のリスト、職場復帰の承諾書、運動の許可、保険担保の承諾、のうちの１つ以上の電子的複製を含むことができる。トランザクションを健康記録、健康保険証、処方箋、検査指示、医療機関紹介、医療の必要性についての承認、ｘ線、ソノグラム、CATスキャン、検査報告書、診断、予後診断、治療方針、MRIの結果、検査結果、市販品のリスト、職場復帰の承諾、運動の許可、保険担保の承諾のうちの１つ以上に関連付けることができる。これらの方法及びシステムでは、ユニバーサル電子トランザクションファシリティの属性は、健康回復のための記入済み処方箋の有用性、薬局での処方箋の受領、記入済みの処方箋の発送、検査結果の有用性、基準を満たしている検査結果、医師からのフォローアップ訪問要求、時刻、日付、処方箋（処方薬）の管理時間、残りの処方薬の服用回数、残りの処方薬の補充回数、残りの予約回数、予約、のうちの１つ以上を含むことができる。サービスを、患者、医師、病院、薬局、耐久性のある医療品提供者、物理療法提供者、検査室、保険業者、調査員（研究員）のうちの１つ以上に関連付けることができる。
【０１６９】
本発明の別の側面では、方法及びシステムは、ユニバーサル電子トランザクションファシリティに関連する旅行サービスを含むことができる。これらの方法及びシステムでは、電子トークンは、チケット、予約、旅行用クーポン券、パスポート、観光ビザ、旅行プラン、搭乗券、地図、出入国手続き書類、メニュー、要約報告書、宿泊費、レンタカー料、航空料金、ロイヤルティクラブの増加額、事業活動費のリスト、個人負担費のリスト、のうちの１つ以上の電子的複製を含むことができる。トランザクションを、チケット、予約、旅行用クーポン券、パスポート、観光ビザ、旅行プラン、搭乗券、地図、出入国手続き書類、メニュー、要約報告書、宿泊費、レンタカー料、航空料金、ロイヤルティクラブの増加額、事業活動費のリスト、個人負担費のリスト、のうちの１つ以上に関連付けることができる。これらの方法及びシステムでは、ユニバーサル電子トランザクションファシリティの属性は、旅行先の天候、空港の天候、交通状況、フライトスケジュール、搭乗手続き、座席指定、ゲート指定、旅行プラン、ミーティング時間、時刻、日付、旅行先地域内での連絡、通貨換算レート、空席状況、出発までの時間、列車時刻表、出発時刻の変更、のうちの１つ以上を含むことができる。
【０１７０】
本発明の別の側面では、方法及びシステムは、ユニバーサル電子トランザクションファシリティに関連するインフォテイメントサービスを含むことができる。これらの方法及びシステムでは、電子トークンは、トランザクションを完了するために必要なビデオ、画像、音声、テキスト（文字）、情報のうちの１つ以上の電子的複製を含むことができる。トランザクションを、トランザクションを完了するために必要なビデオ、画像、音声、テキスト（文字）、情報、のうちの１つ以上に関連付けることができる。電子的複製をモバイルビューイング（mobile viewing：携帯機器等での視聴）用に適合化することができる。
【０１７１】
本発明の別の側面では、方法及びシステムは、ユニバーサル電子トランザクションファシリティに関連する個人情報管理サービスを含むことができる。これらの方法及びシステムでは、電子トークンは、カレンダー、アポイントメント（約束）、連絡先、メールメッセージ、To Do リスト（やることリスト）、メモ、出費、トランザクションを完了するために必要な情報、のうちの１つ以上の電子的複製を含むことができる。トランザクションを、カレンダー、アポイントメント（約束）、連絡先、メールメッセージ、To Do リスト（やることリスト）、メモ、出費、トランザクションを完了するために必要な情報のうちの１つ以上に関連付けることができる。
【０１７２】
本発明の別の側面では、方法及びシステムは、ユニバーサル電子トランザクションファシリティに関連するトレーニングサービスを含むことができる。これらの方法及びシステムでは、電子トークンは、ビデオ、画像、音声、テキスト（文字）、部品番号、部品コスト、診断指示（書）、修理指示（書）、組立指示（書）、分解指示（書）、トランザクションを完了するのに必要な情報、注文（書）、在庫チェック、のうちの１つ以上の電子的複製を含むことができる。トランザクションを、ビデオ、画像、音声、テキスト（文字）、部品番号、部品コスト、診断指示（書）、修理指示（書）、組立指示（書）、分解指示（書）、トランザクションを完了するのに必要な情報、注文（書）、在庫チェック、のうちの１つ以上に関連付けることができる。
【０１７３】
本発明の別の側面では、方法及びシステムは、ユニバーサル電子トランザクションファシリティに関連する宝くじサービスを含むことができる。これらの方法及びシステムでは、電子トークンは、宝くじ券の電子的複製を含むことができる。トランザクションを宝くじ券に関連付けることができる。
【０１７４】
本発明の別の側面では、方法及びシステムは、ユニバーサル電子トランザクションファシリティに関連する投票サービスを含むことができる。これらの方法及びシステムでは、電子トークンは、投票用紙、選挙の立候補者情報、投票（用紙）番号、投票者識別情報のうちの１つ以上の電子的複製を含むことができる。トランザクションを、投票用紙、選挙の立候補者情報、投票（用紙）番号、投票者識別情報のうちの１つ以上に関連付けることができる。これらの方法及びシステムでは、ユニバーサル電子トランザクションファシリティの属性は、投票日、投票時間、立候補者情報、投票者情報、選挙情報、電話による投票、電子的方法（たとえばコンピュータ）による投票、伝統的な方法による投票、のうちの１つ以上を含むことができる。
【０１７５】
本発明の他の側面では、方法及びシステムは、ユニバーサル電子トランザクションファシリティに関連するゲームポータルを含むことができる。これらの方法及びシステムでは、電子トークンは、ゲームの電子的複製を含むことができる。トランザクションをゲームに関連付けることができる。これらの方法及びシステムでは、ゲームポータルを、少なくとも部分的にユニバーサル電子トランザクションファシリティで行われるゲームに関連付けることができる。ゲームポータルはゲームを配信することができる。これらの方法及びシステムでは、ポータルに関連した安全なトランザクションを、ゲームの結果への賭け、ゲームの購入、ゲーム出版社からのゲームの購入、第２のユニバーサル電子トランザクションファシリティのユーザからのゲームの購入、第２のユニバーサル電子トランザクションファシリティのユーザへのゲームの販売、のうちの１つ以上に関連付けることができる。これらの方法及びシステムでは、元のゲーム出版社は、トランザクションに関連する支払いを受け取ることができる。
【０１７６】
本発明の別の側面では、方法及びシステムは、ユニバーサル電子トランザクションファシリティに関連するマーチャントポータルを含むことができる。これらの方法及びシステムでは、電子トークンは、伝票（請求書）、在庫明細書、財務諸表、見積依頼、買値、プロモーション（販促品）、仕入れ（購入）、のうちの１つ以上の電子的複製を含むことができる。トランザクションを、伝票（請求書）、在庫明細書、財務諸表、見積依頼、買値、プロモーション（販促品）、仕入れ（購入）、のうちの１つ以上に関連付けることができる。マーチャントポータルは、ユニバーサル電子トランザクションファシリティを用いて消費者にプロモーション（販促品）を配信することができる。プロモーションは、過去のトランザクション処理に基づくものとすることができる。
【０１７７】
本発明の別の側面では、方法及びシステムは、ユニバーサル電子トランザクションファシリティの関連する政府ポータルを含むことができる。これらの方法及びシステムでは、電子トークンは、政府記録の電子的複製を含むことができる。トランザクションを政府記録に関連付けることができる。政府ポータルは、ユーザが、ユニバーサル電子トランザクションファシリティを用いて政府サービスにアクセスできるようにすることができる。政府サービスを、土地記録（land record）、売上税、調達連絡先（procurement contact）とすることができる。これらの方法及びシステムでは、ユニバーサル電子トランザクションファシリティを用いて、キオスクに安全にログインして、政府サービスにアクセスすることができる。
【０１７８】
本発明の別の側面では、方法及びシステムは、ユニバーサル電子トランザクションファシリティに関連する企業ポータルを含むことができる。企業ポータルは、ユーザが、ユニバーサル電子トランザクションファシリティを用いて、企業サービスにアクセスできるようにすることができる。ユーザは、企業のタイムシート（作業時間記録用紙）に時間を安全に記録したり、償還決定に関する企業の出費を安全に追跡することができる。タイムシートを用いて少なくとも従業員と請負人の作業時間を追跡することができる。企業サービスを、サードパーティの見積もり及び買値に関連付けることができる。見積もり及び買値を安全に送信することをポータルに関連付けることができる。企業ポータルは、災害管理情報の安全な送信を可能にすることができる。災害管理情報を、利用可能な災害関連サービス、要求される活動報告、活動の優先順位付け、インフラ要求、のうちの１つ以上とすることができる。
【０１７９】
本発明の別の側面では、方法及びシステムは、ユニバーサル電子トランザクションファシリティに関連する健康／フィットネスポータルを含むことができる。これらの方法及びシステムでは、電子トークンは、健康／フィットネス情報、ダイエット情報、ウェイトトレーニング情報、エアロビクストレーニング情報、個人トレーニング情報、のうちの１つ以上の電子的複製を含むことができる。トランザクションを、健康／フィットネス情報、ダイエット情報、ウェイトトレーニング情報、エアロビクストレーニング情報、個人トレーニング情報、のうちの１つ以上に関連付けることができる。健康及びフィットネスポータルは、ユニバーサル電子トランザクションファシリティで使用される健康及びフィットネス情報へのアクセスを提供することができる。
【０１８０】
本発明の別の側面では、方法及びシステムは、ユニバーサル電子トランザクションファシリティに関連して宗教ポータルを含むことができる。これらの方法及びシステムでは、電子トークンは、宗教に関する情報や慈善目的の寄付金の電子的複製を含むことができる。トランザクションを、宗教に関する情報や慈善目的の寄付金に関連付けることができる。宗教に関する情報を、その日の出来事、宗教の教科書の入手手段、宗教の教科書の調査結果、イベントカレンダー、のうちの１つ以上とすることができる。
【０１８１】
本発明の別の側面では、方法及びシステムは、ユニバーサル電子トランザクションファシリティに関連してスポーツポータルを含むことができる。これらの方法及びシステムでは、電子トークンは、スポーツイベントチケット、賭け（金）、スコアカード、ラインアップ、座席表、パーキングパス、クラブハウスパス、シーズンパス、立見席限定パス、ラインスコア、のうちの１つ以上の電子的複製を含むことができる。トランザクションを、スポーツイベントチケット、賭け（金）、スコアカード、ラインアップ、座席表、パーキングパス、クラブハウスパス、シーズンパス、立見席限定パス、ラインスコア、のうちの１つ以上に関連付けることができる。これらの方法及びシステムでは、安全なトランザクションを、スポーツ団体のバックエンドシステム、賭博協会、カジノ、金融サービス提供者、支払いシステム、サービス提供者に関連付けることができる。
【０１８２】
本発明の別の側面では、方法及びシステムは、ユニバーサル電子トランザクションファシリティに関連する保険ポータルを含むことができる。これらの方法及びシステムでは、電子トークンは、保険見積り、クレーム（または支払い請求）、保険証書（保険契約書）、保険の査定、証明書（保証書）、追加料金、保険料、申請書、のうちの１つ以上の電子的複製を含むことができる。トランザクションを、保険見積り、クレーム（または支払い請求）、保険証書（保険契約書）、保険の査定、証明書（保証書）、追加料金、保険料、申請書、のうちの１つ以上に関連付けることができる。これらの方法及びシステムでは、安全なトランザクションを、保険料支払い、支払い請求に対する支払い、保険適用（範囲内であること）の否定、保険適用（範囲内であること）の承認、保険適用の権利放棄、患者情報、保険代位、保険契約（書）の変更、保険申込書、のうちの１つ以上に関連付けることができる。
【０１８３】
本発明の別の側面では、方法及びシステムは、ユニバーサル電子トランザクションファシリティに関連する大学ポータルを含むことができる。これらの方法及びシステムでは、電子トークンは、成績証明書、入学願書、入学許可、入学拒否、試験、コースグレード、コーススケジュール、研究室割り当て、研究報告、研究室予約、本の予約、図書館カード、学生証、食券、寮の鍵、部屋の鍵、パーキングパス、コース登録、卒業証書、のうちの１つ以上の電子的複製を含むことができる。トランザクションを、成績証明書、入学願書、入学許可、入学拒否、試験、コースグレード、コーススケジュール、研究室割り当て、研究報告、研究室予約、本の予約、図書館カード、学生証、食券、寮の鍵、部屋の鍵、パーキングパス、コース登録、卒業証書、のうちの１つ以上に関連付けることができる。これらの方法及びシステムでは、安全なトランザクションを、入学、卒業、授業料の支払い、学資援助の申込（書）、学費援助奨学金、学費援助の支払い、コース登録、研究室予約、大学内の店での購買、学生のイベント、コース（授業）に対する評価、教授に対する評価、課題、試験、住居申し込み、食事プランの選択、専攻科目の申告、のうちの１つ以上に関連付けることができる。
【０１８４】
本発明の別の側面では、方法及びシステムは、ユニバーサル電子トランザクションファシリティに関連する政党ポータルを含むことができる。これらの方法及びシステムでは、電子トークンは、有権者登録カードや政党所属カードの電子的複製を含むことができる。トランザクションを、有権者登録カードや政党所属カードに関連付けることができる。これらの方法及びシステムでは、安全なトランザクションを、投票、登録、陳情運動、世論調査、投票用紙の集計、寄付、資金集め、のうちの１つ以上に関連付けることができる。
【０１８５】
本発明の別の側面では、方法及びシステムは、ユニバーサル電子トランザクションファシリティに関連する薬剤取引（薬剤交換）ポータルを含むことができる。これらの方法及びシステムでは、電子トークンは、処方箋、補給依頼、薬剤情報の差込み、のうちの１つ以上の電子的複製を含むことができる。トランザクションを、処方箋、補給依頼、薬剤情報の差込み、のうちの１つ以上に関連付けることができる。これらの方法及びシステムでは、安全なトランザクションを、処方、補給、薬剤注文、ジェネリック医薬品代替調剤に関連付けることができる。
【０１８６】
本発明の別の側面では、方法およびシステムは、ユニバーサル電子トランザクションファシリティに関連する商品取引（商品交換）ポータルを含むことができる。これらの方法およびシステムでは、電子トークンは、商品購入注文の電子的複製を含むことができる。トランザクションを、商品購入注文に関連付けることができる。これらの方法およびシステムでは、安全なトランザクションを、商品購入に対する入札、商品購入に対する支払い、商品発送のスケジューリング、商品入札制度への登録に関連付けることができる。
【０１８７】
本発明の別の側面では、方法およびシステムは、ユニバーサル電子トランザクションファシリティに関連するエアラインポータルを含むことができる。これらの方法およびシステムでは、電子トークンは、座席の割り当て、座席表、乗客名簿、クラスのアップグレードのうちの１つ以上の電子的複製を含むことができる。トランザクションを、座席の割り当て、座席表、乗客名簿、クラスのアップグレードのうちの１つ以上に関連付けることができる。これらの方法およびシステムでは、安全なトランザクションを、登録すること、予約すること、チェックイン（搭乗手続き）をすること、飛行機から降りること、のうちの１つ以上に関連付けることができる。
【０１８８】
本発明の別の側面では、これらの方法およびシステムは、ユニバーサル電子トランザクションファシリティに関連する運送業ポータルを含むことができる。これらの方法およびシステムでは、電子トークンは、登録、日課表、検査証明書、保険加入証のうちの１つ以上の電子的複製を含むことができる。トランザクションを、登録、日課表、検査証明書、保険加入証のうちの１つ以上に関連付けることができる。これらの方法およびシステムでは、安全なトランザクションを、登録、免許税の支払い、使用許諾（ライセンス）の申請、路上試験、消費税の支払いに関連付けることができる。
【０１８９】
サービスまたはポータルの任意のおよび全ての実施形態において、以下の任意のおよび全ての事項が該当しうる。
・サービスまたはポータルを安全なトランザクションに関連付けることができる。
・サービスまたはポータルを、サービスまたはポータルに関連付けることができるトランザクションを完了するためのブランド、画像、必要な情報を含むことができるトークンに関連付けることができる。
・サービスまたはポータルは、トークンのやり取り、リアルタイムでのトークンのやり取り、トークンの再現、トークンの記憶、のうちの少なくとも１つを安全かつ電子的に行うことを含むことができる。
・トークンを、フリークエントフライヤーカード、ストアードヴァリューカード、ロイヤルティカード、保険証、運転免許証、請求書、プロモーション（販促品）、クーポン、受領書、確認応答、支払済み印（支払い済みスタンプ：paid stamp）、クレジットカード、のうちの少なくとも１つの電子的複製とすることができる。
・安全なトランザクションを、赤外線通信、高波数通信、バーコード、無線通信、生物測定パラメータ、のうちの少なくとも１つを用いて行うことができる。
・サービスまたはポータルを複数のドメインに関連付けることができる。
・トランザクションを、プロキシミティトランザクションまたは無線トランザクション、またはそれらの両方とすることができる。
・トランザクションを、ドメイン、ユニバーサル電子トランザクションファシリティ、及びユーザに少なくとも基づくものとすることができる３次元セキュリティプロトコルを用いて安全に保護することができる。
・サービスまたはポータルは、受領（書）と確認応答のうちの少なくとも１つを安全かつ電子的に記憶することを含む。
・サービスまたはポータルを、次の構成可能なもの、すなわち、ユーザインターフェース、個人用アプリケーション、個人用ではないアプリケーション、ウェブベースの個人用ポータル（これらの各々を、ユーザの好み、エキスパートシステム、及び使用状況モニタファシリティのうちの少なくとも１つに基づいて構成することができる）のうちの少なくとも１つに関連付けることができる。
・上記構成可能なものは、プロファイルドリブン式（profile-driven：プロファイル起動式）の付加価値サービスまたはポータルを提供することができる。
・サービスまたはポータルは、複数のトークン、複数のサービスまたはポータル、複数の個人用アプリケーション、及び複数の個人用ではないアプリケーション、のうちの少なくとも１つを提供することを含むことができる。
・サービスまたはポータルは、ユーザにトークンを安全に発行することを含むことができる。
・ユニバーサル電子トランザクションファシリティはトークンを記憶することができる。
・トランザクションを、フリークエントフライヤーカード、ストアードヴァリューカード、ロイヤルティカード、保険証、運転免許証、請求書、プロモーション（販促品）、クーポン、受領書、確認応答、支払済みスタンプ、クレジットカード、のうちの少なくとも１つに関連付けることができる。
・トランザクションを、オンライン決済に関連して提供される安全なリアルタイムのもの、オフライン決済に関連して提供されるもの、好みの支払い方法を用いて提供されるもの、好みの時間に提供されるもの、好みの場所で提供されるもの、のうちの少なくとも１つとすることができる。
・ユニバーサル電子トランザクションファシリティを、トークンの属性、エキスパートシステムによる決定のうちの少なくとも一方に基づいてユーザに警告するように適合化することができる。
・上記属性を、発行データ、ある日付までの日数、日付、量（金額）、及び時間、のうちの少なくとも１つとすることができる。
・サービスまたはポータルを、ポータルまたはサービスの電子的複製を提示すること、または、ポータルまたはサービスを介するユーザへのポータル、または、ポータルインボックスユーザインターフェースに関連付けることができる。
【０１９０】
本発明の別の側面では、方法およびシステムは、ユニバーサル電子トランザクションファシリティに関連して金融サービスを提供することを含むことができる。金融サービスは、請求書発行人からの請求書、ロイヤルティカード、口座（アカウント）、クーポン、プロモーション（販促品）、小切手帳、小切手、ライセンス（許可証）、運転免許証、のうちの少なくとも１つのアイテムのうちの少なくとも１つの電子的複製を、ユニバーサル電子トランザクションファシリティに対して安全に発行することを含むことができる。これらの方法およびシステムでは、金融サービスは、上記の少なくとも１つのアイテムの属性に基づいてユーザに警告することを含むことができる。その属性を、有効期限、住所変更、小切手番号、残りの小切手の数、クーポンの引き換え期限日までの日数、償還期日（または引き換え期日）、満期日、時刻、発行時刻、金融収支（財務バランス）、のうちの少なくとも１つに関連付けることができる。金融サービスは、さらに、以下の確認物、すなわち、請求書に関連する受領書、トランザクション概要明細書、マーケティング媒体、ライセンス、支払い済み小切手、のうちの少なくとも１つの電子的複製を、ユニバーサル電子トランザクションファシリティに対して安全に発行することを含むことができる。
【０１９１】
本発明の別の側面では、方法およびシステムは、ユニバーサル電子トランザクションファシリティに関連して、クーポン発行金融サービスを提供することを含むことができる。
【０１９２】
本発明の別の側面では、方法およびシステムは、ユニバーサル電子トランザクションファシリティに関連して、発券金融サービスを提供することを含むことができる。発券サービスは、ユニバーサル電子トランザクションファシリティに対して、チケットと違反に関連するチケット（切符）のうちの少なくとも一方のうちの少なくとも１つの電子的複製を安全に発行することを含むことができる。金融サービスはさらに、ユニバーサル電子トランザクションファシリティに対して、違反に関連するチケットの電子的複製を安全に発行することを含む。電子的複製には、発券サービスに関連する要約を含めることができる。この要約をフリークエントフライヤに関する要約に関連付けることができる。電子的複製は支払い済み小切手を含むことができる。発券サービスを違反に関連するチケットの発行とすることができ、電子的複製を運転免許証の電子的複製とすることができる。
【０１９３】
本発明の別の側面では、方法およびシステムは、ユニバーサル電子トランザクションファシリティに関連してトップアップトランザクション金融サービスを提供することを含むことができる。
【０１９４】
本発明の別の側面では、方法およびシステムは、ユニバーサル電子トランザクションファシリティに関連して資金移転金融サービスを提供することを含むことができる。
【０１９５】
本発明の別の側面では、方法およびシステムは、ユニバーサル電子トランザクションファシリティに関連して為替支払いを提供することを含むことができる。
【０１９６】
本発明の別の側面では、方法およびシステムは、ユニバーサル電子トランザクションファシリティに関連して個人間支払い金融サービスを提供することを含むことができる。
【０１９７】
本発明の別の側面では、方法およびシステムは、ユニバーサル電子トランザクションファシリティに関連して請求書支払い金融サービスを提供することを含むことができる。
【０１９８】
金融サービスの任意の及び全ての実施形態において、以下の任意の及び全ての事項が該当しうる。
・ユニバーサル電子トランザクションファシリティは、ユニバーサル電子トランザクションファシリティのドメイン、装置、及びユーザに少なくとも基づいて、個別のセキュリティプロトコルを提供することができる。
・金融サービスを、請求書支払い、個人間支払い、為替支払い、資金移転、トップアップトランザクション、発券トランザクション、クーポンの発行、小切手の決済からなるグループから選択することができる。
・金融サービスは、請求書発行人からの請求書、支払いトークン、為替、送金（振替）トークン、プリペイド式エアタイムトークン、チケット、違反に関連するチケット、ロイヤルティカード、口座（アカウント）、クーポン、プロモーション（販促品）、小切手帳、小切手、ライセンス（許可証）、運転免許証、のうちの少なくとも１つのアイテムのうちの少なくとも１つの電子的複製を、ユニバーサル電子トランザクションファシリティに対して安全に発行することを含むことができる。 
・金融サービスはさらに、トランザクションを完了するために必要なブランド、画像、情報、のうちの少なくとも１つをやり取りすることを含むことができる。 
・ユニバーサル電子トランザクションファシリティをクライアント装置とすることができる。 
・金融サービスはさらに、上記少なくとも１つのアイテムのうちの少なくとも１つの属性に基づいてユーザに警告することを含むことができる。その属性を、有効期限、住所変更、小切手番号、残りの小切手の数、クーポン引き換え期限日までの日数、償還期日（または引き換え期日）、旅行日、満期日、時刻、発行時刻、金融収支（財務バランス）、のうちの少なくとも１つに関連付けることができる。
・金融サービスは、ユニバーサル電子トランザクションファシリティを用いて、ユーザが安全に請求書の支払いをできるようにすることを含むことができる。請求書の支払いをリアルタイムで行うことができる。請求書の支払いを、請求書のオンライン決済、請求書のオフライン決済、好みの支払い方法と好みの時間と好みの場所とのうちの少なくとも１つ、に関連付けることができる。
・金融サービスはさらに、ユニバーサル電子トランザクションファシリティに対して、以下の確認物、すなわち、請求書に関連する受領書、トランザクション概要明細書、マーケティング媒体、違反に関連するチケット、ライセンス（許可証）、のうちの少なくとも１つの電子的複製を安全に発行することを含むことができる。このライセンスには、運転免許証、銃ライセンス、酒類販売許可証、漁業許可証、狩猟許可証、のうちの少なくとも１つを含めることができる。マーケティング媒体は、ロイヤルティカード、口座（アカウント）、クーポン、プロモーション（販促品）、のうちの少なくとも１つとすることができる。トランザクション概要明細書を、ユニバーサル電子トランザクションファシリティのユーザと別のユーザとの間のトランザクションに関連付けることができる。電子的複製には支払い（済み）スタンプを含めることができる。
・金融サービスはさらに、ユーザが別のユーザに支払いできるようにすることを含むことができる。この別のユーザはユニバーサル電子トランザクションファシリティを有することができる。別のユーザへの支払いを安全かつリアルタイムで行うことができる。別のユーザへの支払いをオンライン決済またはオフライン決済に関連付けることができる。
・金融サービスはさらに、ユニバーサル電子トランザクションファシリテで安全に開始される単位の移転を可能にすることを含むことができる。金融サービスは、第１の口座から単位を引き落とし、第２の口座へ単位を振り込むことを含むことができ、この場合、引き落としと振込みの少なくとも一方が、ユーザ及び要求が正当であることが検証されることを条件とする。
・金融サービスは、サービス提供者への要求を発行することを含むことができ、この場合、その要求は、サービス提供者の制御の下、振込み及び引き落としを完了することに関連付けられる。
・移転の発行を、無線通信または近接ベースの通信を介して開始することができる。移転された単位を金融単位またはエアタイム単位とすることができる。
・電子的複製を、金融サービスにしたがって資金を受け取るユーザのユニバーサル電子トランザクションファシリティに配送することができる。
・金融サービスはさらに、資金を受け取るユーザが資金を使用できるようにすることを含むことができる。
・電子的複製には金融サービスに関連する要約を含めることができる。金融サービスを発券サービスとすることができる。要約をフリークエントフライヤーに関する要約とすることができる。電子的複製は支払い済み小切手を含むことができる。
・トランザクションは、商人からのサービスを取得することを含むことができる。金融サービスは、電子的複製を安全に引き換える（または受け戻す）ことを含むことができる。電子的複製の安全な引き換え（または受け戻し）を、無線通信または近接ベースの通信によって開始することができる。
・金融サービスは、電子的複製を安全に受け取ることを含むことができる。
・トランザクションを、金融サービス提供者からのサービスの取得とすることができる。
【０１９９】
本発明の、以上の及び他のシステム、方法、物、特徴、及び利点は、以下の好適な実施形態の詳細な説明及び図面から当業者には明らかとなろう。本明細書で言及する全ての文書について、それらの全内容は参照により本明細書に組み込まれるものとする。
【０２００】
添付の図面を参照することによって、本発明及び本発明のいくつかの実施形態についての以下の詳細な説明を理解することができる。
【実施例】
【０２０１】
図１は、電子トランザクションを可能にするための方法及びシステムのためのコンポーネントを具備する、高レベルの電子トランザクションプラットフォーム１００を示しており、電子トランザクションには、安全なウェブベースのサービスを含む、広範囲の特定のサービスをサポートまたは含むトランザクションが含まれる。プラットフォーム１００の中央には、１つ以上のメインサービスファシリティ１４２があり、これらは、代替的には、本開示全体を通じて、ウェブサービスファシリティ、ウォレットサービスセンター、ウォレットサービスファシリティなどと呼ばれる。メインサービスファシリティ１４２は、ウェブサービスを可能するための従来のコンポーネントを含む。それらのコンポーネントには、１つ以上のサーバー（これは、ハードウエア、ソフトウエア、または、ハードウエアとソフトウエアの組み合わせとすることができる）、１つ以上のネットワークファシリティ１３８（これは、より詳細に後述するように、ローカルネットワーク、ワイドエリアネットワーク、インターネット、無線または有線ネットワーク、または、これらの任意のコンポーネントとすることができる）、（後述するような）１つ以上のデータストレージファシリティ、１つ以上のプロセッサ、及び、ウェブサービスを可能にするのに適した他のコンポーネントが含まれる。本明細書で開示するこれらの方法及びシステムはまた、（本開示を通して説明されており、ユニバーサル電子トランザクションカード、電子財布、及び、他の電子トランザクションファシリティを含む）１つ以上の電子ファシリティ１０１を含むことができ、これらのファシリティを、１つ以上のクライアント装置１６２ａ、１６２ｂ、１６２ｃ、１６２ｄ、または、（トランザクションの場所における装置１７４、または、マーチャントコンピュータシステムの一部である他の装置などの）マーチャント装置１７８に存在することができる。電子ファシリティ１０１を、多様なクライアント装置１６２及びマーチャントシステム１７０と互換性を有するように構成することができ、本明細書に開示された方法及びシステム及びシステムに属する様々な機能は、いくつかの実施形態において、代替的に、クライアント装置１６２、または、マーチャントシステム１７８、及び／または、サーバー、または、メインサービスファシリティ１４２などの他のシステムにあるものとすることができる。クライアント装置１６２は、（後述する他の例、及び本明細書で参照する文書における他の例に加えて、たとえば）携帯電話、PDA、携帯型装置及び他の携帯型のコンピューティング装置、ラップトップ機、デスクトップ機、及び他のクライアントコンピュータ、サーバー、（台所用品、テレビ、セットトップボックス、及び、他の類似の装置などの）プロセッサが装備された機器及び他の機械装置、及び、ソフトウエアアプリケーションを実行可能な任意の他の装置を含むことができる。クライアント装置１６２は、たとえば、掲示板、標識、キオスク、POS端末、ATM、プロセッサ装備の棚、プロセッサ装備の小売ディスプレイ（retail display）、（バス、自動車、タクシー、ボート、航空機、列車、地下鉄などの）プロセッサ装備の運送システム、空港の設備、電話、バ���や鉄道のターミナル及びプラットホームのための設備、及び、任意の公共の環境で見受けられる任意の他のプロセッサ装備の装置などの、一時的な個人使用に供される公共装置を含むことができる。マーチャントシステム１７０は、同様に、金銭登録器（キャッシュレジスター）、ATM機、クレジットカード受理ファシリティ、バーコードリーダー、スキャナ、チケットスキャナ、ラップトップ及びデスクトップコンピュータ、携帯型装置、サーバー、及び、ソフトウエアアプリケーションをサポートできる任意の他の装置といったトランザクション時点情報処理装置１７４などの多様なマーチャント装置１７０を含むことができる。いくつかの実施形態では、本明細書で開示する方法及びシステムは、ある範囲の種類のクライアント装置１６２及びマーチャントシステム１７０によってアクセス可能なウェブサービスアプリケーションによって使用可能とされる。本明細書で開示するいくつかの方法及びシステムは、また、金融サービス提供者（銀行、クレジットカード会社など）、チケット発行人（チケット商人、政府機関、及びその他を含む）、（コンピュータゲーム、デジタルメディア、音楽、ビデオ及び他のコンテンツなどを提供する）コンテンツ提供者、及び、他の多様なサービス提供者などのサービス提供者１６８との相互作用をサポートすることができる。いくつかの実施形態では、メインサービスファシリティ１４２は、遺産計算システムを含むそのようなサービス提供者１６８のコンピュータシステムとインターフェースするように構成される。いくつかの実施形態では、そのようなシステムは、サービス指向アーキテクチャにおけるウェブサービスとしてシステムと相互作用する。
【０２０２】
図１に示すプラットフォーム１００は、より詳しく後述するように、多様なトランザクション環境（これについてもより詳しく後述する）における多様なサービスベースのトランザクションを可能にする。
【０２０３】
図２を参照すると、プラットフォーム１００は、メインサービスファシリティ１４２、マーチャントシステム１７０、及びクライアント装置１６２（これらの各々は、これらのいずれでも動作するソフトウエアアプリケーション（または、ソフトウエアとハードウエアの組み合わせ）とすることができる電子トランザクションファシリティ１０１のコンポーネントを有することができる）を含むことができる。種々の実施形態において、ウェブサービスまたは他のアプリケーションを用いて、プラットフォーム１００の異なるコンポーネントを異なる装置で使用可能にすることができる。たとえば、請求アプリケーションは、メインサービスファシリティ１４２、または、マーチャントシステム１７０、または、クライアント装置１６２に存在（または常駐）することができ、または、プラットフォーム１００と相互作用するサービス提供者システムに存在（または常駐）することもできる。ハードウエアの観点からのシステムコンポーネントの互換性によって、本明細書で説明するように、特定のトランザクション環境に適した、多様な構成におけるプラットフォーム１００の配備が可能になる。たとえば、図２を参照すると、プラットフォーム１００は、パーソナライズ（個人専用化）層２０２、サービスレイヤ２０４、及びイネーブリングレイヤ２０８を含む安全なトランザクションプラットフォーム２００を構成する１組のレイヤとして示すことができるソフトウエア及び信号を含む。これらのレイヤの各々を、特定のトランザクション環境の必要性に応じて、異なるコンピュータシステムで具現化することができる。したがって、これらのレイヤの存在によって、環境に対してプラットフォーム１００を都合良く構成することができる。
【０２０４】
プラットフォーム１００を、Windows(登録商標)オペレーティングシステム、Macintosh（登録商標）オペレーティングシステム、Linux、Windows（登録商標） CE、Unix（登録商標）、またはJava（登録商標）ベースのオペレーティングシステム（これらは幾つかの例に過ぎないが）で動作するように書くことができる。本発明の種々の実施形態に従う方法またはプロセスを、プロセッサが読み取ることができかつ実行できる、任意の媒体に格納されたコンピュータ読み取り可能命令によって実施することができる。機械読み取り可能媒体には命令が記憶されており、この命令は、１つ以上のプロセッサによって実行されると、それらのプロセッサに本発明の方法を実行させることができる。機械読み取り可能媒体は、機械装置（たとえば、コンピュータ）が読み取り可能な形態で情報を記憶または送信するための任意のメカニズムを含むことができる。機械読み取り可能媒体は、読み出し専用メモリ（ROM）、ランダムアクセスメモリ（RAM）、磁気ディスク記憶媒体、光学記録媒体、フラッシュメモリ装置、電気的形態、光学的形態、音響的形態、または、他の被伝達信号の形態（たとえば、搬送波、赤外線信号、デジタル信号など）を含むことができる。
【０２０５】
図３は、図１のプラットフォーム１００に対応する安全な電子トランザクションプラットフォーム２００の１実施形態をさらに詳細に示す図である。この図は、パーソナライズレイヤ２０２、サービスレイヤ２０４及びイネーブリングレイヤ２０８のさらなる詳細を示しており、この場合、これらは、種々のトランザクションに適した種々の構成をなすメインサービスファシリティ１４２、電子ファシリティ１０１、及びマーチャントシステム１７０によって使用可能にされることができるコンポーネントを反映している。たとえば、安全な電子トランザクションプラットフォーム２００は、請求書支払いサービス、振替（送金）サービス、プリペイド式エアタイムトップアップサービス、モバイルバンキングサービス、ピア・ツー・ピアトランザクションサービス、プロキシミティ（近接）トランザクションサービス、プリペイド式ショッピングカードサービス、クーポンサービス、発券（チケット販売）サービスを含むサービスレイヤ２０４を含む。安全な電子トランザクションプラットフォーム２００によって使用可能にされることが可能なこれらの特定のサービスの性質についてはより詳しく後述するが、それらのそれぞれのコンポーネントは、図１に関連して説明した種々のシステムに存在することができる。安全な電子トランザクションプラットフォーム２００はまた、サービスレイヤ２０４内の種々のサービスの提供を可能にするイネーブリングレイヤ２０８を含む。したがって、メインサービスファシリティ１４２またはクライアント装置１６２、または、マーチャントシステム１７０またはサービス提供者１６８のシステムに存在することによって、イネーブリングレイヤ２０８は、ユーザ管理、装置管理、ドメイン管理、発行、サービス提供、通信、インターフェース機能及びセキュリティ機能などのサービスをサポートするのに必要な種々のコンポーネントを使用可能にする。より具体的に後述するように、いくつかの実施形態では、イネーブリングレイヤは、ユーザレベル、装置レベル、及びドメインレベルにおいて多次元レベルのセキュリティを提供するといった有利な中心的特徴及び属性を有する。安全な電子トランザクションプラットフォーム２００はまた、特定のユーザ（それが、顧客であろうと、商人であろうと、サービスプロバイダーであろうと）向けの安全な電子トランザクションプラットフォーム２００を構成可能にするパーソナライズレイヤ２０２を含むことができる。たとえば、パーソナライズレイヤ２０２は、（たとえば、ユーザが、クライアント装置における仮想的なまたは物理的なユーザインターフェースエンティティの特定の構成を示すことができるようにする）ユーザインターフェース機能の個人（専）用化、（装置の使用、不使用などに基づく）ユーザ履歴に基づく個人化、異なる言語を提供することなどのコンテンツの地域分化、パスワードによる使用許可及びより一般的には暗号化等の個人用のセキュリティ機能、ユーザが表明した好みまたは過去のトランザクションなどのユーザ履歴によって決定された嗜好に基づいてコンテンツを提示または配信するといったコンテンツの個人用化を含むことができる。
【０２０６】
図４は、ユーザ中心の安全なトランザクションプラットフォーム２００（この例では、これは、パーソナライズレイヤ２０２、サービスレイヤ２０４、及びイネーブリングレイヤ２０８を含む）であるプラットフォーム１００の１実施形態を示す。この例では、図３に関連して説明したサービスは全て「支払いサービス」４０２として分類されており、したがって、ここでは、これらのサービスレイヤは、とりわけ、保健サービス、インフォテイメントサービス、個人情報管理サービス及び旅行サービスなどの安全なトランザクションプラットフォーム２００によって使用可能にされることができる他のサービスドメインのあるホストを示すために拡張されている。ここでも、これらのサービスに、本明細書及び参照により本明細書に組み込んだ文書のどこかでより詳細に説明されている特徴および属性を与えることができる。安全なトランザクションプラットフォーム２００はまた、イネーブリングレイヤ２０８を含み、該レイヤは、図３に関連して説明した機能に加えて、ユーザ中心エンジン４０４、多次元データベース４０８（これの構造については、図６２に関連して後で説明する）、アプリケーションスループットファシリティ４１０、及びセキュリティファシリティ４１２を含む、他のイネーブリングコンポーネントを含む。
【０２０７】
ユーザ中心の安全なトランザクションプラットフォームはまた、個人用ユーザインターフェース、ユーザ中心エンジン、及び個人用セキュリティをサポートするための機能などの、パーソナライズレイヤ２０２における追加の特徴を含むことができる。
【０２０８】
図１〜図４に関連して説明したプラットフォーム１００によって、いくつかの重要な特徴が可能になる。第１に、プラットフォーム１００は、オプションとしてクライアント装置１６２を用いて、メインサービスファシリティ１４２などの安全な分散型ウェブベースプラットフォームによってサポートされた安全なトランザクション能力を提供する。いくつかの実施形態では、トランザクション能力には、ウォレットベースのメタファー（wallet-based metaphor）を与えることができ、これによって、携帯電話などのクライアント装置１６２は、物理的な財布（ウォレット）のソフトウエアキー機能で本質的に２重化される。物理的な財布のキー機能は、エンドユーザが、自宅、オフィス、または他の環境にいるときだけでなく日常活動を通じて移動しているときに持ち歩くことを可能にするコンパクトなサイズの多くのアイテムを含むことができる（但し、それらのアイテムには限定されない）。
【０２０９】
他の実施形態では、トランザクション能力には、ウォレットメタファーとは別に他のものが与えられる。たとえば、本明細書のどこかで説明するように、プラットフォーム１００を、任意のタイプまたは大きさのクライアント装置１６２に関連して提供することができる。本明細書に記載しているように、プラットフォーム１００を、支払いアプリケーション及び非支払いアプリケーションのために用いることができる。いくつかの実施形態では、プラットフォーム１００はまた、トランザクションを選択し実行するために必要な全ての画像、ブランド、及び／または、データと共に（または、それらを具備する）完全なトランザクショントークン（これは個人用とすることができ、または、個人用ではないものとすることができる）を、有線及び／または無線媒体を介して、個人のクライアント装置１６２へとユーザに直接に、安全かつ電子的に発行する能力を提供する。いくつかの実施形態では、クライアント装置１６２を、キオスク、公共のアクセスコンピュータ、ATM、掲示板、標識、機器、または、コンピューティング機能を装備したその他の公共装置などの一時的な個人使用のために占有される公共装置とすることができる。トランザクショントークンを、クレジットカード、銀行口座カード、フリークエントフライヤカード、ストアードヴァリューカードまたは他のデビットカード、ロイヤルティカード、保険証、運転免許証、及び他のライセンス（許可証）、会員カード、専門家としての資格証明、請求書、送り状及び類似の証書、クーポン、チケット、販促用のチラシ（但し、これらに限定されない）を含む、トランザクションを可能または具現化するための任意のファシリティとすることができる。プラットフォーム１００はまた、選択されたクライアント装置（これには、個人の装置、または、一時的な個人使用のために占有される公共装置が含まれる）において、複数の既存のカード、口座（アカウント）、ベンダー情報、または、類似の情報を、ブランド及び／または画像、トランザクションを実行するために必要なデータと共に安全かつ電子的に再現する能力を提供することができる。プラットフォーム１００はまた、任意のクライアント装置１６２と任意のマーチャントシステム１７０の間にある、赤外線、RF、スキャナ、バーコードリーダー、超広帯域ネットワークファシリティ、Bluetooth（ブルートゥース）ファシリティ、802.11xファシリティ、WIFIファシリティ等などの近接通信システムを用いて現実の世界において安全なトランザクションを行う能力を提供することができる。いくつかの実施形態では、そのようなトランザクションは、生物測定パラメータの使用を含むことができる。
【０２１０】
プラットフォーム１００はさらに、種々の付加価値サービスにアクセスするために、個人用ウェブベースユーザインターフェースファシリティに安全にアクセスする能力を含むことができる。プラットフォーム１００はまた、資金を転送することによって、同じクライアント装置１６２において別の支払いトークンの金額を「トップアップする（補充する）」ための財布などの、ユーザファシリティ、またはマーチャントファシリティ、またはクライアント中心ファシリティに関する能力を含むことができる。資金を、電子財布に置くことができ、または、クライアント装置１６２の別のファシリティに保管することができる。プラットフォーム１００はまた、実社会及び／または仮想社会において実行されるトランザクションに関連する受領書または確認応答をクライアント装置１６２（これは、個人の装置、または、一時的に個人使用される公共装置とすることができる）に対して安全かつ電子的に発行し、かつ、それらをクライアント装置１６２で安全かつ電子的に再現する能力を含むことができる。プラットフォーム１００はまた、クライアント装置１６２及び／または個人用ウェブベースポータルにおいて受領書の電子的複製を格納及びアーカイブする能力を提供することができる。いくつかの実施形態では、そのような受領書を、「支払い済み」スタンプなどの、トランザクションの商人確認応答と共に格納することができる。
【０２１１】
いくつかの実施形態では、プラットフォーム１００は、任意の有線及び／または無線媒体を介して複数のドメインと安全かつ電子的に相互作用し、個人用のトークンを取得し、トランザクションを開始して完了し、選択されたクライアント装置（個人の装置、または、一時的に個人使用される公共装置）から直接、トランザクションの受領書または確認応答を受け取る能力を使用可能にすることができる。
【０２１２】
本明細書で開示されるプラットフォーム１００はまた、多次元認証を用いたトークン及び受領書の発行、たとえば、クライアント装置１６２、マーチャントシステム１７０または他の装置のユーザの身元（または同一性）の検証、装置自体の身元（または同一性）の検証、１つ以上のトランザクションに対するドメインの身元（または同一性）の検証（それぞれの場合において、適切な暗号化ツール及び適切な暗号強度を用い、オプションとして、ユーザ毎、装置毎及びドメイン毎に公開鍵／秘密鍵基盤の性質をカスタマイズする能力を用いる）を含む、プロキシミティ（近接）トランザクション及び無線トランザクションを安全に保護する能力を使用可能にする。たとえば、ユーザは、商人が受領書のようなアイテムを送るために公開鍵の登録場所（レジストリ）から取得する公開鍵に対応する秘密鍵を、公開鍵で暗号化されたユーザに提供することができる。プラットフォーム１００はまた、トークン及び受領書が発行されたときだけではなく、それらがクライアント装置に格納されたときにも、それらのトークン及び受領書を安全に暗号化する能力を提供する。本明細書で説明されるプラットフォーム１００はまた、ユーザの好みに基づいて、及び／または、ユーザの動作、使用パターン、トランザクションの履歴及び適格な外部入力に基づいてある時間期間学習することができるエキスパートシステムのサポートを受けて、クライアント装置１６２（これは、個人用装置とすることができ、または、一時的な個人使用に供される公共装置とすることができる）において、ユーザインターフェース及び種々の個人用の及び／または個人用ではないアプリケーションを構成する能力を含む。
【０２１３】
プラットフォーム１００はまた、ユーザの好みに基づいて、及び／または、ユーザの動作、使用パターン、トランザクションの履歴及び適格な外部入力に基づいてある時間期間学習することができるエキスパートシステムのサポートを受けて、高いレベルのスループット、効率、及び耐障害性でもって、ユーザのクライアント装置１６２（これは個人の装置、または、一時的な個人使用に供される公共装置とすることができる）に、複数のトークン、複数のサービス及び複数の個人用の及び／または個人用ではないアプリケーションを提供する能力を使用可能にすることができる。いくつかの実施形態では、プラットフォーム１００は分散型インフラストラクチャーを有し、これによって、本明細書で述べる種々の属性を、クライアント装置１６２、マーチャントシステム１７０、メインサービスファシリティ１４２、または他の装置、または、サービス提供者システムなどの他のシステムにおいて具現化することができる。
【０２１４】
図５を参照して、電子財布を介してユーザが関わるトランザクションを含む種々のトランザクションを可能にするための方法及びシステムを提示する。図５に示す１実施形態は、電子ファシリティ１０１のユーザにサービスを提供することができるコンピュータベースのシステムである。図１に関して上述したように、提供される特定のサービス、または、サービスが提供される環境に依存して多くの異なる実施形態が可能である。電子ファシリティ１０１は、クライアントファシリティのコンポーネントとすることができ、または、クライアントファシリティのコンポーネントを含むことができる。このサービスを仮想「電子財布」とすることができる。電子財布は、伝統的な財布、並びに、現金、クレジットカード、メディカルカード、会員カード、専門家としての資格証明、プロモーションカード及びクーポンなどの、その中味に取って代わることができる。電子財布のユーザは、伝統的な財布を使用する場合に比べて、利便性が向上する、紙による取引が不要になる、安全性が高まるなどといったいくつかの利益を享受することができる。
【０２１５】
常にではないが、一般的に、図１〜図５に示す電子ファシリティ１０１によって提供されるサービスを、トランザクション、具体的には、金融トランザクションに関連付けることができる。このサービスを、種々のビジネスモデルだけでなく、種々のソフトウエアアーキテクチャ及びプラットフォームを介して配信することができる。たとえば、サービスを、サービスパートナーによって供給することができ、ウェブサービス指向アーキテクチャを介して配信することができ、ユーザに対する手数料に関連するプレミアムサービスとすることができ、または、ユーザが無料で使用できるものとすることができる。ウェブサービスを、（１）XMLデジタル署名及び／またはXML暗号化を利用することができる分散型サーバー、及び／または、（２）SOAPを介して機能的な通信を行うことができる分散型サーバーなどの、分散型インフラストラクチャー及び／または安全なウェブサービスプロトコルを介して配信することができる。ウェブサービスを、たとえば、マサチューセッツ州ウォバーンにあるXtremesoft社のAppMetrics（商標）製品によって提供されるような安全なアプリケーションスループット（処理能力）管理ファシリティに関連付けることができる。サービスは、いくつかの異なる金融トランザクション及び／または情報トランザクションに関連することができる。。たとえば、サービスを、請求書支払い、個人データ管理、セキュリティ、プロモーション（販促）、銀行業務、新しい口座の申し込み、既存の口座の更新、クレジットカードの発行、サブ口座の管理（たとえば、子供用のクレジットカードの管理）、口座の廃止、口座の解約、ショッピング、購買代理サービス、政府サービス、カスタマープロファイリング、ベンダー間の協力またはコラボレーション、金融サービス、プリペイドサービス、発券、有人ATMサービス、プロキシミティ（近接）トランザクション、または、電子ファシリティ１０１に効果的に関連付けられることができる任意の他のサービスに関連するサービスとすることができ、または、それらのサービスを含むサービスとすることができる。トランザクションを安全なトランザクションとすることができ、この場合、トランザクションに関連付けることができるデータを、暗号化ファシリティで保護するなどの安全な方式で送信及び／または記憶することができる。安全なトランザクションを、安全な分散型ウェブベースプラットフォームに関連付けることができ、ウォレット（財布）のメタファー（ウォレットメタファー）に関連付けることができ、または、ウォレットメタファーに関連付けないようにすることができ、及び、安全なトランザクションは、支払いアプリケーションまたは非支払いアプリケーションを有することができる。安全なトランザクションを、赤外線、RF、バーコードなどを用いて実社会におけるプロキシミティトランザクションとして実行することができる。安全なトランザクションを、追加的にまたは代替的に、電子社会（たとえば、広域ネットワーク及びおそらくインターネット）で実行することができる。安全なトランザクションは、生物測定パラメータ、付加価値サービス用の個人用ウェブポータルに安全にアクセスする能力、おそらく資金（この資金は電子ファシ���ティ１０１内にあるものとすることができるが、財布内にはあるものとすることができるか、または、財布内にはないものとすることができる）をトークンと関連付けることによってトークンの量（金額）を「トップアップする（補充する）」ためのクライアント中心の財布を含むことができ、または、含まないものとすることができる。ここで、資金をトークンに関連付けることには、資金移転を含めることができる。
【０２１６】
いくつかの実施形態では、トランザクションを、プロキシミティトランザクションなどの無線で実行することができる。これらの実施形態では、トランザクションを３次元認証を用いて安全なものにすることができる。３次元認証には、ユーザ、電子ファシリティ１０１、及びトランザクションのドメインの身元を検証することを含めることができる。盗み聞き、なりすまし、リプレー攻撃などからトランザクションを安全に保護するために、この認証には、3DES、AESなどを実施する暗号化ファシリティの使用を含めることができる。暗号化ファシリティは、さらに、または、代替的に、ユーザ、または電子ファシリティ１０１、またはトランザクションドメインに基づいてカスタマイズできる公開鍵基盤を含むことができる。
【０２１７】
以下の開示では、一般的に、送信、または受信、または転送（移動）は、それが、SSL、SSH、DES、AES、XML暗号化、HTTPSなどの周知の暗号ファシリティによって保護されているときに安全であると言われる。
【０２１８】
いくつかの実施形態では、電子ファシリティ１０１によってサポートされる方法、システム、及びサービスは、多様なサービスを含むことができる。たとえば、限定はしないが、それらの方法及びシステムは、請求書の発行、及び、受領書及び／または確認応答及び支払いの発行を含むことができる請求書支払いサービスを可能にすることができる。支払いを、実社会または仮想社会で実行することができる。受領書または確認応答を、電子ファシリティ１０１で安全かつ電子的に再現し、または、それに、安全かつ電子的に格納することができる。受領書または確認応答は「支払い済み」スタンプを含むことができる。受領書を、任意の有線または無線媒体を介して複数のドメインの１つから取得することができ、及び、受領書を、トランザクションの開始または完了の間使用することができる。方法及びシステムは、さらに、または、代替的に、電子ファシリティシステムの（複数の機能を含む）任意の機能に関連付けることができ、及び、プライバシー機能を容易にすることができ、または、電子ファシリティの盗用阻止を可能にすることができるセキュリティサービスを使用できるようにすることができる。セキュリティサービスはまた、トランザクションの完全性、データの完全性、認証、非否認（non-repudiation）、無効化（revocation）、更新（renewability）、及び／または、電子ファシリティ１０１のセキュリティに関連付けられた任意の他の機能を提供することができる。
【０２１９】
プロモーションサービスは、電子ファシリティ１０１の機能に関連付けられることができ、ロイヤルティカード、クーポン、プロモーション（販促品）、インセンティブプログラム、または、任意の他のプロモーション方法に関連するプロモーションサービスを提供することができる。プロモーションサービスは、（ベンダーからの）直接配送、または、（小売業者からの）商人配送を含むことができる。方法及びシステムは、さらに、または、代替的に、口座振替、ATMファシリティへのアクセス、マイクロクレジット（小額の融資）トランザクション及び／または決済、または、ユーザにバンキング機能を提供する任意の他の方法に関連付けられることができるバンキングサービスをサポートすることができる。本明細書で述べる方法及びシステムは、さらに、または、代替的に、アプリケーションを別のサービスに適したものにすることを可能にするための、または、他のタイプのアプリケーションを新しいアカウントサービス（口座サービス）に適したものにすることを可能にするためのアプリケーションサービスをサポートすることができ、この場合、アプリケーションサービスは、銀行またはクレジットカード会社などのサービスファシリティに必要な情報を提供することを含むことができる。方法及びシステムは、さらに、または、代替的に、商品の閲覧及び製品の選択を手助けするためのユーザ提供個人情報を含むことができるショッピングサービスをサポートすることができる。商品を閲覧することに関連するアクションを、お買い得品のチェック、値引きのチェック、関連製品のチェック、プロモーション（販促）情報の受け取り、及び、電子ファシリティ１０１を介してユーザに商品閲覧機能を提供する任意の他のアクションとすることができる。
【０２２０】
本明細書に開示されるこれらの方法及びシステムは、さらに、または、代替的に、パスポート、ビザ、社会保障番号、納税者識別番号、自動車、及び投票のうちの１つ以上に関連付けられることができる政府サービスをサポートすることができる。本明細書に開示される方法及びシステムは、さらに、または、代替的に、ユーザまたはベンダーの利益となりうる、及び、たとえばユーザグループのプロファイリングサービスに関連付けられることができるカスタマープロファイリングをサポートすることができる。本明細書に開示される方法及びシステムは、さらに、または、代替的に、たとえば、個人間振替（個人間送金）、為替、購入、販売、または、株または他の資産についての他のトランザクション、クレジットまたはデビットカードトランザクション、口座振替、または、電信送金に関連付けられることができる金融サービスをサポートすることができる。本明細書に開示される方法及びシステムは、さらに、または、代替的に、たとえば、プリペイド式エアタイムカード、または、プリペイド式ショッピングカードに補充することに関連するプリペイドサービスをサポートすることができる。本明細書に開示される方法及びシステムは、さらに、または、代替的に、航空会社、映画、演劇、スポーツイベント、競売、慈善機能、教育機能、式典、演説、娯楽（エンターテインメント）イベント、または、ホスピタリティー（接客）ファシリティに関連付けられることができる発券サービスをサポートすることができる。発券サービスでは、紙を使わない（ペーパーレスの）チケットを、電子ファシリティ１０１に直接発行することができ、及び、該ファシリティに関連して安全に格納することができる。
【０２２１】
電子ファシリティ１０１は、該ファシリティの認可されたユーザが、商人、仲間、供給業者（サプライヤー）、及び、任意の他のトランザクション参加者と種々のトランザクションを行うことができるようにするトランザクション方法を共同でサポートするコンポーネントを含むことができる。１実施形態では、電子ファシリティ１０１はユーザインターフェースを含むことができ、該インターフェースは、キーボード、マウス、クリックホィール、トラックホィール、ポインター、スライダー、ボタン、音声起動式インターフェース、スタイラス、スマートペン、リモートコントロール、タッチスクリーン、ネットワークインターフェース、ソフトウエアインターフェース、ウェブページ、ブラウザなどの任意の種類のユーザインターフェース、または、ユーザ入力を受け取るのに適した及び／またはユーザに情報を提供するのに適した他のインターフェースとすることができる。１実施形態では、ユーザインターフェースをLCD及びタッチスクリーンディスプレイ１００とすることができる。ディスプレイは、ユーザに視覚フィードバック及び情報を提供する。ディスプレイ１００の大きさをフルサイズ（たとえば、タブレットまたはデスクトップPCの大きさ）、または、それより小さなサイズ（たとえば、PDA、携帯電話、カメラ、またはデジタル腕時計のディスプレイのサイズ）とすることができる。いくつかの実施形態では、ディスプレイ１００を、携帯するのに十分なだけ小さくすることができ、及び／または、ユーザが読み取ることができるメッセージを表示し、かつコントロール部にタッチするのに十分なだけ大きくすることができる。
【０２２２】
図５を再び参照すると、電子ファシリティ１０１はまた、電子ファシリティ１０１の機能を制御するための制御ファシリティを含むことができ、該制御ファシリティを、プロセッサ、マイクロプロセッサ、コンピュータなどの任意のタイプの制御ファシリティとすることができる。いくつかの実施形態では、制御ファシリティは、関連するディスプレイコントローラ１０２、RAM１０６、ROM１０７、及び入力／出力ポート管理１０８を伴うマイクロプロセッサとすることが可能なマイクロコントローラ１０４、不揮発性ＲＡＭ１１０、オン／オフスイッチ１１４の状態または電子ファシリティ１０１の他の状態を示すための発光ダイオード１１２、スピーカー／ビーパー（電子ブザー）１１８、オプションの外部ファシリティ１３１に接続するための、及び／または、バッテリー１２４に充電するための１つ以上の接触ファシリティ１２０、たとえば、無線通信及び／またはパワーアプリケーションで使用されるオプションの非接触ファシリティ１２２、及び、直接通通信ファシリティ１１１を含むことができる。電子ファシリティ１０１に、バッテリー、電源、太陽電池、燃料電池、充電器、インダクティブ充電器（誘導充電器）、シガレットライターアダプター、または、任意の他の電力源などの電力ファシリティ１２４によって給電することができる。
【０２２３】
電子ファシリティ１０１は、種々の技術基盤によってサポートされることができ、及び、多くの異なる形態を取ることができる。たとえば、電子ファシリティ１０１は、約３．５インチ×２．５インチのサイズ、または、ほぼクレジットカードのサイズとすることができる。代替的には、電子ファシリティ１０１を、PDA、スマートカード、携帯電話、ウェアラブルコンピュータ、腕時計、Blackberry（商標）、Sidekick（商標）、または、小さな持ち運べる形態を有する任意の他の装置などの携帯型装置に組み込むことができる。他の実施形態では、このテクノロジーを、金銭登録器（キャッシュレジスター）、販売時点情報管理システム、パーソナルコンピュータ、携帯デジタル音楽プレーヤー、デジタルカメラ、セットトップボックス、デジタルビデオレコーダ、衛星受信機、自動車、（電気メーターやガスメーターなどの）需給計器、または、商品の販売、資金の移転、または、本明細書で述べる他のトランザクションに関連する任意の他の装置に含めることができる。電子ファシリティ１０１で使用されるテクノロジーは、自動車、GPS、携帯電話、または、電子ファシリティ１０１が携帯型の位置ベースのトランザクションを実行できるようにする任意の他のファシリティに対するインターフェースを含むことができる。
【０２２４】
上記のディスプレイ１０３は、LCD及びタッチスクリーンを含むことができる。代替的には、ディスプレイ１０３を、発光ダイオードディスプレイ、有機発光ダイオードアレイ、フレキシブル有機発光ダイオードアレイ、投写型ディスプレー、または、電子ファシリティ１０１と共に使用するのに適した任意の他のディスプレイとすることができる。ディスプレイ１０３に、または、ディスプレイ１０３によって映し出された画像に、バーコードまたは署名を出現させることができる。これらのバーコード及び署名は、たとえば、電子ファシリティ１０１を用いて格納された情報、または、電子ファシリティ１０１を用いるトランザクションに関連する情報に対するコンピュータが読み取ることができる参照または人間が読み取ることができる可視の参照を必要とする場合があるサポートコンピュータ１３４のオペレータに情報を提供することができる。
【０２２５】
代替的には、電子ファシリティ１０１のディスプレイ１０３の部分を、遠隔の装置において具現化することができる。たとえば、電子ファシリティ１０１はさらに、PCベースのウェブブラウザが接続可能なウェブサーバーを含むことができる。電子ファシリティ１０１のビジュアルインターフェースをブラウザに表示することができる。したがって、いくつかの実施形態では、電子ファシリティ１０１は、物理的なディスプレイそのものではなく、ディスプレイ１０３に表示されるコンテンツを提供するだけなので、電子ファシリティ１０１に対する物理的な大きさの制限はない。ここで、電子ファシリティ１０１を含むテクノロジーを、指輪、ブレスレット、ペンダント、靴、めがねの縁、ヘアクリップ、または、ユーザが身に付けることができる任意の他の個人用アイテムに埋め込むことができる。
【０２２６】
電子ファシリティ１０１は、ユーザ入力を受け取るためのユーザインターフェースを含むことができる。この点において、ユーザインターフェースは、タッチ（式）メモリボタン（touch memory button）、タッチ（式）メモリリーダー（touch memory reader）、マウス、統合化トラックボール（integrated trackball）、音声認識機能付きマイクロホン、RFIDスキャナ、外部ユーザ入力装置へのBluetooth（商標）（ブルートゥース）インターフェース、ネットワークインターフェース、カメラ、ビデオ、またはウェブカメラ、または、本明細書で述べる任意の入力ファシリティを含む、任意の他のユーザ入力装置などの入力装置を含むことができる。代替的な実施形態では、ユーザ入力を、たとえば、電子ファシリティ１０１に組み込むことができるウェブサーバーに接続する遠隔のウェブブラウザを介して、ネットワークを通じて提供することができる。
【０２２７】
電子ファシリティ１０１は、トランザクションの間他のファシリティと通信することができる。接触ファシリティ１２０、非接触ファシリティ１２２、直接通信ファシリティ１１１、ローカル通信ファシリティ１５２、ネットワーク通信ファシリティ１５４、アプリケーション指向通信ファシリティ、または、電子ファシリティ１０１と共に使用するのに適した任意の他の通信ファシリティを含むことができる通信ファシリティ１０９を、電子ファシリティ１０１と一体化することができる。
【０２２８】
トランザクションは、ユーザが、電子ファシリティ１０１をサービスファシリティと相互作用させるのを必要とする場合がある。サービスファシリティは、トランザクション内の一人以上の参加者を認証することができ、及び、トランザクションの決済（決着）に関する最終決定権者になることができる。サービスファシリティはメインサービスファシリティ１４２を含むことができる。通信ファシリティ１０９は、ネットワーク通信ファシリティ１５４を介するメインサービスファシリティ１４２とのデータ伝送を容易にすることができる。
【０２２９】
電子ファシリティ１０１への給電またはそれとの通信を、外部の対象物との直接の物理的接触を通じて提供することができる。これは、電力ピン、磁気ストライプ、接触型スマートカードファシリティ、または、電子ファシリティ１０１に接触ベースのデータ通信または電力を提供するのに適した任意の他のファシリティを含むことが可能な接触ファシリティ１２０を介して達成される。接触ファシリティ１２０を利用して電子ファシリティ１０１に通信能力をもたらすことができる限りにおいて、接触ファシリティ１２０を通信ファシリティ１０９の一部とすることができる。
【０２３０】
電子ファシリティ１０１への給電またはそれとの通信を、さらに、または、代替的に、赤外線または非接触ファシリティ１２２を通じて行うなど、外部の対象物との無線による相互作用を介して行うことができる。赤外線または非接触ファシリティは、IrDAファシリティ、RFIDなどのプロキシミティ（近接）RFファシリティ、非接触型スマートカードファシリティ、電磁誘導ファシリティ、または、電子ファシリティ１０１に非接触データ通信または電力を提供することができる任意の他のファシリティを含むことができる。非接触ファシリティ１２２を利用して電子ファシリティ１０１に通信能力をもたらすことができる限りにおいて、非接触ファシリティ１２２を通信ファシリティ１０９の一部とすることができる。
【０２３１】
電子ファシリティ１０１との通信を、さらに、または、代替的に、ネットワーク通信ファシリティ１５４を介して提供することができる。この場合、ネットワーク通信ファシリティは、PSTNに対する（モデムなどの）インターフェースファシリティ、データネットワークに対する（イーサネット（登録商標）カードまたは802.11ワイヤレスカードまたはBluetooth（商標）ファシリティなどの）インターフェースファシリティ、（CDPD、GPRS、GSM、CSD、HSCSD、SMSなどのプロトコルを利用する）携帯電話ネットワークに対するインターフェースファシリティ、または、メインサービスファシリティ１４２へのデータ通信インターフェースとすることが可能な特別なインターフェース１４０への通信を提供する任意の他のファシリティを含むことができる。送信されたデータのセキュリティ（安全性）を確保するために、ネットワーク通信ファシリティ１５４は、（IPSecまたはSSHを介するVPNなどの）安全な接続を利用することができる。
【０２３２】
いずれにせよ、電子ファシリティ１０１への通信は安全なトランザクションを可能にすることができる。
【０２３３】
一般に、ネットワーク化されたコンピューティングは、物理媒体、プロトコルスタック、及び、（ウェブサーバーやウェブブラウザなどの）１つ以上のアプリケーションの使用を含みうる。物理媒体は、たとえば、有線イーサネット（登録商標）通信に使用されるカテゴリ5eケーブル、同軸ケーブル、光ファイバを含むことができ、または、無線通信の場合には空気または真空を含む任意の他の物理媒体を含むことができ、並びに、ネットワークの参加者間のエンドツーエンド通信を完了するために使用されるこれらの種々の組み合わせを含むことができる。プロトコルスタックは、たとえば、TCP/IPプロトコルスタックまたはOSIプロトコルスタックなどの、ネットワークの参加者間の通信を処理するために使用される任意の数のプロセスを含むことができる。アプリケーションは、任意のプログラム、プログラムモジュール、サービス、または、作業処理ソフトウエア、スプレッドシート、プレゼンテーションソフトウエア、及び、ウェブブラウザなどの一般的なデスクトップアプリケーション、並びに、ユーザにわかりやすいものとすることができるプロプライエタリソフトウェア（proprietary software：所有権を主張できるソフトウェア）またはサービスを含む、プロセッサまたは他のハードウエアで実行される他のソフトウエアを含むことができる。いくつかの概念的な説明において、これらのコンポーネントの役割及び構成は、たとえば、OSIプロトコルスタックが、物理媒体の使用を記述するための物理レイヤと、アプリケーションとのインターフェースを記述するためのアプリケーションレイヤを含む場合には異なるものとなるということが理解されよう。同様に、いくつかの概念的なフレームワークでは、装置用オペレーティングシステムを、アプリケーションまたはプロトコルスタックのコンポーネントとみなすことができる。したがって、より一般的には、ネットワーク化されたコンピューティングシステムは、アプリケーション間、またはサービス間、または、プロセッサまたは他のハードウエアで動作する他のソフトウエアコンポーネント間の一方向または多方向通信を可能にするための物理媒体及び処理リソースの任意の組み合わせを含むことができる。そのような全てのネットワーク化されたコンピューティングシステムは、特定のプログラム、プロトコルまたは通信媒体が指定されている場合を除いて、以下の説明の範囲内にあることが意図されている。
【０２３４】
電子ファシリティ１０１のユーザをサポートするために、アプリケーション指向通信ファシリティ１０９を電子ファシリティ１０１に関連付けることができる。この通信ファシリティ１０９は、（Telnet（テルネット）、FTP、SSHなどの）外部ファシリティ１３１を介してメインサービスファシリティ１４２との直接接続を可能とするファシリティ、または、メインサービスファシリティ１４２に外部ファシリティ１３１を介してデータを通す（トンネリングする）ためのコネクションベースまたはセッションベースの能力をアプリケーションに提供する任意の他のファシリティを含むことができる。１例では、アプリケーション指向通信ファシリティ１０９は、HTTP及びHTTPSなどのウェブプロトコルを用いて小売業者のウェブサーバーに接続するためのファシリティを含むことができる。
【０２３５】
電子ファシリティ１０１内のメモリ（記憶装置）は、RAM１０６、ROM１０７、及び／または不揮発性RAM１１０、または、任意の他の種類のデータ記憶ファシリティを含むことができる。メモリは、本明細書で説明するトランザクション方法の実行の際における電子ファシリティの参加に関連する全てのデータを記憶するのに十分なものとすることができる。このメモリの内容の全体または一部を、サポートコンピュータ１３４、ローカルコンピュータ１６０、及び／またはメインサービスファシリティ１４２にアップロードすることができ、このアップロードはオプションとして、ソフトウエアコンジットを介して行うことができる。トランザクションに関連する方法をサポートするために、電子ファシリティ１０１内のメモリは、多次元データベースを含むことができ、該メモリを、（スマートカードなどの）耐漏洩性のある暗号法を提供するパッケージ及び方法を利用して実施することができ、及び、任意の磁気的、光学的、または電子的記憶媒体において具現化することができる。いくつかの実施形態では、データ記憶ファシリティは、ファイル、（オブジェクト指向またはリレーショナル）データベース、オブジェクト、または、データ、アプリケーション、プログラム、及び、電子ファシリティに関連する他のアイテムを記憶するための他のデータ記憶ファシリティを含むことができる。
【０２３６】
電子ファシリティ１０１内のメモリは、本明細書で説明するトランザクション方法に関連する値を記憶することができる。この値は、１つの電子ファシリティ１０１を他から区別するための固有の識別子、電子ファシリティ１０１の認可されていない使用を防止するためのアクセス制御情報、電子ファシリティ１０１の所有者を識別する個人情報、金融口座情報、電子ファシリティ１０１の所有者に関連する医療及び健康情報、蓄えられている金銭価値、ロゴ及びブランド情報、または、トランザクション方法に関連する任意の他の値を含むことができる。
【０２３７】
アクセス制御情報は、符号化された署名、個人識別番号、符号化された指紋、符号化された虹彩スキャン、または、アクセス制御、識別、セキュリティまたは認可に関連する任意の他の情報（生物測定情報またはそれ以外の情報）を含むことができる。
【０２３８】
個人情報は、個人の名前、ビジネスネーム（または職業名）、自宅の住所、自宅の電話番号、自宅のFAX番号、自宅の電子メールアドレス、オフィス（事務所）の住所、オフィスの電話番号、オフィスのFAX番号、オフィスの電子メールアドレス、ユニフォーム・リソース・ロケーター（「URL」）、ユニフォームリソース識別子（「URI」）、身長、体重、生年月日、社会保障番号、血液型、婚姻関係、または、個人に関連する、または、個人を一意的に特定し、個人に連絡し、または個人の居場所を突きとめるために使用される任意の他の情報を含むことができる。
【０２３９】
金融口座情報は、クレジットカード番号、発行日、有効期限、信用限度、預貯金口座番号、当座預金口座番号、投資口座番号、金融口座に関連するユーザー名及び／またはパスワード、または、証券口座、預貯金口座、当座預金口座、クレジットカード口座などの１つ以上の金融口座に関連する任意の他の情報を含むことができる。
【０２４０】
医療及び健康情報は、アレルギーの兆候、既往歴、病状、健康保険制度に関連する健康保険会員番号、医師名、病院名、薬局名、現在の投薬または処方、または、医療または健康状態に関連する任意の他の情報を含むことができる。
【０２４１】
ロゴ及びブランド情報は、クレジットカード画像、または、電子ファシリティ１０１を用いて提供されるサービスに関連して使用されうるロゴ及びブランドに関連する任意の他の画像を含むことができる。
【０２４２】
電子ファシリティ１０１を様々な環境照明条件に適合できるようにするために、電子ファシリティ１０１はさらに、たとえば、バックライティングまたはディスプレイの輝度を制御するためのディスプレイ輝度調整、並びに筐体を含むことができる。代替的には、電子ファシリティ１０１は、環境照明条件を検出することができる可視光センサ、並びに、検出した環境照明条件に基づいてディスプレイ輝度を自動的に調整するためのファシリティを含むことができる。
【０２４３】
電子ファシリティ１０１はさらに、トランザクションに関連する方法をサポートするためのソフトウエアを含むことができる。このソフトウエアは、オペレーティングシステム、メモリディスプレイマネージャ、データベースディスプレイマネージャ、分析アルゴリズム、分析手順、インターフェースコントローラ、デイプランナー、I/Oドライバ、ディスプレイドライバ、スケジューラ、コマンドマネージャ、クロック（時計）、カレンダー、ユニバーサル電子トランザクションファシリティ初期化プログラム、認可プログラム、セキュリティマネージャ、署名マネージャ、または、トランザクションに関連した、または、トランザクションに関連するデータに関連した任意の他のソフトウエア機能を含むことができる。
【０２４４】
（クレジットカードなどの）物理エンティティ（物理的実体）をエミュレートすることによって、電子ファシリティ１０１は、物理エンティティを持ち運ぶことに対する代替手段をユーザに提供することができる。（クレジットカード、運転免許証、イベントチケット及びテレホンカードなどの）複数の物理エンティティをエミュレートすることによって、電子ファシリティ１０１は、それのユーザを、物理的な財布内にカードなどの物理エンティティを入れて持ち運ぶ必要から開放することが可能な電子財布として動作することができる。この機能をサポートするために、電子ファシリティ１０１はさらに、物理エンティティを図的にエミュレートするか、または、たとえば音声またはビデオを用いて物理エンティティをエミュレートするなどして、物理エンティティをエミュレートするアプリケーションを含むことができる。このアプリケーションは、クレジットカード、バンクカード、メディカルカード、運転免許証、テレホンカード、エアライントラベルカード、レンタカーカード、ユニバーサルIC（integrated）カード、ロイヤルティプログラムまたは報酬カード、または、本明細書で述べるサービス、アプリケーション、環境及びトランザクションにおいて使用される任意のエンティティなどの、電子ファシリティ１０１のユーザに関連する任意の他の物理エンティティをエミュレートすることができる。いくつかの実施形態では、物理エンティティをエミュレートすることには、ブランド、ロゴ、商標、フォント、フォーマット（体裁）、形状などのエンティティの目に見える物理的特徴をエミュレートすることが含まれる。他の実施形態では、物理エンティティをエミュレートすることには、識別番号、パスコード、シリアル番号などのエンティティに関連するデジタル情報を格納することを含めることができる。いくつかの実施形態では、デジタル情報を、エンティティの可視表現に関連付けることができる。
【０２４５】
クレジットカード及びバンクカードトランザクションをサポートする、本明細書で説明するアプリケーションは、たとえば、個人識別番号（「PIN」）やドル金額の入力、または、チップの支払い、キャッシュバック金額の要求の入力、または、トランザクションに関連する任意の他の金銭的額の指定などの機能を可能にすることができる任意の他の入力などを、ユーザが数値入力できるようにすることができる。
【０２４６】
メディカルカードアプリケーションは、関連する既往歴、保険情報、写真付き身分証明書、または、個人の医療面に関連する任意の他の情報を含むことができる。
【０２４７】
エアライントラベルカードアプリケーションは、航空座席予約システムとのインターフェース、または、空の旅行に関連する任意の他のシステムとのインターフェースを含むことができる。
【０２４８】
ユニバーサルIC（integrated）カードアプリケーションは、複数の異なるアプリケーション、関連する身分証明（書）、口座（アカウント）、または、ユニバーサルICカード方法に関連する任意の他のアイテムを統合することができる。
【０２４９】
電子ファシリティ１０１に関連する方法、または、電子ファシリティ１０１のユーザの一般的な活動をサポートするために、電子ファシリティ１０１は、１つ以上の追加の機能をサポートすることができる。追加の機能には、たとえば、英数字コードとすることができるコード、個人識別子、パスワード、個人識別番号またはサイン（署名）の入力を含めることができる。追加の機能には、さらに、または、代替的に、（口座取引要約（account summary）などの）電子ファシリティのオプションの表示、（「トランザクション完了」などの）トランザクションに関連するステータスの表示、（レストランでの購入品に対するチップの数値入力などに対する）数字キーパッドの表示、ノートパッド、やること（to-do）リスト、連絡先リスト、電子メールプログラム、タスクマネージャ、メッセージマネージャ、インスタントメッセージングプログラム、アラーム、リマインダー（催促）機能、または、電子ファシリティ１０１に効果的に含めることができる任意の他の機能、または、これらによって提供される方法及びサービスを含めることができる。
【０２５０】
トランザクション方法を使用可能にするために、電子ファシリティ１０１は、メインサービスファシリティ１４２と相互作用を行うことを必要とする場合がある。メインサービスファシリティ１４２を、HTTPサーバーなどのサーバー、パーソナルコンピュータ、ワークステーション、ラップトップコンピュータ、または、任意の他のコンピュータまたはコンピューティング装置とすることができる。いくつかの実施形態では、メインサービスファシリティ１４２は、サービス指向アーキテクチャにおけるサービスとしての機能を提供することができ、この場合、それらのサービスは、これらのサービスを利用するために、電子ファシリティ１０１などのメインサービスファシリティ１４２のクライアントによってアクセス可能なそのようなサービスのレジストリにリストされている。いくつかの実施形態では、メインサービスファシリティ１４２は、分散型コンピュータ、クラスタコンピュータ、ワークステーションのネットワーク、サーバー、スーパーコンピュータ、メインフレームコンピュータ、サーバーファーム、及び／または、１つ以上の地理的位置に配置されたそれらの任意の組み合わせを含むことができる。
【０２５１】
メインサービスファシリティ１４２との相互作用を、本明細書で述べるトランザクション方法の実行中に電子ファシリティ１０１及びメインサービスファシリティ１４２に関連して利用されることができる外部コネクタ１３１を介して行うことができる。外部コネクタ１３１は、遠隔通信／インターネットファシリティ１３８、情報処理ファシリティ１２９、ユーザ入力キー１２８、液晶ディスプレイ（LCD）１３０、パーソナルコンピュータ（PC）インターフェースファシリティ１３２、または、電子ファシリティ１０１とメインサービスファシリティ１４２の間のトランザクション方法をサポートすることに関連する任意の他の機能またはファシリティを含むことができる。情報処理ファシリティ１２４は、マイクロコントローラ、RAM、ROM、I/Oファシリティ、及び、情報処理に関連する任意の他のファシリティを含むことができる。外部コネクタ１３１は、RFファシリティ、IRファシリティ、または、電子ファシリティ１０１と外部コネクタ１３１の間の通信を可能にする任意の他の適切なファシリティを介して、ローカル通信ファシリティ１５２とインターフェースすることができる。通信ファシリティ１５２は、受動性または能動性のものとすることができ、または、能動性コンポーネントと受動性コンポーネントの任意の組み合わせを含むことができる。
【０２５２】
参加者は、ユーザによって提示されたクーポンをスキャンしたり、ユーザによって保持されたチケットをスキャンするなどのトランザクションに関連する能力を要求する場合がある。この能力をサポートするために、コネクタ１３１はまた、PCインターフェースファシリティ１３２を介してサポートコンピュータ１３４とインターフェースすることができる。外部コネクタ１３１を、商人または他のトランザクション参加者に関連付けることができる。通信ファシリティ１０９は、ローカル通信ファシリティ１５２を介する外部ファシリティ１３１とのデータ伝送を容易にすることができる。ローカル通信ファシリティ１５２は、接触ファシリティ１２０及び／または非接触ファシリティ１２２を含むことができる。PCインターフェースファシリティ１３２を能動性または受動性ものとすることができる。PCインターフェースファシリティ１３２は、USB、パラレル、シリアル、イーサネット（登録商標）、PSTN、802.11、WiFi、WiMax、IrDA、または、Bluetooth（ブルートゥース）、または、任意の他の有線または無線ファシリティを含む、任意の実現可能なデータ転送ファシリティを含むことができる。PCインターフェースファシリティ１３２は、外部コネクタ１３１の配備の後に環境に合わせて変更可能であり、これによって、たとえば、サポートコンピュータ１３４の改変に起因して環境が変化しうる場合に、インターフェースをその環境に適合させることができる。サポートコンピュータ１３４は、電子ファシリティ１０１のユーザ及びサポートコンピュータ１３４のユーザに関わるトランザクションに関連するサポートコンピュータ１３４のユーザによって必要とされる任意のファシリティを提供することができる。
【０２５３】
サポートコンピュータ１３４とは無関係にまたはそれに関連して、外部コネクタ１３１は、電子ファシリティ１０１に関連して使用されるときに検証機能を提供することができる。この検証機能は、写真の表示、写真と基準写真の比較、指紋と基準指紋との比較、声紋と基準声紋との比較、署名と基準署名との比較、署名の表示、虹彩スキャンと基準虹彩スキャンとの比較、または、一方のデータセットが対象としているユーザに関連し、他方のデータセットが既知のユーザに関連する２つのデータセットの比較を可能にする任意の他の機能を含むことができる。検証機能は、さらに、または、代替的に、PIN、パスワード、ユーザ名、及び、身元を検証するためのデジタル鍵またはデジタル証明書の任意の組み合わせを利用することができる。検証に必要な任意の物理エンティティを、ユーザの写真、指紋、声紋、虹彩スキャン、または、CTスキャン、MRIの結果などの他の生物測定データなどを、電子トランザクションファシリティ１０１に記憶し、または、電子トランザクションファシリティ１０１においてエミュレートすることもできる。
【０２５４】
外部コネクタ１３１を含むテクノロジーの全体または一部を、サポートコンピュータ１３４に組み込むことができる。
【０２５５】
前述したように、サポートコンピュータ１３４は、外部コネクタ１３１とインターフェースすることができる。外部コネクタ１３１を通じて、サポートコンピュータ１３４は、電子ファシリティ１０１と通信することができる。サポートコンピュータ１３４はまた、外部コネクタ１３１の遠隔通信／インターネットファシリティ１３８を介してメインサービスファシリティ１４２と通信することができる。電子ファシリティ１０１及びメインサービスファシリティ１４２とのサポートコンピュータ１３４の通信は、トランザクション方法をサポートまたは使用可能にすることができ、この場合、サポートコンピュータ１３４は、トランザクションにおける参加者の役割を果たす。
【０２５６】
メインサービスファシリティ１４２と通信するとき、サポートコンピュータ１３４は、コードの送信、トランザクション要求の送信、認可要求の送信、認可の受信、受領書の受信、確認応答の受信、クーポンの送信、クーポン引き換えに対する承認の受信、入手可能な在庫品（たとえば、劇場イベントのチケットの入手可能性）のチェック、入手可能な在庫品の購入要求、または、携帯電話のトップアップ要求、を行うことができる。サポートコンピュータ１３４はまた、本明細書で説明するトランザクション方法において指定されるメインサービスファシリティ１４２から他の通信（情報）を送信及び受信することができる。それぞれの場合において、トランザクションに関連するアイテムを、受領書に「支払い済み」スタンプを表示したもの、チケットに公式ロゴを表示したもの、または、署名付き文書に実際の物理的な署名を表示したものなどの、それらの物理的形態をエミュレート（模倣）した形態のバージョンにアクセスできるようにするやり方で格納し、及びアクセスすることができる。このエミュレートされた物理的形態を、あるアイテムの特定の表現の独自性を確保するためのデータなどのデジタルデータに関連付けることができる。したがって、本明細書で説明する方法及びシステムは、表現されたエンティティに関する単なる情報とは対照的に、実際のエンティティ（たとえば、運転免許書の画像とは対照的な実際の運転免許証、チケットを購入したことの証拠とは対照的な実際のチケットなど）に（同じではないにしても）よく似たグラフィカルな描写物の格納、操作（処理）、検索（取り出し）、交換、及び、使用をサポートすることができる。
【０２５７】
サポートコンピュータ１３４は、販売時点情報管理（POS）コンピュータとすることができる。POSコンピュータを、商店、燃料ポンプ、レストラン、バー、ホテル、料金所、医院、空港または他の発券場所、または、トランザクションが行われうる任意の他の場所に設置することができる。いくつかの実施形態では、POSコンピュータに、電子ファシリティ１０１と相互作用するように設計されたファシリティを装備することができる。POSコンピュータを、現金自動預払機（ATM）とすることができ、または、ATM内に設置することができ、または、POSコンピュータは任意の他の実施可能な形態をとることができる。サポートコンピュータ１３４をインターネットに接続された電子商取引サーバーとすることができる。サポートコンピュータ１３４をPSTNに接続されたサーバーとすることができる。この場合には、サーバーは、ユーザとの音声対話、DTMFデコーディング（DTMF decoding）、SMS受信（SMS reception）、SMS送信（SMS transmission）、または、PSTNを介するデータ送信を容易にする任意の他の方法を可能にする機能を含むことができる。
【０２５８】
サポートコンピュータ１３４は、電子ファシリティ１０１及びメインサービスファシリティ１４２に関連してプロキシミティトランザクションを実行することができる。サポートコンピュータ１３４はまた、本明細書で説明するトランザクション方法に関連する情報にメインサービスファシリティ１４２からアクセスすることができる。
【０２５９】
電子ファシリティ１０１のユーザは、本明細書で説明するトランザクションに関連したアクションを実行するために、ユーザのパーソナルコンピュータなどのローカルコンピュータ１６０を利用することを望む場合がある。
【０２６０】
ローカルコンピュータ１６０の利用をサポートするために、通信ファシリティ１０９はさらに、ローカルコンピュータ１６０へのパーソナルコネクション１５８を含むことができる。パーソナルコネクション１５８は、USB接続、ファイヤーワイヤー（Firewire）接続、イーサネット（登録商標）接続、ATキーボート接続、PS/2キーボード接続またはマウス接続、MIDI接続、ゲームポート接続、IEEE 1284パラレル接続、または、任意の他の実施可能なシリアルまたはパラレル接続、を含むことができる。パーソナルコネクション１５８は、さらに、または、代替的に、802.11やイーサネット（登録商標）などの有線または無線ネットワークプロトコルをサポートするローカルエリアネットワーキングファシリティを含むことができる。パーソナルコネクション１５８はさらに、Bluetooth（商標）（ブルートゥース）、IrDA、または、任意の他の赤外線通信、高周波通信などのプロトコル、または、短距離の無線データ通信をサポートする他の方法をサポートする短距離ワイヤレス通信ファシリティを含むことができる。
【０２６１】
ローカルコンピュータ１６０をパーソナルコンピュータとすることができる。パーソナルコンピュータは、前述の物理的コネクション１５８などの接続を介して電子ファシリティ１０１とインターフェースすることができる。パーソナルコンピュータは、個人の課税に関連する分析、個人の予算管理に関連する分析、個人の財務概要を編集することに関連する分析、または、トランザクションに関連する任意の他の分析、を含むことが可能なトランザクション分析をサポートすることができる。パーソナルコンピュータはさらに、リモートコンピュータにアクセスするためのソフトウエアを含むことができる。このリモートコンピュータを、トランザクションサービス会社に関連付けることができ、及び、メインサービスファシリティ１４２とすることができる。リモートコンピュータにアクセスするときに、ローカルコンピュータ１６０は、金融口座に関連する情報にアクセスすることができ、または、その情報を検査することができる。この場合、その情報は、リモートコンピュータに格納される。ローカルコンピュータ１６０はまた、金融口座に関連する情報をリモートコンピュータにおいて変更することができる。
【０２６２】
本発明の１つの応用形態では、保健サービスを提供することができ、この場合、電子ファシリティ１０１を、（メモリの可用性が許容する場合の放射線画像を含む）個人の既往歴、口座情報、及びトランザクション情報（取引情報）を含む個人情報の入力、格納、処理、及び／または送信のために使用することができる。少なくとも１つの中央健康管理情報処理ファシリティが提供され、該ファシリティは、メインサービスファシリティ１４２、顧客データベース１５５、オペレータステーション１５０、注目すべきデータ１４８、ネットワーク通信ファシリティ１５４、及び／または特別なインターフェース１４０を含むことができる。（上記参照によって組み込んだ）Pitrodaには、中央健康管理情報処理ファシリティが「health care management system（ヘルスケア管理システム）」として開示されており、ヘルスケア管理システムについてのPitrodaの説明の内容の中では、電子ファシリティ１０１が、「UETカード」及び「ユニバーサル電子トランザクションカード」と呼ばれている。
【０２６３】
本発明の別の応用形態では、電子信用取引サービスを提供することができ、この場合、電子ファシリティ１０１を電子信用取引を行うために使用することができる。少なくとも１つの信用取引処理ファシリティを提供することができ、該ファシリティは、メインサービスファシリティ１４２、顧客データベース１５５、オペレータステーション１５０、注目すべき１つまたは複数のデータ１４８、ネットワーク通信ファシリティ１５４、及び／または特別なインターフェース１４０、を含むことができる。さらに、トランザクション（取引）時点情報管理システム（またはトランザクションの場所におけるシステム）を提供することができ、このシステムは外部コネクタ１３１を含むことができる。いくつかの実施形態では、信用取引処理ファシリティを、参照により本明細書に組み込んだ文書に記載された「service institution system（サービス機関システム）」とすることができ、電子信用取引に関連するサービス機関システムのコンテキストでは、電子ファシリティ１０１を「UETカード」及び「ユニバーサル電子トランザクションカード」と呼ぶことができる。
【０２６４】
一般的な応用形態では、図１のいくつかまたは全てのアイテムを組み合わせてユーザにトランザクションサービスを提供することができる。トランザクションサービスは、支払いサービス、非支払いサービス、健康関連のサービス、インフォテイメントサービス、個人情報管理サービス、旅行サービス、個人間サービス、為替サービス、送金（振替）サービス、プリペイド式エアタイムトップアップサービス、発券サービス、ロイヤルティサービス、クーポンサービス、プロモーション（販促）サービス、電子小切手帳サービス、運転免許証サービス、賭博（またはゲーム）ポータルサービス、政府ポータルサービス、企業ポータルサービス、健康／フィットネスポータルサービス、宗教ポータルサービス、スポーツポータルサービス、保険ポータルサービス、大学ポータルサービス、ユーザ中心インターフェースファシリティ、ユーザ中心エンジンファシリティ、及びセキュリティファシリティ（これらに限定されないが）を含むことができる。これらのトランザクションサービスのいくつかを本明細書で説明する。本明細書で参照した文書の教示内容全体を参照により本明細書に組み込むものとする。
【０２６５】
いくつかの応用形態では、メインサービスファシリティ１４２は、電話線を集約するための特別なインターフェース１４０を含むことができる。この場合において、特別なインターフェース１４０は、ダイヤルインの発信元を識別するための発信者番号通知サービス機能を提供することや、POSコンピュータからのダイヤルインを受信することができ、クレジットカード会社や他のサービス提供者によってアクセスされることができ、または、トランザクションに関連する任意の方法をサポートすることができる。代替的には、今日の応用形態では、特別なインターフェース１４０はインターネット接続を含むことができる。この場合、特別なインターフェース１４０は、クライアントコンピュータからIPパケットを受信することができ、クライアントコンピュータのIPアドレスを提供することができ、POSコンピュータから入力されてくるデータパケットを受信することができ、クレジットカード会社または他のサービス提供者によってアクセスされることができ、または、トランザクションに関連する任意の方法をサポートすることができる。したがって、メインサービスファシリティ１４２を、特別なインターフェース１４０を介して遠隔通信ネットワークまたはインターネットに結合することができる。より一般的には、特別なインターフェース１４０は、互換性のない物理インターフェース、プログラミングインターフェース、プロトコルベースのインターフェースまたは他のインターフェース間で必要とされる任意のレベルの接続性をメインサービスファシリティ１４２に提供することができる。
【０２６６】
本明細書で説明するトランザクション方法、トランザクションに関連する方法、または、任意の他のトランザクション方法をサポートするために、メインサービスファシリティ１４２はさらにソフトウエア（「メインサービスファシリティソフトウエア」）を含むことができる。メインサービスファシリティ１４２はさらに、メインサービスファシリティソフトウエアに関連付けることができる、任意のリレーショナルデータベースや他のデータベースなどの顧客データベース１４４、データ格納、ファイル、大容量記憶装置、または他の記憶ファシリティを含むことができる。メインサービスファシリティ１４２は、電子ファシリティ１０１に関連する注目すべきデータ１４８を記憶及び処理することができる。データベース２１４に格納することが可能なこの注目すべきデータ２１８は、トランザクション、報告、分析、口座認可、クレジットカードの発行及び解約、または、電子ファシリティ１０１に関連する任意の他の事項に関連しうる。中央コンピュータソフトウエアはまた、種々の機能及びサービスを達成するためのアプリケーション及びプログラムを含むことができる。いくつかの実施形態では、アプリケーション指向アーキテクチャ内にサービスを配置することができ、この場合、サービスのクライアント（メインサービスファシリティ１４２、サポートコンピュータ１３４及びローカルコンピュータ１６０を含む）はサービスにアクセスして機能を実現することができる。詳しく後述するように、サービスを、それらのサービスのレジストリにリストすることができる。いくつかの実施形態では、サービスを、特定のタイプのサポートコンピュータ、ローカルコンピュータ、またはユーザ装置などの特定のクライアントファシリティによる使用に最適化されたユーザインターフェースとともに配備することができる。より一般的には、ソフトウエアは、ソースコードの形態、実行可能形態、または、なんらかの中間の形態をなす、本明細書で説明する機能を提供するのに適したプログラミング言語、環境、及び／または他のソフトウエアプラットフォーム、モジュール、または、他のテクノロジーの任意の組み合わせを含むことができる。
【０２６７】
図１９は、電子ファシリティ１０１の１実施形態１９３８を論理的側面で分類した図である。実施形態１９３８は、任意の数のトランザクションサービス参照またはアプリケーション１９１０に向けて送られることができるユーザ入力１９００を受け取ることができる。１つのそのようなユーザ入力１９００はトランザクションサービス参照「支払い」１９０２に向けられ、もう１つは、トランザクションサービス参照「航空券注文」１９０４に向けられ、もう１つは、トランザクションサービス参照「アレルギー検査」１９０８に向けられ、もう１つは、アプリケーション１９１０に向けられる。
【０２６８】
図示のように、トランザクションサービス参照「支払い」１９０２は、たとえばアメリカ銀行（Bank of America）に関連するRPCクライアントスタブ１９２０を参照している。同様に、トランザクションサービス参照「航空券注文」１９０４は、たとえばアメリカン航空に関連するURL１９２２を参照しており、トランザクションサービス参照「アレルギー検査」１９０８は、たとえば健康保険会社Blue Cross/Blue Shield（ブルークロス／ブルーシールド）に関連するアプレット１９２４に関連付けられている。
【０２６９】
これらのトランザクションサービス参照が参照するいくつかのオブジェクトは、実施形態１９３８の外部にあるファシリティに関連付けられている。アメリカ銀行のRPCクライアントスタブ１９２０は、アメリカ銀行に関連付けられたサーバー１９２８に関連付けられており、サーバー１９２８を、RPCクライアントスタブ１９２０と互換性のあるRPCサーバースタブに関連付けることができる。アメリカン航空のURL１９２２は、アメリカン航空に関連付けられたHTTPサーバー１９３２に間接的に関連付けられている。
【０２７０】
アメリカン航空のURL１９２２との間接的な関連付けは、URL１９２２をHTTPサーバー１９３２のIPアドレスに変換する必要があることに起因する。この間接的関連付けの利点は当該技術分野において周知であり、その利点には、ウェブサイトの名前をウェブサイトの物理アドレスから切り離す能力が含まれる。
【０２７１】
URL１９２２の変換（名前解決）は、実施形態１９３８からDNSサーバー１９３０への問い合わせ（クエリー）を表す、URL１９２２からDNSサーバー１９３０に向かう第１の矢印、DNSサーバ１９３０から実施形態１９３８への名前解決を表す、DNSサーバー１９３０からURL１９２２に向かう第２の矢印、実施形態１９３８からHTTPサーバー１９３２へのHTTP要求を表す、URL１９２２からHTTPサーバー１９３２に向かう第３の矢印として示されている。
【０２７２】
トランザクションサービスが参照するオブジェクトの１つは、実施形態１９３８内部にあるファシリティに関連付けられている。すなわち、Blue Cross/Blue Shieldのアプレット１９２４は、マシン（機械）コマンド処理ファシリティ１９１８に関連付けられている。実際のところ、マシンコマンド処理ファシリティ１９１８は、ネイティブマシンコマンド処理機能または仮想マシンコマンド処理機能を提供する中央処理装置である可能性がある。マシンコマンド処理ファシリティ１９１８をマイクロコントローラ１０４とすることができる。
【０２７３】
実施形態１９３８内において、アプリケーション１９１０は、追加のサービス参照を行うことができる。そのような２つの参照は、追加サービス参照セキュリティ１９１２及び追加サービス参照パスワード管理１９１４として示されている。セキュリティ１９１２は、マシンコマンド処理ファシリティ１９１８が実行できるアプレットを参照する。パスワード管理１９１４は、パスワード管理ファシリティとして機能するサーバー１９３４に関連するRPCクライアントスタブである。
【０２７４】
トランザクションサービス参照とアプリケーションとの１つの相違点は、前者はトランザクションサービスに関連付けられているが、後者はそうではないという点である。この性質上の差違は、本明細書で説明するシステムが、トランザクション機能と非トランザクション機能の両方を実行することができるということを示している。尚、それらの機能のうちのいくつかは本明細書で説明され、他のものは当業者には明らかであろう。しかしながら、実施の点ではこの２つに違いはない。なぜなら、両者ともユーザ入力に応答することができ、両者ともURL、RPCスタブ、アプレット、または、任意の他の実行可能なオブジェクトまたは情報オブジェクトを参照することができ、両者とも、ユーザによる呼び出し、または実施形態１９３８による自動的な呼び出しが可能であり、及び、両者とも、実行可能なバイト列、解釈されたバイト列、または静的バイト列として具現化できるからである。
【０２７５】
いくつかの状況では、サービス提供者ファシリティを間接的に参照するのはトランザクションサービス参照にとって有用な場合がある。これの１つ例は、DNSサーバー１９３０を介して、HTTPサーバー１９３２に関連するIPアドレスに逆参照されることが可能な上述のURL１９２２である。より一般的には、任意のシステムを、International DOI Foundation（国際DOI財団）によって開発されたデジタル環境におけるコンテンツオブジェクトを識別するためのシステムであるデジタルオブジェクト識別子システム（Digital Object Identifier system）などのデジタルネットワーク環境において、外部オブジェクト（外部対象物）を逆参照するために使用することができる。他の名前またはオブジェクト解決システム及び方法も、当該技術分野において周知であり、実施形態１９３８または電子ファシリティ１０１において利用することができる。
【０２７６】
図２０を参照すると、電子ファシリティ１０１（実施形態１９３８はこれの１つの典型的な例である）とすることができるクライアント２０００は、レジストリ２００２及びサーバー２００４と通信することができる。レジストリ２００２を、DNSサーバー１９３０、DOI registration agency（DOI登録機関）、FTPサーバー、サービスの登録（サービスのレジストリ）、及び／または、逆参照、データ処理、データ記憶、データアップロード、データダウンロード、及び／または、ネットワーク内のサーバーに関連した任意の他のサービスを提供する任意の他のファシリティとすることができる。
【０２７７】
サーバー２００４にアクセスしてインストール命令、変更命令、または除去命令（これらの命令は、静的バイト列、実行可能なバイト列、解釈可能なバイト列、または、任意の他のバイト列である）を受け取ることを含むことができる方法によって、アプリケーション及びトランザクションサービス参照を、クライアント２０００にインストールしたり、変更したり、クライアント２０００から除去することができる。クライアント２０００及びサーバー２００４は、アプリケーションまたはトランザクションサービス参照に関連するデータを逆参照または処理するためにレジストリ２００２を利用することができる。
【０２７８】
再び図１を参照すると、中央コンピュータソフトウエアは、銀行またはクレジットカード会社によって使用されるデータフォーマットを利用し、トランザクションに関連するデータを記録し、トランザクションに関連する報告を生成し、トランザクションに関連するデータを分析し、口座（アカウント）認可を処理し、電子ファシリティ１０１からデータを受信し、顧客データベースを保守し、複数のオペレータステーション１５０（たとえば、カスタマサービスファシリティ）をサポートし、電子商取引機能を可能にし、電子ファシリティ１０１への接続を可能にし、サポートコンピュータ１３４への接続を可能にし、外部ファシリティ１３１への接続を可能にし、サービス機関への接続を可能にし、及び／または、トランザクションに関連する任意の他の機能を実行することができる。
【０２７９】
中央コンピュータソフトウエアは、クライアントのパスワード、（個人識別コードなどの）コード、個人情報、または、ユーザまたはトランザクションに関連した任意の他の情報を保管（アーカイブ）することができる。個人情報を、現在地住所、婚姻関係、配偶者の名前、子供の名前、（プライバシー事項及び秘密事項を含みうる）個人的嗜好、雇い主の名前、運転免許証、社会保障番号、生年月日、旧姓、母の旧姓、出生地、前住所、または、ユーザに関連する任意の他の情報を含むことができる。
【０２８０】
中央コンピュータソフトウエアは、さらに、または、代替的に、銀行口座番号、クレジットカード番号、収入を表す数、投資に関連する情報、資産に関連する情報、支払歴に関連する情報、信用履歴に関連する情報、ローンに関連する情報、または、金融に関連する任意の他の情報などの金融情報を保管（アーカイブ）することができる。
【０２８１】
中央コンピュータソフトウエアは、さらに、または、代替的に、既往歴、医療記録（これには、放射線画像、EKG、EEG、予防接種記録が含まれるがこれらには限定されない）、医師名、緊急連絡先に関する情報、アレルギーの兆候、病気の兆候、治療の適応、薬剤の適応、遺伝性疾患、家族歴、処方箋、現在の投薬リスト、または、ユーザの健康に関連する、または、ユーザの健康の維持に関連する任意の他の情報などの医療情報を保管（アーカイブ）することができる。医療情報はまた、プラン番号、利益の説明、口座番号、控除情報などの、健康管理プラン、または他の健康保険または健康管理の提供者に関連する情報を含むことができる。
【０２８２】
中央コンピュータソフトウエアは、さらに、または、代替的に、約束、住所録、メモ、覚書、to-doリスト（やることリスト）、カレンダー、または、ユーザの日々の編成（管理）に関連する任意の他の情報を含むことができる編成情報を保管（アーカイブ）することができる。
【０２８３】
中央コンピュータソフトウエアは、さらに、または、代替的に、保険提供者、緊急連絡先、クラブの会員資格、事業者団体の会員資格に関連する情報、または、団体へのユーザの所属に関連する任意の他の情報を保管（アーカイブ）することができる。
【０２８４】
さらに、中央コンピュータソフトウエアは、割引券または旅行券、サービス（または接客）会社、運送会社、レンタカー会社に関連する情報、または、ユーザの旅行及び宿泊に関連する任意の他の情報を含むことができる、旅行に関連する情報を保管（アーカイブ）することができる。他の旅行情報は、たとえば、パスポート及びビザ情報、旅行計画、部屋、車、飛行機などの予約、通貨換算情報、タイムゾーン情報などを含むことができる。
【０２８５】
メインサービスファシリティ１４２はまた、本明細書で説明する、本発明の主題であるトランザクション方法をサポートする能力を有することができる。
【０２８６】
電子ファシリティ１０１は、中央コンピュータソフトウエアによって記憶されたのと同じタイプのデータを記憶する能力を有することができる。実際に、中央コンピュータソフトウエアによって記憶されたデータは、電子ファシリティ１０１に記憶されたデータのアーカイブを含むことができる。
【０２８７】
注目すべきデータ１４８を電子的に記録することができ、これによって、電子ファシリティ１０１またはメインサービスファシリティ１４２における紙の受領書を不要にすることができる。
【０２８８】
メインサービスファシリティ１４２は、電子ファシリティ１０１に、オンライン分析サービスを提供することができる。これらの分析サービスには、信用確認、トランザクション分析（取引データ分析）、請求書発行、支払い、及び、トランザクションデータに関連する任意の他の分析を含めることができる。
【０２８９】
電子ファシリティ１０１は、Pitrodaに記載されたカードなどのユニバーサル電子トランザクションカードを含むことができる、ユニバーサル電子トランザクションファシリティを有することができる。ユニバーサル電子トランザクションカードはさらに、スマートカードファシリティ、音声認識機能付きのマイクロホン、Bluetooth（商標）ファシリティ、仮想プライベートネットワークファシリティ、ホログラフィックメモリファシリティ、着脱可能RAMファシリティ、着脱可能ROMファシリティ、中央セキュリティ機関に登録可能な登録ファシリティ、サービスファシリティと相互作用することができるアクティブ化ファシリティ、及び、本明細書で説明される電子ファシリティ１０１の任意の他の特徴、機能、またはファシリティを含むことができる。電子ファシリティ１０１は、Windows（登録商標）、Linux、またはMacintoshコンピュータを含むことができる。
【０２９０】
電子ファシリティ１０１は、使用する前に初期化手順を完了することを要求することができる。この初期化は、ユーザを電子ファシリティ１０１と関連付けることができる。図２１に示すように、初期化プロセスの１つのステップでは、電子ファシリティ１０１のユーザに、たとえば、ペンまたはスタイラス、及び、ユーザの署名をビットマップまたは他のデジタル形態に変換するデジタル化パッドを使用して、指定された領域に署名することを要求することができる。この署名は、運転免許証やクレジットカードに表示される署名と類似の永久記録になりうる。この署名を、検証、識別、及びセキュリティ目的のために使用することができる。署名が入力されると、署名を不揮発性RAM１１０に記憶することができる。署名を、トランザクション中にタッチスクリーンディスプレイ１００などの装置のディスプレイに自動的に表示することができる。
【０２９１】
図２２に示すように、初期化プロセスの別のステップでは、電子ファシリティ１０１のユーザに、パスワードや数字コードなどの任意の英数字コードまたは他のコードとすることが可能なコードを提供するように要求することができる。コードを、ATMカードに関連して使用される個人識別番号（PIN）と同様に、ユーザが内密に保持することができる。後でコードを提供することを、電子ファシリティ１０１に格納された情報にアクセスするための必要条件とすることができる。これとは逆に、後でのコードの提供に失敗すると、電子ファシリティ１０１を部分的にまたは全面的に使用できなくなる場合がある。電子ファシリティ１０１が署名及びコードで初期化されると、電子ファシリティ１０１は通常の使用ができる状態になる。
【０２９２】
図２９に示すように、電子ファシリティ１０１の標準的な動作中に、ディスプレイの上部にボックスを表示することができる。これらのボックスを、「タイプ（入力）」、「印刷」、「消去」、「セキュリティ」、「シフト」などのコマンド、または、電子ファシリティ１０１によってサポートされている任意の他のコマンドに関連付けることができる。ディスプレイの残りの部分は、トランザクション方法に関連する情報の表示及び分析用に利用できる。
【０２９３】
初期化手順の１つのステップ中に、ユーザが電子ファシリティ１０１に入力することができるオリジナルの署名のための特定の領域を割り当てることができる。署名を電子ファシリティ１０１に永久的に記録することができ、及び、識別のために使用することができる。同じディスプレイ領域において、電子ファシリティ１０１のユーザの識別及び認可のために、トランザクション方法の実行中に、ユーザに署名を書くことを要求することができる。署名の代わりに、または、署名に加えて、電子ファシリティ１０１は、この場合もユーザの識別及び認可のために、ユーザが、写真用のポーズをとること、指紋を提供すること、声紋を記録すること、虹彩スキャンを提供すること、または、ユーザを識別する可能性のある任意の他の身体的特徴をデジタル化したものを提供すること、を要求することができる。
【０２９４】
ある状況では、電子ファシリティ１０１が、クレジットカードなどの物理エンティティの模造物または像を表示するのが望ましい場合がある。かかる状況では、初期化プロセス中に収集されたオリジナルの署名のサンプルを、トランザクション方法の実行中に、ユーザ以外のトランザクションの参加者、たとえば、商人が表示して目視による検査をすることができる。電子ファシリティ１０１はまた、名前、カード番号、発行日、有効期限、及び、電子ファシリティ１０１に記憶された任意の他の情報を含むことができる基本的なエンティティ（実体）情報を表示することができる。基本的なカード情報のこの表示は、バーコードリーダによって読み取ることが可能なバーコードの形態を取ることができる。
【０２９５】
図３４は、電子ファシリティ１０１の初期化手順の概要を示す。電子ファシリティ１０１がユーザによって最初に購入されたときには、それは、任意のユーザがリセットすることが可能なデフォルトのセキュリティコードを有することできる。電子ファシリティ１０１を初期化するために、ユーザは、図１に示すようなパワーオン／オフスイッチ１１４を作動させることができる。この場合、図２１に示すイメージを、電子ファシリティ１０１のディスプレイに表示することができる。ユーザは、ディスプレイ上の指示された場所にユーザの署名を書くことができる。この署名を不揮発性ＲＡＭ１１０に記憶することができる。代替的には、ユーザは、署名の代わりに個人識別番号を提供することができる。
【０２９６】
次に、図２２に示す、コードの入力をユーザに要求するイメージが電子ファシリティ１１０のディスプレイに表示される。ユーザは、１０桁などの任意の桁数の数字コードを入力することができる。代替の実施形態では、このコードを英数字コードとすることができ、かつ、１０文字より多くの文字数とすることも１０文字より少ない文字数とすることもできる。ユーザは、ディスプレイの下部の数字（または文字、この場合は、英数字機能が設けられている）を所望の順番でタッチすることによってコードを入力することができる。ユーザは、間違って入力した数字を「CLR」キーを使用して消去することができる。ユーザがそのコードで納得したときには、ユーザは、「ENT」キーを使用してそのコードを不揮発性RAM１１０に入力することができる。その後、そのコードが再び入力されるまで、電子ファシリティ１０１に記憶された情報を含め、電子ファシリティ１０１を使用できなくすることができる。時おり、ユーザは、電子ファシリティ１０１及びそれに記憶された情報の両方を使用可能にするために、そのコードを再度入力しなけれならない場合がある。
【０２９７】
セキュリティの追加の手段として、サービスファシリティは、電子ファシリティ１０１を購入または受け取ったユーザに、電子ファシリティ１０１をメインサービスファシリティ１４２に登録して個人識別番号（PIN）を受け取るように要求することができる。この番号は、初期化中にユーザが電子ファシリティ１０１に入力したセキュリティコートとは異なるものとすることができる。セキュリティ機能の実施形態についてはより具体的に後述する。
【０２９８】
電子装置１０１の１つの目的は、サービスファシリティとのトランザクションを実行する能力をユーザに提供することである。サービスファシリティは、（参照により本明細書に組み込んだ）Pitrodaによって定義された１つ以上のWSCサーバー、クレジットカード会社、銀行、デパート、旅行サービス会社、ガソリンスタンド、レストラン、保健サービス提供者、または、ユーザがトランザクションを行うことを望みうる任意の他の事業者を含むことができる。保健サービス提供者は、治療ファシリティ、研究所、薬局、緊急治療室、または、保健または医療サービスを提供することに関連する任意の他のファシリティを含むことができる。
【０２９９】
電子ファシリティ１０１を作動させてサービスファシリティと共に使用するために、電子ファシリティ１０１のユーザは、サービスファシリティによって要求される通常の（資格）認定ステップを完了することができる。この認定ステップは、身元調査、信用調査、政府発行文書の正当性確認、または、サービスファシリティによるサービスを受けることになるユーザの適切さを確認することに関連する任意の他のステップを含むことができる。
【０３００】
サービスファシリティは、ユーザを認定すると、ユーザに認定されたことを知らせることができる。この場合、ユーザは、電子ファシリティ１０１を外部コネクタ１３１に接続することができる。外部コネクタ１３１は、メインサービスファシリティ１４２の番号をダイヤルするか、または、たとえば、インターネット、または、電子ファシリティ１０１を、サービスファシリティに関連する「クレジットカード」または他のタイプの「カード」として機能できるようにする認可データを送信する権限を、サービスファシリティによって与えられた専用のプライベートネットワークを用いてメインサービスファシリティ１４２との双方向通信を確立することができる。
【０３０１】
次に、サービスファシリティは、ユーザとサービスファシリティの両方に対して先験的に既知のPINによってユーザを識別することができる。代替的には、サービスファシリティは、ユーザの電話番号による電話のかけ手識別を使ってユーザを識別することができる。同様に、たとえば、Verisign社によって提供されているような信頼できる第三者機関のサービスを使って、識別を行い、各参加者を認証することができ、オプションとして、参加者間の安全な通信を確立することができる。
【０３０２】
サービスファシリティは、ユーザを識別すると、外部コネクタ１３１を介して電子ファシリティ１０１に情報を送信することができる。この情報は、サービスファシリティが分類されたカテゴリー、発行日、有効期限、信用限度、カード番号、サービスファシリティの名称、及び、機関に関連する画像を含むことができる。
【０３０３】
サービスファシリティはまた、外部コネクタ１３１を介して電子ファシリティ１０１から情報を受け取ることができる。この情報は、ユーザに関連付けられることができ、また、電子ファシリティ１０１に関連付けられることができ、電子ファシリティ１０１の固有のシリアルナンバー、及び、電子ファシリティ１０１のユーザの符号化された署名を含むことができる。
【０３０４】
ユーザがトランザクション方法を実行するために電子ファシリティ１０１を利用することを望むときには、以下のシーケンスを行うことができる。先ず、ユーザは電子ファシリティ１０１の電源をオンにすることができる。オプションとして、ユーザに、セキュリティコードを入力するよう促すことができる。
【０３０５】
電子ファシリティ１０１は、セキュリティコードの入力を一定の限定された試行回数だけユーザに許可するようにすることができる。ユーザがこの一定の限定された試行回数内にセキュリティコードを入力することに失敗したときには、サービスファシリティからの再認可が行われることなくカードを使用不能にするというやり方でカード自体を機能不能にすることができる。一方、ユーザが、一定の限定された試行回数内にセキュリティコードを入力すると、図４に示すディスプレイ表示を行うことができる。この時点で、ユーザは、クレジットカードトランザクション、銀行カードトランザクション、小売信用トランザクション、メディカル（医療）トランザクション、保険トランザクション、個人識別に関連するアクション、旅行に関するアクション、電話通信に関連するアクション、クーポン引き換えに関連するアクション、個人間の資金移転に関連するアクション、商品閲覧に関連するアクション、支払いに関連するアクション、及び、サービスファシリティ（これと共に使用されるために電子ファシリティ１０１は作動させられている）に関連する任意の他のアクションを含みうるいくつかの選択肢から１つを選択することができる。
【０３０６】
商品閲覧に関連するアクションを、お買い得品のチェック、値引きのチェック、関連製品のチェック、及び、プロモーション情報（販促情報）の受け取りのうちの１つとすることができる。ユーザによって選択された任意のアクションは、トランザクション方法を起動することができ、トランザクション方法を実行することがき、または、トランザクション方法の完了に寄与することができる。
【０３０７】
トランザクション方法における１つのステップは、サービスファシリティからの認可を受け取ることを含むことができる。この認可を、サービスファシリティに代わってメインサービスファシリティ１４２により生成することができる。認可は、署名、コード、または承認の検証を条件とすることができる。認可を、外部コネクタ１３１を介して、電子ファシリティ１０１またはサポートコンピュータ１３４で受け取ることができる。
【０３０８】
トランザクション方法の完了に続いて、電子ファシリティ１０１は、口座（アカウント）の照査に関連するアクションを実行することができる。
【０３０９】
図４５には、ユーザが、他のトランザクション参加者とトランザクションを行うために電子ファシリティ１０１を使用することができる、一般的なトランザクション方法についての高レベルのステップが示されている。この方法では、ユーザがトランザクションを開始することができる。このトランザクション方法は、２つのファシリティ、すなわち、第１のファシリティF1と第４のファシリティF4を伴うことができる。このトランザクション方法では、第１のファシリティF1からの要求は、第４のファシリティF4によって受け取られることができる。第４のファシリティは、次に、第１のファシリティF1に確認応答を送ることができる。一般的に、第１のファシリティF1は電子ファシリティ１０１を含むことができ、したがって、「クライアントファシリティ」と呼ぶことができる。一般的に、第４のファシリティF4をメインサービスファシリティ１４２とすることができるが、これは、トランザクションサービスファシリティ、「ウォレットサービスセンター」、金融サービス提供者、及び／または銀行でありうるサービスファシリティとすることができる。要求を取り扱うためのセキュリティファシリティについてはより具体的に後述する。
【０３１０】
このトランザクション方法を、第１のファシリティF1に金融トランザクションサービスを提供するための方法とすることができ、この場合、第１のファシリティF1からの要求はトランザクション要求である。このトランザクション方法はさらに、第１のファシリティF1と第４のファシリティF4の間の通信を含むことができる。
【０３１１】
図４６には、ユーザが、他のトランザクション参加者（この節では「他の参加者」という）とトランザクションを行うために電子ファシリティ１０１を使用することができる、別の一般的なトランザクション方法についての高レベルのステップが示されている。この方法では、この他の参加者がトランザクションを開始することができる。このトランザクション方法は、第１のファシリティF1と第４のファシリティF4という２つのファシリティを伴うことができる。先ず、第４のファシリティF4から第１ファシリティF1に警告を送信することができる。次に、第４のファシリティF4は、第１のファシリティF1から確認応答を受け取ることができる。より詳しく後述するように、いくつかの実施形態では、警告には、セキュリティプロトコル及びファシリティに従う安全な通信を含めることができる。
【０３１２】
電子トランザクションファシリティ１０１を有するシステムがサポート可能な多くのタイプの業務処理が存在する。たとえば、図６は、（おそらく、クライアント装置１６２、マーチャントシステム１７０、及び／または、メインサービスファシリティ１４２に関連して）ユーザにチケットを発行することができるチケット発行（発券）プロセスを示す。
【０３１３】
図７は、（おそらく、クライアント装置１６２、マーチャントシステム１７０、及び／または、メインサービスファシリティ１４２に関連して）ユーザがチケットを買い受けることができるチケット買い受け処理を示す。
【０３１４】
図８には、ユーザが、別のファシリティとトランザクションを行うために電子ファシリティ１０１を使用することが可能なトランザクションのための高レベルのステップが示されおり、ここでは、トランザクションは、請求書提示という第１のステップを含むことができる。この方法は、第１のファシリティF1、第２のファシリティF2、及び第４のファシリティF4という３つのファシリティを伴うことができる。このトランザクション方法では、未決のトランザクションに関連する警告を、第４のファシリティF4によって第１のファシリティF1に送信することができる。第４のファシリティF4は、次に、第１のファシリティF1からの応答を受け取ることができる。この場合、この応答を、関連付けられた未決のトランザクションの直接解決（または直接決済）に対する要求とすることができる。次に、第４のファシリティF4は、第２のファシリティF2からのメッセージを受け取ることができる。この場合、このメッセージはトランザクションに関連する情報を含むことができる。この後に、第４のファシリティF4は、第１のファシリティF1にコードの要求を送ることができる。その後、第４のファシリティF4は、第１のファシリティF1からコード８００を受け取ることができる。第４のファシリティF4は、コード８００の有効性を判定することができる。最後に、第４のファシリティF4は、第１のファシリティF1と第２のファシリティF2の両方に対して解決（または決済）されつつある未決のトランザクションの確認応答を送信することができる。より詳しく後述するように、いくつかの実施形態では、通信には、セキュリティプロトコル及びファシリティに従う安全なパケットが含まれる。
【０３１５】
このコンテキストでは、第２のファシリティF2を、マーチャントファシリティ、または、任意の他の販売人や再販業者のトランザクションファシリティ、または、品物やサービスについての他の販売代理業者のトランザクションファシリティ、または、ユーザと金融取引を行う可能性があるそれらを組み合わせたもののトランザクションファシリティとすることができる。第４のファシリティF4によって受け取られた第２のファシリティF2からのメッセージはさらに、第２のファシリティF2に固有の識別子を含むことができる。
【０３１６】
この方法を、第１のファシリティF1に、第２のファシリティF2とトランザクションを行う能力を与えるための方法とすることができる。この方法を、第２のファシリティF2に、最初に第１のファシリティF1に請求書を送り、次に、第１のファシリティF1から請求書の支払いを受け取る能力を与えるための方法とすることができる。
【０３１７】
１つの例では、未決のトランザクションに関連する警告は請求書を含むことができる。いくつかの実施形態では、この請求書には、総計だけでなく、全ての料金、税金、サービス料の詳細なリストが含まれるだろう。いくつかの実施形態では、請求書は、サービスへの満足度を反映するためにユーザがサービス料金を変更することを動的に可能とするものであろう。いくつかの実施形態では、請求書は、実在物のグラフィック描写として提示される。コード８００を、個人識別子、パスワード、個人識別番号、または、当のユーザは知っているが一般的に他のユーザには知られていない任意の他の秘密のデータとすることができる。
【０３１８】
このトランザクションの任意のステップは、データ（またはペイロード）の送信を含むことができる。データは、警告、応答、メッセージ、コードの要求、コード、または、確認応答（ただし、これらに限定されない）とすることができる。データを、SSL、XML暗号化、SSHなどを介して安全に送信することができる。請求書は、トランザクションを完了するのに必要なブランド、画像、及び情報を含むことができる、物理的な請求書のグラフィカルな（すなわち、図や画像で表した）複製とすることができる。第１のファシリティF1は、スマートカードなどに複数の請求書を安全に記憶することができ、及び、請求書の属性が予め設定された基準に合致した場合には、時おり、可聴のアラームなどでユーザに警告することができる。いくつかの実施形態では、この属性は、請求書の発行時刻、請求書の支払期日前の指定日数、請求書の支払期日、請求書の金額、請求書に関連する製品またはサービスの提供時刻など（これらに限定されないが）を含むことができる。該基準は、ユーザが、請求書の発行時刻が現在の時刻に一致したときに警告を受け取ることを好んでいることを示すブール値、ユーザが、請求書の支払期日前の指定日数が現在の日に一致したときに警告を受け取ることを好んでいることを示すブール値、ユーザが、請求書の支払期日が現在の日に一致したときに警告を受け取ることを好んでいることを示すブール値、ユーザが、請求書の金額が、予め設定された値より少ないか、または、それと等しいか、またはそれより多いときに警告を受け取ることを好んでいることを示すブール値、ユーザが、請求書に関連する製品またはサービスの提供時刻が現在の時刻に一致したときに警告を受け取ることを好んでいることを示すブール値（これらに限定されないが）を含むことができる。ユーザは、クライアントファシリティを用いて、好みの時刻に好みの場所から、好みの支払い方法を使って、オンライン決済でリアルタイムに、またはオフライン決済で、安全に支払いをすることができる。未決のトランザクションの確認応答は、受領書、または「支払い済み」スタンプの付いた請求書の複製を含むことができる。クライアントファシリティは、請求書をスマートカードに書き込むことなどによって、請求書を安全に記録及び／またはアーカイブすることができる。代替的には、ウェブベースの個人用ポータルは、請求書を暗号化してそれをRDBMSに格納することなどによって、請求書を安全に記憶及び／またはアーカイブすることができる。いくつかの実施形態では、ユーザがたった今支払いをしたサービスに関連した競合するサービスに対するクーポンの提供などの、請求書に関連するプロファイルドリブン式の付加価値サービスを、個人用ポータルによってユーザに送信することができる。
【０３１９】
図９には、ユーザが、他のトランザクション参加者とトランザクションを行うために電子ファシリティ１０１を使用することが可能なトランザクション方法の高レベルのステップが示されている。ここでは、トランザクションを、ピア・ツー・ピアの資産移転とすることができる。このトランザクション方法は、３つのファシリティ、すなわち、第１のファシリティF1、第２のファシリティF2、及び、第４のファシリティF4を伴うことができる。このトランザクション方法では、第４のファシリティF4は、第１のファシリティF1から第２のファシリティF2への参照９００を受け取ることができる。次に、第４のファシリティF4は、第１のファシリティF1にコードの要求を送ることができる。その後、第４のファシリティF4は、第１のファシリティF1からコード８００を受け取ることができる。第４のファシリティF4は、コード８００の有効性を判定することができる。この後、第４のファシリティF4は、第１のファシリティF1と第２のファシリティF2との間のトランザクションを決済することができる。第４のファシリティF4は、第１のファシリティF1と第２のファシリティF2の両方にトランザクションの確認（書）を送ることができる。より詳しく後述するセキュリティファシリティにしたがって、警告及び他の情報の伝達を安全に行うことができる。
【０３２０】
この方法を、第１のファシリティF1から第２のファシリティF2への個人間の資産移転を提供するための方法とすることができる。この方法のコンテキストでは、第２のファシリティF2を電子ファシリティ１０１とすることができる。第２のファシリティへの参照９００を、固有の識別子とすることが可能な識別子とすることができる。より一般的には、上記方法に対する多くの変形、追加及び省略が明らかであり、それらは、本明細書で説明される方法及びシステムの範囲内に入ることが意図されている。
【０３２１】
いくつかのトランザクション方法は、２つのファシリティ間の資金移転を達成する。図１８を参照すると、これらの方法に共通の１つの要素を、資金移転要求データ構造１８０８とすることができる。資金移転要求１８０８は、移転元ファシリティ１８００への参照、移転先ファシリティ１８０２への参照、移転額１８０４を含むことができる。参照１８０８及び１８０２のタイプを参照９００のタイプと同じにすることができる。データ構造１８０８はまた、パケット内に含まれるデータのタイプを識別するためのヘッダーを含むことができる。そのようなデータ構造の実施形態については、より詳しく後述する。
【０３２２】
図９及びそれに続く図面を参照すると、いくつかの実施形態では、第４のファシリティF4は、支払いスタブの画像などの支払いの電子的複製を含むことができる支払いトークンを、クライアントファシリティに対して直接かつ安全に発行することができる。この支払いトークンは、トランザクションを完了するのに必要な、ブランド、画像、及び他の情報を含むことができる。第１のファシリティF1に送られるコードの要求は、この支払いトークンを含むことができる。全体として、このトランザクション方法は、第１のファシリティF1とすることができるクライアントファシリティのユーザが、第２のファシリティF2とすることができる類似のクライアントファシリティの他のユーザに対して支払いをすることができるようにすることが可能である。この支払いは、プロキシミティトランザクションを含む場合もあれば、含まない場合もある。いずれにせよ、クライアントファシリティ及び／または類似のクライアントファシリティは、IEEE 802.11、IEEE 802.16などの無線ファシリティを介して第４のファシリティF4へ送信し、及び／または、第４のファシリティＦ４から受信することができる。このトランザクション方法は、第１のファシリティF1に関連する金融口座から安全に引き落とし、及び、第２のファシリティF2に関連する金融口座に安全に振り込むことによって、オンライン決済でリアルタイムに、または、オフライン決済で、トランザクションを安全に決済することができる。この引き落とし及び／または振り込みを、第４のファシリティF4によって行うことができる。トランザクションの確認（書）は、受領書、及び／または、たとえば、トランザクションの終わりに、現金自動預払機（ATM）によって紙片に一般に印刷されてATMによってATMのユーザに提供されるような、取引概要明細書の電子的複製を含むことができる。トランザクションの確認（書）は、安全に送られることができ、及び／または、「支払い済み」スタンプを含むことができる。クライアントファシリティは、スマートカードに確認（書）を書き込むことなどによって、トランザクションの確認（書）を安全に格納及び／またはアーカイブすることができる。代替的には、ウェブベースの個人用ポータルが、請求書を暗号化して、それをRDBMSに格納することなどによって、確認（書）を安全に格納及び／またアーカイブすることができる。いくつかの実施形態では、ユーザ層をターゲットとした販促用の特売品などの、トランザクションの確認（書）に関連するプロファイルドリブン式の付加価値サービスを、個人用ポータルを介してユーザに送ることができる。
【０３２３】
図１０には、ユーザが、他のトランザクション参加者とトランザクションを行うために電子ファシリティ１０１を使用することが可能なトランザクション方法の高レベルのステップが示されている。ここでは、トランザクションを、ある銀行口座から他の銀行口座への資金移転などの、あるファシリティから他のファシリティへの資産の移転とすることができる。このトランザクション方法は、２つのファシリティ、すなわち、第１のファシリティF1と第４のファシリティF4を伴うことができる。このトランザクション方法では、第４のファシリティF4は、第１のファシリティF1から資金移転の要求を受け取ることができる。次に、第４のファシリティF4は、第１のファシリティF1にコードの要求を送ることができる。その後、第４のファシリティF4は、第１のファシリティF1からコード８００を受け取ることができる。第４のファシリティF4は、コード８００の有効性を判定することができる。その後、第４のファシリティF4は、第１のファシリティF1から他のファシリティへの資金移転を開始することができる。第４のファシリティF4は、第１のファシリティF1にトランザクションの確認（書）を送ることができる。
【０３２４】
この方法を、ある金融口座から別の金融口座への資金移転を提供するための方法とすることができる。資金移転の要求は、資金移転要求データ構造１８０８を含むことができる。このコンテキストでは、移転元ファシリティ１８００への参照を第１のファシリティF1への参照とすることができ、移転先ファシリティ１８０２への参照を他のファシリティへの参照とすることができる。
【０３２５】
いくつかの実施形態では、第４のファシリティF4は、送金（振替）トークンの電子的複製を安全に発行することができる。ここで、送金（振替）トークンは、必要なブランド、画像、及び／またはトークンを完了するために必要な情報を含むことができる。第１のファシリティF1に送られるコードの要求は、送金トークンの電子的複製を含むことができる。第１のファシリティF1は、資金移転要求を無線で安全に送ることによってトランザクションを安全に開始することができる。第４のファシリティF4は、コードを要求し、受信し、及び該コードの正当性を検査することなどによって、ユーザ及び要求の正当性を検証することができる。第１のファシリティF1からの資金移転を、異なる金融サービス提供者、銀行、ウォレットサービスセンター、または、トランザクションサービスファシリティによってホストされることができる他のファシリティへのものとすることができる。第４のファシリティF4は、その異なる金融サービス提供者が、特定の決済及び／または取得（acquisition）ネットワークを介して資金移転を達成することを要求する（不図示）ことができる。トランザクションの確認（書）は、「支払い済み」スタンプ及び／または受領書を含むことができるトランザクション概要明細書の電子的複製を含むことができる。前述したように、クライアントファシリティは、トランザクションの確認（書）を安全に記録及び／またはアーカイブすることができ、または、ウェブベースの個人用ポータルが、確認（書）を安全に記憶及び／またはアーカイブすることができる。いくつかの実施形態では、上述したように、トランザクションの確認（書）に関連するプロファイルドリブン式の付加価値サービスを、個人用ポータルを介してユーザに送信することができる。「他のファシリティ」として上記した資金移転の受領者は、電子ファシリティ１０１を含むことができ、及び、第１のファシリティF1のユーザによって移転された資金を使うことが可能となる。たとえば、後続のトランザクションにおいて、「他のファシリティ」は、第１のファシリティF1であることができ、及び、本発明のトランザクション方法の１つに従ってその後続のトランザクションに参加することができる。
【０３２６】
図１１には、ユーザが、他のトランザクション参加者とトランザクションを行うために電子ファシリティ１０１を使用することが可能なトランザクション方法の高レベルのステップが示されている。ここでは、トランザクションは、為替の送信を含むことができる。このトランザクション方法は、３つのファシリティ、すなわち、第１のファシリティF1、第２のファシリティF2、及び、第４のファシリティF4を伴うことができる。このトランザクション方法では、第４のファシリティF4は、第１のファシリティF1から資金移転要求を受け取ることができる。次に、第４のファシリティF4は、第１のファシリティF1にコードの要求を送ることができる。その後、第４のファシリティF4は、第１のファシリティF1からコード８００を受け取ることができる。第４のファシリティF4は、次に、第２のファシリティF2から資金移転要求を受け取ることができる。次に、第４のファシリティF4は、第２のファシリティF2にコードの要求を送ることができる。その後、第４のファシリティF4は、第２のファシリティF2からコード８００を受け取ることができる。最後に、第４のファシリティF4は、第２のファシリティF2に承認を送ることができる。コード８００を受け取った後で承認を送る前であればいつでも、第４のファシリティF4は、コード８００の正当性を判定することができる。
【０３２７】
この方法を、為替を送信し、または電信送金を実行するための方法とすることができる。第１のファシリティF1から受け取った資金移転要求と、第２のファシリティF2から受け取った資金移転要求の両方とも、資金移転要求データ構造１８０８を含むことができる。このコンテキストでは、移転元ファシリティ１８００への参照を第１のファシリティF1への参照とすることができ、移転先ファシリティ１８０２への参照を第２のファシリティF2への参照とすることができる。
【０３２８】
承認を、資金を解放するための承認とすることができる。第１のファシリティF1を、商人でありうる送り元のファシリティとすることができる。このコンテキストでは、第２のファシリティF2を、この場合も商人でありうる送り先のファシリティとすることができ、及び、第２のファシリティF2は、電子ファシリティ１０１を含むことができる。
【０３２９】
いくつかの実施形態では、第４のファシリティF4は、必要なブランド、画像、及び／または、トランザクションを完了するのに必要な情報を含むことができる、為替の電子的複製を安全に発行することができる。第１のファシリティF1に送られるコードの要求は、送金トークンの電子的複製を含むことができる。第１ファシリティF1は、無線で資金移転要求を安全に送ることによってトランザクションを安全に開始することができる。第４のファシリティF4は、そのコードを要求し、受け取り、該コードの正当性を検査することなどによって、ユーザ及び要求の正当性を検証することができる。第１のファシリティF1からの資金移転を、異なる金融サービス提供者、銀行、ウォレットサービスセンター、または、トランザクションサービスファシリティによってホストされることができる別のファシリティへのものとすることができる。第４のファシリティF4は、その異なる金融サービス提供者が、特定の決済及び／または取得（acquisition）ネットワークを介して資金移転を達成することを要求することができる。トランザクションの確認（書）は、「支払い済み」スタンプ及び／または受領書を含むことができる、トランザクション概要明細書の電子的複製を含むことができる。前述したように、クライアントファシリティは、トランザクションの確認（書）を安全に記憶及び／またはアーカイブすることができ、または、ウェブベースの個人用ポータルが、確認（書）を安全に記憶及び／またアーカイブすることができる。いくつかの実施形態では、上述したように、トランザクションの確認（書）に関連するプロファイルドリブン式の付加価値サービスを、個人用ポータルを介してユーザに送ることができる。「他のファシリティ」として上記した資金移転の受領者は、電子ファシリティ１０１を含むことができ、及び、第１のファシリティF1のユーザによって移転された資金を使うことが可能となる。たとえば、後続のトランザクションにおいて、「他のファシリティ」は、第１のファシリティF1であることができ、及び、本発明のトランザクション方法の１つに従ってその後続のトランザクションに参加することができる。
【０３３０】
健康管理トランザクションや情報伝達などに加えて上述の金融トランザクションを含む本明細書で説明するトランザクションを、標準ベースのトランザクションプロトコルと互換性のあるものとすることができることが理解されよう。たとえば、ある金融トランザクションを、XMLベースのSWIFTプロトコルを用いて全面的にまたは部分的に行うことができる。同様に、法律によって、所定の健康管理情報は、Health Insurance Portability and Accountability Act（「HIPAA」：医療保険の相互運用性と説明責任に関する法律）の要件に準拠した様式で取り扱われなければならない。この取り扱いを、HIPAAによってカバーされる団体間における健康管理情報を含む、本明細書で説明されるトランザクションに対するプロトコルとして適用することができる。
【０３３１】
図１２には、ユーザが、他のトランザクション参加者とトランザクションを行うために電子ファシリティ１０１を使用することが可能なトランザクション方法の高レベルのステップが示されている。ここでは、トランザクションを、プリペイド式ショッピングカードの活性化となりうる購入、プリペイド式ショッピングカードへのリチャージ（補充）、プリペイド式携帯電話のトップアップを行うための方法、または、消費に関連する借方ファシリティに対する貸し付け金の出し入れ、または、送金（振替）を達成する任意の他のトランザクションとすることができる。このトランザクション方法は、４つのファシリティ、すなわち、第１のファシリティF1、第２のファシリティF2、第３のファシリティF3、及び第４のファシリティF4を伴うことができる。このトランザクション方法では、第４のファシリティF4は、第２のファシリティF2からトランザクション要求を受け取ることができる。次に、第４のファシリティF4は、第１のファシリティF1にコードの要求を送ることができる。この後、第４のファシリティF4は、第１のファシリティF1からコード８００を受け取ることができる。第４のファシリティF4は、コード８００の正当性を判定することができる。次に、第４のファシリティF4は、第３のファシリティF3にトランザクション要求を送ることができる。その後、第４のファシリティF4は、第３のファシリティF3からトランザクション確認を受け取ることができる。最後に、第４のファシリティF4は、第２のファシリティF2にトランザクション認可を送ることができる。
【０３３２】
第２のファシリティF2から受け取ったトランザクション要求を、第１のファシリティF1と第３のファシリティF3に関連付けることができる。このコンテキストでは、第２のファシリティF2をマーチャントファシリティとすることができ、第１のファシリティF1のユーザを顧客とすることができ、第３のファシリティF3をサプライヤー（供給業者）ファシリティとすることができる。
【０３３３】
第２のファシリティF2または第３のファシリティF3は、前述したように第１のファシリティF1とすることができるクライアントファシリティに直接、プリペイド式エアタイムトークンの電子的複製を安全に発行することができる。この複製は、トランザクションを完了するのに必要なブランド、画像、及び／または情報を含むことができる。コードの要求は電子的複製を含むことができる。クライアントファシリティのユーザは、１０ドルで提供される１００分プランなどの、事前設定された時間／金額パッケージを選択することによって、エアタイム口座を安全にトップアップ及び／または補充することができる。代替的には、ユーザは、LCD／タッチパッドに表示される数字の組み合わせをタッチすることなどによって、所望の時間／金額を指定することができる。いずれにせよ、ユーザは、クライアントファシリティに関連するクレジットカードなどの好みの支払い方法を選択することができる。第４のファシリティF4は、第１のファシリティF1から受け取ったコード８００の正当性を判定することなどによって、ユーザの正当性を検証することができる。。トランザクションが完了すると、分（時間）または金額を、ユーザに関連する口座に入れることができる。第３のファシリティF3を含むことができる電話会社は、この口座をホスト（管理）することができる。さらに、同じ分または金額を、第２のファシリティF2に関連する口座から引き落とすことができる。この口座を、マーチャントファシリティ（第２のファシリティF2）がサプライヤーファシリティ／電話会社（第３のファシリティF3）と共有する口座とすることができる。この方法の送信、受信、または転送のうちの任意のものまたは全てを安全なものとすることができる。このトランザクション方法は、トランザクション概要明細書（これは、前述したトランザクション方法の如く、「支払い済み」スタンプ及び／または受領書を含むことができる）の電子的複製の転送を含むことができる。前述したように、クライアントファシリティが、トランザクションの確認（書）を安全に記憶及び／またはアーカイブすることができ、または、ウェブベースの個人用ポータルが、確認（書）を安全に記憶及び／またはアーカイブすることができる。上述したように、いくつかの実施形態では、トランザクションの確認（書）に関連するプロファイルドリブン式の付加価値サービスを、個人用ポータルを介してユーザに送信することができる。
【０３３４】
図１３には、ユーザが、他のトランザクション参加者とトランザクションを行うために電子ファシリティ１０１を使用することが可能なトランザクション方法の高レベルのステップが示されている。ここでは、トランザクションは、電子ファシリティ１０１へのクーポン、ロイヤルティカード、または、プロモーション（販促品）の伝送を含むことができる。このトランザクション方法は、２つファシリティ、すなわち、ユーザのクライアントファシリティを含むことができる（但し、これに限定されない）第１のファシリティF1、商人、サービス提供者、または電話会社を含むことができる（但し、これらに限定されない）第４のファシリティF4を伴うことができる。第４のファシリティF4は、第１のファシリティF1にクーポンを伝送することができる。この伝送を安全なものとすることも、安全ではないものとすることもできる。この伝送は、全ての電子ファシリティ、特定の地理的領域に関連する全ての電子ファシリティ、特定のタイプのクレジットカードの格納を完了したか、または、特定のタイプのトランザクションの実行を完了した全ての電子ファシリティに一斉に行うことができる。クーポン、ロイヤルティカード、または、プロモーション（販促品）は、それぞれの電子的複製とすることができ、必要なブランド、画像、または、マーチャント、サービス提供者、または、電話会社から関連するサービスを取得するのに必要な情報を含むことができる。第１のファシリティF1は、クーポン、ロイヤルティカード、または、プロモーション（販促品）を安全に記憶及び／またはアーカイブすることができる。第１のファシリティF1は、クーポン、ロイヤルティカード、または、プロモーション（販促品）の属性がいつ事前設定された基準に合致するかに基づいて、時おり、ユーザに、可聴のアラームなどで警告をすることができる。この基準には、クーポン、ロイヤルティカード、または、プロモーション（販促品）の発行時刻が現在の時刻に一致したときに警報を受け取ることをユーザが好んでいることを示すブール値、クーポン、ロイヤルティカード、または、プロモーション（販促品）の有効期限日より指定日数前の日が現在の日に一致したときに警報を受け取ることをユーザが好んでいることを示すブール値、クーポン、ロイヤルティカード、または、プロモーション（販促品）の有効期限日が現在の日に一致したときに警報を受け取ることをユーザが好んでいることを示すブール値など（但し、これらに限定されない）を含めることができる。第１のファシリティF1のユーザは、IrDA（但し、これに限定されない）などの近接伝達手段を介して、または、IEEE 802.16（但し、これに限定されない）などの空中伝達手段を介して、第１のファシリティF1に格納することが可能なクーポン、ロイヤルティカード、または、プロモーション（販促品）を安全に償還することができる。第４のファシリティF4は、「支払い済み」スタンプ及び／または受領書を含むことができるトランザクション概要などの、ロイヤルティ（に関する）明細書の電子的複製を、第１のファシリティF1に対して直接かつ安全に発行することができる。第１のファシリティF1は、スマートカードに書き込むことなどによって、トランザクション概要な��の明細書の電子的複製を安全に記憶及び／またはアーカイブすることができる。代替的には、上述したように、ウェブベースの個人用ポータルが、明細書を安全に記憶及び／またはアーカイブすることができる。上述したように、いくつかの実施形態では、明細に関連するプロファイルドリブン式付加価値サービスを、個人用ポータルを介してユーザに送ることができる。
【０３３５】
図１４には、ユーザが、他のトランザクション参加者とトランザクションを行うために電子ファシリティ１０１を使用することが可能なトランザクション方法の高レベルのステップが示されている。ここで、トランザクションは、クーポンの償還（商品等との引き換えなど）を含むことができる。このトランザクション方法は、３つのファシリティ、すなわち、第１のファシリティF1、第２のファシリティF2、及び第４のファシリティF4を伴うことができる。このトランザクション方法では、（クーポンを提供する商人のファシリティなどの）第４のファシリティF4が、（クーポンを獲得したい顧客のファシリティなどの）第１のファシリティF1にクーポンを送ることができる。次に、第４のファシリティF4は、（ウォレットサービスセンターなどの）第２のファシリティF2からメッセージを受け取ることができる。このメッセージには、第１のファシリティF1の識別子または第１のファシリティF1への参照、及び、クーポン／ユーザの組み合わせに関連する固有の識別子などの、クーポンに関連した情報、が含まれる。第４のファシリティF4は、次に、第１のファシリティF1に（セキュリティコード、識別子、またはパスワードなどの）コードの要求を送ることができ、第１のファシリティF1は、第４のファシリティF4に適切なコード８００を返すことができる。第４のファシリティF4は、コード８００の正当性を判定することができる。最後に、クーポン引き換えの承認が、第４のファシリティF4によって第２のファシリティF2に送られ、その時点で、第２のファシリティが、第２のファシリティF2によってサポートされ、かつ、第１のファシリティF1のユーザによって実行されるトランザクションにクーポンを適用（充当）することなどによって、クーポンを償還することができる。
【０３３６】
このコンテキストでは、第２のファシリティF2を、クーポンを認識するためのファシリティを含むことが可能なマーチャントファシリティとすることができる。クーポンを認識するためのファシリティを、マーチャントファシリティは、バーコードスキャナ、RFIDリーダー、磁気ストライプリーダー、IrDAファシリティ、Bluetooth（商標）ファシリティ、または、任意の他の有線ファシリティ、無線ファシリティ、光学ファシリティ、電磁ファシリティ、または、クーポンの認識に使用するのに適した他のファシリティ、のうちの１つとすることができる。クーポンに関連する情報を、固有の識別子とすることが可能な識別子とすることができる。
【０３３７】
図１５には、ユーザが、他のトランザクション参加者とトランザクションを行うために電子ファシリティ１０１を使用することが可能なトランザクション方法の高レベルのステップが示されている。ここで、トランザクションは、ユーザによるチケットの購入を含むことができる。このトランザクション方法は、３つのファシリティ、すなわち、第１のファシリティF1、第２のファシリティF2、及び第4のファシリティF4を伴うことができる。このトランザクション方法では、第４のファシリティF4は、第１のファシリティF1とのセッションを確立することができる。次に、第４のファシリティF4は、第２のファシリティF2の在庫について問い合わせる。この問い合わせにより、第４のファシリティF4は、第の２ファシリティF2の在庫の所定の細目について知得することになる。第４のファシリティF4は、第１のファシリティF1に、在庫状況についての報告を送る。在庫状況報告には、第２のファシリティF2の在庫の所定の細目を含めることができる。第４のファシリティF4は、次に、第１のファシリティF1から購入要求を受け取る。第４のファシリティF4は、この購入を実行するために動作することができる。最後に第４のファシリティF4は、第１のファシリティF1に受領（書）を送ることができる。
【０３３８】
このコンテキストでは、第１のファシリティF1を消費者ファシリティとすることができ、第２のファシリティF2を、発券ファシリティ（チケット発行ファシリティ）とすることが可能なサプライヤーファシリティとすることができる。この方法はさらに、第１のファシリティF1にチケットを発行するステップを含むことができる。購入要求をチケットの注文とすることができる。在庫状況報告は、チケットの入手可能性に関する報告を含むことができる。セッションを安全なセッションとすることができる。
【０３３９】
いくつかの実施形態では、発券ファシリティは、チケットの電子的複製を含むことが可能なチケットを安全に発行することができる。チケットは、発券ファシリティから関連するサービスを取得するのに必要なブランド、画像、または情報を含むことができる。第１のファシリティF1は、スマートカードに書き込むことなどによって、チケットを安全に格納することができる。第１のファシリティF1は、いつチケットの属性が事前設定された基準に合致するかに基づいて、時おり、可聴のアラームなどによりユーザに警告を行うことができる。この基準には、チケットの発行時刻が現在の時刻に一致したときに警報を受け取ることをユーザが好んでいることを示すブール値、チケットで入場することができるライブパフォーマンスの日などの、チケットに関連するイベントの日より指定日数前の日が現在の日に一致したときに警報を受け取ることをユーザが好んでいることを示すブール値、チケットに関連するイベントの日が現在の日に一致したときに警報を受け取ることをユーザが好んでいることを示すブール値など（但し、これらに限定されない）を含めることができる。ユーザは、近接伝達手段や無線伝達手段を介して、イベント会場の入口にある回転式改札口などのトランザクションのある場所で、第１のファシリティF1に格納することができるチケットに対する支払いを安全に行うことができる。発券ファシリティは、消費者ファシリティに対して、「支払い済み」スタンプ、及び／または受領書を含むことができるトランザクション（取引）概要明細書を安全に発行することができる。第１のファシリティF1は、スマートカードに書き込むことなどにより、取引概要明細書及び／または受領書を安全に記憶及び／またはアーカイブすることができる。代替的には、上述したように、ウェブベースの個人用ポータルが、取引概要明細書及び／または受領書を安全に記憶及び／またはアーカイブすることができる。上述したように、いくつかの実施形態では、明細書に関連したプロファイルドリブン式付加価値サービスを、個人用ポータルを介してユーザに送ることができる。
【０３４０】
図１６には、ユーザが、他のトランザクション参加者とトランザクションを行うために電子ファシリティ１０１を使用することが可能なトランザクション方法の高レベルのステップが示されている。ここで、トランザクションは、口座からの資金の引き出しを含むことができる。このトランザクション方法は、３つのファシリティ、すなわち、第１のファシリティF1、第２のファシリティF2、及び第４のファシリティF4を伴うことができる。このトランザクション方法では、第４のファシリティF4は、第１のファシリティF1に関連する口座から引き出すための要求を受け取る。次に、第４のファシリティF4は、第１のファシリティF1にコードの要求を送ることができる。その後、第４のファシリティF4は、第１のファシリティF１からコード８００を受け取ることができる。第４のファシリティF４は、コード８００の正当性を判定することができる。第４のファシリティF４は、第１のファシリティF1に関連する口座からの資金の引き出しを実行することができる。次に、第４のファシリティF４は、第２のファシリティF2に承認を送ることができる。最後に、第４のファシリティF４は、第１のファシリティF１に確認を送ることができる。
【０３４１】
この方法を、口座からお金を引き出すための方法とすることができる。上記承認を、第１のファシリティF１に関連付けられた資金を受け取るための承認とすることができる。上記確認を、引き出しの確認とすることができる。引き出しの要求は、資金移転要求データ構造１８０８を含むことができる。このコンテキストでは、移転元ファシリティ１８００への参照を第１のファシリティF1への参照とすることができ、移転先ファシリティ１８０２への参照を第２のファシリティF2への参照とすることができる。第２のファシリティF2をマーチャントファシリティとすることができる。
【０３４２】
図１７には、ユーザが、他のトランザクション参加者とトランザクションを行うために電子ファシリティ１０１を使用することが可能なトランザクション方法の高レベルのステップが示されている。ここで、トランザクションは、口座への資金の預け入れを含むことができる。このトランザクション方法は、３つのファシリティ、すなわち、第１のファシリティF1、第２のファシリティF2、及び第４のファシリティF4を伴うことができる。このトランザクション方法では、第４のファシリティF4は、第１のファシリティF1に関連する口座へ資金を預け入れるための要求を受け取る。次に、第４のファシリティF4は、第２のファシリティF2にコードの要求を送ることができる。その後、第４のファシリティF4は、第２のファシリティF2からコード８００を受け取ることができる。第４のファシリティF４は、コード８００の正当性を判定する。次に、第４のファシリティは、第１のファシリティF１に関連する口座への、第２のファシリティF2に関連する資金の預け入れを実行することができる。最後に、第４のファシリティF４は、第１のファシリティF１と第２のファシリティF2の両方に預け入れの確認を送ることができる。
【０３４３】
資金を預け入れるための要求は、資金移転要求データ構造１８０８を含むことができる。このコンテキストでは、移転元ファシリティ１８００への参照を第２のファシリティF2への参照とすることができ、移転先ファシリティ１８０２への参照を第１のファシリティF1への参照とすることができる。このコンテキストでは、第２のファシリティF2をマーチャントファシリティとすることができる。この方法を、口座にお金を預け入れるための方法とすることができる。
【０３４４】
一般的に、本明細書で説明する（具体的には、図６、７、８、９、１０、１１、１２、１３、１４、１５、１６、１７、及び１８に関して上述した）トランザクション方法を、運転免許証サービス、宝くじサービス、投票サービス、保健サービス、旅行サービス、インフォテイメントサービス、個人情報管理サービス（但し、これらには限定されない）などのトランザクションサービスとして具現化することができる。
【０３４５】
図２３は、本明細書で説明されるシステムを用いて配備された発券サービスの１つの可能な例示的実施形態を示す。発券サービスシステムは、顧客ユーザインターフェース、中央サービスファシリティ、マーチャント（商人）ユーザインターフェースを含むチケットマーチャントファシリティ、ユーザコンピュータ、及び、複数のチケット提供者を含むユニバーサル電子トランザクションファシリティ（「UET」）を含むことができる。図２３に示すように、このシステムを用いて、商人からの支払い要求、及び、顧客による支払い認可を含むチケット購入を実行することができる。しかしながら、このシステムを、関連する金融トランザクション、予約要求、購入、予約変更、旅行ルートの追跡及び変更、スケジューリングなどを含む任意のチケット関連サービスのために使用できることは容易に理解されよう。全てのそのような関連するトランザクション及びトランザクションのタイプは、本明細書で説明される発券サービスの範囲内のものであることが意図されている。
【０３４６】
UETは、発券サービスのためのデータを含むことができる。たとえば、UETは、ノンストップチケットと一番安いチケットのどちらを好むかというチケットの好み、食事の好み、座席位置の好みなどの予約要求、または、旅行先でレンタカーとリムジンのどちらを選ぶかについての指定なきときの要求に関連する旅行に関する好みを記憶することができる。別の例では、UETは、お金をデジタル形式で記憶し、または、支払いベースの発券トランザクションのために、クレジットカード口座及び認可を記憶することができる。別の例では、UETは、UETのユーザのために、チケット及び／または予約を記憶することができる。
【０３４７】
顧客ユーザインターフェースをUET上に表示すること、または、UETによって表示することができる。図示の例では、UETは、金融情報を用いてチケットマーチャントファシリティからの支払い要求に応答することができる。一般的に、顧客ユーザインターフェースは、ナビゲーション用の及びユーザが使用するための、テキストフィールド、ボタン、ドロップダウンリスト、チェックボックスなどのインターフェースに関連する任意の機能を含むことができる。チケットマーチャントファシリティから受け取った、利用可能な航空便のドロップダウンリスト、または、イベントで利用可能な座席などの情報に応答して、ユーザインターフェースを動的に生成することができる。
【０３４８】
チケットマーチャントファシリティは、コンサート会場への入り口などの販売場所で動作することができ、または、空港のインフォメーションカウンタや発券カウンターなどの販売場所の近くにあるものとすることができ、または、独立のチケット注文場所にあるものとすることができる。チケットマーチャントファシリティを、特定の場所またはビジネスに関連付けることができ、または、複数のチケット提供者の代理人または再販売人とすることができる。他のチケット提供者がチケットを発行する場合には、それらのチケット提供者は、スケジューリング情報及び入手可能性情報を提供するために、及び、購入されたチケットに関するバックエンド処理及びチケット発行を行うために、チケットマーチャントファシリティと通信するができる。
【０３４９】
図示の例では、チケットマーチャントファシリティは、UETのユーザと発券トランザクションを行うためにユーザインターフェースを操作することができるマーチャント（または、他の認可されたユーザ）の従業員に、該ユーザインターフェースを提供することができる。マーチャントユーザインターフェースを、チケットマーチャントファシリティ、または、関連する装置あるいは周辺装置を含む装置に表示することができる。１実施形態では、マーチャントユーザインターフェースは、デスクトップコンピュータに表示され、及び、たとえば、ブラウザベースのユーザインターフェースとすることができる。一般的に、マーチャントユーザインターフェースは、ナビゲーションのための及び従業員が使用するための、テキストフィールド、ボタン、ドロップダウンリスト、チェックボックスなどのインターフェースに関連する任意の機能を含むことができる。１実施形態では、UETが携帯電話上で動作する場合に、システム及び方法はさらに、ユーザの携帯電話と商人の電話との間の音声通信を確立して、商人の従業員とユーザの間のトランザクションを容易にすることを含むことができる。
【０３５０】
中央サービスファシリティは、概説したように、UETとチケットマーチャントファシリティとの間のトランザクションを調整（コーディネート）し、及び、任意の関連する認証機能、認可機能、セキュリティ機能、金融機能、または、発券トランザクションに関連する他の機能を提供乃至サポートすることができる。
【０３５１】
ユーザコンピュータは、オプションとして、発券サービスに参加することができ、及び、UETをプログラムするため、乃至、UETにデータを提供するためにユーザによって使用されることができる。ユーザコンピュータはまた、ネットワークベースのトランザクションを行うために、PSTNやインターネットなどのネットワークを介して中央サービスファシリティ、チケットマーチャントファシリティ、及び／または、チケット提供者に単独で接続することができる。これには、たとえば、予期されるチケット購入のためにUETに現金を追加したり、信用貸しの事前承認を行うなどの発券サービスに関連するトランザクションが含まれる。チケットをオンラインで購入することもでき、この場合、関連する場所で顧客がその後使用できるように該チケットをUETに送ることができる。
【０３５２】
一般的に、本明細書で説明される発券サービスを、列車、バス、飛行機、ボート、または、他の運送手段で旅行するためのチケット、並びに、映画、演劇、スポーツイベント、コンサート、展示会、会議などのチケットなどの任意の形態のチケットに対して使用することができる。
【０３５３】
図２４は、複数のユニバーサル電子トランザクションファシリティを含む発券サービス環境を示す。このシステムは、複数のユニバーサル電子トランザクションファシリティ（「UET」）と、少なくとも１つのチケットマーチャントファシリティを含む発券カウンターを含むことができる。各々のUETを、たとえば、１つ以上のチケットまたは予約を保有する個人及び／または、それらのチケットまたは予約を獲得することを望む個人によって持ち運ぶことができる。
【０３５４】
このシステムを複数の発券サービスのために利用することができる。１実施形態では、発券サービスは航空券発券サービスである。この実施形態では、UETとチケットマーチャントファシリティは、搭乗手続き、手荷物検査（または手荷物の一時預かり）及び乗客の座席配置などの関連するサービスを提供するために協働することができる。UETはまた、いろいろな時に（すなわち、搭乗手続き中及び／または搭乗中）に顧客の身元（アイデンティティ、すなわち正当な顧客であること）の認証を調整することができる。顧客のチケットをUETに置くことができ、飛行機に搭乗しているときなどの旅行中のある時間に飛行機に伝送することができる。あるいは、チケットを、搭乗手続き時に航空会社が回収することができ、空港内の特定のゲートにおいて特定の航空便の特定の座席を特定する搭乗券に置き換えることができる。UETを、旅行チケット並びに、料金の変更、座席のアップグレードなどを含む発券サービスに対する支払いを行うために使用することもできる。顧客ユーザインターフェースを介して、チケットマーチャントファシリティ、または、キオスク、または、他のマーチャントファシリティを含む他の場所と通信することによって、旅行者は、レンタカー、ホテル、及び／またはレストランの予約などを旅行プランに追加することができる。
【０３５５】
より一般的には、旅行サービスは、上述した発券サービス、及び／または、複数の関連する旅行サービスを含むことができる。たとえば、フライト状況、目的地の気象状況、出発時刻、及び、ゲート情報を、チケットを購入するとき、または、顧客がフライトのための搭乗手続きをするときに、顧客のUETに無線で伝えることができ、及び、UETが、チケットマーチャントファシリティ、または、空港のいたるところ、または、空港内の特定の場所に設けられているワイヤレスローカルエリアネットワーク（無線LAN）などの関連するネットワークに無線でアクセスしているときに、定期的に更新することができる。別の例では、自動車、ホテルの部屋、食事、エンターテインメントの予約を、顧客が搭乗手続きをしている間に手配することができ、または、それらの予約を、顧客が顧客のUETに入力し、次に、無線サービスが利用できるときに送信乃至取り決めることができる。家族や休暇中の友人グループや出張時の仕事仲間などの旅行仲間はまた、旅行、場所、旅行日程、及び、状況に関する情報を共有する同行者のリストを保持することができる。この情報を、ピアネットワーク内のUETのグループ間で共有することや、１つ以上のUETに対してワイヤレスネットワーク接続が利用できるときにそれらのUETで共有することもできる。旅行に関する情報などの同行者リスト情報を、さらに、または、代替的に、同行者リストのメンバーがアクセスできるように中央サービスファシリティ（不図示）で保持することができる。
【０３５６】
別の実施形態では、発券サービスを、スポーツイベントの発券サービスとすることができる。この実施形態では、ユーザは、キオスク、または、関連する場所にある発券カウンターで、スポーツイベントの１つ以上の座席を予約することができる。発券カウンターで、UETを利用して、UETに格納することが可能な、または、UETのデータによって一意的に識別可能な予約を、イベント会場に入るためのチケットに換えることもできる。
【０３５７】
発券サービスシステムのピア・ツー・ピア実施形態では、それぞれの顧客の複数のUETは、チケット取得の際に協働することができる。たとえば、一人（または１つの）顧客が一組のチケットを購入することができ、該チケットは、ピアネットワークを介して個々のUETに配送されることができる。同様に、１つのUETにおける顧客は、ピアネットワークを介して他のUETに予約及び／または現金を配送することができ、これによって、各顧客は、発券カウンターまたは他の場所でそれぞれ別個に予約及び現金をチケットに換えることが可能となる。
【０３５８】
発券カウンターを、出納係や他の従業員がいるチケット売り窓口を含む従来の発券カウンターとすることができ、発券カウンターは、さらに、または、代替的に、仮想的な発券カウンターを含むことができる。これを、ある場所の入り口領域内の指定された空間及び／または市場空間とすることができ、または、UETの保持者が、その場所の中へ通行しているときに物理的な閾値（基準点）と交差したときに、発券及び／または搭乗手続きイベントが自動的に生じるように、通路に埋め込むことができる。これによって、たとえば、競技場やコンサートホールなどの開催地へのあるエントリポイントでのボトルネックを有利に低減することができる。
【０３５９】
１実施形態では、ユーザは、航空会社、鉄道、ホテル／モーテル、店舗、ビジネス（または会社）、または、会社へのロイヤルティ（忠誠）に対する報酬（ロイヤルティ報酬）を提供することができる他のビジネス（または会社）に対する忠誠報酬プログラムに参加（入会）することができる。図２５には、ユーザへの実際のロイヤルティカードの発行の１実施形態が示されている。たとえば、ユーザはあるビジネス（または会社）から実際のロイヤルティ報酬カード２５０２を受け取ることができる。１実施形態では、ロイヤルティ報酬カードを、報酬金額、発効日、いつ報酬を換金できるか、報酬の終了日、個人の名前、または、ロイヤルティカードに関連した他の情報などの情報を含むことが可能な報酬カードの複写（または電送写真）とすることができる。１実施形態では、ユーザは、次に、ロイヤルティカード２５０４をクライアントファシリティに格納することができる。たとえば、クライアントファシリティを、携帯電話、PDA、ポケットPC、ホームコンピュータ、または、データを記憶可能な他の装置とすることができる。クライアントファシリティは、ビジネス用の少なくとも１つのロイヤルティカードを格納することができ、及び、少なくとも１つのビジネス用のロイヤルティカードを格納することができる。
【０３６０】
いくつかの実施形態では、ユーザは、どのロイヤルティカードを（商品または現金などと）引き換えるかを決定するために格納されたロイヤルティカードを選択することができる。たとえば、ユーザが使用するロイヤルティカードを選択した後に、ユーザは、ロイヤルティカード２５０８の引き換えを送信することができる。ユーザは、離れた場所（１例として自宅）から、または、取引の場所（または営業所）にいるときに、ロイヤルティカードを引き換えることができる。ユーザは、取引の場所にいる場合は、携帯用のコンピューティング装置を用いて会社に引き換え２５０８を送信することができる。いくつかの実施形態では、ユーザは、ユーザがロイヤルティ口座を有している営業所を入力すると、ロイヤルティに対する新たな報酬についてチェックすることもできる。
【０３６１】
いくつかの実施形態では、ユーザがロイヤルティ報酬を引き換えた後、会社は、ユーザのクライアントにロイヤルティ報酬の受領書２５１０を送ることができる。たとえば、ロイヤルティ報酬の受領書を、「支払い済み」、「引き換え済み」、または、他の確認応答などの、引き換えの確認応答が付いた受領書の実際の複写物（または電送写真）とすることができる。
【０３６２】
いくつかの実施形態では、ユーザは、ロイヤルティ報酬の受領書２５１２をユーザクライアントに格納することができる。たとえば、ユーザは、受領書を、受け取った他の受領書とともにアーカイブに格納することができる。ユーザは、類似の会社（またはビジネス）からのロイヤルティ報酬の受領書を含むことができる少なくとも１つのカテゴリーに受領書を格納することができる。カテゴリーは、会社（またはビジネス）毎とすることができる。
【０３６３】
ユーザクライアント２５１４、メインサービスファシリティ１４２、及び会社クライアント２５１８の間の通信の１実施形態を提示する。１実施形態では、ユーザクライアント２５１４または会社クライアントが、ロイヤルティ報酬に関する情報の交換を開始することができる。たとえば、ユーザクライアント２５１４は、利用可能ないくつかのまたは全ての会社からのロイヤルティ報酬の更新を要求することができる。会社クライアントは、ロイヤルティ報酬の対象者のうちの選択した数の、または全てのユーザに、ロイヤルティ報酬の更新を一斉に送信することができる。
【０３６４】
１実施形態では、ユーザクライアント２５１４は、引き換えるためのロイヤルティ報酬を選択し、引き換え２５２０を送ることによって、トランザクションを開始することができる。たとえば、要求をメインサービスファシリティ１４２に送ることができる（２５２０）。メインサービスファシリティ１４２は、引き換え要求と会社クライアントを照合し、その要求２５２２を該会社クライアント２５１８にを送ることができる。会社クライアント２５１８は、引き換えの正当性を検証し、ユーザの口座にロイヤルティ報酬を振り込み、メインサービスファシリティ１４２に受領書２５２２を送ることができる。メインサービスファシリティ１４２は、受領書とユーザクライアント２５１４を照合し、ユーザクライアント２５１４に受領書２５２０を転送することができる。次に、ユーザクライアント２５１４はその受領書をアーカイブすることができる。
【０３６５】
図２６には、ユーザインターフェース２６１２を見るための携帯型ユーザ装置２６０２の１実施形態が示されている。たとえば、携帯型コンピュータ装置を、携帯電話、PDA、Pcket PC（ポケットPC）、タブレットPC、または、他の類似のコンピュータ装置とすることができる。いくつかの実施形態では、ユーザインターフェース２６１２は、メニュー２６０４、ボタン２６１０、アクションを選択するための窓（ウィンドウ）２６０８、または、ユーザインターフェース２６１２をナビゲートするための他の手段を含むことができる。いくつかの実施形態では、メニュー２６０４はアクションのカテゴリー（種類）を含むことができる。たとえば、メニューは、ファイル、検索、読み出し、終了、または、ロイヤルティカード報酬の管理に関連する他のオプションを含むことができる。いくつかの実施形態では、ユーザインターフェースはまた、メニュー２６０４で利用可能なオプションへのショートカットとすることができるボタン２６１０を有することができる。
【０３６６】
いくつかの実施形態では、メニュー２６０４またはボタン２６１０を使ってユーザインターフェース２６１２のオプションを選択することにより、関連するオプションを含む窓を開くことができる。たとえば、ユーザは、オプションを選択して、クライアントで利用可能なロイヤルティ報酬のカテゴリーを見ることができる。リスト（一覧表）を窓２６０８内に表示することができる。窓２６０８に表示されたリストを、さらなるアクションを実行するために選択することができる。
【０３６７】
ビジネス（または会社）ユーザインターフェース２６１４の１実施形態を提示する。いくつかの実施形態では、ユーザインターフェース２６１４は、メニュー２６１８、アクションを選択するための窓２６２０、または、ユーザインターフェース２６１４をナビゲートするための他の手段を含むことができる。いくつかの実施形態では、メニュー２６１８はアクションのカテゴリー（種類）を含むことができる。たとえば、メニューは、ファイル、検索、読み出し、終了、または、ロイヤルティカード報酬の管理に関連する他のオプションを含むことができる。
【０３６８】
いくつかの実施形態では、メニュー２６１８からユーザインターフェース２６１４のオプションを選択することにより、関連するオプションを示す窓を開くことができる。たとえば、会社は、オプションを選択して、クライアントで利用可能なロイヤルティ報酬口座のカテゴリーを見ることができる。リスト（一覧表）を窓２６２０内に表示することができる。窓２６２０に表示されたリストを、さらなるアクションを実行するために選択することができる。
【０３６９】
１実施形態では、ユーザは、娯楽（エンターテインメント）のために、ユーザクライアントに、音楽、ビデオ、映画、ゲーム、または、他のインフォテイメントをダウンロードすることができる。図２７の流れ図は、インフォテイメントをダウンロードするためのプロセスの１実施形態を示す。たとえば、ユーザは、ユーザクライアントコンピュータへと、ダウンロードされた音楽、ビデオ、映画、ゲーム、または、他のインフォテイメントを受け取ることができる。ユーザは、実際のインフォテイメントファイル２７０２を受け取ってユーザクライアントコンピュータに入れることができる。ユーザは、実際のインフォテイメントをユーザクライアントコンピュータに格納する（２７０４）ことができ、インフォテイメントはまた、見るための／遊ぶための手順（プロトコル）、ゲーム用データベース、再生（プレイ）リスト、映画のチャプタリスト、または、インフォテイメントを再生するために有用な他の情報などの追加の情報を含むことができる。ユーザクライアントはまた、ダウンロードされたインフォテイメント用のインフォテイメントライセンスを受け取ることができる。
【０３７０】
１実施形態では、ユーザがインフォテイメントを受け取ると、ユーザクライアントコンピュータは、インフォテイメントに対する支払いを送る（２７０８）ことができる。たとえば、支払いを、所定の銀行口座から取り出すことができ、または、クレジット／デビットカードに付けることができる。１実施形態では、ユーザは、インフォテイメントを受け取ることができ、及び、ホームコンピュータを使って離れたところから支払いをするか、トランザクション（取引）が行われている現地の事業拠点で支払いをすることができる。たとえば、ユーザは、携帯型のコンピューティング装置を用いて音楽小売店内で音楽を購入してダウンロードすることができる。ユーザは、所望の音楽を選択し、ユーザクライアントからマーチャントクライアントへ電子決済をし、次に、音楽をユーザクライアントにダウンロードすることができる。
【０３７１】
いくつかの実施形態では、ユーザが支払いを送った後、会社は、支払いの受領書をユーザクライアントに送る（２７１０）ことができる。たとえば、インフォテイメントの支払い受領書を、「支払い済み」、「引き換え済み」、または、支払いを受け取ったことの他の確認応答などの支払いに対する確認応答が付された受領書の実際の複写物（または電送写真）とすることができる。
【０３７２】
いくつかの実施形態では、ユーザは、インフォテイメントの支払い受領書をユーザクライアントに格納する（２７１２）ことができる。たとえば、ユーザは、その受領書を、受け取った他の受領書とともにアーカイブに格納することができる。ユーザは、類似の送信元／タイプからのインフォテイメントの受領書を含むことができる少なくとも１つのカテゴリーに受領書を格納することができる。カテゴリーは、送信元／タイプ毎に見ることができる。
【０３７３】
ユーザクライアント２７１４、メインサービスファシリティ１４２、及び会社クライアント２７１８の間の通信の１実施形態を提示する。１実施形態では、ユーザクライアント２７１４または会社クライアントが、インフォテイメントに関する情報の交換を開始することができる。たとえば、ユーザクライアント２７１４は、音楽店また音楽サービスから音楽のダウンロードを要求することができる。音楽店または音楽サービスクライアントは、利用可能な最新のダウンロード音楽を選択した数のまたは全てのユーザに一斉に送信することができる。
【０３７４】
１実施形態では、ユーザクライアント２７１４は、インフォテイメントマーチャントからインフォテイメントのダウンロードを要求することができる。１実施形態では、ユーザクライアントは、メインサービスファシリティ１４２にダウンロード要求２７２０を送ることができる。メインサービスファシリティ１４２は、ダウンロード要求をインフォテイメントマーチャントと照合して、ダウンロード要求２７２２を送ることができる。
【０３７５】
１実施形態では、インフォテイメントマーチャントクライアント２７１８は、ダウンロード要求を受け取ることができ、及び、メインサービスファシリティ１４２にダウンロードに対する支払い要求を送る（２７１８）ことができる。メインサービスファシリティ１４２は、支払い要求をユーザクライアント２７１４と照合して、支払い要求２７２０を送ることができる。
【０３７６】
１実施形態では、ユーザクライアント２７１４は、たとえば、銀行口座、クレジットカード、デビットカード、または、他の電子決済手段などの支払い方法を認可することができる。支払いをメインサービスファシリティ１４２に送る（２７２０）ことができる。メインサービスファシリティ１４２は、支払いを、対応するインフォテイメントマーチャントクライアント２７１８に合わせて、支払いを送信する（２７２２）ことができる。
【０３７７】
１実施形態では、マーチャントクライアント２７１８がインフォテイメントの支払いを受け取ると、マーチャントクライアントは、メインサービスファシリティ１４２にダウンロードファイルと支払い受領書を送信する（２７２２）ことができる。メインサービスファシリティ１４２は、そのダウンロートと受領書をユーザクライアント２７１４と照合し、該ダウンロードと受領書をユーザクライアント２７１４に送る（２７２０）ことができる。ユーザクライアント２７１４は受領書を格納することができる。
【０３７８】
図２８には、ユーザインターフェース２８１２を見るための携帯型ユーザ装置２８０２の１実施形態が示されている。たとえば、携帯型コンピュータ装置を、携帯電話、PDA、Pocket PC（ポケットPC）、タブレットPC、または、類似の他のコンピュータ装置とすることができる。いくつかの実施形態では、ユーザインターフェース２８１２は、メニュー２８０４、ボタン２８１０、アクションを選択するための窓２８０８、または、ユーザインターフェース２８１２をナビゲートするための他の手段を含むことができる。いくつかの実施形態では、メニュー２８０４はアクションのカテゴリー（種類）を含むことができる。たとえば、メニューは、ファイル、検索、読み出し、終了、または、ロイヤルティカード報酬の管理に関連する他のオプションを含むことができる。いくつかの実施形態では、ユーザインターフェースはまた、メニュー２８０４で利用可能なオプションへのショートカットとすることができるボタン２８１０を有することができる。
【０３７９】
いくつかの実施形態では、メニュー２８０４またはボタン２８１０を使ってユーザインターフェース２８１２のオプションを選択することにより、関連するオプションを含む窓を開くことができる。たとえば、ユーザは、オプションを選択して、クライアントで利用可能ないくつかのタイプのインフォテイメントのカテゴリーを見ることができる。リスト（一覧表）を窓２８０８内に表示することができる。窓２８０８に表示されたリストを、たとえば、各カテゴリー内のインフォテイメントのリストを見るといったさらなるアクションを実行するために選択することができる。
【０３８０】
会社ユーザインターフェース２８１４の１実施形態を提示する。いくつかの実施形態では、ユーザインターフェース２８１４は、メニュー２８１８、アクションを選択するための窓２８２０、または、ユーザインターフェース２８１４をナビゲートする他の手段を含むことができる。いくつかの実施形態では、メニュー２８１８はアクションのカテゴリー（種類）を含むことができる。たとえば、メニューは、ファイル、検索、読み出し、終了、または、インフォテイメントファイルの管理に関連する他のオプションを含むことができる。
【０３８１】
いくつかの実施形態では、メニュー２８１８を使ってユーザインターフェース２８１４のオプションを選択することにより、関連するオプションを含む窓を開くことができる。たとえば、会社は、オプションを選択して、クライアントで利用可能な購入者口座のカテゴリーを見ることができる。リスト（一覧表）を窓２８２０内に表示することができる。窓２８２０に表示されたリストを、さらなるアクションを実行するために選択することができる。
【０３８２】
一般的に言って、ほとんど全ての家庭が、月極でいくつかの請求書に対する支払いを行っている。本発明のいくつかの実施形態は、定期的に請求書を受け取るための、及び／または受け取った請求書に対する支払いを定期的にするためのシステム及び方法に関連する。そのような請求書には、住宅ローン、家賃、電気料金、ガス料金、石油代、電話代、携帯電話料金、ケーブルテレビ料金、料理代金、デジタル加入者回線料金、インターネットプロバイダー料金、授業料、医療費、歯医者への支払い、税金、及び／または、定期的に発生するその他の請求書などがある。本発明のいくつかの実施形態は、商品やサービスを購入するために非定期的に請求書を受け取り、及び請求書の支払いを非定期的に行うことに関連する。そのような請求書には、食料雑貨類代金、ガス料金、修繕費、改良費、授業料、車代、チケット代、住居費、航空券代、運送費、及び、非反復的なまたは非定期的なその他の請求書などがある。いくつかの実施形態では、請求書支払いシステム及び方法は、伝統的に請求書を印刷し、顧客に請求書を郵送し、次に、全ての請求書の期限（支払請求周期）について物理的な紙の伝票を収集して処理する請求書発行人を含むことができる。いくつかの実施形態では、オンラインのまたはインターネットベースのElectronic Bill Presentment and Payment（EBPP：電子請求書掲示/支払い）サービスを、本発明の原理に従って全処理の一部として利用することができるが、本発明によるシステム及び方法は、そのようなシステムを使用するときに一般的に直面する多くの面倒な側面を除去することができる。
【０３８３】
本発明の１側面は、請求書支払いに関連する問題に対する独自の解決策を明らかにする。いくつかの実施形態では、請求書発行人は、請求書発行人のユーザ／顧客に関連付けることができる電子ファシリティ１０１に対して直接、電子的に、無線で、及び、安全に請求書またはインボイス（送り状）を発行することができる。いくつかの実施形態では、顧客に、クライアントファシリティを介してリアルタイムで、及び／または直接に請求書の支払いをする能力を提供することができる。いくつかの実施形態では、ユーザに、複数の事前登録した銀行、クレジットカード、または、他の取引口座のうちの任意の１つを使用するというさらなる融通性を提供することができる。いくつかの実施形態では、取引口座には、請求書またはインボイス（送り状）を決済するために（個人用のまたは個人用ではない）トークンを含めることができる。いくつかの実施形態では、請求書発行人は、本明細書で説明されるシステム及び方法を用いて、信頼ある小売店を介して電子的に、及び／または、リアルタイムで請求書を収集することができる。これによって、コスト及び決済期間が大幅に低減するとともに利便性が向上することになる。
【０３８４】
一般的に、本発明は、トランザクションを行うために必要な全ての画像、ブランド、及び／または、データを具備する（個人用のまたは個人用ではない）トークンを、有線媒体及び／または無線媒体を介して電子ファシリティ１０１へとユーザに直接に、安全かつ電子的に発行するための手段を提供することができる。トークンを、サービス、または、クレジットカード、銀行口座、フリークエントフライヤーカード、ストアードヴァリューカード、ロイヤルティカード、保険証、運転免許証、請求書、または、クーポンなどのアプリケーション（但し、これらには限定されない）に関連付けることができる。電子ファシリティ１０１は、トークンを安全かつ電子的に表現して、トークンがユーザの目に見えるようにすることができる。このトークンの表現には、トランザクションを行うため必要なデータとともにブランド及び他の画像を含めることができる。トークンを、任意の有線または無線媒体を介して複数のドメインのうちの１つから取得することができ、及び、トランザクションの開始中または完了中に使用することができる。トークンを発行するとき、及び／または、電子ファシリティ１０１に格納するときに、3DESやAESなどを用いて、トークンを暗号化することができる。トークン、サービス、または、アプリケーションを、個人用ものものとすることも、個人用ではないものとすることもでき、及び、高レベルのスループットで、高レベルの効率で、または、クライアントファシリティに対する高レベルの耐障害性を有して提供することができる。この個人用化または提供の全体または一部を、クライアントファシリティに関連付けられたエキスパートシステムにおいて行うことができる。この場合、クライアントファシリティは、ユーザの動作、使用パターン、トランザクションの履歴、日時などの他の外部入力などの観察及び／または分析に基づいて適切な個人用化または提供を決定することができる。
【０３８５】
図３０は、本発明の原理による、請求書提示および支払いトランザクションのようなトランザクション３００２の一態様の高レベルのブロック図を示す。この実施形態において、電子トランザクションファシリティ１０１は、本明細書で説明されるようなクライアントファシリティと関連付けられ得る。また、電子トランザクションファシリティ１０１は、マーチャントファシリティ、小売りファシリティ、公共料金支払請求ファシリティ、サービスファシリティ、又は電子トランザクションファシリティ１０１のユーザとのトランザクションに含まれる任意の他のファシリティ３００４とも関連付けられ得る。また、電子トランザクションファシリティ１０１は、本明細書で説明されるような、メインサービスファシリティ１４２とも関連付けられ得る。いくつかの実施形態において、電子トランザクションファシリティ１０１と他のファシリティとの間の関連付けは、有線および／または無線通信を含むことができ、該通信は、課金情報のダウンロードおよび／または支払情報のアップロードに向けられ得る。
【０３８６】
また、図３０は、本発明による、請求書支払いトランザクション３００８の高レベルのステップも示す。第１のステップ３１１０において、実際の請求書が、請求書発行ファシリティから電子トランザクションファシリティ１０１に発行される。例えば、請求書は、サービス会社（サービス提供者）、製品サプライヤー、又は借金が当然支払われるべきである他の組織により発行され得る支払請求書とすることができる。実施形態において、銀行は、請求書の発行または徴収を容易にするための仲介人として利用され得る。実施形態において、実際の請求書、又はその表現は、本明細書の他の場所で説明される、ユーザ、装置、及びドメインに基づいたトランザクションの認証のような、三次元認証スキームを用いて符号化される。第２のステップ３０１２において、実際の請求書を受領またはそれを表示されると、電子ファシリティ１０１は、実際の請求書の複製を格納できる。特定の実施形態において、複製は、実際の請求書を含むデータのビット対ビット（bit-for-bit）コピーからなることができる。
【０３８７】
第３のステップ３０１４において、ユーザは、受領した請求書に応答して支払いを送ることができ、支払いは購入の時点でなされ得る。場合によっては、電気会社、銀行、ウェブサービス提供者又はコンピュータネットワークを介した他の提供者のような、オンラインの小売りウェブサイト、公共企業体等との該購入の時点は、仮想世界で行われ得る。他の場合には、該購入の時点は、現実世界における地元のコンビニエンスストア、百貨店、ガソリンスタンド、食料雑貨店、ショッピングモール、食料品店、飲食物提供業者、レストラン、又は商品および／またはサービスの他の提供者においてのように、現実世界で行われ得る。実施形態において、ユーザは、オンライン、現実世界、又は別の方法の何れかにおいて、ユーザの電子トランザクションファシリティ１０１を介して係る請求書に代金を払うことができる。
【０３８８】
第４のステップ３０１８において、確認応答、領収書、又はトランザクションの他の表示が、受諾できる支払いに応じて、請求書発行会社により発行され得る。この確認応答には、領収書、確認書、更新された口座明細書、又はトランザクションの受諾できる結果の他の表示が含まれ得る。
【０３８９】
第５のステップ３０２０において、請求書の原本及び／又は確認応答（それらの何れもが、重要データ１４８を含むことができる）がアーカイブされ得る。本明細書の別の場所で説明されるように、メインサービスファシリティのソフトウェアは、重要データ１４８をアーカイブすることができる。また、本明細書の別の場所で説明されるように、電子ファシリティ１０１は、請求書の原本および／または確認応答をアーカイブすることがきる。このステップにおいて、請求書の原本および／または確認応答は、メインサービスファシリティのソフトウェア及び／又は電子ファシリティ１０１によりアーカイブされ得る。
【０３９０】
また、図３０は、クライアントファシリティに提示され得るユーザインターフェース３０２２も示す。ユーザインターフェース３０２２は、アカウントを示すメッセージ；未払金額を示すメッセージ；Pay Now（支払い実行）ボタンのような操作要素；トランザクション及び／又は他の情報のアーカイブ或いは動作ボタンを提供するオプションを含むことができる。実施形態において、ユーザがＬＣＤのタッチスクリーンディスプレイ１００のボタンを指で押すことにより選択することによってなど、所定の方法で操作要素に影響を及ぼす場合に、トランザクションが開始される。実施形態において、ユーザインターフェースは、クライアントファシリティのアプリケーションと関連付けられ得る。ユーザインターフェース及び／又は該アプリケーションは、クライアントファシリティに格納され得る、又はクライアントファシリティと関連付けられ得る、ユーザの好みに基づいて構成され得る。ユーザの好みの記憶または関連付けは、特定のユーザに概して関連付けられた電子トランザクションファシリティ１０１の場合には永久的であり、又は概して公共用に利用可能であるが、或る瞬間に一人のユーザの個人的利用に捧げられるクライアントファシリティの場合等では、一時的である。ユーザは、ＬＣＤのタッチスクリーンディスプレイ１００の好みの選択肢を指で押すことにより選択することによってなど、好みを手動で入力することができる。代案として、クライアントファシリティに関連付けられたエキスパートシステムは、ユーザの挙動（動作）、使用パターン、トランザクションの履歴、時間帯のような他の外部入力などの観察および／または分析に基づいて、好みを識別することができる。
【０３９１】
実施形態において、超過引出し保護、課金の警告、顧客のフィードバックなどのような付加価値サービスが提供され、トランザクションと関連付けられ得る。例えば、電子トランザクションファシリティ１０１を用いて、電子トランザクションファシリティ１０１がそれに対して十分な資金を持っていない第２のファシリティ３００４との取引に関係することができる。通常の状況の下では、これは、拒絶されたトランザクションという結果になる可能性がある。しかしながら、動作の通常の成り行きである第１のファシリティ１０１と関連付けられた資金から或る金額を差し引くのとは対照的に、超過引出し保護を用いて、第４のファシリティ１４２がトランザクションを清算（決済）し、超過引出し保護されたファシリティと関連付けられた口座に借方を記入することができる。
【０３９２】
一般に、顧客は、第４のファシリティ１４２を利用する誰でもよい。顧客は、ユーザインターフェースを介して第４のファシリティ１４２を利用することができ、そのユーザインターフェースは、顧客側のウェブベースのインターフェース、顧客に関連付けられた自律エージェントと第４のファシリティ１４２との間の対話、第２のファシリティ３００４と第４のファシリティ１４２との間の予め指示されている（scripted）相互作用、第２のファシリティ３００４と第４のファシリティ１４２との間の定期的な相互作用、第２のファシリティ３００４と第４のファシリティ１４２との間のイベント駆動型の相互作用、又は第２のファシリティ３００４と第４のファシリティ１４２との間の任意の他の実施可能な相互作用を含むことができる。
【０３９３】
一般に、人々は、互いに月毎にいくつかのトランザクションを行う。実施形態において、人対人のトランザクションを改善するシステムと方法が提供される。実施形態において、トランザクションは、経済取引を含むことができ、例えば、家賃の支払い、電気、ガス、ケーブルテレビ及び電話のような家の公共料金、レストランの勘定全部をクレジットカードで支払った友人に返金することに関係する。実施形態において、トランザクションは、例えば、政府発行のＩＤカード、健康保険証、銀行のキャッシュカード、クレジットカード（例えば、身分証明のために）を別の人に見せる及び／又は送るような、実際には非経済的である場合もある。実施形態において、トランザクションは、例えば、以下に制限しないが、個人小切手（貸すため等）；後日の現金（レストランの食事に関して友人に後で返済する等）；バーテンダーに運転免許証を手渡す（バーテンダーが運転免許証に関連した人の年齢を確認することを可能にする等）ような、物理的物体の交換を通じて完了する。
【０３９４】
実施形態において、第１の人は、直接的に、電子的に、無線で及び／又は安全に第２の人とトランザクション（取引）を行うことができる。実施形態において、トランザクションには、第１の人に関連付けられ得る第１の電子ファシリティ１０１から、他の人に関連付けられ得る第２の電子ファシリティ１０１への直接通信が含まれ得る。実施形態により、第２の人が、例えば、第１の人に関連したお金または情報のような、トランザクションの対象物を、第２の電子ファシリティ１０１を介して直接的にリアルタイムで又はほぼリアルタイムで受け取ることを可能にすることができる。実施形態において、第２の人は、本明細書で説明されるシステムと方法を用いて、信頼できる公共デジタルファシリティを介してリアルタイムでトランザクションの対象物を集めることができる。これは、利便性を上げて、非効率性を大幅に低減する結果となる。
【０３９５】
図３１は、本発明の原理による、トランザクションの一態様の高レベルブロック図を示す。この実施形態において、Ｐ２Ｐトランザクションが提供される。各要素は、本明細書の別の場所で説明されている図９の要素に対応することができる。第１のファシリティＦ１は、第１の電子ファシリティ１０１を含み、第１の人に関連付けられ得る。第２のファシリティＦ２は第２の電子ファシリティ１０１を含むことができる。Ｆ４は、メインサービスファシリティ１４２を含むことができる。
【０３９６】
図３１は、本発明の原理による、トランザクションの流れ図３１０２の高レベルのステップを示す。第１のステップ３１０４において、実際のトランザクション要求が発行される。例えば、以下に限定されないが、実際のトランザクション要求は、第１の人から第２の人へ提供される現金の承認に関する要求、第１の人から第２の人へ提供される情報の承認に関する要求などとすることができる。実際のトランザクション要求は、本明細書の別の場所で説明される、三次元認証スキームを用いて符号化され得る。
【０３９７】
第２のステップ３１０８において、実際のトランザクション要求を受領すると、第２の電子ファシリティ１０１が、実際のトランザクション要求の複製を格納することができる。いくつかの実施形態において、この複製は、実際のトランザクション要求を含むデータのビット対ビット（bit-for-bit）コピーからなることができる。
【０３９８】
第３のステップ３１１０において、第２の人は、トランザクションの時点でトランザクションの対象物を受け取ることができる。場合によっては、該トランザクションの時点は、電子的に長距離にわたるような仮想世界で行われ得る。他の場合には、該トランザクションの時点は、第１の人が第２の人の近傍におり、以下に制限されないが、本明細書の別の場所で説明されるＩｒＤＡ又は他の手段を介して実際のトランザクション要求を第２の人に「送出する」ような、現実世界で行われ得る。いずれにせよ、何れかの人がクライアントファシリティにアクセスできる。何れかの人のクライアントファシリティとの対話は、第４のファシリティＦ４を含むことができ、且つ図９に関する説明で詳述されたトランザクションステップを含むことができるトランザクションステップに関係するように、第１のファシリティＦ１及び／又は第２のファシリティＦ２に影響を及ぼすことができる。
【０３９９】
第４のステップ３１１２において、トランザクションを示す物は、図９の確認書のように、第４のファシリティＦ４により第１のファシリティＦ１及び／又は第２のファシリティＦ２に発行され得る。この確認書には、受領書（領収書）、確認応答、更新された口座明細書、又はトランザクションの結果に関する任意の他の表示が含まれ得る。
【０４００】
第５のステップ３１１４において、複製及び／又は確認書（その何れもが重要データ１４８を含むことができる）がアーカイブされ得る。本明細書の別の場所で説明されるように、メインサービスファシリティのソフトウェアは、重要データ１４８をアーカイブすることができる。また、本明細書の別の場所で説明されるように、電子ファシリティ１０１は、複製及び／又は確認応答をアーカイブすることがきる。このステップにおいて、複製及び／又は確認応答は、メインサービスファシリティのソフトウェア、第１の電子ファシリティ１０１、及び／又は第２の電子ファシリティ１０１によりアーカイブされ得る。
【０４０１】
また、図３１は、本発明の原理による、ユーザインターフェース３１１８も示す。ここで提示されたユーザインターフェース３１１８は、例示のためであり、制限するためではない。ユーザインターフェース３１１８には、意図された受領者を示すメッセージ；送り主（第１の人など）から受領者（第２の人など）に移されるべき金額を示すメッセージ；「Transfer Now（送金実行）」ボタンのような操作要素；トランザクションのアーカイブ及び／又はＰ２Ｐトランザクションに関連した他の機能を提供するオプションが含まれ得る。実施形態において、第１の人がＬＣＤのタッチスクリーンディスプレイ１００のボタンを指で押すことにより選択することによってなど、所定の方法で操作要素に影響を及ぼす場合に、トランザクションが開始される。
【０４０２】
実施形態において、トランザクションに関連した超過引出し保護のような追加の付加価値サービスが提供され得る。例えば、第１のファシリティＦ１を用いて、第１のファシリティＦ１がそれに関連した十分な資金を持っていない第２のファシリティＦ２との取引に関係することができる。通常の状況の下では、これは、拒絶されたトランザクションという結果になる可能性がある。しかしながら、動作の通常の成り行きである第１のファシリティＦ１と関連付けられた資金から或る金額を差し引くのとは対照的に、超過引出し保護を用いて、第４のファシリティＦ４がトランザクションを清算し、超過引出し保護されたファシリティと関連付けられた口座に借方を記入することができる。
【０４０３】
実施形態において、顧客は、第４のファシリティＦ４を利用する誰でもよい。顧客は、ユーザインターフェースを介して第４のファシリティＦ４を利用することができ、そのユーザインターフェースは、顧客側のウェブベースのインターフェース、顧客に関連付けられた自律エージェントと第４のファシリティＦ４との間の対話、第２のファシリティＦ２と第４のファシリティＦ４との間の予め指示されている相互作用、第２のファシリティＦ２と第４のファシリティＦ４との間の定期的な相互作用、第２のファシリティＦ２と第４のファシリティＦ４との間のイベント駆動型の相互作用、又は第２のファシリティＦ２と第４のファシリティＦ４との間の任意の他の実施可能な相互作用を含むことができる。
【０４０４】
多くの消費者は、例えば、以下に限定されないが、プリペイド携帯電話のようなプリペイドファシリティを利用する。多くの実施形態において、これらファシリティは、プリペイドファシリティへの資金の追加である「トップアップ（補充）」として一般に知られていることを可能にする。これは、プリペイドファシリティが最終的に時間の経過と共に、及び／又は使用することで使い尽くされるので、好都合である。
【０４０５】
本発明は、消費者が直接的に、電子的に、無線で、且つ安全にマーチャントファシリティを介してトップアップ（補充）トランザクションを行う、及び直接的に第１の電子ファシリティ１０１からサプライヤーファシリティとのトップアップトランザクションを行うことができる一意の解決策を説明する。また、一意の解決策により、マーチャントファシリティが、サプライヤー（供給者）ファシリティの小売り代理人としてリアルタイムでふるまうことが可能になる。これは、利便性を上げてトランザクションコストを低減する結果になることができる。
【０４０６】
図３２は、本発明の原理による、トップアップトランザクションのようなトランザクション３２０８の一態様の高レベルブロック図を示す。各要素は、本明細書の別の場所で説明される図１２の要素に対応することができる。第１のファシリティＦ１は、電子ファシリティ１０１を含むことができ、消費者と関連付けられ得る。第２のファシリティＦ２は、携帯電話サービス提供業者ファシリティのような、サプライヤーファシリティを含むことができる。Ｆ３は、マーチャントファシリティを含むことができる。Ｆ４は、メインサービスファシリティ１４２を含むことができる。
【０４０７】
また、図３２は、本発明の原理による、トランザクション３２０２の高レベルのステップも示す。第１のステップ３２１０において、実際のトランザクション要求が発行される。例えば、以下に制限されないが、実際のトランザクション要求は、マーチャントファシリティ（恐らく消費者の強い要請により）からメインサービスファシリティ１４２に発行されたトップアップトランザクションの要求とすることができる。実際のトランザクション要求は、メインサービスファシリティ１４２によりサプライヤーファシリティ及び／又は電子ファシリティ１０１に転送される、変更される又は変更されないことができる。実際のトランザクション要求は、本明細書の別の場所で説明される、三次元認証スキームを用いて符号化され得る。
【０４０８】
第２のステップ３２１２において、実際のトランザクション要求を受領すると、メインサービスファシリティ１４２、サプライヤーファシリティ、及び／又は電子ファシリティ１０１が、実際のトランザクション要求の複製を格納することができる。いくつかの実施形態において、該複製は、実際のトランザクション要求を含むデータのビット対ビットコピーからなることができる。
【０４０９】
第３のステップ３２１４において、トランザクションの時点で、資金が消費者に関連した口座から電子ファシリティ１０１に関連した口座に移され得る。実施形態において、該トランザクションの時点は、ウェブサイトを介したトップアップのような仮想世界で行われ得る。実施形態において、該トランザクションの時点は、第１の人がマーチャントの店内にいるような、現実世界で行われ得る。実施形態において、消費者がクライアントファシリティにアクセスできる。消費者のクライアントファシリティとの対話は、第４のファシリティＦ４を含むことができ、第２のファシリティＦ２及び第３のファシリティＦ３を含むことができ、且つ図１２に関する説明で詳述されたトランザクションステップを含むことができる、トップアップトランザクションに関連したトランザクションステップを開始するように、第２のファシリティＦ２に影響を及ぼすことができる。
【０４１０】
第４のステップ３２１８において、図１２のトランザクション確認書および／または認証のような、トランザクションを示す物が、第４のファシリティＦ４により第２のファシリティＦ２及び／又は第３のファシリティＦ３に発行され得る。この確認書および／または認証には、領収書、確認応答、更新された口座明細書、又はトランザクションの結果に関する任意の他の表示が含まれ得る。
【０４１１】
第５のステップ３２２０において、複製及び／又は確認書および／または認証（その何れもが重要データ１４８を含むことができる）がアーカイブされ得る。本明細書の別の場所で説明されるように、メインサービスファシリティのソフトウェアは、重要データ１４８をアーカイブすることができる。また、本明細書の別の場所で説明されるように、電子ファシリティ１０１は、複製をアーカイブすることがきる。このステップにおいて、複製及び／又は確認書および／または確認応答は、メインサービスファシリティのソフトウェア、マーチャントファシリティ、及び／又はサプライヤーファシリティによりアーカイブされ得る。
【０４１２】
また、図３２は、本発明の原理による、ユーザインターフェース３２０４も示す。実施形態において、ユーザインターフェース３２０４は、クライアントファシリティで提供され得る。ここで提示されたユーザインターフェースは、例示のためであり、制限するためではない。ユーザインターフェースには、未決定のトップアップのような未決定のトランザクションを示すメッセージ；トップアップの未決定の金額を示すメッセージ；「Top Up Now（補充実行）」のような操作要素；トランザクションのアーカイブ及び／又はトランザクションに関連した他の情報を提供するオプションが含まれ得る。実施形態において、トランザクションは、消費者の強い要請によりマーチャント（商人）により開始され得る。実施形態において、トランザクションは、消費者がＬＣＤのタッチスクリーンディスプレイ１００のボタンを指で押すことにより選択することによってなど、所定の方法で操作要素と相互作用した後に、完了され得る。
【０４１３】
実施形態において、トランザクションに関連した超過引出し保護のような追加の付加価値サービスが提供され得る。例えば、第１のファシリティＦ１を用いて、第１のファシリティＦ１がそれに関連した十分な資金を持っていない第２のファシリティＦ２との取引に関係することができる。通常の状況の下では、これは、拒絶されたトランザクションという結果になる可能性がある。しかしながら、動作の通常の成り行きである第１のファシリティＦ１と関連付けられた資金から或る金額を差し引くのとは対照的に、超過引出し保護を用いて、第４のファシリティＦ４がトランザクションを清算し、超過引出し保護されたファシリティと関連付けられた口座に借方を記入することができる。
【０４１４】
実施形態において、顧客は、第４のファシリティＦ４を利用する誰でもよい。顧客は、ユーザインターフェースを介して第４のファシリティＦ４を利用することができ、そのユーザインターフェースは、顧客側のウェブベースのインターフェース、顧客に関連付けられた自律エージェントと第４のファシリティＦ４との間の対話、第２のファシリティＦ２と第４のファシリティＦ４との間の予め指示されている相互作用、第２のファシリティＦ２と第４のファシリティＦ４との間の定期的な相互作用、第２のファシリティＦ２と第４のファシリティＦ４との間のイベント駆動型の相互作用、又は第２のファシリティＦ２と第４のファシリティＦ４との間の任意の他の実施可能な相互作用を含むことができる。実施形態において、第３のファシリティＦ３と第４のファシリティＦ４との間の相互作用は、手動または自動とすることができ、マーチャントがトップアップトランザクションを開始する消費者の要求のイベントにより開始されるような、イベント駆動型とすることできる。
【０４１５】
本発明の一態様は、電子トランザクションファシリティを介して、健康管理サービス、製品、身分証明、医療記録と他の資料、作品及びサービスを提供することに関する。実施形態において、トランザクションは、本質的に経済的、及び／又は本質的に非経済的とすることができる。
【０４１６】
図３３は、本発明の原理による、医療トランザクションプロセス３３２２を示す。実施形態において、該プロセスは、健康管理に関連した記録を電子トランザクションファシリティ３３０２に発行することを含む。実施形態において、電子トランザクションファシリティは、本明細書で説明されるような電子トランザクションファシリティとすることができる。医療記録を電子トランザクションファシリティに送ることに次いで、該記録は、電子トランザクションファシリティと関連したメモリに格納され得る（３３０４）。実施形態において、次いで、該記録は、別の電子トランザクションファシリティに伝達され得る（３３０８）。実施形態において、トランザクション（単数または複数）の受領書が、電子トランザクションファシリティに返信され得る。また、図３３は、医療トランザクション３３２４も示す。実施形態において、電子トランザクションファシリティ１０１は、医療記録を検索および／または医療記録を医療ファシリティ３３１４に送るために使用され得る。医療ファシリティ３３１４は、コンピュータ、コンピュータネットワーク、又は係る医療記録の記憶に使用される他の係るファシリティと関連付けられ得る。
【０４１７】
実施形態において、電子トランザクションファシリティのユーザは、ユーザが健康管理を受けた医療提供者からの、電子フォーマットで記憶された個人の医療記録を有することができる。例えば、ユーザは、医師の診療室、病院または他の医療ファシリティから電子医療記録を受け取ることができる。実施形態において、電子医療記録は、患者の住所、電話番号、E-mailアドレス、緊急連絡情報、主なかかりつけの医者、年齢、身長、体重、血液型、病状（例えば、疾病、血圧、コレステロール値）、現時点で処方されている薬剤、アレルギー、過去の外科手術、過去の医療提供者、現在の健康保険提供者と保険証券番号、及び／又はユーザの医療履歴および／または治療に関連した他の情報のような、情報を含むことができる医者の診療室に保管された医療記録の電子複写画像とすることができる。実施形態において、次いで、ユーザは、電子医療記録をクライアントファシリティに格納することができる。例えば、クライアントファシリティは、携帯電話、ＰＤＡ、ポケットＰＣ、家庭用コンピュータ、又はデータを格納できる他の装置とすることができる。クライアントファシリティは、１つの医療提供者からの電子医療記録を格納することができ、少なくとも１つの医療提供者の電子医療記録を格納することができる。実施形態において、医療情報の発行者は、ユーザのトランザクションファシリティにトランザクションの受領書を発行することができる。実施形態において、ユーザは、ユーザの電子トランザクションファシリティを介して、医療記録の発行者に受領書を発行することができる。
【０４１８】
実施形態において、ユーザは、医療提供者との相互作用に関連する格納された個人の健康管理情報から選択することができる。例えば、ユーザが電子医療記録にアクセスした後、ユーザは、医療提供者へのユーザの訪問に対する補償を受け取るために、医療提供者に必要な健康保険情報を送信することができる。ユーザは、遠隔位置、一例として家から、又は仕事の場所にいながら、健康保険情報を更新することができる。医療提供者の場所にいる場合、ユーザは、健康保険情報を医療提供者の事業所に送信するために、携帯型コンピュータ装置を使用することができる。実施形態において、送信された情報を受領することにより、トランザクションの受領書が送信され得る。
【０４１９】
実施形態において、旅行中に緊急の診療を必要としているユーザは、ユーザの遠隔の医療提供者から携帯電話またはＰＤＡのようなユーザの装置に直接的に送信されたユーザの電子医療記録を有することができ、ユーザが治療を受けたことがない医療提供者が、その記録を利用できるようにする。遠隔の医療提供者ファシリティでの治療の間に、ユーザの電子医療記録が更新され、ユーザが、遠隔のファシリティで得られた新たな治療記録を一次医療提供者の記録と統合することが可能になり、この新たな治療情報を一次医療提供者と共有することが可能になる。
【０４２０】
実施形態において、ユーザは、ユーザが電子健康保険証書として電子フォーマットで医療保険情報を受け取る、少なくとも１つの保険業者からの健康保険情報を有することができる。例えば、ユーザは、医療保険会社から直接的に電子健康保険証書を受け取ることができる。実施形態において、電子健康保険証書は、ユーザの名前、住所、健康保険証券番号、健康保険提供者に対する連絡情報、保険適用の開始日と満了日、ユーザのかかりつけの医者、及び／又はユーザの健康保険の補償範囲に関連した他の情報を含むことができる、ユーザの医療を保険で保証する健康保険証書の電子複写画像とすることができる。実施形態において、次いで、ユーザは、クライアントファシリティに電子健康保険証書を格納することができる。例えば、クライアントファシリティは、携帯電話、ＰＤＡ、ポケットＰＣ、家庭用コンピュータ、又はデータを格納できる他の装置とすることができる。クライアントファシリティは、１つの健康保険提供者からの少なくとも１つの電子健康保険証書を格納することができる。
【０４２１】
実施形態において、ユーザは、医療提供者、薬局、又はユーザが健康保険証を持っていく他の医療エンティティとの相互作用に関連する格納された電子健康保険証書から選択することができる。例えば、医療提供者のファシリティに入ることを許可されると、ユーザは、医療提供者へのユーザの訪問に対する補償を受け取るために医療提供者に必要な健康保険情報を送信することができる。ユーザは、遠隔位置、一例として家から、又は仕事の場所にいながら、健康保険情報を更新することができる。医療提供者の場所にいる場合、ユーザは、健康保険情報を医療提供者の事業所に送信するために、携帯型コンピュータ装置を使用することができる。更に、健康保険提供者は、ユーザの装置に直接的に新しい情報を送信することにより、遠隔的にユーザの健康保険証の情報を更新することができる。ユーザが処方薬の保険適用を行う健康保険を有する場合、ユーザは、処方薬の販売時に薬局で電子健康保険証書を提示することができる。実施形態において、本明細書で説明されるように、該証書は、実際の証書の表現として送信されて格納される。
【０４２２】
実施形態において、ユーザは、ユーザの医療提供者から適切な健康保険提供者への、健康保険提供者により必要とされる医療照会を要求し、取得して送信することができる。
【０４２３】
実施形態において、医師は、ユーザに対する薬剤処方箋をユーザの装置に直接的に送信することができる。実施形態において、電子的薬剤処方箋は、医者の名前と連絡情報、患者の名前、処方された薬、適正な投薬量と処方された量、処方箋の日付、又はユーザの薬剤処方箋に関連した他の情報を含む、医師のＤＥＡ認可の薬剤処方箋の形式からなる電子複写画像とすることができる。実施形態において、ユーザは、クライアントファシリティに電子的薬剤処方箋を格納することができる。例えば、クライアントファシリティは、携帯電話、ＰＤＡ、ポケットＰＣ、家庭用コンピュータ、又はデータを格納できる他の装置とすることができる。クライアントファシリティは、１つの医療提供者からの少なくとも１つの電子的薬剤処方箋を格納することができる。
【０４２４】
実施形態において、ユーザは、薬剤師との販売の時点で電子的薬剤処方箋を送信することができる。例えば、薬局に入ると、ユーザは、ユーザの装置から薬局の電子ネットワークに直接的に電子的薬剤処方箋を送信することができる。電子的薬剤処方箋が本物かを確認する際に薬局を補助するために、処方箋は、電子透かし又は他の安全確保暗号化装置に結合され得る。実施形態において、薬剤師は、本発明の原理に従って、受領書を送信することができる。
【０４２５】
実施形態において、製薬業者は、ユーザの現在の医療ニーズに関連する特定の薬に関して直販販売手段を提供することができる。この直販販売手段は、医師がユーザの装置に処方箋を送信した時点で、ユーザの装置から薬局のネットワークに処方箋をユーザが送信した時点で、又は双方の時点で行われ得る。また、ユーザの現在の場所での薬局に関する、価格、在庫リスト、営業時間、又は他の情報のような薬局の情報は、製薬業者の直販販売手段と同様に、ユーザの装置に送信され得る。
【０４２６】
実施形態において、ユーザは、医療提供者に電子的インフォームドコンセント用紙を送信することができる。例えば、救急外来に入ることを許可された際に、ユーザは、処置に関する電子的インフォームドコンセントをユーザの装置から病院の電子ネットワークに送信することができる。同様に、臨床研究の試みに参加する資格があるユーザは、その臨床研究の試みに参加するためのインフォームドコンセント用紙をユーザの装置から医療提供者のネットワークに直接的に送信することができる。
【０４２７】
実施形態において、ユーザは、電子的緊急医療情報および医学的連絡窓口をユーザの装置に直接的に格納することができる。実施形態において、電子的緊急医療情報は、ユーザの名前、住所、電話番号、医療記録の場所、薬剤に対するアレルギー、現在服用中の薬のリスト、血液型、疾病、臓器提供の希望、又はユーザの薬剤処方箋に関連した他の情報を集約することができる。実施形態において、次いで、ユーザは、電子的薬剤処方箋をクライアントファシリティに格納することができる。例えば、クライアントファシリティは、携帯電話、ＰＤＡ、ポケットＰＣ、家庭用コンピュータ、又はデータを格納できる他の装置とすることができる。クライアントファシリティは、一人のユーザからの少なくとも１つの緊急医療記録を格納することができる。
【０４２８】
実施形態において、ユーザは、本発明の態様に従って、電子トランザクションファシリティに個人情報を格納することができる。例えば、ユーザは、電話番号、住所、E-mailアドレス、ソーシャルセキュリティーカード、運転免許証、クレジットカード口座、デビットカード口座、名刺情報、住所録、E-mailアドレス帳、又は他の個人的身分証明書のような情報を格納することができる。実施形態において、個人情報は、運転免許証、ソーシャルセキュリティーカード、個人ＩＤのようなトランザクションに必要な情報、又はE-mail、メッセージ、又は電話で知人と連絡するのに必要な情報とすることができる。ユーザは、金融取引のために身分証明の証拠として個人情報を伝える必要がある場合があり、その身分証明には、名前、住所、画像、バーコード、又は商取引で確実な確認をするための他の情報が含まれ得る。実施形態において、ユーザは、個人情報を交換するために他のユーザと通信することができる。例えば、ユーザは、約束をするために近くにいる知人に連絡することができる。実施形態において、また、ユーザは、会議において電子的名刺を交換することもでき、この場合、電子的名刺は、名刺の複写画像とすることができる。
【０４２９】
実施形態において、ユーザクライアントからの全送信を精査することができる個人識別マネージャが存在することができる。例えば、該マネージャは、E-mailアドレスのグループが関連付けられているかを判定し、新たなE-mailがこれらE-mailアドレスのいくつかと関連づけられているかを判定するために、E-mailの配布リストを精査することができ、個人情報マネージャは、ユーザがE-mailの関連したアドレスを含めることを望む場合に、尋ねることができる。また、個人識別マネージャは、ユーザが移動している際に追跡することもでき、得られた知人のサブセットを確立することができる。同じ場所への次回の訪問の際に、個人識別マネージャは、ユーザが他の関連した知人に連絡することを望むか否かを尋ねることができる。実施形態において、個人識別マネージャは、場所を判定するためにユーザのクライアントコンピュータの利用可能な位置検出ファシリティと接続して機能することができる。例えば、個人識別マネージャは、ユーザが住所録の住所に一致する場所にいるかを判定し、住所録の人との連絡が適切であるかもしれないことを提案することができる。
【０４３０】
実施形態において、個人情報マネージャは、個人の請求書支払いを追跡することができ、個人資金の変化に関する提案を行うことができる。例えば、個人情報マネージャは、別の利用可能なカードよりも高い利率のクレジットカードをユーザが使用していることを判定することができる。個人情報マネージャは、ユーザがより低い金利のクレジットカードを利用することを提案することができる。
【０４３１】
図３４は、本発明の原理に従って、ユーザ３４２２間で個人情報を交換するためのプロセスの流れ図を示す。例えば、プロセスは、会議における名刺の交換を含むことができる。一実施形態において、ユーザは、名刺の複写画像をユーザのクライアントコンピュータ（例えば、本明細書で説明されるような電子トランザクションファシリティ）に格納することができる（３４０２）。名刺の複写画像は、名前、住所、商号、ビジネスアイコン、個人画像、又は名刺に関連した他の情報のような関連した属性を含むことができる。一実施形態において、第１のユーザは、名刺を第２のユーザに送信する（３４０４）ことができる。
【０４３２】
一実施形態において、第２のユーザが第１のユーザからの名刺を受け取った後に、返答３４０８が送信され得る。例えば、返答３４０８は、名刺が受領された確認応答とすることができ、第１のユーザの名刺が受領された表示を備える第１のユーザの名刺の複写画像とすることができる。一実施形態において、第２のユーザは、第２のユーザの名刺の複写画像を送信することにより返答することができる（３４０８）。第２のユーザの名刺の複写画像を備える返答は、第１のユーザの送信に対する返答３４０８とすることができる。
【０４３３】
一実施形態において、第１のユーザは、複写画像の返答をアーカイブに格納することができる（３４１０）。例えば、名刺の複写画像は、ユーザのクライアントコンピュータの少なくとも１つのカテゴリにアーカイブされ得る（３４１０）。クライアントコンピュータは、ビジネス、名前、住所、又は他のカテゴリにより、カテゴリに名刺の複写画像をアーカイブすることができる。
【０４３４】
ユーザクライアントファシリティ３４１２とメインサービスファシリティ１４２と第２のユーザクライアントファシリティ３４１４との間の通信の実施形態が示される。同じ名刺の例を用いると、ユーザ３４１２は、ユーザの名刺の複写画像を第２のユーザ３４１４に送信することを望んでいる。一実施形態において、ユーザ３４１２は、名刺の複写画像の送信を開始することができる（３４１８）。一実施形態において、ユーザのクライアントコンピュータ３４１２は、家庭用ＰＣ、キオスクのＰＣ、携帯電話、ＰＤＡ、ポケットＰＣ、又は他の類似したコンピュータ装置とすることができる。該送信は、メインサービスファシリティ１４２に送られ得る（３４１８）。メインサービスファシリティ１４２は、ユーザの送信３４１２を意図された受信者（第２のユーザ３４１４）に一致させることができる。一実施形態において、メインサービスファシリティ１４２は、名刺の複写画像を第２のユーザ３４１４に送信することができる（３４２０）。一実施形態において、第２のユーザのクライアントコンピュータ３４１４は、家庭用ＰＣ、キオスクのＰＣ、携帯電話、ＰＤＡ、ポケットＰＣ、又は他の類似したコンピュータ装置とすることができる。
【０４３５】
一実施形態において、第２のユーザ３４１４は、名刺の複写画像を受け取ることができる。一実施形態において、第２のユーザ３４１４は、第２のユーザ３４１４の名刺の複写画像で、又は第１のユーザの名刺の複写画像の確認応答で第１のユーザ３４１２に返答を送信することができる（３４２０）。一実施形態において、メインサービスファシリティ１４２は、第１のユーザ３４１２に対する返答を一致させ、第２のユーザ３４１４の名刺または第１のユーザ３４１２に対する確認応答を送信する（３４１８）。返答の受信後、第１のユーザ３４１２は、前述したように、返答をアーカイブすることができる。
【０４３６】
一実施形態において、ユーザクライアント３４１２と第２のユーザ３４１４との間の通信は、異なる場所にいるユーザと、又は同じ場所にいるユーザと遠隔的に行われ得る。
【０４３７】
図３５を参照すると、ユーザの携帯型クライアントコンピュータ装置３５０４の実施形態が図示される。例えば、携帯型コンピュータ装置は、携帯電話、ＰＤＡ、ポケットＰＣ、タブレットＰＣ、又は他の類似したコンピュータ装置とすることができる。一実施形態において、クライアントコンピュータ３５０４は、個人情報を管理するためのユーザインターフェース３５１２を有することができる。ユーザインターフェース３５１２は、少なくとも１つのナビゲーション方法を有することができる。例えば、ユーザインターフェース３５１２は、メニュー３５０４、ナビゲーションボタン３５１０、アクションウィンドウ３５０８、又は他のナビゲーション方法を有することができる。メニュー３５０４は、アクション見出しファイル、サーチ、カテゴリ、終了、又は他の必要なアクションの分類を含むことができる。これらメニュー３５０４のアクションの各分類内には、個々のアクションが存在することができる。また、ユーザインターフェース３５１２は、メニュー３５０４のアクション項目の機能を実行することができるショートカットボタン３５１０を有することもできる。メニュー３５０４又はボタン３５１０からアクションを選択後、アクションウィンドウ３５０８は、選択されたアクションに関連付けられ得るアクションを表示するためにアクセスされ得る。例えば、Personal Action （個人のアクション）の表示のアクションに応答して、アクションウィンドウは、電話番号、住所、職業、又はカードのような利用可能なアクションを表示することができる。利用可能なアクションは、他のアクションを開始するために選択され得る。
【０４３８】
一実施形態において、ユーザは、ユーザのクライアントコンピュータ装置で宝くじを購入することができる。一実施形態において、ユーザのクライアントコンピュータ装置は、家庭用コンピュータ、公共のキオスクのコンピュータ、携帯電話、ＰＤＡ、ポケットＰＣ、タブレットＰＣ、又は本発明の態様に従って通信できる他のコンピュータ装置とすることができる。一実施形態において、ユーザは、賭博（ゲーミング）ファシリティからの宝くじの購入を開始することができる。賭博ファシリティは、認可されて賭博組織の宝くじを発行できる任意のファシリティとすることができる。例えば、ユーザは、任意の政府運営の賭博事業または合法の賭博事業（例えば、賭博のカジノ）からチケットを購入することができる。実施形態において、ユーザは、個人的に宝くじ番号を選択することができ、ユーザのクライアントファシリティにランダムに番号を選ばせることができ、及び／又は賭博ファシリティにランダムに番号を選ばせることを要求することができる。ユーザは、宝くじの購入情報を有線または無線で賭博ファシリティに送信することができる。一実施形態において、ユーザは、宝くじを賭博ファシリティ以外の場所から、又は賭博ファシリティで局所的に購入することができる。例えば、ユーザは、公共のカフェ、又は宝くじの交換を扱う他の取引センタを通じて、インターネットを介して宝くじを購入することができる。
【０４３９】
図３６は、本発明の原理による、宝くじの購入に関する流れ図３６２４を示す。一実施形態において、ユーザは、賭博ファシリティで賭けるために宝くじ番号を選択する（３６０２）。番号はユーザにより選択され得る、又はユーザのクライアントコンピュータによりランダムに選択され得る、或いはユーザは宝くじ番号をランダムに選択するように賭博ファシリティに要求することができる。次いで、ユーザは、宝くじ番号、及び／又は他の属性をユーザのクライアントファシリティに格納することができる（３６０４）。該他の属性は、ユーザの賭博識別番号、名前、電話番号、又は宝くじの購入者としてユーザを識別するための他の情報とすることができる。一実施形態において、ユーザは、宝くじの購入を属性と共に賭博ファシリティに送信することができる（３６０８）。
【０４４０】
一実施形態において、賭博ファシリティは、ユーザからの宝くじ購入要求を受け取り、宝くじの購入を処理することができる。例えば、賭博ファシリティは、ユーザに宝くじを発行する前に、宝くじの支払い（ペイメント）を処理することができる。支払い情報は、ユーザからの宝くじの要求と共に受信される。支払いの照合の後、賭博ファシリティは、宝くじの購入の領収書としてユーザに宝くじの実際の複写画像を発行することができる（３６１０）。宝くじの実際の複写画像には、宝くじの支払いの確認応答、例えば、単語「領収済み」がマーキングされ得る。また、賭博ファシリティは、宝くじの複写画像、及び宝くじの支払いを示す領収書も発行することができる。
【０４４１】
ユーザが賭博ファシリティから宝くじの複写画像のコピーを受け取ると、ユーザは、複写画像をアーカイブに格納することができる（３６１２）。アーカイブは、ゲームのタイプ、抽選日、購入日、又はユーザにより選択された他の目録により登録され得る。
【０４４２】
図３６で続けると、ユーザクライアントファシリティ３６１４とメインサービスファシリティ１４２と賭博ファシリティクライアント３６１８との間の通信の流れに関する実施形態が示される。一実施形態において、ユーザクライアント３６１４は、賭博ファシリティクライアント３６１８への通信を開始することができる。ユーザクライアント３６１４は、関連した属性と共に宝くじの要求をメインサービスファシリティ１４２に送信することができる（３６２０）。実施形態において、属性は、宝くじの数、宝くじの番号情報、ユーザＩＤ、支払い方法、及び宝くじの購入に必要な他の情報とすることができる。メインサービスファシリティ１４２は、要求された賭博ファシリティ３６１８と宝くじの要求を一致させて、全情報を送信することができる（３６２２）。
【０４４３】
一実施形態において、賭博ファシリティクライアント３６１８は、メインサービスファシリティ１４２からの宝くじ要求情報を受信することができる。賭博ファシリティは、ユーザからの支払いを処理し、宝くじの複写画像をユーザクライアント３６１４に発行することができる。宝くじの複写画像には、宝くじの支払いの確認がマーキングされるか、又は宝くじの複写画像が宝くじの支払いを示す領収書と共に送信され得る。賭博ファシリティ３６１８は、属性と共に宝くじの複写画像を送信する（３６２２）ことができ、該属性は、購入日、宝くじの抽選日、又は他の宝くじ情報とすることができる。
【０４４４】
一実施形態において、メインサービスファシリティ１４２は、宝くじの複写画像と属性を受け取り、それらをユーザ３６１４と一致させることができる。次いで、該メインサービスは、宝くじの複写画像と属性をユーザ３６１４に送信することができる（３６２０）。ユーザ３６１４は、前述されたように、複写画像を格納することができる。
【０４４５】
一実施形態において、ユーザ３６１４又は賭博ファシリティ３６１８は、宝くじの当選の通知に関する通信を開始することができる。一実施形態において、説明された通信方法を用いて、ユーザ３６１４は、少なくとも１つの宝くじの番号が当選したか否かを、賭博ファシリティに要求することができる。一実施形態において、宝くじの抽選後、賭博ファシリティは、宝くじの当選通知を全ての当選者に送信することができる。当選の通知後、賭博ファシリティは、当選金額をユーザの指示した銀行口座、クレジット口座、デビット口座、又は他の指定された口座に入れることができる。
【０４４６】
図３７を参照すると、ユーザの携帯型クライアントコンピュータ装置３７０４の実施形態が示される。例えば、携帯型コンピュータ装置は、携帯電話、ＰＤＡ、ポケットＰＣ、タブレットＰＣ、又は他の類似したコンピュータ装置とすることができる。一実施形態において、クライアントコンピュータ３７０４は、宝くじの購入に関するユーザインターフェース３７１２を有することができる。ユーザインターフェース３７１２は、少なくとも１つのナビゲーション方法を有することができる。例えば、ユーザインターフェース３７１２は、メニュー３７０４、ナビゲーションボタン３７１０、アクションウィンドウ３７０８、又は他のナビゲーション方法を有することができる。メニュー３７０４は、アクション見出しファイル、サーチ、カテゴリ、終了、又は他の必要なアクションの分類を含むことができる。これらメニュー３７０４のアクションの各分類内には、個々のアクションが存在することができる。また、ユーザインターフェース３７１２は、メニュー３７０４のアクション項目の機能を実行することができるショートカットボタン３７１０を有することもできる。メニュー３７０４又はボタン３７１０からアクションを選択後、アクションウィンドウ３７０８は、選択されたアクションに関連付けられ得るアクションを表示するためにアクセスされ得る。例えば、Lottery Tickets （宝くじ）のアクションに応答して、アクションウィンドウは、Auto Pick（自動ピック）、My Pick（自分のピック）、Game type（ゲームタイプ）、及びBuy Tickets（宝くじの購入）のような利用可能なアクションを表示することができる。利用可能なアクションは、他のアクションを開始するために選択され得る。
【０４４７】
賭博ファシリティのユーザインターフェース３７１４の実施形態が示される。実施形態において、ユーザインターフェース３７１４は、メニュー３７１８、アクションを選択するためのウィンドウ３７２０、又はユーザインターフェース３７１４をナビゲートする他の方法を含むことができる。実施形態において、メニュー３７１８は、アクションのカテゴリを含むことができる。例えば、メニューは、ファイル、サーチ、検索、終了、又は宝くじの配布の管理に関連した他のオプションを含むことができる。
【０４４８】
実施形態において、メニュー３７１８を介してユーザインターフェース３７１４のオプションを選択することにより、関連したオプションを備えるウィンドウを開くことができる。例えば、賭博ファシリティは、クライアントに利用可能な宝くじを発行することに関するオプションのカテゴリを閲覧するためにオプションを選択することができる。リストがウィンドウ３７２０に表示され得る。ウィンドウ３７２０に表示されたリストは、追加のアクションを実行するために選択され得る。
【０４４９】
一実施形態において、ユーザは、専用の投票所で紙の投票用紙を用いる代わりに、ユーザクライアントファシリティから投票することができる。例えば、ユーザ装置は、企業の選挙（例えば、重役を投票で選ぶ、株主投票、代理投票、株式公開買い付け）、公選選挙（例えば、政治家候補、危険な地域の選挙、地方、市政、郡政、州政、連邦政府）、政党選挙、党内選挙、候補者選択、特定の議案および他の法案の採決に使用され得る。ユーザは、実際の投票用紙の複写画像を受け取ることができ、遠隔的に又は投票所で投票することができる。一実施形態において、遠隔投票は、ユーザがネットワークと通信できるどこででも行われ得る。一実施形態において、投票は、投票所の特定距離の範囲内で行われ得る。一実施形態において、投票は、同じユーザによる２つ以上の投票を防止するために投票所により登録され得る。
【０４５０】
一実施形態において、ユーザは、テレビ番組（例えば、視聴者参加型のゲーム番組）に投票することができ、テレビの司令部が視聴者の票を集計することができる。例えば、投票により、全人口または投票が可能な電子トランザクションファシリティを有するだれかが投票することを可能にすることができる。一実施形態において、視聴者は、テレビ番組の代わりの結末に何が起きるかを決定するために投票することができる。
【０４５１】
一実施形態において、投票は、広告に基づくことができ、又は広告に関連することができる。例えば、電子投票トランザクションファシリティのユーザは、広告を見て、聞いて、又は広告と相互作用することができ、広告に基づいて好みに投票、又は好みを選ぶことができる。
【０４５２】
一実施形態において、ユーザは、電子投票トランザクションファシリティに投票用紙を格納することができ、その投票用紙は、選挙の日付、選挙のタイプ、及び／又は過去の選挙結果のような属性を含むことができる。実施形態において、投票用紙は、投票の情報を含む実際の投票用紙を表すフォーマットで格納および／または送信され得る。
【０４５３】
一実施形態において、ユーザクライアントファシリティは、ユーザが特定の選挙の期日を見逃す場合に通知を作成することができる。例えば、装置は、期日が近づいていること、期日後、及び／又はそのタイプの次の選挙が行われる時をユーザに知らせることができる。係る投票の注意喚起は、ユーザの好みに合わせられ得る。例えば、ユーザクライアントファシリティは、場所（例えば、ＧＰＳファシリティを介して、又は近接検出ファシリティを介して）及びユーザの近傍の地域で行われている選挙の現在の投票（単数または複数）に敏感であることができる。実施形態において、係る通知は、少なくとも部分的に、ユーザの選挙における投票資格に基づくことができる。
【０４５４】
図３８は、本発明の原理による、投票プロセスの流れ３８２４を示す。一実施形態において、ユーザには、投票所により実際の投票用紙が発行される（３８０２）。投票用紙は、ユーザが投票をマーキングできる実際の投票用紙の複写画像とすることができる。ユーザは、ユーザのクライアントファシリティに１つ又は複数の投票用紙の複写画像を格納することができる（３８０４）。投票用紙は、投票のタイプ、投票日、投票場所、又は他の記憶カテゴリにより格納され得る。
【０４５５】
一実施形態において、選挙日において、ユーザは、投票に使用されることになる、ユーザのクライアントファシリティ３８１４に格納された複数の投票用紙から１枚の投票用紙を選択することができる。一実施形態において、１つの選挙に少なくとも１つの投票用紙が存在することができる。ユーザが投票用紙を選択後、ユーザは、ユーザの投票の選択に関して投票用紙にマーキングすることができる。一実施形態において、マーキングされた投票用紙でもって、ユーザは投票所に投票用紙を送信することができる（３８０８）。
【０４５６】
一実施形態において、投票所は、ユーザのマーキングされた投票用紙の複写画像を受け取ることができ、ユーザの投票を適用することができる。一実施形態において、ユーザの識別は、ユーザが二度以上投票することを防止するために、投票された際にマーキングされ得る。ユーザは紙の投票リスト、又はユーザが投票したことを示す投票データベースにマーキングされ得る。一実施形態において、ユーザの投票が記録された後、投票所は、投票の受領書をユーザに発行することができる（３８１０）。例えば、受領書は、投票が記録された確認応答でマーキングされた投票用紙の複写画像とすることができる。また、受領書は、ユーザの投票が記録されたことを示すドキュメントの複写画像とすることもできる。
【０４５７】
一実施形態において、ユーザは、投票所の受領書を受け取って、それをユーザクライアントファシリティにアーカイブすることができる（３８１２）。一実施形態において、投票所からの受領書は、投票用紙の複写画像、又は投票が記録されたことを示す受理のドキュメントの複写画像とすることができる。ユーザは、選挙日、選挙のタイプ、又はユーザが選択する他のアーカイブに基づいて、カテゴリに受領書をアーカイブすることができる。
【０４５８】
図３８を続けて参照すると、ユーザクライアント３８１４とメインサービスファシリティ１４２と投票所３８１８との間の通信に関する実施形態が示される。ユーザは、利用可能な投票用紙から投票用紙を選択し、その投票用紙を投票所に送信することができる（３８２０）。投票用紙の複写画像は、メインサービスファシリティ１４２に送信され得る（３８２０）。メインサービスファシリティ１４２は、該投票用紙の複写画像を送信するための正しい投票所を決定して、該投票用紙の複写画像をその投票所３８１８に送信する（３８２２）。
【０４５９】
一実施形態において、投票所３８１８は、メインサービスファシリティ１４２から投票用紙の複写画像を受け取って、投票を記録する。ユーザの投票の記録において、投票所は、ユーザが二度以上投票することを防止するために、投票された際にユーザの識別にマーキングすることができる。一実施形態において、投票所は、投票が記録されたことを確認するユーザに受領書を返信することができる。投票所３８１８は、メインサービスファシリティ１４２に受領書を返信することができる（３８２２）。一実施形態において、受領書は、投票が記録された表示を備える投票用紙の複写画像、又は投票が記録されたことを示すドキュメントの複写画像とすることができる。
【０４６０】
一実施形態において、メインサービスファシリティ１４２は、投票用紙の受領書を投票したユーザに一致させて、投票の受領書をユーザ３８１４に送信することができる（３８２０）。一実施形態において、ユーザが投票用紙の受領書を受け取ると、ユーザは、前述したように、受領書をアーカイブすることができる。
【０４６１】
図３９を参照すると、ユーザの携帯型クライアントコンピュータ装置３９０４の実施形態が示される。例えば、携帯型コンピュータ装置は、携帯電話、ＰＤＡ、ポケットＰＣ、タブレットＰＣ、又は他の類似したコンピュータ装置とすることができる。一実施形態において、クライアントコンピュータ３９０４は、投票用紙の複写画像を用いて投票するためのユーザインターフェース３９１２を有することができる。ユーザインターフェース３９１２は、少なくとも１つのナビゲーション方法を有することができる。例えば、ユーザインターフェース３９１２は、メニュー３９０４、ナビゲーションボタン３９１０、アクションウィンドウ３９０８、又は他のナビゲーション方法を有することができる。メニュー３９０４は、アクション見出しファイル、サーチ、カテゴリ、終了、又は他の必要なアクションの分類を含むことができる。これらメニュー３９０４のアクションの各分類内には、個々のアクションが存在することができる。また、ユーザインターフェース３９１２は、メニュー３９０４のアクション項目の機能を実行することができるショートカットボタン３９１０を有することもできる。メニュー３９０４又はボタン３９１０からアクションを選択後、アクションウィンドウ３９０８は、選択されたアクションに関連付けられ得るアクションを表示するためにアクセスされ得る。例えば、Select Ballot（投票用紙の選択）のアクションに応答して、アクションウィンドウは、Public（国民）、Corporate（企業）、Product（製品）、又はEntertainment（エンターテインメント）のような利用可能なアクションを表示することができる。利用可能なアクションは、他のアクションを開始するために選択され得る。
【０４６２】
本発明の原理による投票トランザクションファシリティは、図３９に示されるようなユーザインターフェース３９１４を含むことができる。実施形態において、ユーザインターフェース３９１４は、メニュー３９１８、アクションを選択するためのウィンドウ３９２０、又はユーザインターフェース３９１４をナビゲートする他の方法を含むことができる。実施形態において、メニュー３９１８は、アクションのカテゴリを含むことができる。例えば、メニューは、ファイル、サーチ、検索、終了、又は投票所の投票用紙の管理に関連した他のオプションを含むことができる。
【０４６３】
実施形態において、メニュー３９１８を介してユーザインターフェース３９１４のオプションを選択することにより、関連したオプションを備えるウィンドウを開くことができる。例えば、投票所は、クライアントに利用可能な投票用紙を扱うことに関するオプションのカテゴリを閲覧するためにオプションを選択することができる。リストがウィンドウ３９２０に表示され得る。ウィンドウ３９２０に表示されたリストは、追加のアクションを実行するために選択され得る。
【０４６４】
本発明の特定の実施形態は、通信すること、格納すること、印刷すること、及び小切手または為替の表現が電子トランザクションファシリティにより伝えられて格納された際のような、特定のトランザクション媒体の表現を操作することを含む。理解されるべきは、通信し、格納し、及び／又は本発明の出願人により考えられたトランザクション媒体の表現を検索するように適合された多くのシステムと方法が存在し、係るシステムと方法は、本発明により網羅される。例えば、表現または複写画像は、多くのトランザクションファシリティ（例えば、ＰＤＡ、携帯電話、ラップトップ型コンピュータ、又は購買時点トランザクションファシリティ）がファイルを読んで、見て、格納し、又は操作することができるように、ＸＭＬプログラミング言語に関連したコンピュータファイルの形式で提示され得る。実施形態において、特定のトランザクション媒体の一般的な表現を通信することを用いて、小切手の現金化のようなトランザクションを容易にすることができ、この場合、該表現の受信者は、本質的に良く知られている表現を視覚的に見ることができる。
【０４６５】
本発明の一態様は、電子トランザクションファシリティを介して小切手の支払いを行うことに関係する。実施形態において、携帯型トランザクションファシリティは、小切手自体の複写画像、及び／又は小切手に関連する情報を格納する。複写画像は、小切手情報、個人情報、識別情報、又は他の情報と共に、或いはそれらの情報に加えて送信され得る。小切手の複写画像の送信は、単に小切手に関する情報の提供、小切手の追跡、小切手の印刷、及び／又は小切手自体の処理を行うこととは対照的に、小切手の供給を行うことができる。実施形態において、小切手が送信され、又はそれだけで供給され得る。他の実施形態において、小切手には、口座番号、小切手番号、銀行支点コード、口座情報、磁気インク文字認識（ＭＩＣＲ）番号、名前、住所、電話番号、運転免許証番号、身分証明書の形式、身分証明照合の形式、クレジットカード情報、他の小切手情報、署名、署名情報、署名の複写画像、安全対策情報、又はトランザクションに有用である可能性がある他の情報のような、関連した小切手情報が添付され得る。
【０４６６】
実施形態において、銀行または他の金融機関は、顧客の電子トランザクションファシリティに格納されるべき形式で顧客に小切手を発行することができる。例えば、銀行は、顧客の携帯電話、ＰＤＡ、結合型ＰＤＡ携帯電話、デスクトップコンピュータ、ラップトップ型コンピュータ、ハンドヘルドコンピュータ、又は他のトランザクションファシリティ（例えば、本明細書で説明されたファシリティ）に格納されるべき形式で顧客に小切手を提供することができる。実施形態において、顧客は、インターネット、ローカルエリアネットワーク、パーソナルエリアネットワーク、安全なネットワーク、安全でないネットワークを介して、及び／又は他の有線および／または無線の通信ファシリティを介してのように、銀行から遠隔的に小切手を購入、或いは小切手および／または関連した小切手情報を検索することができる。実際の小切手、小切手の複写画像、小切手の複製、小切手のイメージ、及び／又は他の形式の小切手の再現が、顧客のトランザクションファシリティに格納され得る。顧客が小切手および／または他の関連情報をひとたび受け取ると、顧客は、トランザクションを実行するために小切手および／または他の関連情報をいつでも使用することができる。例えば、顧客は、店、又は顧客が小切手により商品および／またはサービスの代金を支払うことを望む他の場所に行くことができ、顧客は、顧客の携帯型トランザクションファシリティを介してトランザクションを行うことができる。トランザクションの間、トランザクションのマーチャントは、トランザクションを可能にするために顧客の携帯型トランザクションファシリティと互換性のあるトランザクションファシリティを有することができる。マーチャントのトランザクションファシリティは、小切手、小切手の情報、及び／又は他の形態の支払い（例えば、クレジットカード、ＡＴＭカード、紙の小切手など）を受け取ることができる。
【０４６７】
図４０は、本発明の原理による小切手トランザクション４０２２を行うためのプロセスを示す。例えば、プロセス流れ図のステップ４００２において、小切手および／または関連情報は、金融機関（例えば、銀行、信用組合、又は代理業者）を介して、携帯型トランザクションファシリティ又は他のトランザクションファシリティに発行され得る。次いで、ステップ４００４において、小切手および／または関連情報は、トランザクションファシリティのメモリに格納され得る。次いで、携帯型トランザクションファシリティ又は他のトランザクションファシリティを所有する人が、小切手および／または関連情報を別のトランザクションファシリティに伝えることにより、小切手トランザクションを行うことができる（４００８）。実施形態において、他のトランザクションファシリティは、専用の小切手トランザクションファシリティとすることができ、又はいくつかのタイプの経済的トランザクション（例えば、クレジットカード、ＡＴＭカード、印刷された小切手など）を行うことができる多機能トランザクションファシリティとすることができる。実施形態において、他のトランザクションファシリティは、小切手を受信して、更なるトランザクション処理および／またはトランザクションの受領書を提供するために小切手を印刷するように適合されたプリンタとすることができる。マーチャントのトランザクションファシリティが、小切手および／または他の関連情報をひとたび受け取ると、マーチャントのトランザクションファシリティは、小切手および／または関連情報を、金融機関および／または他の小切手処理ファシリティに伝えることができる。例えば、小切手および／または関連情報は、自動決済機関（ＡＣＨ）の処理システム、又は発行金融機関からの小切手を処理し且つ資金を検索するように設計された他の第三者のシステムへ送信され得る（４０１０）。承認されたトランザクションに続いて、支払い済み小切手および／または関連情報は、顧客のトランザクションファシリティに返信されることができ、顧客のトランザクションファシリティにおいて、格納され、閲覧され、操作され、再伝達され、又は処理され得る（４０１２）。
【０４６８】
また、図４０は、本発明の原理による、電子小切手トランザクション４０２４も示す。実施形態において、携帯型小切手トランザクションファシリティ１０１を用いて、商品、サービスの購入に小切手トランザクションを行う、又は他の金銭的移転（振替）を行うことができる。例えば、携帯型トランザクションファシリティ１０１を用いて、購買時点トランザクションファシリティ４０１４と通信することができる。購買時点トランザクションファシリティ４０１４は、小切手および／または小切手情報を携帯型トランザクションファシリティから受け取り、小切手および／または小切手情報をコンピュータサーバー、コンピュータファシリティ、コンピュータネットワーク、又は小切手トランザクションを容易にするように適合された他のファシリティ４０１８に伝えることができる。例えば、コンピュータファシリティ４０１８は、ＡＣＨ処理センタ、他の第三者処理センタを介して、金融機関、銀行、又は小切手トランザクションを容易にするように適合された他の機関（４０２０）との小切手トランザクションを容易にすることができる。実施形態において、ひとたび小切手が清算されると、お金が振り込まれ、お金が配分され、又はそうでなければ、トランザクションが承認され、支払い済み小切手または完了したトランザクションの他の表示が、携帯型トランザクションファシリティ１０１に返信され得る。実施形態において、購買時点ファシリティ４０１４は、支払い済み小切手および／または受領書の伝達を容易にすることができる。実施形態において、外部ファシリティ（例えば、無線携帯電話の提供者、無線ネットワーク提供者）が、支払い済み小切手および／または受領書の伝達を容易にすることができる。
【０４６９】
図４１は、本発明の原理による小切手トランザクション４１２２を行うためのプロセスを示す。例えば、プロセス流れ図のステップ４１０２において、小切手および／または関連情報は、金融機関（例えば、銀行、信用組合、又は代理業者）を介して、携帯型トランザクションファシリティ又は他のトランザクションファシリティに発行され得る。次いで、ステップ４１０４において、小切手および／または関連情報は、トランザクションファシリティのメモリに格納され得る。次いで、携帯型トランザクションファシリティ又は他のトランザクションファシリティを所有する人が、小切手および／または関連情報を別のトランザクションファシリティに伝えることにより、小切手トランザクションを行うことができる（４１０８）。第２の携帯型トランザクションファシリティが、小切手および／または他の関連情報をひとたび受け取ると、第２のトランザクションファシリティは、小切手および／または関連情報を、金融機関および／または他の小切手処理ファシリティに伝えることができる。例えば、小切手および／または関連情報は、自動決済機関（ＡＣＨ）の処理システム、又は発行金融機関からの小切手を処理し且つ資金を検索するように設計された他の第三者のシステムへ送信され得る（４１１０）。承認されたトランザクションに続いて、支払い済み小切手および／または関連情報は、発信元のトランザクションファシリティに返信されることができ、発信元のトランザクションファシリティにおいて、格納され、閲覧され、操作され、再伝達され、又は処理され得る（４１１２）。
【０４７０】
また、図４０は、本発明の原理による、電子小切手トランザクション４１２４も示す。実施形態において、携帯型小切手トランザクションファシリティ１０１ａを用いて、商品、サービスの購入に小切手トランザクションを行う、又は他の金銭的移転を行うことができる。例えば、携帯型トランザクションファシリティ１０１ａを用いて、携帯型トランザクションファシリティ１０１ｂと通信することができる。第２のトランザクションファシリティ１０１ｂは、小切手および／または小切手情報を携帯型トランザクションファシリティから受け取り、小切手および／または小切手情報をコンピュータサーバー、コンピュータファシリティ、コンピュータネットワーク、又は小切手トランザクションを容易にするように適合された他のファシリティ４０１８に伝えることができる。例えば、コンピュータファシリティ４０１８は、ＡＣＨ処理センタ、他の第三者処理センタを介して、金融機関、銀行、又は小切手トランザクションを容易にするように適合された他の機関（４０２０）との小切手トランザクションを容易にすることができる。実施形態において、ひとたび小切手が清算されると、お金が振り込まれ、お金が配分され、又はそうでなければ、トランザクションが承認され、支払い済み小切手または完了したトランザクションの他の表示が、携帯型トランザクションファシリティ１０１ａに返信され得る。実施形態において、第２のトランザクションファシリティ１０１ｂは、支払い済み小切手および／または受領書の伝達を容易にすることができる。実施形態において、外部ファシリティ（例えば、無線携帯電話の提供者、無線ネットワーク提供者）が、支払い済み小切手および／または受領書の伝達を容易にすることができる。
【０４７１】
本発明の一態様は、電子トランザクションファシリティを介して為替のトランザクションを行うことに関係する。実施形態において、携帯型トランザクションファシリティは、為替自体の複写画像、及び／又は為替に関連する情報を格納する。複写画像は、為替情報、個人情報、識別情報、又は他の情報と共に、或いはそれらの情報に加えて送信され得る。為替の複写画像の送信は、単に為替に関する情報の提供、為替の追跡、為替の印刷、及び／又は為替自体の処理を行うこととは対照的に、お金の供給を行うことができる。実施形態において、為替が送信され、又はそれだけで供給され得る。他の実施形態において、為替には、口座番号、為替番号、銀行支点コード、口座情報、磁気インク文字認識（ＭＩＣＲ）番号、名前、住所、電話番号、運転免許証番号、身分証明書の形式、身分証明照合の形式、クレジットカード情報、他の為替情報、署名（サイン）、署名情報、署名の複写画像、安全対策情報、又はトランザクションに有用である可能性がある他の情報のような、関連した為替情報が添付され得る。
【０４７２】
実施形態において、銀行または他の金融機関は、顧客の電子トランザクションファシリティに格納されるべき形式で顧客に為替を発行することができる。例えば、銀行は、顧客の携帯電話、ＰＤＡ、結合型ＰＤＡ携帯電話、デスクトップコンピュータ、ラップトップ型コンピュータ、ハンドヘルドコンピュータ、又は他のトランザクションファシリティ（例えば、本明細書で説明されたファシリティ）に格納されるべき形式で顧客に為替を提供することができる。実施形態において、顧客は、インターネット、ローカルエリアネットワーク、パーソナルエリアネットワーク、安全なネットワーク、安全でないネットワークを介して、及び／又は他の有線および／または無線の通信ファシリティを介してのように、銀行から遠隔的に為替を購入、或いは為替および／または関連した為替情報を検索することができる。実際の為替、為替の複写画像、為替の複製、為替のイメージ、及び／又は他の形式の為替の再現が、顧客のトランザクションファシリティに格納され得る。顧客が為替および／または他の関連情報をひとたび受け取ると、顧客は、トランザクションを実行するために為替および／または他の関連情報をいつでも使用することができる。例えば、顧客は、店、又は顧客が為替により商品および／またはサービスの代金を支払うことを望む他の場所に行くことができ、顧客は、顧客の携帯型トランザクションファシリティを介してトランザクションを行うことができる。トランザクションの間、トランザクションのマーチャントは、トランザクションを可能にするために顧客の携帯型トランザクションファシリティと互換性のあるトランザクションファシリティを有することができる。マーチャントのトランザクションファシリティは、為替、為替の情報、及び／又は他の形態の支払い（例えば、クレジットカード、ＡＴＭカード、紙の小切手など）を受け取ることができる。
【０４７３】
図４２は、本発明の原理による電子為替トランザクションのプロセス４２２２を示す。実施形態において、為替トランザクションプロセスは、電子トランザクションファシリティ（例えば、携帯電話、ＰＤＡ、ラップトップ型コンピュータ、又は本明細書で説明された他の電子トランザクションファシリティ）に為替および／または関連情報を発行する（４２０２）ことを含む。為替および／または関連情報は、電子トランザクションファシリティのメモリに格納され得る（４２０４）。実施形態において、それは、伝えられる及び／又は格納される実際の為替の表現とすることができる。例えば、為替の複写画像または他の表現が、電子トランザクションファシリティのメモリに格納され、後で検索および／または操作され得る。電子トランザクションファシリティを介した為替のトランザクションを実行するプロセスを続けるために、プロセスは、為替を別のトランザクションファシリティに送信する（４２１０）ことを含むことができる。次いで、為替は、通常の金融機関を通じて処理され得る（４２１０）。承認されたトランザクションに続いて、トランザクションの受領書が発行人のトランザクションファシリティに返信され得る（４２１２）。
【０４７４】
また、図４２は、本発明の原理による、電子トランザクション４２２４も示す。実施形態において、トランザクションファシリティ１０１を用いて、金融機関Ｂ４２２０から為替を購入することができる。例えば、トランザクションファシリティ１０１を用いて、金融機関Ｂ４２２０と通信し、為替の購入を要求することができる。金融機関Ｂ４２２０は、トランザクションファシリティ１０１から、及び／又はトランザクションファシリティ１０１を介して、為替の支払いを要求することができ、或いはトランザクションファシリティ１０１は、別の金融機関、金融機関Ａ４２１４から資金を引き出すように、金融機関Ｂ４２２０に命令することができる。ひとたび発行されると、金融機関Ｂ４２２０が代金を払われ、又は支払われることになる十分な予告を受け取り、金融機関Ｂ４２２０は、為替および／または他の関連情報をトランザクションファシリティ１０１に発行することができる。次いで、場合によっては、その後になって、トランザクションファシリティ１０１を用いて、為替、為替の表現および／または他の関連情報を別のトランザクションファシリティ（例えば、購買時点４２１８）に伝えることができる。次いで、購入時点に関連したトランザクションファシリティは、お金を徴収するために、金融機関Ｂと、又は中間の金融機関または取引所を介して通信することができる。
【０４７５】
ここで、図４３を参照すると、ポータル４３００のユーザインターフェースの見本が示される。実施形態において、ポータル４３００は、電子ファシリティ１０１のディスプレイ１００に、ローカルコンピュータ１６０に、サポートコンピュータ１３４に、又はメインサービスファシリティ１４２に関連して動作するように結合され得る任意の他のディスプレイファシリティに表示され得る。ポータル４３００内には、サービス４３０２のユーザインターフェース要素の見本が表示され得る。サービス４３０２は、以下に限定されないが、クレジット、デビット、銀行取引、アイデンティティ、旅行、電話、クーポン、請求書、チケット、医療関連サービス、及び／又は支払い、或いは他の実施形態において本明細書で説明された、及び参照により本明細書に組み込まれる文献における他のサービスの何れかを含む、電子ファシリティ１０１によりユーザに提供されるサービスとすることができる。代案または追加として、サービス４３０２は、個人専用にされる、及び／又はユーザに合わせてカスタマイズされることができ、「MY OWN（私自身の）」とラベル表示されたサービス４３０２として図面に示される。ポータルは、ボタン、チェックボックス、及び／又はリンクのような二値のユーザインターフェース入力要素４３０４を更に含むことができる。入力要素４３０４により、ユーザが、サービスに関連付けられた又はサービスに関係した機能を選択することを可能にすることができる。例えば、この図面において、ポータル４３００は、「SETUP（セットアップ）」サービスに対する機能、サービスにより実行された１つ又は複数の以前のトランザクションからの１つ又は複数の「RECEIPTS（受領書）」を閲覧するための機能、ユーザのウォレットサービスセンターを見るための機能、又はユーザが現在のポータルセッションを完了したことを示すための機能を提示する。いずれにせよ、ポータル４３００は、複数のサービスパートナーにより提供され得る複数のサービス４３０２にユーザがアクセスすることができる、単一のインターフェースを提供する。サービスパートナーは前述されており、いずれにせよ、以下に限定されないが、電気通信会社、インターネットサービスプロバイダー、インターネットコンテンツ及び／又はサービスのアグリゲーター、ゲームソフトメーカ、アプリケーションサービス提供者、又は本明細書で説明された任意の他のサービス提供者を含むことができる。ポータル４３００は、ユーザの電子ウォレット（財布）のビューとして、及び／又はサービスパートナーとユーザとの間の機能的接点として機能することができる。ポータル４３００は、ゲーム関連サービス、マーチャント関連サービス、航空会社関連サービス、政府関連サービス、企業関連サービス、医療関連サービス、健康関連サービス、宗教関連サービス、スポーツ関連サービス、保険関連サービス、大学関連サービス、政党関連サービス、医薬品取引関連サービス、商品取引関連サービス、安全な支払いサービス、安全なトランザクションサービス、又は本明細書で説明されたサービスを限定せずに含む任意の他のサービスのような、特定のトピックに関連した特定の付加価値サービスを提供することを専門にすることができる��ポータル４３００は、登録されたユーザのみに特定のサービスを提供することができる。この特定のサービスは、付加価値サービスの個人専用バージョンとすることができる。
【０４７６】
ここで、図４４を参照すると、ポータル４４００に関するウェブベースのユーザインターフェースの見本が示される。実施形態において、ポータル４３００は、電子ファシリティ１０１のディスプレイ１００に、ローカルコンピュータ１６０に、サポートコンピュータ１３４に、又はメインサービスファシリティ１４２に関連して動作するように結合され得る任意の他のディスプレイファシリティに表示され得る。タスクナビゲーションバー４４０２は、ドロップダウンメニュー、タブ、ボタン、リンクなどのようなナビゲーション要素を含むことができる。該要素に関連したタスクは、電子トランザクションプラットフォーム１００により提供されるサービスの何れかに関係することができる。アカウントナビゲーションバー４４１０は、ドロップダウンメニュー、タブ、ボタン、リンクなどのようなナビゲーション要素を含むことができる。該要素に関連したアカウントは、電子トランザクションプラットフォーム１００によりサポートされる任意のアカウントとすることができ、それらの多くは、本明細書で説明されており、それらの他のものは、本発明の開示から、及び／又は本明細書に含められる参考文献から明らかになるであろう。サイト／一般的情報ナビゲーション４４１２は、タスクナビゲーションバー４４０２及び／又はアカウントナビゲーションバー４４１０のナビゲーション要素と同種のナビゲーション要素を含むことができる。サイト／一般的情報ナビゲーション領域４４１２のこれら要素に関連した情報は、プライバシーポリシー；以下に限定されないが、住所、E-mailアドレス、電話番号、ファクス番号、ＵＲＬ、ＵＲＩなどのような連絡先の項目；投資家向け広報活動；ショッピングカート；アカウント；記事；報道発表；雇用の勧誘；使用条件；著作権表示などに関連付けられ得る。販促用空間４４１８は、製品および／またはサービスの販売促進に関連した情報要素を含むことができる。係る情報要素は、以下に限定されないが、広告、イメージ、マルチメディアクリップ、対話型アプリケーション、テキスト、Google（Ｒ）広告などを含むことができる。アカウント識別領域４４０４は、ユーザのアカウントに関係する情報を含むことができる。この情報は、アカウント名、ユーザ名、ユーザ名が入力され得るフィールド、パスワードが入力され得るフィールド、ユーザのパスワードを思い出させることができる特徴に対するリンクなどを含むことができる。アカウント概観領域４４０８は、ユーザがログインするアカウントに関連した情報を含むことができる。この情報は、アカウントのタイプ、又はアカウントに関連付けられ得る商品および／またはサービスのタイプに関連付けられ得る。アカウント、商品、及びサービスの多くのタイプが本明細書に開示され、より多くのものが、本発明の開示、及び本明細書に含められる参考文献から明らかになるであろう。警報／注意喚起領域４４１４は、アカウントのタイプ、及び／又はアカウントに関連付けられ得る商品および／またはサービスのタイプに関連付けられ得る警報および／または注意喚起を含むことができる。例えば、以下に限定されないが、これら警報および／または注意喚起は、誕生日の注意喚起、約定返済の催促状、項目ピックアップの注意喚起、更新の注意喚起、低い差引残高の警報、購入の警報、売却の警報、投票の注意喚起などを含むことができる。
【０４７７】
図４７を参照すると、本明細書で説明されたコンポーネント及び属性を有するプラットフォーム４７００は、電子トランザクションファシリティ１０１を備えるクライアント装置１６２、電子トランザクションファシリティ１０１を同様に備えるマーチャントシステム１７０、及び種々のサービス提供者１６８と関連付けられ得るメインサービスファシリティ１４２を含むことができ、種々のサービス提供者１６８の１つは、金融サービス提供者１６８とすることができる。プラットフォーム４７００は、本明細書の別の場所で説明された属性を有することができる。これらは、必要に応じてクライアント装置１６２を用いる安全なトランザクション能力のような、図１〜図５のプラットフォーム１００に関連して説明され、且つメインサービスファシリティ１４２のような安全に配布されるウェブベースのプラットフォームによりサポートされる属性を含む。実施形態において、トランザクション能力は、支払い又は非支払いのトランザクションに対して、ウォレットベースの比喩を提供、又は提供しない。例えば、クライアント装置は、支払い４７０２を開始する、電子トランザクションの別の形態（オークションの品目に申し出る、逆オークションで値段を付ける等）を開始する、又は別のアクション４７０２を開始することができ、各場合に、必要に応じて、クライアント装置１６２の装置レベル及びユーザレベルの安全対策に関係する。実施形態において、また、プラットフォーム４７００は、トランザクションを直接ユーザに伝える、又は有線および／または無線媒体を介して、個人のクライアント装置１６２に伝えるため全ての必要なイメージ、ブランド設定、及び／又はデータを備える全トランザクショントークン４７１２（個人専用にされ得る又は個人専用にされ得ない）を安全に電子的に発行する能力も提供する。実施形態において、クライアント装置１６２は、キオスク、公的アクセスコンピュータ、ＡＴＭ、掲示板、標識（sign：看板）、電化製品、又はコンピュータ能力を備えた他の公共装置のような、一時的に個人使用に占有される公共装置とすることができる。トランザクショントークン４７１２は、以下に限定されないが、クレジットカード、銀行口座カード、フリークエントフライヤー（頻繁に飛行機を利用する人）のカード、価値保存型カード、ロイヤルティカード、被保険者証、運転免許証および他の免許証、勘定書、インボイス（送り状）及び類似した法律文章、クーポン、チケット、販促用ビラ、及び広範囲にわたる他のトークンを含むトランザクションを可能にする又は具現化するための任意のファシリティとすることができる。また、プラットフォーム４７００は、クライアント装置（個人の装置または一時的に個人使用に利用される公共装置を含む）の選択時に、複数の既存のカード、アカウント、及び売り主情報、又は類似した情報をブランド設定および／またはイメージと共に、及びトランザクションを行うために必要なデータと共に、安全に且つ電子的に再現する能力も提供することができる。かくして、サービス提供者は、メインサービスファシリティ１４２を介して、前述した任意のもののようなアイテム４７１０を発行することができる。また、プラットフォーム１０��は、赤外線、ＲＦ、スキャナ、バーコード、読取機、超広帯域ネットワークファシリティ、Bluetooth（ブルートゥース）ファシリティ、802.11Xファシリティ、Wifiファシリティ等のような、任意のクライアント装置１６２及び任意のマーチャントシステム１７０との近接性通信システムを用いて、現実世界で安全なトランザクションを行う能力も提供することができる。実施形態において、係るトランザクションは、生物測定のパラメータの使用を含むことができる。
【０４７８】
上述したプラットフォーム１００と類似のプラットフォーム４７００は、サービス提供者１６８からの様々な付加価値サービスにアクセスするために、個人専用のウェブベースのユーザインターフェースファシリティに安全にアクセスする能力を更に含むことができる。プラットフォーム４７００は、資金移転（振替）４７２４または金融サービス提供者１６８からの明細書（計算書）４７２２の発行のような支払い関連サービスも含むことができる。また、プラットフォーム４７００は、現実世界および／または仮想世界で行われたトランザクションに関連する領収書４７２０又は確認応答を、安全に且つ電子的にクライアント装置１６２（個人の装置または一時的な個人使用のための公共装置とすることができる）に発行および該クライアント装置１６２で再現する能力も含むことができる。また、プラットフォーム４７００は、クライアント装置１６２及び／又は個人専用のウェブベースのポータルに領収書の電子的複製を格納およびアーカイブする能力も提供する。実施形態において、係る領収書は、「PAID（領収済み）」スタンプのような、トランザクションに関するマーチャントの確認応答と共に格納され得る。実施形態において、プラットフォーム１００は、クライアント装置の選択（個人の装置または一時的な個人使用のための公共装置）から直接的に、個人専用のトークンを入手して、トランザクションを開始して完了し、トランザクションに関する領収書または確認応答を受け取るために、任意の有線および／または無線媒体を介して、複数のドメインと安全に且つ電子的に相互作用する能力を可能にすることができる。
【０４７９】
また、本明細書で説明されたプラットフォーム１００と類似のプラットフォーム４７００は、トークン及び領収書の発行、多次元認証を用いること、例えば、クライアント装置１６２、マーチャントシステム１７０、又は他の装置のユーザのアイデンティテイを検証すること、装置自体のアイデンティテイを検証すること、及び１つ又は複数のトランザクションに対するドメインのアイデンティテイを検証することを含む近接性トランザクション及び無線トランザクションを保証する能力も可能にし、各場合において、適切な暗号化ツール及び適切な暗号化強度が使用され、必要に応じて、ユーザ毎に、装置毎に、及びドメイン毎に、公開／秘密鍵基盤の性質をカスタマイズする能力を有する。また、プラットフォーム４７００は、トークン及び領収書が発行される時だけでなく、それらがクライアント装置に格納される時にも、トークン及び領収書を安全に暗号化する能力も提供する。また、本明細書で説明されたようなプラットフォーム１００は、ユーザの好みに基づいて、及び／又はユーザの動作、使用パターン、トランザクションの履歴、及び制限された外部入力に基づいて或る期間にわたって学習できるエキスパートシステム４７３２のサポートを通じて、クライアント装置１６２（個人の装置または一時的に個人使用に利用される公共装置とすることができる）にユーザインターフェース及び様々な個人専用および／または個人専用でないアプリケーションを構成する能力も含む。また、エキスパートシステム４７３４は、メインサービスファシリティ１４２（１つ又は複数のサーバーを含むことができる）に常駐することができる。また、プラットフォーム４７００は、ユーザの好みに基づいて、及び／又はユーザの動作、使用パターン、トランザクションの履歴、及び制限された外部入力に基づいて或る期間にわたって学習できるエキスパートシステムのサポートを通じて、高レベルのスループット、効率性、及び耐障害性でもって、複数のトークン、複数のサービス、及び複数の個人専用および／または個人専用でないアプリケーションをユーザのクライアント装置１６２（個人の装置または一時的に個人使用に利用される公共装置とすることができる）でセットアップする能力も可能にする。実施形態において、プラットフォーム４７００は、本明細書で説明された様々な属性がクライアント装置１６２、マーチャントシステム１７０、メインサービスファシリティ１４２、又はサービス提供者システムのような他の装置またはシステムで具現化され得るように、分散型インフラを有する。実施形態において、多次元データベース４７３８を用いて、クライアント、クライアント装置１６２、サービス、サービス提供者１６８、マーチャント、マーチャントシステム１７０、トランザクション、支払い、トークン、領収書、及び他のアイテムに関連した属性を格納することができる。データベースは、異なるアプリケーションにより、又は様々な目的でアクセスされ得るように、二次元以上で係る情報を格納することができる。
【０４８０】
図４８を参照すると、高レベル略図は、電子ファシリティ１０１、及び１つ又は複数のメインサービスファシリティ１４２を含むプラットフォーム１００を用いた、発券プロセスの特徴を示す。電子ファシリティ１０１は、この図において、「OneWallet（ワレット）」と呼ばれ、メインサービスファシリティ１４２は、ウォレットサービスセンタ（ＷＳＣ）４８０８と呼ばれる。実施形態において、ユーザは、「OneWallet」アプリケーションを呼び出すような、汎用電子ファシリティ１０１を呼び出し、購入されるべきチケット（任意の種類のチケットとすることができる）の細目を入力する。発券サービス提供者の発券システム４８０２は、要求を認証してチケットの入手の可能性を確認し、必要に応じて、チケットの種類、座席の位置などのような他のオプションを選択するようにユーザに促すように、価格データ又は他のデータを提供する。ユーザは、電子ファシリティ１０１から支払い手段を選択し、銀行または金融サービス提供者１６８からの支払いをもたらすプロセスのような、安全な電子支払いプロセスを開始する。サービス提供者１６８は、クレジット情報を受け取ることができ、その後、電子チケットがメインサービスファシリティ１４２を介してクライアント装置１６２の電子ファシリティ１０１へ無線で安全に且つ電子的に送信される。実施形態において、また、プラットフォーム１００は、マーチャントウォレット４８０４のようなマーチャントシステム１７０のアプリケーションとして動作するのに適した電子トランザクションファシリティ１０１を含むことができる。マーチャントウォレット４８０４を介したマーチャントは、小売りの場所等のようなマーチャントの場所におけるマシンようなマーチャントシステム１７０で該ウォレット４８０４を使用することできる。マーチャントは、メインサービスファシリティ１４２と対話することができ、この場合、ウォレットサービスセンタ４８０８は、顧客のチケット要求を捕らえて発券システムに送信する。発券システムは、該要求を認証し、入手の可能性を確認し、マーチャントシステム１７０の電子ファシリティ１０１（「マーチャントウォレット」）に価格を伝えることができる。確認において、支払いの細目が、ウォレットサービスセンタ４８０８（又は類似したメインサービスファシリティ１４２）を介して安全に且つ電子的に送信され得る。マーチャントは、顧客からの支払いを受け入れることができる。支払いと同時に、発券システムは、チケットをマーチャントシステム１７０の電子ファシリティ１０１に発行する。実施形態において、マーチャントは、チケットをプリントアウトし、それを顧客に手渡すことができる。
【０４８１】
図４９は、マーチャントシステム１７０を用いるマーチャントが、上述されたプラットフォーム１００及び４７００に関連するような、本明細書で説明された様々な特徴および属性を可能にすることができるプラットフォーム４９００を示す。マーチャントは、電気通信会社、銀行、インターネットサービス提供者、或いは商品またはサービスの売り主のような、任意のマーチャントとすることができる。マーチャントは、メインサービスファシリティ１４２を用いてウェブベースのプラットフォームをセットアップすることができ、そのプラットフォームは、本明細書で説明された属性を備える電子トランザクションファシリティ１０１の形態で、マーチャントシステム１７０との安全なトランザクションインターフェースを有することができ、マーチャントの供給チェーン管理システム、及び在庫データベースなどのような、様々なバックエンドシステムと接続して機能することができる。また、マーチャントは、銀行、PayPal（Ｒ）又は類似したサービスのような、支払いサービス提供者１６８と連係して、メインサービスファシリティ１４２を用いて支払いシステムをセットアップすることができ、その結果、支払いサービス提供者１６８は、メインサービスファシリティ１４２のプラットフォームを介して、マーチャントに安全な支払い４９２４を提供することができる。また、マーチャントは、製造業者、売り主、サービス提供者、セールスマン、卸業者、及び他の団体との関係を構築することもでき、それらの各々は、メインサービスファシリティ１４２にアクセスして、マーチャントの商品またはサービス（販売、フルフィルメント、及び安全な支払いサービスのようなサービスを含む）の販売に関連した様々な付加価値サービスを提供することができる。例えば、販売サービス提供者１６８は、或るウェブサイトにおいてのように、又はクライアント装置１６２によりメインサービスファシリティ１４２を介してアクセスされ得るE-mailによってのように、価格見積４９１２と共に商品を表示４９１０することができる。場合によっては、商品は、フルフィルメント提供者により、クライアント装置１６２に直接的にフルフィルメントされ得るコンテンツアイテム４９１４を含むことができる。商品は、支払いサービス提供者１６８からの支払い４９２４の受領後に、フルフィルメント提供者により発送される物理的な商品、又は実施形態においてブランド、ロゴ等で実現されたチケット、音楽、エンターテインメントコンテンツ、ゲームなどのような電子商品とすることができる。フルフィルメント提供者は、メインサービスファシリティ１４２を介して注文確認書４９２０を提供することができる。各場合に、メインサービスファシリティ１４２は、ドメイン、ユーザ、及び装置に関連した多層セキュリティを提供すること、並びに多次元データベース４７３８でマーチャントによりサポートされる商品、サービス、顧客、トランザクション等に関する多次元データを捕らえることを含む、上述された特徴を提供することができる。マーチャントは、物理的な小売りの場所を有することができ、又は完全にオンラインのマーチャントとすることができる。
【０４８２】
プラットフォーム４９００は、マーチャントのクライアント装置（個人の装置または一時的に個人使用に利用される、サインマシン又は自動販売機のような公共装置とすることができる）を使用することができる。これは、種々の安全なトランザクションを行うための携帯電話、ＰＣ、売り場専用端末、キオスク等を含み、該安全なトランザクションは、以下に限定されないが、既存の支払い手段を用いて、支払いを受け入れること、他のサービス提供者の代わりに支払いを行うこと、商品および／またはサービスを入手すること、及び商品および／またはサービスを流通させることを含み、既存の支払い手段は、以下に限定されないが、現金、クレジットカード、デビットカード、電子小切手、プリペイドアカウント、及び価値保存型アカウント等を含む。マーチャントは、種々の安全な個人専用のトランザクションを行うための能力を消費者に提供するためにプラットフォーム４９００を使用することができ、該個人専用のトランザクションは、以下に限定されないが、消費者独自のインフラ（物理的および仮想）並びにプラットフォーム４９００の安全なトランザクションの能力を利用して、商品および／またはサービスを購入すること、又は個人専用のクーポン及び特典を商品と引き換えること、又は請求書の代金を支払うこと、又は資金を移すこと、又は通信時間を補充すること、又はチケット（旅行またはエンターテイメント）を購入して入手すること、又はモバイルバンキングのトランザクションを行うこと、又は宝くじを購入／現金と引き換えること、又は投票すること（政府および／または民間企業）等を含む。
【０４８３】
マーチャントは、プラットフォーム４９００を用いて、卸業者および製造業者から商品およびサービスを入手することができ、その目的は、プラットフォーム４９００の安全なトランザクションの能力を用いて、商品および／またはサービスを注文して、リアルタイムで安全に且つ電子的に支払いを行うことにより、消費者および／または他の小売り業者および／または他の卸業者に転売することである。マーチャントは、卸業者およびフルフィルメントサービス提供者がマーチャント自身の商品とサービスを流通させフルフィルメントすることを可能にするためにプラットフォーム４９００を使用することができる。プラットフォーム４９００は、安全にトランザクション記録を格納する能力、データを調べて分析する能力、及び全体的な収益性を増加させるために様々な分析的で定量的な付加価値サービスに役立つ能力のような、マーチャントの様々な付加価値サービスをサポートすることができる。
【０４８４】
マーチャントシステム１７０を用いるマーチャントは、現実世界および／または仮想世界のエンティティとすることができる。プラットフォーム４９００の提供者は、以下に限定されないが、電話会社、インターネットサービスプロバイダー、インターネットコンテンツ及び／又はサービスのアグリゲーター、ゲームソフトメーカ、第三者のアプリケーションサービス提供者、又は任意の他のサービス提供者１６８とすることができる。能力は、ウェブベースのプラットフォームのセットアップと提供を含むことができる。
【０４８５】
プラットフォーム４９００は、商品および／またはサービスの販売、商品および／またはサービスの調達、及び／又は商品および／またはサービスの流通に関連した付加価値サービスを提供することを専門にすることができる。付加価値サービスは、本明細書の別の場所で説明される、安全な支払い及びトランザクションサービスを含むことができる。特に、プラットフォーム４９００は、マーチャントの既存のバックエンドシステム、金融サービス提供者、支払いシステム、製造業者、サービス提供者、卸業者、又は任意の他のシステムとの安全なトランザクションインターフェースを有することができる。
【０４８６】
プラットフォーム４９００は、マーチャントの既存のクライアントファシリティを使用することができ、又はクライアントファシリティとして働く電子ファシリティ（携帯型またはその他）と接続して機能することができる。いずれにせよ、クライアントファシリティは、個人的に利用可能な装置または公的に利用可能な装置とすることができる。クライアントファシリティは、携帯型電子ファシリティ、携帯電話、パーソナルコンピュータ、売り場専用端末、キオスク等とすることができる。クライアントファシリティは、以下に制限しないが、既存の支払い手段などを用いて、支払いを受け入れること、サービス提供者の代わりに支払いを行うこと、商品および／またはサービスを入手すること、商品および／またはサービスを流通させることを含むことができる安全なトランザクションを行うことができる。既存の支払い手段は、現金、クレジットカード、デビットカード、電子小切手、プリペイドアカウント（口座）、及び価値保存型アカウント（口座）等を含むことができる。
【０４８７】
プラットフォーム４９００は、顧客とすることができるユーザに、安全なトランザクションを行うための能力を提供する能力をマーチャントに提供することができ、その安全なトランザクションは、個人専用のトランザクションとすることができ、その個人専用のトランザクションは、以下に制限しないが、商品および／またはサービスを購入すること、クーポン（個人専用またはその他）を商品と引き換えること、販促（個人専用またはその他）に参加すること、請求書の代金を支払うこと、資金を移すこと、通信時間を補充すること、チケット（以下に制限しないが、旅行のチケット又はエンターテイメントのチケットを含む）を購入および／または入手すること、又はバンキングのトランザクション（以下に制限しないが、モバイルバンキングのトランザクションとすることができる）を行うこと、宝くじの証書（以下に制限しないが、宝くじ券のような）を購入すること、宝くじの証書を現金と引き換えること、投票すること（以下に制限しないが、政府の選挙、企業の選挙など）等を含むことができる。
【０４８８】
図５０は、サービス提供者、金融サービス提供者、電気通信提供者、或いは他の提供者又はエンティティ１６８が、上述されたプラットフォーム１００及び４７００と関連するような、本明細書で説明された様々な特徴および属性を可能にすることができる航空会社システム１７０又は航空会社の関連会社５１１０と接続することができるプラットフォーム５０００を示す。図５０は、航空会社および／または電話会社および／または銀行および／またはサービス提供者および／またはインターネットサービスプロバイダーおよび／またはアプリケーションサービス提供者および／または他のエンティティが、メインサービスファシリティ１４２を介してウェブベースのプラットフォームをセットアップする能力を有するプラットフォームを示し、そのメインサービスファシリティは、航空会社の既存のバックエンドシステム１７０、様々な金融サービス提供者、支払いシステム、サービス提供者、及び第三者の発券システム（例えば、第三者のチケット５０１４を提供する）との安全なトランザクションインターフェースを有し、この場合、係るプラットフォーム５０００は、チケット（航空会社のチケット５０２８のような）の販売と流通および関連サービス（例えば、自身の航空会社に対して、並びに他の航空会社、ホテル、レンタカー、レストラン、銀行などを含むことができる他のビジネスパートナー又は関連会社５１１０に対して）、ロイヤルティベースの商品とサービスの販売と流通（例えば、自身の航空会社に対して、並びに他の航空会社、ホテル、レンタカー、レストラン、銀行などを含むことができる他のビジネスパートナー又は関連会社５１１０に対して）、クーポン及び販促商品の配布（例えば、自身の航空会社に対して、並びに他の航空会社、ホテル、レンタカー、レストラン、銀行などを含むことができる他のビジネスパートナーに対して）、及び従業員の時間と人的資源の全体的な管理に関連した様々な付加価値サービスを提供すること、及び種々の安全な支払い及びトランザクションサービスを含むことを専門とし、効率性、ユーザの利便性、顧客とビジネスパートナーの支援、及び全体的な収益性を向上させることに向けられる。
【０４８９】
また、航空会社の接続性プラットフォーム５０００は、顧客、従業員、卸業者、及び代理業者に、クライアント装置１６２を提供することができ、又は代案として、既存のクライアント装置１６２を使用することができ（どちらにしても、クライアント装置は、個人の装置または一時的な個人使用の公共装置とすることができる）、クライアント装置は、以下に制限されないが、種々の安全なトランザクションを行うための携帯電話、ＰＣ、売り場専用端末、キオスク等を含み、該安全なトランザクションは、以下に制限されないが、既存の支払い手段を用いて、商品およびサービスの支払いを受け入れること、商品およびサービスを流通させること、好みを伴う又は伴わない情報の配布、及び他のサービス提供者の代わりに支払いを行うことを含み、該既存の支払い手段は、以下に限定されないが、現金、クレジットカード、デビットカード、電子小切手、プリペイドアカウント、及び価値保存型アカウント等を含む。
【０４９０】
また、航空会社の接続性プラットフォーム５０００は、旅行、及び航空会社またはそのビジネスパートナーの何れかからの関連した他のサービスを安全に予約し；チケット及び関連したサービスを航空会社またはそのパートナーの何れかから購入し；チケット及び関連した情報／サービスを航空会社またはそのビジネスパートナーの何れかから安全にダウンロードし；ロイヤルティカード／提携カード／支払いカード／クーポン／販促商品などを航空会社またはそのビジネスパートナーの何れかから安全にダウンロードし；チケット／カード／クーポンなどをトランザクションの時点で引き換え；旅行およびロイヤルティ情報を管理、トランザクション記録などをアーカイブするような、駆動される様々な関連プロファイル及び個人専用の付加価値サービスに役に立つ能力を顧客に提供することができる。例えば、顧客は、航空会社装置１６２及び本明細書で説明された他の係る装置に関連して説明されたものと類似したクライアント装置または航空会社装置の使用を通じて、係るトランザクション（単数または複数）を行うことができる。
【０４９１】
また、航空会社の接続性プラットフォーム５０００により、航空会社が、その従業員および様々な物品と資源の利用を良好に管理することを可能にすることができ、この場合、例えば、従業員が個々のフライトスケジュールの情報にアクセスすることを可能にすることにより、又は従業員が様々な物品とサービスを航空機などに供給する予定を決めることを可能にすることにより、全てが、クライアント装置、航空会社装置１６２、又は本明細書で説明されたような他の係る装置を介して、遠隔的に安全にリアルタイムで行われて、全体的な収益性を向上させることに向けられる。
【０４９２】
また、航空会社の接続性プラットフォーム５０００により、航空会社が、代理店および航空会社のネットワークを用いずに、顧客に直接的にチケットを販売し、チケット及び他の関連したサービスを発行することを可能にすることができる。
【０４９３】
また、航空会社の接続性プラットフォーム５０００により、航空会社の代理店が、（航空会社および参加ビジネスパートナーの）チケット及び他の関連したサービスを顧客に発行することを可能にすることができる。
【０４９４】
図５１は、政府（行政）エンティティシステム１７０を用いる政府エンティティが、上述されたプラットフォーム１００及び４７００と関連するような、本明細書で説明された様々な特徴および属性を可能にすることができるプラットフォーム５１００を示す。図５１は、政府および／または電話会社および／または銀行および／またはサービス提供者および／またはインターネットサービスプロバイダーおよび／またはアプリケーションサービス提供者および／または他のエンティティが、メインサービスファシリティ１４２を介してウェブベースのプラットフォームをセットアップする能力を有する政府接続性プラットフォーム５１００を示し、そのメインサービスファシリティは、政府の既存のバックエンドシステム１７０、様々な金融サービス提供者、支払いシステム、公共事業提供者、及びサービス提供者との安全なトランザクションインターフェースを有し、この場合、係るポータルは、様々な国営／管理商品５１１０及びサービスを市民、並びに他の政府機関、及び民間企業（Ｇ２Ｃ、Ｇ２Ｇ、Ｇ２Ｂ等）に直接的に販売して配布することに関連した付加価値サービスを提供すること、及び種々の安全な支払い及びトランザクションサービス（支払い５１３０に関連付けられ得る）を含むこと；政府規制５１２８と連係および／または関連すること；全体的な効率性、市民および職員の利便性、及び収益性を向上させるプロセスを専門とする。
【０４９５】
政府接続性プラットフォーム５１００は、職員、委任代理人、企業、及び市民に、クライアント装置１６２を提供することができ、又は代案として、既存のクライアント装置１６２を使用することができ（どちらにしても、クライアント装置は、個人の装置または一時的な個人使用の公共装置とすることができる）、クライアント装置は、以下に制限されないが、種々の安全なトランザクションを行うための携帯電話、ＰＣ、売り場専用端末、キオスク等を含み、該安全なトランザクションは、以下に制限されないが、既存の支払い手段を用いて、商品およびサービスの支払いを受け入れること、商品およびサービスを配布すること、好みを伴う又は伴わない情報の配布、及び他のサービス提供者の代わりに支払いを行うことを含み、該既存の支払い手段は、以下に限定されないが、現金、クレジットカード、デビットカード、電子小切手、プリペイドアカウント、及び価値保存型アカウント等を含む。例えば、政府サービス提供者１６８は、政府エンティティの代わりに、政府エンティティ（例えば、サービス５１１４を提供する、及び注文確認書４９２０を発行するような）を介してサービスを提供することができる。別の例として、サービス提供者１６８は、価格見積４９１２等と共に政府エンティティにサービス又は商品５１１０を提供することができる。市民（又は非市民）は、メインファシリティ１４２を介して政府システム１７０に接続して、サービス５１０８を得て、支払い４９０２を行い、支払い４９０２を受け取り、或いは政府システム１７０から別の申込書または商品またはサービスを得ることができる。
【０４９６】
また、政府接続性プラットフォーム５１００により、市民が、様々な国営のサービス及びプログラムに関連した情報に安全にアクセスし；様々な国営の商品およびサービスを安全に入手し；様々な国営の商品およびサービスに対してリアルタイム、又はリアルタイム以外で安全に代金を支払い；及び／又は商品とサービスの引き渡しが無事終了した際の支払いの領収書を安全に受け取ることを可能にすることができ、この場合、全ての係るトランザクションは、消費者自身のクライアント装置１６２、又はマーチャント／小売業者／自治体の場所に収容されて、係る安全なトランザクション１６２を可能にするための能力を備えたクライアント装置を介して、消費者により行われ得る。
【０４９７】
また、政府接続性プラットフォーム５１００により、職員および他の政府機関が、政府により提供されるクライアント装置１６２、又は自身のクライアント装置、又はマーチャント／小売業者／自治体の場所に収容されたクライアント装置を用いた、様々な商品とサービスの入手、配布、及び支払いに関連した安全なトランザクションを行うことを可能にすることができ、この場合、クライアント装置は、係るプラットフォームを用いて（例えば、メインサービスファシリティ１４２を介して）安全なトランザクションを行うために用意されている。
【０４９８】
また、政府接続性プラットフォーム５１００により、政府の職員および他の政府機関が、政府により提供されるクライアント装置、又は自身のクライアント装置、又はマーチャント／小売業者／自治体の場所に収容されたクライアント装置を用いた、様々な商品とサービスの入手、配布、及び支払いに関連した、私企業（例えば、サービス提供者１６８）との安全なトランザクションを行うことを可能にすることができ、この場合、クライアント装置は、係るプラットフォームを用いて（例えば、メインサービスファシリティ１４２を介して）安全なトランザクションを行うために用意されている。
【０４９９】
図５２は、企業エンティティシステム１７０を用いる企業エンティティが、上述されたプラットフォーム１００及び４７００と関連するような、本明細書で説明された様々な特徴および属性を可能にすることができるプラットフォーム５２００を示す。図５２は、企業および／または電話会社および／または銀行および／またはサービス提供者および／またはインターネットサービスプロバイダーおよび／またはアプリケーションサービス提供者および／または他のエンティティが、メインサービスファシリティ１４２を介してウェブベースのプラットフォームをセットアップする能力を有する企業接続性プラットフォーム５２００を示し、そのメインサービスファシリティは、企業の既存のバックエンドシステム、様々な金融サービス提供者、支払いシステム、及びサービス提供者との安全なトランザクションインターフェースを有し、この場合、係るポータルは、従業員が種々の安全な支払い及びトランザクションサービスを行うことを可能にすることにより、組織の全体的な収益性を向上させることに向けられた付加価値サービスを提供することを専門とする。例えば、サービス提供者１６８は、メインサービスファシリティ１４２を介して企業システム１７０からサービス５１１４の注文を受け取ることができ、サービス提供者１６８は注文確認書４９２０を企業システムに送信することができる。サービスは、例えば、企業または企業の顧客に対するサービスとすることができる。サービスが顧客に対するものである場合、相互作用は、メインサービスファシリティ１４２を介して顧客に向けられ得る。別の例として、サービス提供者１６８は、商品５１１０及び／又は商品とサービス５２２８を企業システム１７０（又は企業の顧客）に供給することができ、商品のトランザクションは、メインサービスファシリティ１４２を介して容易にされ得る。
【０５００】
企業接続性プラットフォーム５２００は、企業自体の従業員およびそのビジネスパートナーの従業員に、クライアント装置１６２を提供することができ、又は代案として、既存のクライアント装置を使用することができ（どちらにしても、クライアント装置は、個人の装置または一時的な個人使用の公共装置とすることができる）、クライアント装置は、以下に制限されないが、種々の安全なトランザクションを行うための携帯電話、ＰＣ等を含み、該安全なトランザクションは、既存の支払い手段を用いた支払いトランザクションを含み、該既存の支払い手段は、以下に制限されないが、現金、クレジットカード、デビットカード、電子小切手、プリペイドアカウント（口座）、及び価値保存型アカウント（口座）等を含む。
【０５０１】
企業接続性プラットフォーム５２００により、企業の従業員（又はビジネスパートナーの従業員）が、企業の商品とサービスの入手と支払い、及び／又は個人の使用に関する商品とサービスの入手と支払いに関連した支払い及び金融トランザクションを含む安全なトランザクションを行うことを可能にすることができ、この場合、係るトランザクションは、現実世界または仮想世界（請求書支払い、送金などを含む）で行われることができ、更に従業員が、経費報告書を送ることが可能になり、返済を徴収する。
【０５０２】
企業接続性プラットフォーム５２００により、企業の従業員（又はビジネスパートナーの従業員）が、安全なトランザクションを行うことを可能にすることができ、該トランザクションは、従業員（単数または複数）が、遂行された仕事および係る仕事を遂行するために費やされた時間／資源の概要を直属の上司に安全に且つ電子的に送信することができるインスタンスを含むことができ、この場合、該仕事は、内輪のプロジェクト及び／又は外部の顧客に関連付けられ得る。
【０５０３】
企業接続性プラットフォーム５２００により、企業の従業員（又はビジネスパートナーの従業員）が、安全なトランザクションを行うことを可能にすることができ、該トランザクションは、職員が、企業の内部処理（障害回復など）或いは顧客、ビジネスパートナー等に関連した取引（例えば、見積書、インボイス等）に関係して、公にしにくい個人専用のデータを別の従業員（単数または複数）に遠隔的に送信することができる、インスタンスを含むことができる。
【０５０４】
企業接続性プラットフォーム５２００は、従業員の給与支払名簿を統合することができ、これにより従業員が、商品とサービスの入手に関連した、ポータルによりサポートされているクライアント装置を用いて行われる個人の支払いトランザクションを精算するために、給与支払名簿を使用することが可能になる。
【０５０５】
図５３は、健康／フィットネスエンティティシステム１７０を用いる健康／フィットネスエンティティが、上述されたプラットフォーム１００及び４７００と関連するような、本明細書で説明された様々な特徴および属性を可能にすることができるプラットフォーム５３００を示す。図５３は、健康／フィットネス機関および／または電話会社および／または銀行および／またはサービス提供者および／またはインターネットサービスプロバイダーおよび／またはアプリケーションサービス提供者および／または他のエンティティが、メインサービスファシリティ１４２を介してウェブベースのプラットフォームをセットアップする能力を有する健康／フィットネス接続性プラットフォーム５３００を示し、そのメインサービスファシリティは、健康／フィットネス機関の既存のバックエンドシステム；病院、研究所、薬局などによるホスト装置として働く潜在的な他の健康情報システム；様々な金融サービス提供者；支払いシステム；及びサービス提供者との安全なトランザクションインターフェースを有し、この場合、係るポータルは、消費者が種々の安全な支払い及びトランザクションサービスを行うことを可能にすることにより、全体的な効率性、ユーザの利便性、顧客のサポート、及び組織の収益性を向上させることに向けられた付加価値サービスを顧客に提供することを専門とする。例えば、サービス提供者１６８は、メインサービスファシリティ１４２を通じて、商品５１１０及び／又はサービス５１１４に関連したトランザクションを、消費者装置１６２を介した消費者に提供することができる。メインサービスファシリティは、様々な提供者（プロバイダー）１６８と消費者１６２と健康／フィットネス機関システム１７０との間で転送される情報の安全性を維持するための安全対策を含むことができる。
【０５０６】
健康／フィットネス接続性プラットフォーム５３００は、顧客に、クライアント装置を提供することができ、又は代案として、既存のクライアント装置を使用することができ（どちらにしても、クライアント装置は、個人の装置または一時的な個人使用の公共装置とすることができる）、クライアント装置は、以下に制限されないが、種々の安全なトランザクションを行うための携帯電話、ＰＣ等を含み、該安全なトランザクションは、既存の支払い手段を用いた支払いトランザクションを含み、該既存の支払い手段は、以下に制限されないが、現金、クレジットカード、デビットカード、電子小切手、プリペイドアカウント、及び価値保存型アカウント等を含む。
【０５０７】
健康／フィットネス接続性プラットフォーム５３００により、顧客が、様々な商品とサービスに対して代金を支払うことを可能にすることができる。
【０５０８】
健康／フィットネス接続性プラットフォーム５３００は、健康記録５３０２、又は健康記録５３０２を含むことができる他の記録５３３０のコンテンツに恐らく関連して、顧客に対する商品およびサービス（以下に制限されないが、健康／フィットネスプログラム５３２９、ダイエット／運動プログラム５３０８、ダイエット、栄養補助食品などを含む）を個人専用にすることができる。
【０５０９】
健康／フィットネス接続性プラットフォーム５３００は、以下に制限されないが、フィットネスプログラム、食事指導、時間または他の関連した条件等に基づいた警報を含む、個人専用のコンテンツ、サービス、及びメッセージを、顧客のクライアント装置を介して直接的に顧客に安全に配信することができる。
【０５１０】
健康／フィットネス接続性プラットフォーム５３００により、顧客が、顧客のクライアント装置を用いて、ポータルにおける個人専用のアカウントに情報をフィードバックすることを可能にすることができ、その目的は、様々なプロファイル駆動の付加価値サービスに役立つように顧客の記録をアーカイブして更新することであり、該記録は、以下に制限されないが、成績報告、最新報告、修正トレーニングプログラム、修正ダイエットプログラム等を含む。
【０５１１】
健康／フィットネス接続性プラットフォーム５３００は、個人健康モニターを含む他の健康情報システム（病院等によるホスト装置として働く）と接続して機能して、顧客のプロファイルを更新することができ、ポータルにより提供される様々な個人専用の商品とサービスを更にカスタマイズすることができる。
【０５１２】
図５４は、宗教エンティティシステム１７０を用いる宗教エンティティが、上述されたプラットフォーム１００及び４７００と関連するような、本明細書で説明された様々な特徴および属性を可能にすることができるプラットフォーム５４００を示す。図５４は、宗教法人および／または電話会社および／または銀行および／またはサービス提供者および／またはインターネットサービスプロバイダーおよび／またはアプリケーションサービス提供者および／または他のエンティティが、メインサービスファシリティ１４２を介してウェブベースのプラットフォームをセットアップする能力を有する宗教接続性プラットフォーム５４００を示し、そのメインサービスファシリティは、宗教法人の既存のバックエンドシステム、様々な金融サービス提供者、支払いシステム、及びサービス提供者との安全なトランザクションインターフェースを有し、この場合、係るプラットフォームは、付加価値サービスを顧客または信奉者に提供することを専門とし、個人専用の付加価値サービスを提供して顧客が種々の安全な支払い及びトランザクションサービスを行うことを可能にすることに向けられる。例えば、宗教法人は、メインサービスファシリティ１４２を通じて、教区民の装置１６２を介して宗教法人のサービスを教区民の信奉者または他の信奉者と接続することができる。また、宗教法人は、メインサービスファシリティを通じて、サービス提供者（単数または複数）１６８を、宗教法人自体の組織、関係者、信奉者、他のサービス提供者等に接続することもできる。
【０５１３】
宗教接続性プラットフォーム５４００は、顧客に、クライアント装置を提供することができ、又は代案として、既存のクライアント装置を使用することができ（どちらにしても、クライアント装置１６２は、個人の装置または一時的な個人使用の公共装置とすることができる）、クライアント装置は、以下に制限されないが、種々の安全なトランザクションを行うための携帯電話、ＰＣ等を含み、該安全なトランザクションは、既存の支払い手段を用いた支払いトランザクションを含み、該既存の支払い手段は、以下に制限されないが、現金、クレジットカード、デビットカード、電子小切手、プリペイドアカウント、及び価値保存型アカウント等を含む。
【０５１４】
宗教接続性プラットフォーム５４００は、宗教的コンテンツ５４２８を含むことができ、且つ顧客または信奉者のクライアント装置１６２にそれらを直接的に安全に送ることができる個人専用サービス又はカウンセリング５４０８（宗教的メッセージ、神への祈り等のような）を提供することができ、この場合、係るサービスは、その結果として、時間、場所、縁起の良い時期などのような様々な条件により決定され、更に、類似したメッセージが、信奉者のより大きなグループに放送され得る。
【０５１５】
宗教接続性プラットフォーム５４００により、顧客または信奉者が、既存の支払い手段およびシステムを用いてリアルタイムに宗教団体へ安全に寄付５４０２を送り、プラットフォームからリアルタイムで受領書の形式で確認応答を受け取ることを可能にすることができ、更に、この場合、係る資金は、信奉者のグループにより寄付されることができ、係る資金は、月毎、記念祭毎などのような特定の予め設定された条件に基づいて、個々の信奉者または信奉者のグループにより、定期的に寄付され得る。
【０５１６】
宗教接続性プラットフォーム５４００により、顧客または信奉者が、宗教団体またはそのパートナーにより販売された様々な商品とサービスを安全に入手して代金を支払うことを可能にすることができる。
【０５１７】
図５５は、スポーツエンティティシステム１７０を用いるスポーツエンティティが、上述されたプラットフォーム１００及び４７００と関連するような、本明細書で説明された様々な特徴および属性を可能にすることができるプラットフォーム５５００を示す。図５５は、スポーツ団体および／または電話会社および／または銀行および／またはサービス提供者および／またはインターネットサービスプロバイダーおよび／またはアプリケーションサービス提供者および／または他のエンティティが、メインサービスファシリティ１４２の使用を介してウェブベースのプラットフォームをセットアップする能力を有するスポーツ接続性プラットフォーム５５００を示し、そのメインサービスファシリティは、スポーツ団体の既存のバックエンドシステム、賭博組織、カジノ、様々な金融サービス提供者、支払いシステム、及びサービス提供者との安全なトランザクションインターフェースを有し、この場合、係るプラットフォームは、付加価値サービスを顧客またはファンに提供することを専門とし、個人専用の付加価値サービスを提供して顧客が種々の安全な支払い及びトランザクションサービスを行うことを可能にすることに向けられる。
【０５１８】
スポーツ接続性プラットフォーム５５００は、顧客またはファンに、クライアント装置を提供することができ、又は代案として、既存のクライアント装置を使用することができ（どちらにしても、クライアント装置は、個人の装置または一時的な個人使用の公共装置とすることができる）、クライアント装置は、以下に制限されないが、種々の安全なトランザクションを行うための携帯電話、ＰＣ等を含み、該安全なトランザクションは、既存の支払い手段を用いた支払いトランザクションを含み、該既存の支払い手段は、以下に制限されないが、現金、クレジットカード、デビットカード、電子小切手、プリペイドアカウント、及び価値保存型アカウント等を含む。
【０５１９】
スポーツ接続性プラットフォーム５５００は、様々なコンテンツ及びサービス（得点、統計値などを含むことができるニュース５５０２のような）をカスタマイズする能力を顧客またはファンに提供し、係る個人専用のコンテンツ及びサービスを個々のクライアント装置に安全に送信することができる。
【０５２０】
スポーツ接続性プラットフォーム５５００により、顧客またはファンが、生のスポーツイベントで、Ｐ２Ｐ（即ち、他の顧客またはファンとの）で、又はトーナメント方式（顧客またはファンのグループに対して）で、或いは「カジノ」又はポータル及び／又はその参加パートナーに対して、掛け金を賭ける又は賭けをする（注文５５０８として具現化され得る）ことを可能にすることができる。掛け金を賭ける又は賭けをすることは、掛け金および賭けに関連した確認書５５３０の送信を介して確認され得る。
【０５２１】
スポーツ接続性プラットフォーム５５００により、顧客またはファンが、スポーツ団体またはその参加パートナーにより販売された様々な商品とサービス５５２８を入手して代金を支払うことを可能にすることができる。
【０５２２】
図５６は、保険エンティティシステム１７０を用いる保険エンティティが、上述されたプラットフォーム１００及び４７００と関連するような、本明細書で説明された様々な特徴および属性を可能にすることができるプラットフォーム５６００を示す。図５６は、保険会社および／または電話会社および／または銀行および／またはサービス提供者および／またはインターネットサービスプロバイダーおよび／またはアプリケーションサービス提供者および／または他のエンティティが、メインサービスファシリティ１４２を介してウェブベースのプラットフォームをセットアップする能力を有することができる保険接続性プラットフォーム５５００を示し、そのメインサービスファシリティは、保険会社の既存のバックエンドシステム、様々な金融サービス提供者、支払いシステム、及びサービス提供者との安全なトランザクションインターフェースを有し、この場合、係るポータルは、付加価値サービスを顧客（個人またはエンティティ）に提供することを専門とし、この場合、個人専用の付加価値サービスを提供し、効率性を向上し、顧客の利便性を向上し、より良好な顧客サポートを提供して全体的な収益性を向上し、顧客が種々の安全な支払い及びトランザクションサービスを行うことを可能にすることに向けられる。例えば、顧客は、顧客の装置１６２を用いて、保険証書５６３０にアクセスするか、又は賠償請求５６０８を行うことができる。顧客の装置１６２は、メインサービスファシリティ１４２を介して、保険システム１７０、１つの保険エンティティ、関連会社、及び／又はサービス提供者１６８と相互作用することができる。保険システムは、商品、サービス、又は説明書５６２８をその顧客またはサービス提供者１６８に提供することができる。例えば、保険システムは、賠償請求５６０８に関連付けられ得る説明書または承認をサービス提供者１６８の１つに発行することができ、次いで、そのサービス提供者１６８は、顧客の装置を介して顧客と通信することができる。
【０５２３】
保険接続性プラットフォーム５６００は、保険会社の顧客に、クライアント装置を提供することができ、又は代案として、既存のクライアント装置を使用することができ（どちらにしても、クライアント装置は、個人の装置または一時的な個人使用の公共装置とすることができる）、クライアント装置は、以下に制限されないが、種々の安全なトランザクションを行うための携帯電話、ＰＣ等を含み、該安全なトランザクションは、既存の支払い手段を用いた支払いトランザクションを含み、該既存の支払い手段は、以下に制限されないが、現金、クレジットカード、デビットカード、電子小切手、プリペイドアカウント、及び価値保存型アカウント等を含む。
【０５２４】
保険接続性プラットフォーム５６００により、従業員が、他の従業員または支配人等に機密メッセージ（見積書、売上高などを含む）を安全に送ることを可能にすることができる。
【０５２５】
保険接続性プラットフォーム５６００により、従業員が、場合によっては遠隔位置から賠償請求に関連した情報を安全に且つ電子的に提示することを可能にすることができる。
【０５２６】
保険接続性プラットフォーム５６００により、従業員が、場合によっては遠隔位置から保険証書５６０２を安全に且つ電子的に閲覧することを可能にすることができる。
【０５２７】
賠償請求が承認された（オンライン又はオフライン）場合に、保険接続性プラットフォーム５６００により、従業員が、顧客に対する賠償請求または他のサービスに関連した支払いを処理することを可能にすることができ、この場合、顧客が有能なクライアント装置も有する場合には、支払い又は資金は、従業員のクライアント装置から顧客の装置にリアルタイムで移され得る。
【０５２８】
保険接続性プラットフォーム５６００により、顧客が、保険会社に情報を安全に送信し、且つ様々な商品とサービスをリアルタイムで入手してその代金を支払うことを可能にすることができる。
【０５２９】
図５７は、大学エンティティシステム１７０を用いる大学エンティティが、上述されたプラットフォーム１００及び４７００と関連するような、本明細書で説明された様々な特徴および属性を可能にすることができるプラットフォーム５７００を示す。図５７は、大学および／または電話会社および／または銀行および／またはサービス提供者および／またはインターネットサービスプロバイダーおよび／またはアプリケーションサービス提供者および／または他のエンティティが、メインサービスファシリティ１４２を介してウェブベースのプラットフォームをセットアップすることができる大学接続性プラットフォーム５７００を示し、そのメインサービスファシリティは、大学の既存のバックエンドシステム、様々な金融サービス提供者、支払いシステム、及びサービス提供者との安全なトランザクションインターフェースを有し、この場合、係るプラットフォームは、付加価値サービスを大学の生徒と職員に提供することを専門とし、この場合、利便性、効率性、サポート、及び全体的な収益性を向上し、個人専用の付加価値サービスを提供し、生徒と職員が種々の安全な支払い及びトランザクションサービスを行うことを可能にすることに向けられる。
【０５３０】
大学接続性プラットフォーム５７００は、大学の生徒と職員に、クライアント装置を提供することができ、又は代案として、既存のクライアント装置を使用することができ（どちらにしても、クライアント装置は、個人の装置または一時的な個人使用の公共装置とすることができる）、クライアント装置は、以下に制限されないが、種々の安全なトランザクションを行うための携帯電話、ＰＣ等を含み、該安全なトランザクションは、既存の支払い手段を用いた支払いトランザクションを含み、該既存の支払い手段は、以下に制限されないが、現金、クレジットカード、デビットカード、電子小切手、プリペイドアカウント、及び価値保存型アカウント等を含む。
【０５３１】
大学接続性プラットフォーム５７００により、生徒が、大学、並びに他の生徒および職員と安全な個人専用のトランザクションを行うことを可能にすることができ、該トランザクションは、以下に制限されないが、科目（登録５７０８の動作に関連付けられ得る任意のもの）の閲覧、科目の選択と登録；図書館、研究室などを含む様々な大学資源へのアクセス；成績５７０２の閲覧；大学およびキャンパス内外のその関連企業／ビジネスパートナー（小売店、カフェテリア、レストラン、映画館、書店などを含む）からのロイヤルティベースのサービス、クーポン等を含む様々な商品とサービスの入手および係る商品とサービスの代金の支払いを含む。
【０５３２】
大学接続性プラットフォーム５７００により、職員が、他の職員、生徒、及び大学またはその関連企業／ビジネスパートナーと安全なトランザクションを行うことを可能にすることができ、該トランザクションは、以下に制限されないが、商品とサービスの入手；授業５７２８、セミナー等のスケジュール調整および／または再スケジュール調整；他の職員と生徒との連携、及びグレード（学年）５７３０を制限しない機密情報などの安全な交換を含み、効率性および収益性を向上させる全体的な目標を有する。
【０５３３】
大学接続性プラットフォーム５７００により、大学が、様々な個人専用の通信教育パッケージをカスタマイズして生徒および顧客に提供することを可能にすることができる。
【０５３４】
図５８は、政治エンティティシステム１７０を用いる政治エンティティ（例えば、政党）が、上述されたプラットフォーム１００及び４７００と関連するような、本明細書で説明された様々な特徴および属性を可能にすることができるプラットフォーム５８００を示す。図５８は、政党および／または政府および／または電話会社および／または銀行および／またはサービス提供者および／またはインターネットサービスプロバイダーおよび／またはアプリケーションサービス提供者および／または他のエンティティが、メインサービスファシリティ１４２を介してウェブベースのプラットフォームをセットアップする能力を有することができる政治接続性プラットフォーム５８００を示し、そのメインサービスファシリティは、政府の既存のバックエンドシステム、様々な金融サービス提供者、支払いシステム、及びサービス提供者との安全なトランザクションインターフェースを有し、この場合、係るプラットフォームは、付加価値サービスを議員、職員、及び市民に提供することを専門とし、この場合、利便性、効率性、顧客サポート、及び全体的な収益性を向上し、個人専用の付加価値サービスを提供し、種々の安全な支払い及びトランザクションサービスを行うための能力を含むことに向けられる。例えば、人は、クライアント装置１６２を用いて、政治システム１７０、その関係者、サービス提供者１６８等と相互作用して、登録５７０８、投票５８０２、世論調査５８２８との相互作用、政党との連絡５８３０、支払い４９２４等を行うことができる。
【０５３５】
政治接続性システム５８００は、党員、職員、及び市民に、クライアント装置を提供することができ、又は代案として、既存のクライアント装置を使用することができ（どちらにしても、クライアント装置は、個人の装置または一時的な個人使用の公共装置とすることができる）、クライアント装置は、以下に制限されないが、種々の安全なトランザクションを行うための携帯電話、ＰＣ等を含み、該安全なトランザクションは、既存の支払い手段を用いた支払いトランザクションを含み、該既存の支払い手段は、以下に制限されないが、現金、クレジットカード、デビットカード、電子小切手、プリペイドアカウント、及び価値保存型アカウント等を含む。
【０５３６】
政治接続性システム５８００は、様々な個人を党員および運動員として登録するように適合されており、個人的プロフィール及び職業的プロフィールを取り込み、登録に関する個人専用トークンを発行することもでき、該トークンは、以下に制限されないが、生体認証および／または写真に関する何らかの体の状態を更に取り込むことができるプラスチックカードを含むことができ、この場合、同じ情報が、個人のクライアント装置などに仮想カードの形態でも発行され得る。
【０５３７】
政治接続性システム５８００により、指定および予め公認された党員（単数または複数）（以下に限定されないが、国会または下院の党員、党首などを含む）が、党員または運動員に関連した情報、又は党員の選挙区における様々なプロジェクトの状態に関連した情報、又は他の関連情報等を用いて、プラットフォームにデータを格納し、プラットフォームを閲覧し、その結果、プラットフォームを更新することを可能にすることができる。
【０５３８】
政治接続性システム５８００により、州および／または国の市民（党員、党の運動員、及び職員を含む）が、特定の地域のプラットフォームにアクセスして、プロジェクトの状態に関連した情報を閲覧し、選出された国会議員により約束された活動、並びに自身および他の有権者における主導権の進捗（又は不足）に関連した情報を閲覧することを可能にすることができる。
【０５３９】
政治接続性システム５８００により、市民が、特定の党員（単数または複数）／運動員（単数または複数）に対して、及び様々な主導権の進捗（又は不足）に対して、投票の形態で公式または非公式で市民の意見を表すことを可能にすることができる。
【０５４０】
政治接続性システム５８００により、予め公認された党の運動員が、メッセージ又は機密情報を他の党員および／または党員のグループに安全に送るために、プラットフォームの安全なトランザクション能力を利用することを可能にすることができる。
【０５４１】
政治接続性システム５８００により、市民または党の運動員または職員が、様々な商品とサービスを入手して、必要に応じて様々な商品とサービスの代金を支払うことを可能にすることができる。
【０５４２】
図５９は、製薬システム１７０を用いる製薬エンティティが、上述されたプラットフォーム１００及び４７００と関連するような、本明細書で説明された様々な特徴および属性を可能にすることができる製薬接続性プラットフォーム５９００を示す。図５９は、製薬会社（単数または複数）および／または電話会社および／または銀行および／またはサービス提供者および／またはインターネットサービスプロバイダーおよび／またはアプリケーションサービス提供者又は他のエンティティが、ウェブベースのポータルをセットアップする能力を有することができる製薬接続性プラットフォーム５９００を示し、それは、製薬会社（単数または複数）の既存のバックエンドシステム、製造業者／卸業者／小売業者のバックエンドシステム、様々な金融サービス提供者、支払いシステム、及びサービス提供者との安全なトランザクションインターフェースを有し、この場合、係るプラットフォームは、付加価値サービスを登録ユーザ及び顧客に提供することを専門とし、この場合、利便性、効率性、顧客サポート、及び全体的な収益性を向上し、個人専用の付加価値サービスを提供し、登録ユーザ及び顧客が種々の安全な支払い及びトランザクションサービスを行うことを可能にすることに向けられる。例えば、クライアント装置１６２を用いて、製薬システム１７０、その関連会社、サービス提供者１６８、又は他のエンティティと相互作用して、補給品５９０８の注文、ジェネリック医薬品に関する情報５９０２の取得、処方箋５９２８の注文、薬剤情報（例えば、薬剤相互作用の情報、薬剤過量情報、薬剤警告情報）５９３０の受信、及び支払いを行う１６８ことなどができる。
【０５４３】
製薬接続性プラットフォーム５９００は、登録ユーザ及び顧客に、クライアント装置を提供することができ、又は代案として、既存のクライアント装置を使用することができ（どちらにしても、クライアント装置は、個人の装置または一時的な個人使用の公共装置とすることができる）、クライアント装置は、以下に制限されないが、種々の安全なトランザクションを行うための携帯電話、ＰＣ等を含み、該安全なトランザクションは、既存の支払い手段を用いた支払いトランザクションを含み、該既存の支払い手段は、以下に制限されないが、現金、クレジットカード、デビットカード、電子小切手、プリペイドアカウント、及び価値保存型アカウント等を含む。
【０５４４】
製薬接続性プラットフォーム５９００により、登録ユーザ（以下に限定されないが、製薬会社、製造会社、卸業者、小売業者、医療提供者、政府組織などを含む）が、プラットフォームに安全にアクセスして、登録ユーザが売買することを望む商品および／またはサービスに関する情報を読み込み又は掲示することを可能にすることができ、この場合、該売買は、以下に制限されないが、他の利害関係のエンティティ及び関連エンティティに対する販売、バーター取引、又は購入を含み、この場合、係る商品は、以下に限定されないが、ジェネリック医薬品、先発医薬品、代替医薬品などを含むことができる。
【０５４５】
製薬接続性プラットフォーム５９００により、登録ユーザ（以下に限定されないが、製薬会社、製造会社、卸業者、小売業者、医療提供者、政府組織などを含む）が、プラットフォームに安全にアクセスして、ポータルの他の登録ユーザからの商品およびサービスを含む様々な商品およびサービスを入手してその代金を支払うことを可能にすることができ、この場合、係る商品は、以下に限定されないが、ジェネリック医薬品、先発医薬品、代替医薬品などを含むことができる。
【０５４６】
製薬接続性プラットフォーム５９００により、オンライン入札が容易にされ、登録ユーザが、商品およびサービスを入札に出すことを可能にし、並びに登録ユーザが商品およびサービスに値をつけることを可能にすることができる。
【０５４７】
製薬接続性プラットフォーム５９００により、登録ユーザが、商品およびサービスを入手してその代金を支払うことを可能にすることができる。
【０５４８】
製薬接続性プラットフォーム５９００は、登録ユーザ間で、メッセージ及び機密情報の安全な通信を容易にし、この場合、係る通信は、二人の登録ユーザ間または登録ユーザのグループ間で行われ得る。
【０５４９】
図６０は、商品取引システム１７０を用いる商品エンティティが、上述されたプラットフォーム１００及び４７００と関連するような、本明細書で説明された様々な特徴および属性を可能にすることができる商品取引プラットフォーム６０００を示す。図６０は、商品協同組合（農業協同組合、炭鉱会社などを含む）および／または電話会社および／または銀行および／またはサービス提供者および／またはインターネットサービスプロバイダーおよび／またはアプリケーションサービス提供者が、ウェブベースのポータルをセットアップする能力を有することができる商品取引プラットフォーム６０００を示し、それは、協同組合（及び／又はその会員）の既存のバックエンドシステム、卸業者および小売業者のバックエンドシステム、様々な金融サービス提供者、支払いシステム、及びサービス提供者との安全なトランザクションインターフェースを有し、この場合、係るポータルは、付加価値サービスを登録ユーザ及び顧客に提供することを専門とし、この場合、利便性、効率性、顧客サポート、及び全体的な収益性を向上し、個人専用の付加価値サービスを提供し、登録ユーザ及び顧客が種々の安全な支払い及びトランザクションサービスを行うことを可能にすることに向けられる。例えば、クライアント装置１６２（以下に制限されないが、携帯電話、パーソナルコンピュータのような、個人の装置または一時的な個人使用の公共装置とすることができる）を用いて、商品取引システム１７０、その会員、サービス提供者１６８、又は他のエンティティと相互作用して、既存の支払い手段６００２を用いて、様々な安全なトランザクション６００８（支払いトランザクションを含む）を行うことができ、該既存の支払い手段は、以下に制限されないが、現金、クレジットカード、デビットカード、電子小切手、プリペイドアカウント、及び価値保存型アカウント等を含む。
【０５５０】
商品取引プラットフォーム６０００により、予め認定されたユーザ及び顧客（その結果として会員、例えば、農業従事者など）が、ポータルにおいて情報６０３０を入手して、その結果として該情報を更新することを可能にすることができ、該情報は、以下に制限されないが、価格情報、在庫情報、位置情報などを含むことができる。
【０５５１】
商品取引プラットフォーム６０００により、予め認定されたユーザ及び顧客（その結果として会員、例えば、農業従事者など）が、以下に制限しないが、商品購入／販売の注文６０２８を介してのように、ポータルにアクセスして、様々な商品およびサービスを入手し、係る商品およびサービスの代金を支払うことを可能にすることができる。
【０５５２】
商品取引プラットフォーム６０００により、オンライン又はオフラインの入札が容易にされ、登録ユーザ及び顧客（その結果として会員、例えば、農業従事者など）が、商品およびサービスを入札に出すことを可能にし、並びに登録ユーザが商品およびサービスに値をつけることを可能にし、従って、以下に制限しないが、やはり商品購入／販売の注文６０２８を介してのように、係る商品およびサービスを入手してその代金を支払うことができる。
【０５５３】
図６１は、エンターティメントシステム１７０を用いるエンターティメントエンティティが、上述されたプラットフォーム１００及び４７００と関連するような、本明細書で説明された様々な特徴および属性を可能にすることができるエンターティメントプラットフォーム６１００を示す。図６１は、エンターティメント企業（スタジオ、プロデューサ、芸能人などを含む）および／または電話会社および／または銀行および／またはサービス提供者および／またはインターネットサービスプロバイダーおよび／またはアプリケーションサービス提供者が、ウェブベースのポータルをセットアップする能力を有することができるエンターティメントプラットフォーム６１００を示し、それは、エンターティメント企業の既存のバックエンドシステム、様々な金融サービス提供者、支払いシステム、及びサービス提供者との安全なトランザクションインターフェースを有し、この場合、係るポータルは、付加価値サービスをエンターティメント企業の顧客（以下に制限されないが、最終消費者を含む）に提供することを専門とし、この場合、利便性、効率性、サポート、及び全体的な収益性を向上し、個人専用の付加価値サービスを提供し、顧客が種々の安全な支払い及びトランザクションサービスを行うことを可能にすることに向けられる。例えば、クライアント装置１６２（以下に制限されないが、携帯電話、パーソナルコンピュータのような、個人の装置または一時的な個人使用の公共装置とすることができる）を用いて、エンターティメントシステム１７０、その関係者、サービス提供者１６８、又は他のエンティティと相互作用して、商品およびサービス６１０８（番組制作コンテンツ、映画、音楽、ビデオクリップ、ドキュメンタリー、特別なショー等を含む）を提供し、顧客、配給業者、最終消費者などを含むポータルの登録ユーザに対する個人化情報６１０２に恐らく従って、それらの配信を個人専用にすることができる。
【０５５４】
エンターティメントプラットフォーム６１００は、登録ユーザ及び顧客に、クライアント装置を提供することができ（どちらにしても、クライアント装置は、個人の装置または一時的な個人使用の公共装置とすることができる）、クライアント装置は、以下に制限されないが、種々の安全なトランザクションを行うための携帯電話、ＰＣ等を含み、該安全なトランザクションは、既存の支払い手段を用いた支払いトランザクションを含み、該既存の支払い手段は、以下に制限されないが、現金、クレジットカード、デビットカード、電子小切手、プリペイドアカウント、及び価値保存型アカウント等を含む。
【０５５５】
エンターティメントプラットフォーム６１００により、様々なエンターティメント企業が、それらの商品およびサービス（以下に制限されないが、番組制作コンテンツ、映画、音楽、ビデオクリップ、ドキュメンタリー、特別なショー等を含むことができる、エンターティメントコンテンツ６１２８のような）を提供し、顧客、配給業者、最終消費者などを含むポータルの登録ユーザに対する配信を個人専用にすることを可能にすることができる。エンターティメントコンテンツ６１２８は、エンターティメント情報６１３０に関連付けられることができ、該情報は、価格、長さ、コンテンツのタイプ、タイトル、監督の名前、俳優の名前、出演者の名前、ミュージシャンの名前、ジャンル、及び任意の他の関連情報を含むことができる。
【０５５６】
エンターティメントプラットフォーム６１００により、顧客、配給業者、最終消費者などを含むポータルの登録ユーザが、以下に制限されないが、時間、場所、クライアント装置などを含む様々な基準に基づいて商品およびサービスの配信の好みをセットアップすることを可能にすることができる。
【０５５７】
実施形態において、エンターティメントプラットフォーム６１００は、ウェブベースのゲーミングプラットフォームとすることができる。本発明の実施形態は、ゲーミング提供者１７０に機能を提供する。ゲーミング提供者は、以下に限定されないが、電気通信会社、インターネットサービスプロバイダー、インターネットのコンテンツ及び／又はサービスのアグリゲーター、ゲームソフトメーカー、第三者のアプリケーションサービス提供者、又は任意の他のサービス提供者とすることができる。該機能は、ウェブベースのプラットフォーム６１００のセットアップと提供を含むことができる。
【０５５８】
プラットフォーム６１００は、本明細書の別の場所で説明され得る安全な支払い及びトランザクションサービスを含む、オンライン又はオフラインのゲームに関連した付加価値サービスを提供することを専門とすることができる。特に、プラットフォーム６１００は、ゲームソフトメーカー、ゲーム開発者、オンラインゲームのホストのバックエンドシステム、オフラインゲームのホストのバックエンドシステム、又は任意の他のシステムとの安全なトランザクションインターフェースを有することができる。
【０５５９】
プラットフォーム６１００は、携帯電話のユーザ、ＰＣのユーザ、及び／又はゲーム機のユーザ、或いはユーザの任意の電子ファシリティ（携帯型またはその他）に、ゲーム及び／又は個人専用のサービスをダウンロードする能力を提供することができる。プラットフォーム６１００は、代案として又は更に、ユーザに、ゲーム及び／又は個人専用サービスの代金を支払う能力を提供することができる。一実施形態において、ユーザは、ゲームの結果に賭けをすることができる。別の実施形態において、ユーザは、ゲームをするための支払いを徴収することができる。プラットフォーム６１００は、代案として又は更に、既存の金融サービス提供者により提供される支払い手段を用いて、定期購読（即ち、自動更新）及び／又はトランザクション毎のサービスの代金を支払う能力をユーザに提供することができ、該支払い手段は、以下に制限されないが、クレジットカード、デビットカード、電子小切手、プリペイドアカウント、及び価値保存型アカウント等を含む。
【０５６０】
プラットフォーム６１００により、ユーザが、別のユーザとリアルタイムでゲームをすることを可能にすることができ、この場合、双方のユーザは、互いに知り合いでも、知り合いでなくても良い。一方または双方のユーザが、プラットフォーム６１００を介して且つ個人対個人で、ゲームの結果に賭けをすることができる。代替の実施形態において、一方または双方のユーザは、ゲームの開始前および／または開始後のような所定の時間に、共通のポット（賭け金を置く場所）に所定金額の資金を置くことができる。この場合、プラットフォーム６１００は、ポットの中味（恐らく、手数料が差し引かれる）の一部または全部をゲームの勝利者に分配することができる。更に別の代替の実施形態において、プラットフォーム６１００により、ユーザが、プラットフォーム６１００の提供者により動作されるコンピュータファシリティとリアルタイムでゲームをすることを可能にすることができる。この場合、プラットフォーム６１００により、ユーザが、プラットフォーム６１００の提供者に対して賭けをすることを可能にすることができる。この賭けは、所定の条件、所定の節目、又は結果に基づくことができ、それらの何れかは、特定のゲームセッション及び／又は複数のゲームセッションに適用され得る。例えば、当人の射撃ゲームにおいて、ユーザは、１０分以内で１００個のモンスターを仕留めることができることに賭けることができる。又は、ユーザは、異なる時間に行った複数のゲームセッションにまたがる累積的な８時間のゲーム内で１０，０００個のモンスターを仕留めることができることに賭けることができる。更に別の実施形態において、プラットフォーム６１００により、ゲームをしていないプラットフォーム６１００のユーザのような非参加者が、ユーザに賭けることを可能にすることができる。いずれにせよ、ゲームは、腕前を競うゲーム及び／又は運任せのゲームとすることができ、ゲームの結果は、腕前および／または運の関数とすることができる。
【０５６１】
プラットフォーム６１００により、ユーザが、第２のユーザにゲームを転売することが可能になり、それにより、第２のユーザが、上述されたようにゲームをダウンロードすることを可能にすることができる。このゲームの転売は、個人対個人のトランザクション又は卸売りのトランザクションを含むことができる。プラットフォーム６１００は、トランザクションに関連した手数料を獲得することができる。
【０５６２】
当業者には明らかであるように、プラットフォーム６１００の態様は、商品、天気などのような他のアイテム及び／又はイベントに適用され得る。例えば、ゲームをダウンロードして行うことを提供する代わりに、プラットフォーム６１００は、着メロ、音楽、歌、ビデオ、映画、本、記事、レポート等のダウンロード及び再生／レンダリングを提供することができる。
【０５６３】
図６３は、本明細書で説明されたシステムを用いて、展開されるサービスのユーザ中心のセットを示す。所与のユーザに関して、様々なサービス提供者１６８からの一組のサービスが、システムにより可能にされることができ、該システムは、ユーザインターフェース５００２及びメインサービスファシリティ１４２（図示せず）を含む、クライアント装置１６２のユニバーサル電子トランザクションファシリティ（「ＵＥＴ」）１０１を含む。様々なメインサービスファシリティ１４２が、例えば、ゲームサービス、使用許諾サービス、航空券サービス、コンテンツサービス、銀行取引サービス、及び他のサービスをサポートすることができる。これらサービスの各々は、ユーザ中心のユーザインターフェース５００２により提示されることができ、これにより、ユーザが、本明細書で説明された何れかのものであるような、クライアント装置１６２からの様々なサービスを開始することができる。かくして、クライアントは、複数のサービスと相互作用することができ、該サービスの各々は、装置ファシリティ、ドメインファシリティ、及びユーザレベルのセキュリティファシリティのような、本明細書で説明された特徴と属性を含み、該ユーザレベルのセキュリティファシリティは、各サービス提供者１６８自体のシステムに関連したセキュリティ機能、並びにユーザの各装置に対するユーザパスワード及び装置パスワードのようなものである。様々なサービスは、アイテムの単なる表示とは対照的に、アイコン（必要に応じて、ブランド要素、及び実際のアイテム（例えば、クレジットカード）をサービスする安全性の特徴を備える）として提示され得る。ユーザインターフェース２００２の例は、図４３で看取されることができ、それは、多くの考えられる例の１つである。
【０５６４】
他の実施形態において、ＵＥＴ１０１は、ライセンス供与または登録のアイテムに関するデータを包含することができる。例えば、ＵＥＴは、住所情報、社会保障番号、免許証番号、登録番号、運転歴、過去の免許、コンプライアンスデータ等のような個人情報を格納することができる。別の例として、ＵＥＴは、デジタル形式のお金、又はクレジットカード口座および支払いベースのライセンス供与トランザクションの承認を格納することができる。別の例として、ＵＥＴは、ＵＥＴのユーザに対するライセンス又は登録を格納することができる。一実施形態において、ＵＥＴは、実際のライセンス又は登録を格納し、必要に応じて、そのようなものとしてそれを識別する、又はライセンス又は登録の照合を可能にする一意の識別子を含む。かくして、ＵＥＴは、例えば、運転者の写真、運転者の署名（サイン）、国璽、透かし又は文章偽造を防止するための類似したマーク、及び他の特徴のような、ライセンスに表示されるアイテムのグラフィック描写を含む、運転免許証を含むことができる。ＵＥＴシステムは、複数の異なるセキュリティレベルを可能にすることにより、ＵＥＴに実際のライセンスを格納することを容易にすることができ、この場合、ユーザがトランザクションを可能にするためにライセンスにアクセスしながら、発行人は、ライセンスの発行と使用を検証することができる。
【０５６５】
ＵＥＴシステムにより発行およびサポートされ得るライセンスは、運転免許証、漁業（入漁）許可証、狩猟許可証、医師免許状、職業的ライセンス、酒場の登録、弁護士免許、歯科免許、ＣＰＡ証明書、職業的な会員または技能の地位または証拠、組織の会員の証拠、スポーツが行われる会場の座席に対する許可証、土地または会場の使用許可証、会場に入るための許可証、車両登録、営業用免許、貨物輸送免許、輸入許可証、輸出承認証、情報開示許可証、情報にアクセスする許可証、製品の使用許可証、サービスを受ける許可証、及び任意の他の種類のライセンス、許可、登録、移住ビザ、パスポート、観光ビザ、外国出願ライセンス、建築許可証、占有ライセンス、占有許可証、営業許可証、外国の資格証明書、優良企業証明書、コーポレートライセンス、政令または発布、ＧＳＡライセンス、政府調達ライセンスなどを含むことができる。
【０５６６】
顧客のユーザインターフェースは、ライセンスサービスをサポートするためにＵＥＴ上に又はＵＥＴによりレンダリングされ得る。一般に、顧客のユーザインターフェースは、ユーザがナビゲーションして使用するために、テキストフィールド、ボタン、ドロップダウンリスト、チェックボックス等のようなインターフェースに関連した任意の特徴を含むことができる。ユーザインターフェースは、利用可能なライセンスタイプのドロップダウンリスト、ライセンスの価格を示すフィールドなどのような、ライセンス発行者から受信された情報に応答して動的に生成され得る。
【０５６７】
発行者ファシリティは、政府エンティティ、車両関連を扱う部局、組織本部などのようなライセンス発行者ファシリティのような中央場所で、及びライセンスを発行するための事務所またはライセンスが提示される場所のようなトランザクションの場所で動作することができる。発行者ファシリティは、様々な発行者に関連して説明された機能と特徴、及び本明細書の別の場所で説明されたマーチャントファシリティをサポートすることができる。ライセンス発行者ファシリティは、ライセンス及び登録の発行、維持管理、取り消し、及び変更に関係するデータとイベントを格納、検索、操作、及び分析するためのモジュールを含むことができる。例えば、発行者ファシリティは、駐車券、交通違反、漁業許可または狩猟許可の違反、免停、締め出し、及び他の出来事のようなライセンスに関係するトランザクションのイベントを記録するためのコンプライアンスモジュールを含むことができる。コンプライアンスモジュールは、順守するライセンスの期限切れの場合にライセンスの更新をトリガすることができ、或いは条件が更新に適合しない又はライセンスの継続に関する１つ以上の条件が足りないという理由で、ライセンスを取り消すことができる。ライセンス発行者ファシリティは、ライセンスの発行または更新などに対するＵＥＴからの支払いを受け取る、支払いを適用する、支払いに関連したデータを格納する、又は金融トランザクション等について報告するというような、ライセンス供与に関連した安全な金融トランザクションを実行するための金融モジュールを含むことができる。
【０５６８】
ライセンス発行者ファシリティは、ＵＥＴのユーザとライセンス供与トランザクションを行うためにユーザインターフェースを操作することができる発行者の従業員（又は他の認可されたユーザ）にユーザインターフェースを提供することができる。発行者のユーザインターフェースは、ライセンス発行者ファシリティ、或いは関連装置または周辺装置を含む装置上にレンダリングされ得る。一実施形態において、発行者のユーザインターフェースは、デスクトップコンピュータ上にレンダリングされ、例えば、ブラウザベースのユーザインターフェースとすることができる。一般に、ライセンス発行者のユーザインターフェースは、該従業員がナビゲーションして使用するために、テキストフィールド、ボタン、ドロップダウンリスト、チェックボックス等のようなインターフェースに関連した任意の特徴を含むことができる。
【０５６９】
実施形態において、上述されたような中央サービスファシリティが、概して上述されたようなＵＥＴと発行者ファシリティとの間のトランザクションを調整し、任意の関連した認証、発行、更新、取り消し、権限付与、セキュリティー、金融、或いはライセンス供与または登録のトランザクションに関連した他の機能を提供またはサポートすることができる。
【０５７０】
ユーザのコンピュータは、必要に応じてライセンス供与または登録のサービスに加わることができ、プログラムするために、又はＵＥＴにデータを提供するためにユーザにより使用され得る。また、ユーザのコンピュータは、ＰＳＴＮ又はインターネットのようなネットワークを介して、中央サービスファシリティ、ライセンス発行者ファシリティ、及び／又はライセンス提供者又は登録提供者に独立して接続されて、ネットワークベースのトランザクションを行うことができる。これは、ライセンス供与または登録のサービスに関係するトランザクションを含む。例えば、ライセンスは、オンラインで発行され、トランザクションの関連した時点で顧客により後で使用するためにＵＥＴに転送され得る。
【０５７１】
実施形態において、ＵＥＴは、ライセンス又は登録が承認、発行、又は更新された証拠のような、本明細書の他の実施形態において説明された「PAID（支払い済み）」スタンプに類似した、ライセンス供与のトランザクションの証拠を受け取って格納することができる。承認の証拠は、政府のシールまたは公認の証拠のような、ライセンス発行者のスタンプ、シール、又はロゴのグラフィック描写を含むことができる。証拠は、発行者によるライセンスの承認または証明を示すためのように、ＵＥＴにグラフィック的に表示され得る。かくして、ＵＥＴは、実際の承認または証明書の証拠を単に格納するのとは対照的に、実際の承認または証明書を格納することができる。ＵＥＴは、係るトランザクション、及び／又は１つ以上のライセンス又はトランザクションの複数の例に関する履歴を追跡および格納することができる。ＵＥＴは、トランザクション用のセキュリティプロトコル、ＵＥＴのユーザ用のセキュリティプロトコル、及び発行者用のセキュリティプロトコルのような、様々なセキュリティプロトコルをサポートすることができる。ＵＥＴシステムは、ビジネスを行うために様々な州または省により発行されるライセンスのような、様々な種類の同じタイプのライセンスを含む、様々なライセンスの様々な発行者用の異なるセキュリティプロトコルをサポートすることができる。
【０５７２】
ライセンス供与サービスのピアツーピアの実施形態において、個々の顧客の多数のＵＥＴは、ライセンス取得に協働することができる。例えば、ゼネコンは、ビルディングのライセンスを入手し、そのライセンスは、そのライセンスの信頼性の表示と共に様々な下請業者に配布され得る。
【０５７３】
実施形態において、ライセンスは、トランザクションの時点で使用され得る。例えば、ビルディングのライセンスは、ＵＥＴのような、建築物検査官の携帯型コンピュータインターフェースを含む、建築物検査官に対してのように、建築現場で表示され得る。
【０５７４】
実施形態において、本明細書で説明された方法とシステムにより、顧客、卸業者、最終消費者などを含む登録ユーザが、様々なプラットフォームから商品とサービスを入手してそれらの代金を支払うことが可能になる。
【０５７５】
ここで、図６２を参照すると、前述した多次元データベース構造６２００の特定の実施形態に関する概念図が示される。図示されたようなこの図は、３次元データベース（即ち、「サービス提供者等」６２０２、「コンテンツアイテム等」６２０４、「請求書など」６２０８）に制限されないが、理解されるべきは、実施形態において、次元の数は、１、２、３、又は３より大きい任意の整数とすることができる。図示された例において、第１の次元６２０２の最小構成単位は、コンテンツアイテムの属性（この場合、コンテンツアイテムは、以下に制限しないが、エンターティメントコンテンツ４９２８のアイテム、商品情報４９３０のアイテム、薬物情報４９３０のアイテム、投票４９０２、成績４９３０、政策４９３０、注文４９０８、記録４９３０、健康の記録４９０２、支払い４９３０、規則４９２８、チケット４９２８、請求書４９２８、又は本明細書で説明された、又は本開示により明らかになる、又は一般的に知られている任意の他のコンテンツアイテムを含むことができる）に対応することができ、属性は、以下に制限されないが、コンテンツアイテムの名称、コンテンツアイテムの金銭的価値、コンテンツアイテムのタイプ、コンテンツアイテムの年齢、コンテンツアイテムのサイズ、コンテンツアイテムの格付け（以下に制限されないが、ＭＰＡＡの人気度、個人的好みの人気度、協調フィルタに従った格付け、モーニングスターの格付けなどのような）、コンテンツアイテムの出所、又はコンテンツアイテムの或るアイテムの任意の他の属性を含むことができる。第２の次元６２０４の最小構成単位は、サービス提供者１６８の属性に対応し、この場合、この属性は、以下に制限されないが、サービス提供者１６８の名称、サービス提供者１６８のタイプ、サービス提供者１６８の地理的な位置、サービス提供者の格付けなどを含むことができる。第３の次元６２０８の最小構成単位は、請求書の属性に対応することができ、この場合、この属性は、以下に制限されないが、請求書の金額、請求書の支払人名、請求書の受取人名などを含むことができる。実施形態において、前述されたように、或いは本開示および／または含められる文献から明らかになるように、多次元データベース構造は、メインサービスファシリティ１４２と関連付けられ、特に、それと関連したデータベースに関連付けられ得る。
【０５７６】
多次元データベース構造６２００は、ユーザ中心のインターフェースと呼ばれる、電子トランザクションプラットフォーム１００の機能的態様をサポートすることができる。
【０５７７】
多次元データベース構造６２００は、ユーザ中心のエンジンと呼ばれる、電子トランザクションプラットフォーム１００の別の機能的態様をサポートすることができる。
【０５７８】
多次元データベース構造６２００は、電子トランザクションプラットフォーム１００の更に別の機能的態様をサポートすることができ、その電子トランザクションプラットフォーム１００は、セキュリティと呼ばれ、クライアント装置１６２、伝送１３８、及び電子トランザクションプラットフォーム１００と関連付けられ得る任意のハードウェア及び／又はソフトウェアのインフラストラクチャーに関係することができる。
【０５７９】
多次元データベース構造６２００は、エキスパートシステムと呼ばれる、電子トランザクションプラットフォーム１００の更に別の機能的態様をサポートすることができる。
【０５８０】
多次元データベース構造６２００は、自己学習および自己スケーリングシステムと呼ばれる、電子トランザクションプラットフォーム１００の更に別の機能的態様をサポートすることができる。
【０５８１】
多次元データベース構造６２００は、多次元スマートデータ構造と呼ばれる、電子トランザクションプラットフォーム１００の更に別の機能的態様をサポートすることができる。
【０５８２】
多次元データベース構造６２００は、安全なウェブサービスのプロトコルと呼ばれる、電子トランザクションプラットフォーム１００の更に別の機能的態様をサポートすることができる。
【０５８３】
多次元データベース構造６２００は、分散型のインフラストラクチャーサービス（電話（集中化されていない分散型のインフラストラクチャーサービス）で直接的に行われた支払い請求）と呼ばれる、電子トランザクションプラットフォーム１００の別の機能的態様をサポートすることができる。
【０５８４】
多次元データベース構造６２００は、安全なアプリケーションの処理能力管理（アプリケーションの処理能力を操作するためのアプリケーション）と呼ばれる、電子トランザクションプラットフォーム１００の更に別の機能的態様をサポートすることができる。
【０５８５】
図６２を参照すると、メインサービスファシリティ１４２は、多次元データベース６２００で含める又は取り出すことができ、それはメインサービスファシリティ１４２と同じシステムに格納され得るか、又は遠隔のマシンに格納され得る。メインサービスファシリティ１４２は、複数の源から情報を取り出し、その情報は、非常に大きいデータベースとすることができるデータベース６２００に投入される。データの属性は、多次元に設定されることができ、異なる次元にわたるデータアイテム間の関係を含む。これにより、異なる目的のために異なる態様でデータに問い合わせることが可能になる。
【０５８６】
例えば、多次元データベース６２００は、図６３に関連して説明されたユーザ中心のエンジン及びインターフェースをサポートすることができ、それにより、様々なサービス、サービス提供者、ドメイン、装置およびシステムに関連した様々なデータが格納されて、ユーザが係るデータを使用するサービスにアクセスすることが可能になる。多次元データベース６２００により、システムは、特定の検索タスクに最適化される異なる次元を用いて、より効率的にデータを取捨選択することが可能になる。例えば、データの要素は、トランザクションに関連することができる。別の次元は、データが如何にして評価されるかに関係することができる。データの第３の要素は、静的プロファイル又はエントリを可能にすることができる。第４の要素により、外部エンティティがデータと関連したデータを入力することを可能にすることができる。データは、支払い請求６２０８、サービス提供者６２０４に関連したデータ、コンテンツアイテム６２０２に関連したデータ、又は他の種類のデータのホストのような、金融トランザクションに関連したデータを含むことができる。多次元データベース６２００にデータを格納することは、ユーザの特定のニーズに従ってデータの効率的な検索を可能にするようにデータが格納され得るので、アプリケーションの処理能力を支援することができる。例えば、本明細書で説明されたような学習アルゴリズム又はエキスパートシステムは、ユーザがどのサービスを使用する傾向にあるかを学習することができ、この場合、環境およびエキスパートシステムは、データを多次元データベース６２００から、例えばクライアント装置１６２へ、又は係るサービスの性能を改善するために相対的に局所的なメインサービスファシリティ１６２へ送り込むことができる。
【０５８７】
ユーザ中心のエンジンは、データを調べてそれを利用する。例えば、ユーザがロンドンに飛行機で着く場合、プラットフォームは、その事実、過去のトランザクション（以前に人に会ったような）に気付くことができ、データの異なる次元を調べて様々なトランザクションを提案することができる。同様に、多次元データベースのデータによりイネーブルにされるエンジンは、多数のトランザクションをユーザに提案することができる。
【０５８８】
トランザクションサービスを使用する多数のアプリケーションが増加するにつれて、アプリケーションの処理能力に問題が生じる可能性がある。大量のデータが、多次元データベース６２００に存在し、効率的に編成される。また、エンジンは、アプリケーションがユーザを中心に展開するように存在し、ユーザの履歴が生じる際にユーザと共に成長する。しかしながら、多くのデータ要素が同時に入ってくるので、情報の効率的な処理が必要とされる。これは、アプリケーションのあらゆる部分のスイッチを含む、多くの技術を含むことができる。これは、異なるサービスに関係する様々な物理的通信ファシリティ間で入れ換える物理的スイッチのような、１つ又は複数の要素を含むことができる。また、例えば、どの支払いが支払期限になったかを判定し、又はどの支払いが最も重要であるかを判定するなどし、次いでエキスパートシステムの規則に従って様々なサービスから到着したデータの優先順位をつけるような、サービスに対するデータを知的に処理するために、エキスパートシステムが使用され得る。
【０５８９】
多次元データベース６２００の別の使用例は、ユーザ中心のプラットフォーム、及びアプリケーション処理能力管理が、エンターティメントサービスを配信するためのものである。サービス提供者１６８が、音楽、テレビ、又は映画スタジオのようなデジタルコンテンツ提供者である場合、テレビ番組（例えば、ワールドプレミアのライブイベント）のようなデジタルコンテンツは、プラットフォーム１００を介して特定のユーザに配信され得る。コンテンツは多次元データベースに格納されることができ、ユーザ中心のインターフェースにより、ユーザは、特定のテレビ番組のような、ユーザにより所望されるコンテンツを識別して入手することを可能にすることができる。ユーザに関して、処理能力管理アプリケーションを用いて、デジタルエンターティメントコンテンツ、及び請求書、メッセージ、領収書および他の個人向け情報の部分のような、ユーザの電子トランザクションファシリティ１０１に送信される他のデータを処理することができる。特定のサービスに対するデータの良好な処理能力を可能にするように設計されたデータ構造が存在することができる。また、ユーザが係るコンテンツを受け取ることを可能にするためのアプリケーション処理能力の物理的要素（例えば、スイッチング）が存在することができる。スイッチは、電気通信インフラストラクチャーで使用されるデジタルスイッチング技術で使用されるような、スイッチングノードを含むことができる。また、データに対するユーザのアクセスを改善するためにアプリケーション処理能力を操作するための、エキスパートシステム、規則エンジン、学習エンジン等が存在することもできる。これら特徴の全ては、ユーザに対する多重サービスのより効果的な提供を可能にすることをできる。
【０５９０】
プラットフォーム１００は、様々なサービス提供者に対するインターフェースを有することができる。各インターフェースは、サービス提供者の一意の要求に基づいて、重要な課題を提示することができる。実施形態において、メインサービスファシリティ１４２は、第三者のサービス提供者のインターフェースを自動的に認識してそのサービス提供者に対するインターフェースを自動的に起動するような、安全で自己学習する自己スケーリングプラットフォーム１００を含むことができる。係る実施形態において、プラットフォーム１００は、ユーザ、装置およびドメインにわたる三次元認証のような、本明細書で説明されたセキュリティの特徴、並びにクライアントアプリケーションで安全に格納する能力およびトランザクションレベルで安全に取引する能力を含むことができる。自己学習プラットフォームの一例は、インターフェースの特徴を認識してそのインターフェースに適した先在する特徴を適用するアプリケーションを含む。
【０５９１】
図６４は、登録ユーザが恐らくクライアント装置１６２、マーチャントシステム１７０及び／又はメインサービスファシリティ１４２と関連して、チケットを発行され得るチケット発行プロセスを示す。セットアップのステップの間、顧客は、必要に応じてウェブベースのウォレットサービスセンターを介して、電気通信会社、金融サービス提供者などのようなサービス提供者１６８とのサービスに登録し、そのウェブベースのウォレットサービスセンターは本明細書で説明されたようなメインサービスファシリティ１４２の形態をとることができる。顧客は、メインサービスファシリティ１４２でウェブベースのプラットフォームのサービスにアクセスするために、一意のユーザ識別子およびＰＩＮを生成することができる。顧客は、チケット、トップアップなどに対する支払いのような、支払いを行うために使用され得る、銀行口座、クレジットカード等のような、様々なサービスをセットアップすることができる。セットアップの後、プラットフォームはトランザクションを実行するために使用され得る。例えば、顧客は、マーチャントウォレットを備えた小売マーチャントに近づくことができ、そのマーチャントウォレットは、ＵＥＴ１０１を備え、チケットを発行するためにメインサービスファシリティ１４２と登録されたマーチャントシステム１７０とすることができる。マーチャントがマーチャントシステム１７０に入力してメインサービスファシリティ１４２に送る、ユーザＩＤ及びチケットの詳細を、顧客がマーチャントに提供することができる。マーチャントウォレット／マーチャントシステム１７０からトランザクション要求を受け取ると、ウォレットサービスセンター／メインサービスファシリティ１４２は、顧客からのＰＩＮを要求する。顧客は、携帯電話から直接的に要求を得ることができ、それをメインサービスファシリティ１４２に送るか、又は顧客は、マーチャントウォレット／マーチャントシステム１７０で要求を得て、マーチャントウォレット／マーチャントシステム１７０を介してＰＩＮを送ることができる。トランザクションの認証時に、メインサービスファシリティ１４２は、顧客により指定された口座から引き落とされるべき適切な資産をチケット発行者の口座に入れるように要求することができ、マーチャントウォレット１７０に対するトランザクションの領収書を送信することができる。マーチャントは、マーチャントウォレット／マーチャントシステム１７０を用いて、紙の領収書および顧客の電子チケットを印刷することができる。
【０５９２】
図６５は、チケット発行プロセスの別の実施形態におけるステップを示す。ユーザは、ユーザのクライアント装置１６２にログインし、そのクライアント装置は、OneWalletインターフェースを含むことができる。ユーザはチケットを選択してチケットの詳細を入力することができ、次いで入手の可能性および価格に関する問い合わせとしてチケット発行システムにそれらを中継するトランザクションプラットフォーム（メインサービスファシリティ１４２）に、それらを送信することができる。チケット発行システムは、メインサービスファシリティ１４２を介して入手の可能性および価格の表示をクライアント装置１６２に戻す。次いで、ユーザは、クライアント装置１６２に格納されたクレジットカードのような、クライアント装置１６２の支払い手段を選択し、それを銀行のような金融サービス提供者にメインサービスファシリティ１４２を介して渡し、金銭的解決を要求する。銀行がユーザのクレジットカードで払うことなどにより決済を成し遂げ、その決済の完了時にメインサービスファシリティ１４２に通知する。次いで、メインサービスファシリティ１４２は、チケット発行システムに支払いの受理を通知し、その時点でチケット発行システムはチケットをメインサービスファシリティ１４２に発行し、メインサービスファシリティ１４２は、クライアント装置１６２のユーザのＵＥＴ１０１にチケット（チケットに関する情報だけでなく、実際のチケット）をロードする。
【０５９３】
また、図６６は、チケット発行プロセスの別の実施形態におけるステップも示し、この場合、マーチャントとの相互作用を含む。マーチャントがログインし、マーチャントシステム１７０をメインサービスファシリティ１４２と同期させる。ユーザは、手に入れたいと考えるチケットに関する詳細をマーチャントに提供することができる。マーチャントシステム１７０は要求して、ユーザからＰＩＮを受け取り、この時点で、マーチャントシステム１７０は、メインサービスファシリティ１４２／トランザクションプラットフォームを用いてユーザを認証する。次いで、ユーザの要求は、安全にメインサービスファシリティ１４２に送られ、メインサービスファシリティ１４２は要求されたチケットの詳細をチケット発行システムに送信する。チケット発行システムは、チケットに関する詳細を検証し、その価格と入手の可能性をチェックし、ユーザとの協議のために、メインサービスファシリティ１４２を介して価格情報をマーチャントシステム１７０に送信する。ユーザは、チケットを購入する要望をマーチャントに確認することができ、この時点で、マーチャントは、メインサービスファシリティ１４２を介して金銭的解決の要求を銀行に送信し、銀行は、ユーザの口座で決済を成し遂げ、その決済のプロセスの完了を通知することができる。支払いの受理の通知を受信すると、マーチャントシステム１７０はチケット発行システムに支払いを確認することができ、チケット発行システムはチケットをマーチャントシステム１７０に発行し、その結果、マーチャントはチケットと領収書を印刷することができる。
【０５９４】
図６７は、Ｐ２Ｐサービスを提供するために、本明細書で説明された特徴と属性を有するシステムを示す。二人のユーザ、送信者と受信者は、ＵＥＴ１０１を備えたクライアント装置１６２を有することができる。それらの各々は、メインサービスファシリティ１４２／ウォレットサービスセンターと相互作用することができ、メインサービスファシリティ１４２／ウォレットサービスセンターは、銀行または金融サービス提供者、電気通信システム及び／又は支払い及び決済ネットワークに接続され得る。送信者は、クライアント装置１６２でＵＥＴ１０１を開き、Ｐ２Ｐサービスを選択する。ユーザは、使用されるべき支払い手段を選択し、受領者に対する識別子と共に金額を入力する。メインサービスファシリティ１４２は、パスワード又はトランザクションのセキュリティを保証するための他のセキュリティファシリティを含む詳細を認証することができる。次いで、送信者の口座は、送信者により示された金額で引き落とされて、受領者の口座に入金される。送信者と受領者の双方は、トランザクションを確認するメッセージングを受け取ることができる。本明細書で説明された金融サービスの実施形態によりサポートされているような支払い、別のアイテムとの交換、又は無償を含む実施形態において、送信者は、コンテンツアイテム、チケット、又は本明細書で説明されたような他のアイテムのような実際のアイテムを、メインサービスファシリティ１４２を介して安全に受領者に送信することができる。
【０５９５】
図６８は、恐らくクライアント装置１６２、マーチャントシステム１７０、及び／又はメインサービスファシリティ１４２と関連したユーザがＰ２Ｐ支払いを行うことができるＰ２Ｐサービスプロセスを示す。第１に、顧客は、ウォレットサービスセンター（ＷＳＣ）として提供され得る、電気通信サービス提供者、金融サービス提供者、或いは他の提供者又はメインサービスファシリティ１４２のホストのようなサービス提供者とサービスの登録をすることができる。顧客は、顧客のクライアント装置１６２のＵＥＴ１０１にアクセスするための、又はメインサービスファシリティ１４２にアクセスするための一意のＩＤ及びＰＩＮを生成することができる。顧客は、ウォレット／ＵＥＴ１０１を携帯電話または他のクライアント装置１６２にダウンロードすることができる。ユーザは、Ｐ２Ｐトランザクションに使用されるべき銀行口座またはクレジットカード口座をセットアップすることができる。ＵＥＴ１０１において、ユーザはＰ２Ｐオプションを選択し、振替に使用されるべき銀行口座またはクレジットカード口座を選択することができる。次いで、ユーザは、金額および受領者の番号を入力することができる。次いで、ＵＥＴ１０１は、Ｐ２Ｐトランザクションのメッセージをフォーマットして、それをメインサービスファシリティ１４２に送信する。メインサービスファシリティ１４２は、情報を認証して、支払い要求を適切な銀行に送る。銀行は、ユーザの口座から引き落とし、受領者の口座に入金する（必要に応じて、振替の銀行間決済を含む）。確認メッセージがユーザ及び受領者に送信され得る。
【０５９６】
図６９は、Ｐ２Ｐサービスプロセスの実施形態のステップを示す。ユーザがログインし、メインサービスファシリティ１４２により認証され、Ｐ２Ｐオプションを選択する。ユーザが金額と受領者の番号を入力し、メインサービスファシリティ１４２は、受領者の情報を認証する。ユーザは、メインサービスファシリティ１４２を介して支払い手段を選択し、メインサービスファシリティ１４２は銀行に決済の要求を中継し、銀行は、決済を成し遂げてメインサービスファシリティ１４２に通知する。メインサービスファシリティ１４２は、クライアント装置１６２のユーザのＵＥＴ１０１に借方の確認を送信し、受領者に貸方の確認を中継する。
【０５９７】
図７０は、クライアント装置１６２に表示され得るＰ２Ｐサービスプロセスに関する典型的なユーザインターフェースの流れを示す。ログイン画面が、ユーザにＰＩＮを入力することを促し、その後、画面は様々なサービスのアイコンを示すように現れ、その１つがＰＡＹ（支払い）画面である。選択されると、アイコンはＰＡＹ画面を起動し、その画面によりユーザが支払い手段（例えば、クレジットカード）を選択し、受領者、金額およびメモを入力することが可能になる。インターフェースは、図６８と図６９に関連して説明されたトランザクションステップとしてのトランザクション画面を示し、メインサービスファシリティ１４２及び金融サービス提供者により実行され、その後、領収書画面が、トランザクションに対する「PAID」スタンプと共に現れる。次いで、ユーザは、金融サービス提供者のサービスに関するような付加価値サービス画面に戻ることができる。
【０５９８】
図７１は、プリペイドのトップアップサービスを可能にする、本明細書で説明された属性を有するプラットフォームを示し、ＵＥＴ１０１を備えるクライアント装置１６２（「OneWallet（ワレット）」とラベル表示された）、マーチャントシステム１７０（「マーチャントウォレット」とラベル表示された）及びメインサービスファシリティ１４２（「ウォレットサービスセンター（ＷＳＣ）」とラベル表示された）を含む。電話会社および金融サービス提供者のようなサービス提供者１６８は、メインサービスファシリティ１４２と相互作用する。実施形態において、電気通信サービス提供者は、メインサービスファシリティ１４２を介してメッセージをクライアント装置１６２のＵＥＴ１０１に安全に電子的に送信することができ、そのメッセージは、プリペイドの残高が閾値未満であることを示す。顧客は、メインサービスファシリティ１４２を介して安全に且つ電子的に受け取られる支払いを、ＵＥＴ１０１を介して開始する。次いで、電気通信サービス提供者は、クライアント装置１６２のＵＥＴ１０１に領収書を送信し、プリペイドの残高が補充（トップアップ）される。代案として、マーチャントは、メインサービスファシリティ１４２にバックエンドで接続される、小売場所のマーチャントシステム１７０／マーチャントウォレットを使用することができる。マーチャントは、メインサービスファシリティ１４２を介して、トップアップ及び支払いの詳細に関する要求を安全に且つ電子的に電気通信サービス提供者に送信することができる。メインサービスファシリティ１４２を介した電気通信サービス提供者は、トランザクションを完了して、小売場所のマーチャントシステム１７０に顧客の領収書を送信することができる。
【０５９９】
図７２は、恐らくクライアント装置１６２、マーチャントシステム１７０及び／又はメインサービスファシリティ１４２に関連したユーザが、プリペイド口座を補充することができるプリペイドトップアップサービスのプロセスを示す。顧客は、必要に応じてブランドつきのウェブベースのメインサービスファシリティ１４２を介して、電気通信サービス提供者及び／又は銀行とサービスの登録をする。顧客は、ＵＥＴ１０１、又はメインサービスファシリティ１４２のウェブベースのポータルにアクセスするための一意のＩＤ及びＰＩＮを生成することができる。ユーザは、ユーザのクライアント装置１６２にＵＥＴ１０１をダウンロードすることができる。ユーザは、サービスの代金を支払うために使用され得る銀行口座またはクレジットカードをセットアップすることができる。電気通信サービス提供者は、プリペイドの使用時間カードの残高がユーザにより設定されたような閾値未満になるやいなや、メインサービスファシリティ１４２を介してユーザに安全に且つ電子的に通知する。ＵＥＴ１０１は、メッセージの受信時に顧客に警報することができる。必要に応じて、ＵＥＴ１０１は、残高が予め設定された閾値未満になるやいなや、ユーザにメッセージを局所的に生成することができる。代案として、顧客は、ユーザＩＤ及びＰＩＮを用いてＵＥＴ１０１を開いて、プリペイドカードの残高を閲覧する。顧客は、口座またはカードを選択して金額を選択し、且つ安全な支払い要求を開始することにより、ＵＥＴを介してプリペイドカードを補充することができる。メインサービスファシリティ１４２は、顧客のＵＥＴ１０１から支払い要求を受け取る。電気通信サービス提供者によるトランザクションの承認後、メインサービスファシリティ１４２は、適切な資産を顧客により指定された口座から引き落として発行者の口座に送るように要求し、顧客のＵＥＴ１０１にトランザクションの領収書を送信し、電気通信システム提供者のログを更新する。
【０６００】
図７３は、恐らくクライアント装置１６２、マーチャントシステム１７０及び／又はメインサービスファシリティ１４２に関連した登録ユーザが、プリペイド口座を補充することができるプリペイドトップアップサービスのプロセスを示す。顧客は、電気通信サービス提供者、及び１つ又は複数の金融サービス提供者と登録をし、メインサービスファシリティ１４２でサービスにアクセスするための一意のＩＤ及びＰＩＮを生成する。顧客は、支払いを行うために用いる口座またはカードをセットアップする。顧客は、プリペイドトップアップを提供するために電気通信サービス提供者に登録されたマーチャントシステム１７０（「マーチャントウォレット」）を備えた小売マーチャントと交渉する。顧客は、ユーザＩＤ及びトップアップ金額をマーチャントに提供し、マーチャントはメインサービスファシリティ１４２を介して、ユーザＩＤ及びトップアップ金額を電気通信サービス提供者に中継する。トランザクション要求を受け取ると、メインサービスファシリティ１４２は、顧客が直接的に入力する（この場合、要求は顧客の携帯電話または類似したクライアント装置１６２に送信される）ことができるか、又は顧客がマーチャントシステム１７０を介して入力することができるＰＩＮを要求する。トランザクションの承認後、メインサービスファシリティ１４２は、適切な資産を顧客の選択した口座から引き落として電気通信サービス提供者の口座に入金するように要求し、マーチャントウォレットに領収書を送信し、電気通信システム提供者のシステムとログを更新する。マーチャントは、マーチャントシステム１７０のＵＥＴ１０１を用いて、顧客の紙の領収書を印刷することができる。
【０６０１】
図７４は、恐らくクライアント装置１６２、マーチャントシステム１７０及び／又はメインサービスファシリティ１４２に関連した未登録ユーザが、プリペイド口座を補充することができるプリペイドトップアップサービスのプロセスを示す。ここで、顧客は、トップアップサービスを電気通信サービス提供者に提供するために登録されたマーチャントシステム１７０のＵＥＴ１０１（マーチャントウォレット）を備えたマーチャントと交渉する。顧客は、マーチャントがマーチャントウォレット／ＵＥＴ１０１に入力する電話番号／プリペイド口座番号およびトップアップ金額をマーチャントに提供する。顧客は、現金のような任意の支払い形態を用いて、トップアップの代金をマーチャントに支払う。マーチャントは、徴収した金額を指定する詳細をメインサービスファシリティ１４２に送る。メインサービスファシリティ１４２は、資産がマーチャントの口座から引き落とされて電気通信サービス提供者の口座に入金されることを要求し、領収書を送って、電気通信サービス提供者のシステムとログを更新する（カードのトップアップを反映）。マーチャントは、マーチャントシステム１７０のＵＥＴ１０１を用いて、顧客の紙の領収書を印刷する。
【０６０２】
図７５は、クライアント装置１６２に表示され得るプリペイドのトップアップサービスのプロセスに関する典型的なユーザインターフェースの流れを示す。ユーザはＰＩＮを用いてログインし、様々なサービスがアイコンとして表されているメイン画面を閲覧する。ユーザは電話サービスを選択し、カードをトップアップするためにカード（必要に応じてブランドつきのイメージ）及びメッセージを提示される。次いで、ユーザは、ＰＡＹ（支払い）画面を提示され、その画面においてユーザは、トップアップの代金を支払う口座を選択して金額を選択することができる。インターフェースは、メインサービスファシリティ１４２が図７３と図７４に関連して説明されたステップを完了する際に未決定のトランザクションを示す。次いで、ユーザの画面は、メインサービスファシリティ１４２からの領収書を示し、他の付加価値サービスのメニューを示す。
【０６０３】
図７６は、クライアント装置１６２又は任意の他の電子トランザクションファシリティ１０１に表示され得る、プリペイドトップアップサービスのプロセスに関する別の典型的なユーザインターフェースの流れを示す。マーチャントがＰＩＮを入力することによりログインし、ＵＥＴ１０１の様々なサービスを表すアイコンを閲覧する。マーチャントは、TopUp（トップアップ）を選択し、支払いモード（例えば、現金）を入力し、且つ顧客のＵＥＴ１０１タイプを選択するためのプロンプトを提示される。次いで、マーチャントは、顧客番号（例えば、電話番号またはアカウント番号）を入力するように促され、その後、マーチャントはトップアップ金額を入力するように促される。マーチャントが詳細を確認してトランザクションのＰＩＮを入力し、その後、画面は、メインサービスファシリティ１４２がトランザクションを完了したことを示す。完了後、領収書がマーチャントのＵＥＴ１０１上に現れ、完了を確認する。
【０６０４】
図７７は、プリペイドトップアップサービスのプロセスの実施形態におけるステップを示す。ユーザがログインして、カードをトップアップするための催促状を、必要に応じて電気通信サービス提供者からの低い残額の通知を受け取ることに応じて、メインサービスファシリティ１４２から受信する。ユーザは、支払い手段および金額を選択し、メインサービスファシリティ１４２を介してそれを送信し、メインサービスファシリティ１４２はユーザを検証して、トップアップ要求を電気通信サービス提供者に中継する。電気通信サービス提供者は詳細を検証して、確認をメインサービスファシリティ１４２に送り、メインサービスファシリティ１４２は、その詳細を金融サービス提供者に中継し、金融サービス提供者は、決済を成し遂げてメインサービスファシリティ１４２に通知する。メインサービスファシリティ１４２は、「PAID」とマーキングされた領収書をユーザのＵＥＴ１０１に送信し、トランザクションの完了を電気通信サービス提供者に伝え、電気通信サービス提供者は、アカウントをトップアップして、メインサービスファシリティ１４２を介して、確認をユーザのＵＥＴ１０１に送る。
【０６０５】
図７８は、プリペイドトップアップサービスのプロセスの別の実施形態におけるステップを示す。ここで、ステップは、ユーザのＵＥＴ１０１がメインサービスファシリティ１４２から促されずに、使用量を追跡して、自動的に低い残高の警報をユーザに送信することを除いて、図７７に関連したステップと同じである。
【０６０６】
図７９は、プリペイドトップアップサービスのプロセスの更に別の実施形態におけるステップを示す。ステップは、ユーザのＵＥＴ１０１がメインサービスファシリティ１４２と同期して、ユーザのプリペイドアカウントの残高に関する問い合わせを生成することを除いて、図７７と図７８のプロセスのステップと類似する。電気通信サービス提供者のシステムは、残高を問い合わせて、メインサービスファシリティ１４２を介して、それをユーザのクライアント装置１６２のＵＥＴ１０１に報告し、その後、ユーザは、上述されたようなトップアップトランザクションを完了する。
【０６０７】
図８０は、プリペイドトップアップサービスのプロセスの更に別の実施形態におけるステップを示し、この場合、マーチャントシステム１７０（「マーチャントウォレット」）が使用される。マーチャントがログインして、メインサービスファシリティ１４２と同期する。ユーザは、電話番号／アカウント情報、支払い手段／アカウント、及び要求されたトップアップ金額を含むトップアップ要求を、マーチャントに提供する。マーチャントは、これらの詳細をマーチャントシステム１７０からメインサービスファシリティ１４２に転送する。要求が電気通信サービス提供者により検証されて、電気通信サービス提供者が確認をメインサービスファシリティ１４２を介して送信する。メインサービスファシリティは、金融サービス提供者との金銭的解決を要求し、金融サービス提供者は、決済を成し遂げて支払いの確認を送信する。ユーザは、マーチャントに代金を支払い、マーチャントは、トランザクションの完了の確認を電気通信サービス提供者のシステムに中継する。次いで、電気通信サービス提供者のシステムが、トップアップを完了し、その後、マーチャントシステム１７０はユーザの領収書を印刷する。
【０６０８】
図８１は、プリペイドトップアップサービスのプロセスの別の実施形態におけるステップを示す。マーチャントは、マーチャントＵＥＴ１０１（「マーチャントウォレット」）を用いてログインし、メインサービスファシリティ１４２と同期する。ユーザは、メインサービスファシリティ１４２に安全に転送される、トップアップ用のＰＩＮを要求する。次いで、要求は、電気通信サービス提供者に送信され、電気通信サービス提供者は、トップアップの利用可能性を検証し、メインサービスファシリティ１４２を介して確認を送信する。メインサービスファシリティは、マーチャントシステム１７０からの要求の確認を取得して、金銭的解決の要求を金融サービス提供者に中継し、金融サービス提供者は、決済を成し遂げて、確認をマーチャントシステム１７０に送信する。顧客はマーチャントに代金を支払い、マーチャントは、ＰＩＮを公開する要求を電気通信サービス提供者に送信する。電気通信サービス提供者は、ＰＩＮをマーチャントシステム１７０のＵＥＴ１０１に送信し、ＵＥＴ１０１は領収書とＰＩＮを印刷し、それらをユーザに与える。
【０６０９】
支払い、発券、及びトップアップサービスのような特定のサービスが本明細書で説明されたが、理解されるべきは、類似したプロセスの流れ、プラットフォーム、及びユーザインターフェースが、本明細書で説明された他のタイプのサービス及びプラットフォームをサポートすることができる。
【０６１０】
安全なトランザクションプラットフォーム２００の特定の実施形態は、図８２〜図９３に関連して説明される、様々な特徴、プロトコル、ファシリティ等を含むことができる。安全なトランザクションプラットフォーム２００は、必要に応じてエンティティ、システム、及びファシリティの各々に対するドメインベースの、ユーザベースの、及び装置ベースのセキュリティを含む、１つ又は複数のメインサービスファシリティ１４２、マーチャントシステム１７０、電子トランザクションファシリティ１０１、及びサービス提供者１６８の間で多次元のセキュリティを必要に応じて可能にする。
【０６１１】
メインサービスファシリティ１４２により、ユーザが、複数のサービス提供者１６８、カード発行者および／またはトランザクション取得者からのサービスを利用することが可能になる。サービスは、ユーザにより直接的にアクセスされる得るか、或いは１つ又は複数の電子トランザクションファシリティ１０１（例えば、スマートフォン、ＰＣ、ＰＤＡなど）介してアクセスされ得る。また、単一の電子トランザクションファシリティ１０１は、複数のユーザにより共用され得る（例えば、１つのマーチャント電子トランザクションファシリティ１０１が複数の職員により操作され得る）。図８２に示されるように、これは、プラットフォーム２００と相互作用するＮ×Ｎのエンティティのクラスタ（ユーザ×電子トランザクションファシリティ１０１）を確立する。相互作用のタイプは、サービスのタイプに依存するであろう。
【０６１２】
メインサービスファシリティ１４２は、複数のサービス提供者１６８（例えば、銀行取引、公益事業、エンターティメント等）を含みようにスケーリングされることができ、この場合、セキュリティはＮ倍（Ｎ×Ｎ）に増加させる必要がある。また、複数の電子トランザクションファシリティ１０１（例えば、学生、銀行、医学）が１つの装置（例えば、携帯電話）に存在することができる。例えば、「学生ファシリティ」は、学生証、図書館カード、コピーカード、及びシティバンク発行の大学カードを含み、「銀行ファシリティ」は、シティバンク発行の大学カードを含む。学生および銀行電子トランザクションファシリティ１０１からのこれら２つのシティバンクカードは、バックエンドで同期することができる。別の例として、輸送の分野では、トラック運転手は、ガソリンカード、経路指定、及び運送証券を含む第１のファシリティ、経路、割り当てられた集配、割り当てられていない集配を含む「スケジューラ」を有する第２のファシリティ、並びに割り当てられた集配、割り当てられていない集配、及び新しい集配を含む第３の「配布者」ファシリティを有することができる。
【０６１３】
クライアント（ユーザ又は電子トランザクションファシリティ１０１）とサービス提供者１６８エンティティとの間で行われる通信のセキュリティと信頼性を保証するために、メインサービスファシリティ１４２は、各クライアント（ユーザ又は電子トランザクションファシリティ１０１）とエンティティとの間の１対１の安全な関係をサポートすることができる。各クラスター（ユーザ×電子トランザクションファシリティ１０１）は、メインサービスファシリティ（ＭＳＦ）１４２と呼ばれる一次／ホームサーバーを介して、プラットフォームに導入され得る。サーバーは、個々のサービス提供者１６８に対して構成されて、それらが提供するサービスの特徴に接尾文字を付けられ得る。例えば、カード発行サーバーは、ＭＳＦ−Ｉと呼ばれ、トランザクション取得者サーバーは、ＭＳＦ−Ａと呼ばれる。総称して、これらサーバーは、ＭＳＦファミリーサーバーと呼ばれる。各ＭＳＦファミリーサーバーは、ユーザ管理、装置管理、ＣＡ、承認、アドミニストレーション等のようなコンポーネントの標準セットを備えている。
【０６１４】
ＭＳＦ１４２と相互作用する２つのタイプのクラスタが存在することができ、即ち、電子トランザクションファシリティ１０１と他のＭＳＦファミリーサーバー（ＭＳＦ−Ｉ、ユーティリティ等）である。これらエンティティは、異なる方法で信頼を確立することができる。電子トランザクションファシリティ１０１の場合、ユーザは、電子トランザクションファシリティ１０１のアプリケーションをＭＳＦ１４２に登録する。登録の時点で、ユーザは、電子トランザクションファシリティ１０１をＭＳＦ１４２に導入することができる。次いで、ＭＳＦ１４２は、独立したチャネルを介してユーザを認証して、電子トランザクションファシリティ１０１のソフトウェアを配信することができる。電子トランザクションファシリティ１０１のソフトウェアは一般に、ＭＳＦ１４２からダウンロードされるか、又はユーザの物理的な電子トランザクションファシリティ１０１（例えば、電話、ＰＤＡ、ＳＩＭ等）にプレインストールされてくる。このソフトウェアは、そのコードに構築されたＭＳＦ１４２サーバーの公的なセキュリティ証明書（例えば、ＰＫＩ証明書）を有することができる。電子トランザクションファシリティ１０１のソフトウェアは、電子トランザクションファシリティ１０１がＭＳＦ１４２により認証されているその独自の鍵を生成する間に、サーバーとの電子トランザクションファシリティ１０１の登録プロセスを開始することができる。サーバーの視点から、ＭＳＦ１４２は、各電子トランザクションファシリティ１０１のユーザにＯＴＡＣ（One Time Activation Code：１回限りの起動コード）を発行することができる。このＯＴＡＣは、関連チャネル（例えば、E-mail、宅配便など）を介してユーザに伝えられ得る。ＯＴＡＣは、サーバーにより所与の電子トランザクションファシリティ１０１に対して生成される８桁の強い乱数とすることができ、検証のためにサーバーに安全に格納され得る。一般に、１２８ビットのＡＥＳ鍵を用いて、サーバー上でＯＴＡＣを保証する。ＯＴＡＣの機密性により、ユーザが、最初の信頼を確立する時に認証されることを可能にすることができる。ユーザは、電子トランザクションファシリティ１０１の登録時に、電子トランザクションファシリティ１０１にこのＯＴＡＣを入力することができ、それにより、ＭＳＦ１４２が、初めて電子トランザクションファシリティ１０１を認証することが可能になり、その電子トランザクションファシリティ１０１をその所有者に関連付けることができる。
【０６１５】
ＭＳＦ１４２の、他のＭＳＦファミリーとの最初の信頼確立は、信頼されているＳＳＬ／ＨＴＴＰＳサーバーの証明書として所与のサーバーのセキュリティ証明書をインストールすることにより、又はサーバー間登録プロセスにより、これらサーバーのアドミニストレータにより行われ得る。これにより、（クライアント認証を用いて）ＨＴＴＰＳを介した様々なＭＳＦサーバー間のサーバー間通信が可能になる。代案として、ＯＴＡＣベースのスキームは、２つのＭＳＦ１４２サーバー間で実現されてもよい。この場合、サーバーの双方は、サーバー登録プロセスを用いて、互いに登録される必要がある。これは、サーバー間通信がＣ−ＳＡＭ  ＰＫＩを介して行われる必要がある場合に有用であるかもしれない。
【０６１６】
所与のＭＳＦ１４２サーバーとのセキュリティ及び認証信任状をセットアップするプロセスは、装置登録プロセスと呼ばれ得る。このプロセスの間、電子トランザクションファシリティ１０１のソフトウェアは、セキュリティ鍵および認証鍵（例えば、暗号鍵および署名鍵）を生成してＭＳＦ１４２に送信することができる。次いで、ＭＳＦ１４２は、専用ＣＡを用いてこれら鍵を認証して、その独自のデータベースに証明書／公開鍵を格納することができる。ＰＫＩベースのクライアントに対する装置登録プロセスの実例は、ＭＳＦの公開暗号鍵（プレインストールされた）でもってユーザ名とＯＴＡＣを暗号化し、そのデータをＭＳＦ１４２に送信する電子トランザクションファシリティ１０１を含むことができる。サーバーは、ＯＴＡＣを検証し、その最後の暗号鍵および署名鍵で応答することができる。電子トランザクションファシリティ１０１は、暗号鍵対および認証鍵対を生成することができ、サーバーに対してそれぞれの認証要求を送信することができる。Ｘ．５０９証明書は、その専用ＣＡを用いて、電子トランザクションファシリティ１０１の鍵に対して生成され得る。次いで、電子トランザクションファシリティ１０１は、登録プロセスの完了を承認することができ、電子トランザクションファシリティ１０１のアカウントがサーバーによりアクティブな状態にされる。
【０６１７】
他のＭＳＦ１４２サーバー（例えば、サービス提供者１６８のサーバー）との最初の信頼を確立することは、２つ以上のプレインストールされた信任状（証明書）を必要とする可能性がある。新しいサービス提供者１６８は、ＭＳＦ１４２で登録されたクラスター（ユーザ×電子トランザクションファシリティ１０１）に加わってサービスを提供することができる。これらサービス提供者１６８は、必要に応じてＭＳＦ−Ｉ又はＭＳＦ−Ａをセットアップすることができる。ホームのＭＳＦ１４２サーバーは、提供者により提供されるサービスに登録するために、ユーザの中央ゲートウェイとして働くことができる。これは、複数のサービス提供者１６８との動的な関係を有するクラスター（ユーザ×電子トランザクションファシリティ１０１）という結果になり、従って、最初の信頼が動的に確立されることを命令することができる。
【０６１８】
ＭＳＦ１４２がサービス提供者１６８及びクラスター（ユーザ×電子トランザクションファシリティ１０１）を互いに引き合わせる際に、これらエンティティ間の動的な信頼の責任は、ＭＳＦ１４２に最高に適合され得る。ＭＳＦ１４２が一般に、クライアントとの強い関係を既に有することができるサービス提供者１６８（例えば、携帯電話会社、銀行など）により所有されて動作されるので、この引き合わせは、信頼できるとして処理され得る。ユーザがサービスを利用することを選ぶ場合、そのホームＭＳＦ１４２は、それぞれのサービス提供者１６８のセキュリティ及び認証信任状（例えば、暗号証明書および署名証明書）でユーザの電子トランザクションファシリティ１０１を更新することができる。これにより、クラスター（ユーザ×電子トランザクションファシリティ１０１）がサービス提供者１６８と直接的に安全に通信することを可能にすることができる。
【０６１９】
ユーザがサービスを利用することを選ぶ場合、ＭＳＦ１４２は、電子トランザクションファシリティ１０１のセキュリティ証明書（例えば、暗号証明書）をサービス提供者１６８に転送することができる。しかしながら、サービス提供者１６８が依然として、クラスタ（ユーザ×電子トランザクションファシリティ１０１）のその独自の認証と証明を行う必要があるかもしれない。サービス提供者１６８は、電子トランザクションファシリティ１０１のＭＳＦ１４２の認証信任状（例えば、署名証明書）を発行していない場合には、それらを使用することができない。例えば、ＭＳＦ１４２が電子トランザクションファシリティ１０１の署名証明書をＭＳＦ−Ｉに転送する場合、ＭＳＦ−Ｉは、電子トランザクションファシリティ１０１の署名を検証することができる。しかしながら、それがＭＳＦ１４２のＣＡにより発行されており、それ自体のＣＡでない場合、ＭＳＦ−Ｉは証明書自体を検証することができない。サービス提供者１６８は、関連チャネル（例えば、E-mail、宅配便）を介してユーザにＯＴＡＣを発行することができる。電子トランザクションファシリティ１０１が初めてサービス提供者１６８に接触する場合、ＯＴＡＣが、最初の認証の間にサービス提供者１６８により検証され得る。次いで、サービス提供者１６８は、それ自体とのクラスター（ユーザ×電子トランザクションファシリティ１０１）の関係に対して信任状（ＰＫＩ鍵）の一意のセットを認証することを続けることができる。
【０６２０】
異なるサービス提供者１６８は、異なるサービスを電子トランザクションファシリティ１０１のユーザに提供することができる。これは、仮想カードを電子トランザクションファシリティ１０１にダウンロードして、係るカードを用いてオンライントランザクションを行うようなサービスを含むことができる。これらの動作は、高度なセキュリティと認証を必要とする可能性がある。クラスター（ユーザ×電子トランザクションファシリティ１０１）は、サービス提供者１６８との直接的な１対１の関係を確立して、最高のセキュリティを保証し、且つ介入者攻撃タイプを回避することができる。
【０６２１】
電子トランザクションファシリティ１０１は、サービス提供者１６８の暗号公開鍵でサービス及びＯＴＡＣを暗号化して、登録／ダウンロード要求を直接的にサービス提供者１６８のＭＳＦに送信することができる。次いで、サーバーは、ＯＴＡＣを検証して、その最後の暗号鍵および署名鍵で応答することができる。電子トランザクションファシリティ１０１は、所与のサーバーに対して新たな署名鍵対を生成して、サーバーに認証要求を送信することができる。サーバーは、その専用ＣＡを用いて署名証明書を発行することができる。また、サーバーは、サービスデータ／ダウンロード応答を電子トランザクションファシリティ１０１に送信することもできる。次いで、電子トランザクションファシリティ１０１は、登録／ダウンロードを承認することができ、サーバーは、電子トランザクションファシリティ１０１のアカウント／サービスをアクティブな状態にすることができる。
【０６２２】
電子トランザクションファシリティ１０１のアプリケーションは、仮想カードの形態でＮ×Ｎのセキュリティ証明書をカプセル化することができる。ユーザは、どの鍵がどの発行者に合うかを記憶する必要がない。代わりに、ユーザは、特定のトランザクションに使用されるべきカードを選択し、次いで適切な鍵が電子トランザクションファシリティ１０１のアプリケーションにより選択されて、暗号に使用され得る。
【０６２３】
電子トランザクションファシリティ１０１は、アプリケーションを開錠して全ての個々の証明書を読み出すための単一のＰＩＮを可能にすることができる。鍵および証明書は一般に、ＰＫＣＳ＃７対称暗号化を用いて格納される。ＰＩＮを用いて、これらを解読して読み出すことができる。ユーザは、電子トランザクションファシリティ１０１を持たない場合、場合によっては、各関係に対するＮ個のＰＩＮを有するであろう。電子トランザクションファシリティ１０１は関係を集約して、様々なビジネスエンティティに単一のアクセスチャネルを提供することができる。鍵対が、電子トランザクションファシリティ１０１自体に生成されて、ひいては秘密鍵が安全であることを保証することができる。第２の手法（遅い電子トランザクションファシリティ１０１に対する）は、ＭＳＦに生成されてクライアントに安全に伝えられるべき鍵対を必要とする。鍵は、ＯＴＡＣで暗号化されて、ユーザに安全に伝えられ得る。
【０６２４】
電子トランザクションファシリティ１０１のプラットフォームにより、ユーザが、ユーザの個人の電子トランザクションファシリティ１０１にユーザの個人データを安全に格納することを可能にすることができる。ユーザは、ユーザのＰＩＮを用いてこのデータにアクセスすることができる。これは、単一の信任状、即ちＰＩＮを用いて個人データの大部分を読み出すことができるので、より大きなレベルの責任をクライアント側に強いる。係るシステムの安全なトランザクションプラットフォーム２００は、単一の信任状がシステムの脆弱点にならないことを保証する必要がある。更に、電子トランザクションファシリティ１０１は、ライブ／オープンネットワークを介してサーバーと相互作用することができる。この通信は、ユーザのプライベートデータ及び／又はユーザのプライベートデータに対するアクセス情報を伝送することができるので、保護されなければならない。
【０６２５】
図８３は、階層型データセキュリティモデルに関する電子トランザクションファシリティ１０１のソフトウェア具現化形態を示す。電子トランザクションファシリティ１０１は、そのデータベースにデータを格納するために、１２８ビットＡＥＳ暗号化を用いることができる。これに使用される鍵は、ＰＲＮＧアルゴリズムを用いて生成されて、鍵の有効性を保証することができる。この鍵は、データ鍵と呼ばれる。データ鍵は、動的鍵と呼ばれる更に別の鍵で暗号化され得る。動的鍵は、ユーザのＰＩＮ及び物理的な電子トランザクションファシリティ１０１の秘密で一意の識別属性から構成され得る。例えば、電話の場合、ＩＭＳＩを用いて、ユーザのデータを所与の電話と結びつけることができる。ユーザが電子トランザクションファシリティ１０１のシステムにログインする場合、システムは、ユーザにより供給されたＰＩＮを用いてデータ鍵を回復しようと試みることができる。データ鍵が首尾よく回復され得る場合、ユーザは認証される。動的鍵の手法は２倍の利点を有する。第１に、動的鍵対データ鍵の手法は、ユーザのＰＩＮを電子トランザクションファシリティ１０１に格納する必要性を低減または無くすことができる。これは、ＰＩＮが物理的に決して格納されず、ユーザ自身のメモリにのみ存在するので、ＰＩＮのセキュリティを強化することができる。動的鍵の静的部分は、データをユーザの物理的な電子トランザクションファシリティ１０１に結びつけることができ、従って、データがコピーされることを防止することができる。データは、ファイルシステムで解読されない。電子トランザクションファシリティ１０１のアプリケーションは、暗号化されたデータを読み出して、それをメモリに解読し、次いでそれを廃棄することができる。かくして、別のアプリケーション又はユーザによるデータの悪用が低減され得る。
【０６２６】
図８４は、ビジネスの要件に依存する様々な鍵を用いて、データをグループに分けて、暗号化するための複数のデータストリームを示す。ユーザのデータストリームは、アプリケーションデータを保護するために使用されるデータ鍵と共に、基本の識別データ及び認証データを含むことができる。ユーザがユーザの情報を正しいＰＩＮ、それ故に正しい動的鍵で解読することができる場合、電子トランザクションファシリティ１０１は、アプリケーションデータ及び様々なサービスをユーザに提供することができる。電子トランザクションファシリティ１０１が複数のユーザに提供される場合、ユーザ情報のストリームは、各ユーザに対して複製され得る。これは、電子トランザクションファシリティ１０１対サーバーの関係を「ｎ」倍に設定せずに、「ｎ」人のユーザに対する個々の認証をもたらすことができる。
【０６２７】
図８５は、それぞれ異なる通信能力およびセキュリティ能力を有する、様々なタイプの電子トランザクションファシリティ１０１を備えるメインサービスファシリティ１４２を示す。電子トランザクションファシリティ１０１対サーバー通信のプロトコルは、個々の電子トランザクションファシリティ１０１のタイプに対して構成され得る、安全な通信の抽象モデルを定義する。抽象的プロトコルは、データ表現法（符号化／復号）、通信チャネル（ＨＴＴＰ、ＳＭＰ、Raw TCP Socket）及びセキュリティモデルに対して不可知論的（agnostic）である。ＭＳＦ１４２のプラットフォームは、これら通信要素の任意の有効な組み合わせに構成されて拡張され得る。
【０６２８】
図８６は、通信プロトコルに基づいたＰＫＩセキュリティモデルの論理スキーマを表す。ＰＫＩ通信メッセージ構造は、メッセージ構造のヘッダーを使用して、出所と宛先の識別を伝え、それにより電子トランザクションファシリティ１０１により参照されている電子トランザクションファシリティ１０１及びＭＳＦ１４２のセキュリティ証明書が識別され得る。また、通信メッセージは、完全な本文に対する署名も含むことができ、その署名は、要求された電子トランザクションファシリティ１０１のアイデンティテイを認証するために検証され得る。通信メッセージのメッセージの内容は、受領者のみがデータを読むことができることを保証するために、受領者の暗号鍵で暗号化され得る。完全性の態様および非拒絶の態様は、署名フィールドで処理され得る。完全な本文は、電子トランザクションファシリティにより署名され、サービス要求およびサービスパラメータは、後で発信元により拒否されることができない。
【０６２９】
ＭＳＦは複数の暗号システムをサポートし、各暗号システム（ＲＳＡ、ＥＣＣ、ＮＥＲＩなど）一組の信任状を有する。これにより、Ｎタイプの電子トランザクションファシリティ１０１は、暗号システムが自然に利用可能になる又はサポートされるものは何でも使用することが可能になる。また、ＭＳＦ１４２のＣＡは、各暗号システムの証明書をサポートする。
【０６３０】
Ｃ−ＳＡＭ通信メッセージは、サービスを識別するためのサービス番号およびシーケンス番号を使用することができる。従って、単一のデータ構造は、全サービスを呼び出すために使用され得る。これは、全体的なセキュリティトランザクションプラットフォーム２００の具現化形態を集中化させ、それ故により扱いやすくする。全タイプのサービス要求に対して単一のメッセージ構造を有することは、パターン解析および強引なタイプの暗号攻撃からの追加の保護を提供することができる。
【０６３１】
ＭＳＦは、レガシーＰＯＳトランザクションに対するOneWallet（例えば、電子トランザクションファシリティ１０１）をサポートする。このタイプのトランザクションにおいて、トランザクションは、OneWallet（電子トランザクションファシリティ１０１）対ＰＯＳ（マーチャントファシリティ１７０）のアダプターを用いて、既存のＰＯＳ（マーチャントシステム１７０のような、売り場専用端末）を適合させることにより実行され得る。この場合の近接トランザクションは、OneWallet電子トランザクションファシリティ１０１とアダプター機構との間とすることができる。セキュリティの目標は、OneWalletとアダプターとの間の通信中に、データを保護することである。アダプターがユーザのデータをレガシーシステムに伝えるやいなや、既存のシステムは、セキュリティ面を管理することができる。
【０６３２】
OneWallet対マーチャント電子トランザクションファシリティ１０１のトランザクションのこのタイプは、OneWalletとＭＳＦの権利を与えられたＰＯＳとの間で行われ得る。近接トランザクションが電子トランザクションファシリティ１０１とＰＯＳ電子トランザクションファシリティ１０１との間で生じるが、セキュリティモデルは、電子トランザクションファシリティ１０１とトランザクションサーバーとの間のエンドツーエンドセキュリティを満たす必要があるかもしれない。
【０６３３】
電子トランザクションファシリティ１０１とＰＯＳとの間の通信は、対称鍵交換を用いて保護され得る。電子トランザクションファシリティ１０１及びＰＯＳは、標準鍵交換プロトコルに続く通信セッションに共通対称鍵を設定することができる。実際のトランザクションデータは、通信セッションの後段に転送されて、最高のセキュリティを保証することができる。
【０６３４】
図８７は、鍵交換を含むトランザクションの流れの実例を示す。典型的なトランザクションのシナリオにおいて、電子トランザクションファシリティ１０１のソフトウェアは、ユーザのトランザクション手段（仮に仮想カードの場合）の詳細を、必要なトランザクション属性と共に、トランザクションサーバーに送る。このトランザクションデータは、多くのホップを介して送られる。トランザクション経路に追加された各ホップは、セキュリティリスクを追加する。ＭＣＦ１４２プラットフォームは、電子トランザクションファシリティ１０１とトランザクションサーバーとの間でエンドツーエンドのセキュリティ証明書を確立することができる。例えば、仮想カードがＷＳＣＩからダウンロードされる場合、カード情報は、所与のユーザに対するトランザクション鍵を含むことができる。電子トランザクションファシリティ１０１がＰＯＳ装置とのトランザクションにこのデータを使用する場合、それは、データをこれらの鍵で暗号化（必要に応じて、署名）することができる。これにより、中間にあるサーバーがプライベートデータを読み出すことがより困難にされ、ひいては介入者タイプの攻撃の可能性を低くする。
【０６３５】
図８８は、電子トランザクションファシリティ１０１とトランザクションサーバーとの間のエンドツーエンドセキュリティのセットアップの概要を示す。特定の電子トランザクションファシリティ１０１は、アプリケーションがダウンロードされる１つのサーバーとのみ通信することに制約される。ここで、サービス提供者１６８との相互作用のオプションは、単一のドメインモデルを使用することである。
【０６３６】
ＭＳＦ１４２は、安全なプロキシと呼ばれるコンポーネントを含むことができ、そのコンポーネントは、他のコンポーネントから透過的であるサービス提供者１６８のサーバーとの安全な通信のために、電子トランザクションファシリティ１０１にサービスを提供する。安全なプロキシのサービスは、セキュリティ証明書が既に電子トランザクションファシリティ１０１とサービス提供者１６８との間でセットアップされているとみなす。しかしながら、多くの場合、セキュリティ証明書は、同じサービスを用いて設定され得る。サービス提供者１６８は、E-mail又は陸上郵便を介してＯＴＡＣをユーザに発行することができる。このＯＴＡＣを用いて、電子トランザクションファシリティ１０１とサービス提供者１６８との間の鍵交換要求を暗号化し、プロキシから危険のない要求を行うことができる。プロキシは、電子トランザクションファシリティ１０１の要求（既に提供者１６８に対して暗号化されている）を、ＨＴＴＰＳを介してサービス提供者１６８のサーバーに転送し、電子トランザクションファシリティ１０１に応答を返信することができる。図８９に示されるように、これにより、電子トランザクションファシリティ１０１が、単一の安全なドメインを用いて様々なサービス提供者１６８と相互作用することを可能にすることができる。
【０６３７】
ＭＳＦ１４２のプラットフォームは、レガシーＧＳＭ電話、低級なスマートフォン、高級なスマートフォン、ＰＤＡ、ＰＣ及びカスタムＰＯＳを含む、広範にわたる電子トランザクションファシリティ１０１にそのサービスを提供することができる。しかしながら、全ての電子トランザクションファシリティ１０１が完全なＰＫＩを処理できるわけではなく、それ故に、カスタムセキュリティスキームが、係る電子トランザクションファシリティ１０１のセキュリティ要件を保証するために設計され得る。ＭＳＦ１４２プラットフォームは、この目的のためにセキュリティトランザクションプラットフォーム２００に基づいた対称鍵を実現し、この場合、１２８ビットＡＥＳ鍵がセキュリティ証明書として使用され、安全に両方のエンドに格納される。
【０６３８】
電子トランザクションファシリティ１０１のソフトウェアは、非常に軽い暗号エンジンを実現することができる。ＭＳＦ１４２のプラットフォームは、軽いＡＥＳ暗号を有する係るクライアントを可能にする。ＡＥＳ暗号は、低い能力のクライアントに最適化される性能でもって１２８ビット、１９２ビット、及び２５６ビットの暗号化をサポートする。また、この暗号のコードサイズは、電子トランザクションファシリティ１０１の低級の記憶能力をサポートするために非常に小さい（Java（登録商標）の場合に３ｋＢ以下）。該暗号は、多数のプロセッサ呼出し、及び多数の計算変数を減らすために、予めイニシャライズされた暗号テーブルを使用することができる。これは、暗号に関するプロセッサ要件およびメモリ要件を低減し、強化された性能がもたらされる。
【０６３９】
暗号のメモリ中心の具現化形態において、利用可能なアプリケーション空間の大部分を消費する有効なコードサイズは、予め定義された（ランタイムで予めイニシャライズされた）暗号テーブルに捧げられ得る。ＡＥＳ暗号の一実施形態は、これら暗号テーブルを外在化し、エンジンが外部記憶装置から（実行ファイル内からではなく）起動される際にテーブルを読出し／イニシャライズする。この手法により、アプリケーションが、制約された電子トランザクションファシリティ１０１の十分でないアプリケーション空間を用いる代わりに、利用可能な記憶空間を利用することが可能になる。これは、セキュリティを危うくすることなしにコンパクトな暗号サイズをもたらすことができる（これらの暗号テーブルがＡＥＳのパブリックドメインアルゴリズムの一部であるので）。暗号テーブルは、電子トランザクションファシリティ１０１のソフトウェアと共にパッケージングされ得るか、又はランタイムで電子トランザクションファシリティ１０１によりダウンロードされてそのデータ記憶空間に格納され得る。
【０６４０】
セキュリティセットアップに基づいた公開鍵とは異なり、対称セキュリティトランザクションプラットフォーム２００の最大の課題は、鍵の配布である。ＭＳＦは、各電子トランザクションファシリティ１０１の対称信任状を安全に生成および／または格納する必要があるかもしれない。予めインストールされた公開鍵／証明書無しに、ＯＴＡＣは、認証およびプライバシーに対するツールとして使用され得る。電子トランザクションファシリティ１０１が登録プロセスを開始する場合、それは、ＯＴＡＣ自体で暗号化されたユーザのＯＴＡＣを送信する。このスキームは、ユーザの信任状のプライバシーを保証することができる。また、同じＯＴＡＣを用いて、サーバーの応答を暗号化することができる。かくして、ＯＴＡＣは、サーバーとクライアントとの間の共用鍵としての機能を果たすことができる。最初の信頼のセットアップ中に、サーバーとクライアントは、ＰＲＮＧを用いて生成された１２８ビットＡＥＳ鍵を共有する。この鍵は、サーバーエンドとクライアントエンドの双方に安全に格納される。サービスメッセージがサーバーとクライアントとの間で交換される場合、メッセージはこの鍵で暗号化される。また、この鍵は、通信セッション毎の終わりに変更され得る。ＯＴＡＣが認証および秘密鍵として役立つので、ＭＳＦ１４２は、動的な信頼を確立するために、サービス提供者１６８又は電子トランザクションファシリティ１０１に何も送る必要がない。
【０６４１】
ＭＳＦ１４２のプラットフォームは、認証およびデータの完全性を保証するために「対称署名」の概念を実現する。この手法において、メッセージのハッシュ（メッセージ要約）が、送信者の秘密署名鍵の代わりに、共有対称鍵で暗号化され得る。サーバーがこの署名を受け取る場合、サーバーは、クライアントの対称鍵でそれを解読することにより、署名を検証することができる。署名が証明され得る場合、このメッセージの発信元は、クライアントの共有秘密鍵を有する可能性が高い。共有秘密鍵がＰＲＮＧを用いて生成された２５６ビットの強いＡＥＳ鍵である事実を踏まえると、標準的な暗号攻撃を用いてそれを解読することは困難である。かくして、成功した検証は、発信元と共有された秘密の存在に関する高度に予想されるインジケータであり、それ故に、認証メカニズムとして役立つことができる。対称署名は、メッセージのメッセージ要約を暗号化することにより生成される。メッセージ又は署名が通信中に破損される場合、メッセージ要約は、一致しないことになる。鍵を解読することが困難であるという事実を踏まえると、署名は、侵入者により複製されることはありそうもない。
【０６４２】
図面の全体にわたる流れ図およびブロック図に示された要素は、要素間の論理的境界を暗示する。しかしながら、ソフトウェア又はハードウェアの技術的手法によれば、図示された要素およびその機能は、モノリシックソフトウェア構造の一部として、スタンドアロン型ソフトウェアモジュールとして、或いは外部ルーチン、コード、サービスなど、又はこれらの任意の組み合わせを利用するモジュールとして、実現されることができ、係る具現化形態の全ては、本発明の範囲内にある。従って、前述の図面および説明は、開示されたシステムの機能的な態様を記述するが、これら機能的な態様を実現するためのソフトウェアに関する特定の構成は、明確に述べられるか又は文脈から明らかにならない限り、これらの説明から推測されるべきではない。
【０６４３】
同様に、理解されるべきは、上記で特定されて説明された様々なステップは変更されることができ、ステップの順序は、本明細書で開示された技術の特定の応用形態に適合され得る。係る変更および修正は、本発明の範囲に入ることが意図されている。そういうものだから、様々なステップの順序に関する描写および／または説明は、特定の応用形態により必要とされるか、或いは明確に述べられるか又は文脈から明らかにならない限り、これらステップの実行に関する特定の順序を必要とすると理解されるべきではない。
【０６４４】
上述された方法またはプロセス、及びそのステップは、ハードウェア、ソフトウェア、又は特定の応用形態に適したこれらの任意の組み合わせで実現され得る。ハードウェアは、汎用コンピュータ及び／又は専用コンピューティング装置を含むことができる。プロセスは、内部メモリ及び／又は外部メモリと共に、１つ又は複数のマイクロプロセッサ、マイクロコントローラ、組込型マイクロコントローラ、プログラム可能デジタルシグナルプロセッサ、又は他のプログラム可能装置で実現され得る。又はその代わりに、プロセスは、特定用途向け集積回路、プログラマブルゲートアレイ、プログラマブルロジックアレイ、或いは任意の他の装置または電子信号を処理するように構成され得る装置の組み合わせでも具現化され得る。更に理解されるべきは、１つ又は複数のプロセスは、コンピュータ実行可能コードとして実現されることができ、このコンピュータ実行可能コードは、上記の装置、並びにプロセッサ及びプロセッサアーキテクチャの異種の組み合わせ、又は異なるハードウェア及びソフトウェアの組み合わせの１つで実行するために格納され、コンパイルされ、又は解釈され得る、Ｃのような構造化プログラミング言語、Ｃ＋＋のようなオブジェクト指向プログラミング言語、或いは任意の他の高級プログラミング言語または低水準プログラミング言語（アセンブリ言語、ハードウェア記述言語、並びにデータベースプログラミング言語および技術を含む）を用いて作成される。
【０６４５】
従って、一態様において、上述された各方法およびその組み合わせは、１つ又は複数のコンピューティング装置で実行する場合にそのステップを実行するコンピュータ実行可能コードで具現化され得る。別の態様において、方法は、そのステップを実行するシステムで具現化されることができ、且つ多数の方法で装置にわたって分散されることができ、又は全機能は、専用のスタンドアロン型装置または他のハードウェアに統合され得る。別の態様において、上述したプロセスに関連したステップを実行するための手段は、上述したハードウェア及び／又はソフトウェアの何れかを含むことができる。係る並べ替え及び組み合わせは、本発明の範囲に入ることが意図されている。
【０６４６】
本発明は詳細に図示されて説明された好適な実施形態に関連して開示されたが、それに対する様々な修正および改良は、当業者には容易に明らかになるであろう。従って、本発明の思想と範囲は、上記の例により限定されるべきではなく、法律により許容可能な最も広い意味で理解されるべきである。
【０６４７】
本発明は、特定の好適な実施形態に関連して説明されたが、他の実施形態は、当業者により理解されることができ、本発明に包含され得る。
【図面の簡単な説明】
【０６４８】
【図１】本発明の１つの可能な実施形態を示す電子トランザクションプラットフォームの主要なシステムコンポーネントの高レベルシステム図である。
【図２】電子トランザクションプラットフォームの１つの可能な例示的な実施形態の主要なサービスコンポーネントの全体的な論理図である。
【図３】電子トランザクションプラットフォームの１つの可能な例示的実施形態によって提供される安全なトランザクションプラットフォームの主要なコンポーネント及び階層構造の論理図である。
【図４】安全なトランザクションプラットフォームの１つの可能なユーザ中心の例示的実施形態を示す。
【図５】電子トランザクションプラットフォームの１つの可能な例示的実施形態の詳細なシステム図である。
【図６】発券処理の手順を示す一般化した流れ図である。
【図７】チケットの受け戻し処理（引き換え処理）の１つの可能な例示的実施形態の手順を示す一般化した流れ図である。
【図８】本発明の１つの可能な例示的実施形態に従う１つのトランザクション方法におけるステップを示す。
【図９】本発明の１つの可能な例示的実施形態に従う１つのトランザクション方法におけるステップを示す。
【図１０】本発明の１つの可能な例示的実施形態に従う１つのトランザクション方法におけるステップを示す。
【図１１】本発明の１つの可能な例示的実施形態に従う１つのトランザクション方法におけるステップを示す。
【図１２】本発明の１つの可能な例示的実施形態に従う１つのトランザクション方法におけるステップを示す。
【図１３】本発明の１つの可能な例示的実施形態に従う１つのトランザクション方法におけるステップを示す。
【図１４】本発明の１つの可能な例示的実施形態に従う１つのトランザクション方法におけるステップを示す。
【図１５】本発明の１つの可能な例示的実施形態に従う１つのトランザクション方法におけるステップを示す。
【図１６】本発明の１つの可能な例示的実施形態に従う１つのトランザクション方法におけるステップを示す。
【図１７】本発明の１つの可能な例示的実施形態に従う１つのトランザクション方法におけるステップを示す。
【図１８】資金移転に対する要求の１つの可能な例示的実施形態のデータ表現構造を示す。
【図１９】電子ファシリティの１実施形態の論理的側面を示す。
【図２０】電子トランザクションプラットフォームの側面間の機能的関連性を示す。
【図２１】本発明の初期化手続中における、電子ファシリティの１実施形態における種々の表示領域を示す。
【図２２】本発明の初期化手続中における、電子ファシリティの１実施形態における種々の表示領域を示す。
【図２３】電子トランザクションプラットフォームを用いて配備された発券サービスの１つの可能な例示的実施形態を示す。
【図２４】複数のユニバーサル電子トランザクションファシリティを含む発券サービス環境の１つの可能な例示的実施形態を示す。
【図２５】ユーザへのロイヤルティカードの発行に関する１つの可能な例示的実施形態を示す。
【図２６】電子ロイヤルティカードに対するユーザインターフェースを見るためのポータルユーザ装置の１実施形態を示す。
【図２７】インフォテイメントをダウンロードするための処理の１実施形態のフローチャートを示す。
【図２８】インフォテイメントに対するユーザインターフェースを見るための携帯型ユーザ装置の１実施形態を示す。
【図２９】電子ファシリティの１つの可能な実施形態における種々の表示領域を示す。
【図３０】１つの可能な例示的トランザクションの１つの側面の高レベルブロック図である。
【図３１】本発明の原理に従う１つの可能な例示的トランザクションの１側面の高レベルブロック図である。
【図３２】１つの可能な例示的トランザクションの１側面の高レベルブロック図である。
【図３３】本発明の原理に従うメディカルトランザクション処理を示す。
【図３４】電子ファシリティの初期化処理の概要を示す。
【図３５】ユーザクライアント携帯型コンピュータ装置の１実施形態を示す。
【図３６】本発明の原理に従う宝くじ購入に関する流れ図である。
【図３７】ユーザクライアント携帯型コンピュータ装置の１実施形態を示す。
【図３８】本発明の原理に従う投票処理の流れを示す。
【図３９】ユーザクライアント携帯型コンピュータ装置の１実施形態を示す。
【図４０】本発明の原理に従って小切手トランザクションを行うための処理を示す。
【図４１】本発明の原理に従って小切手トランザクションを行うための処理を示す。
【図４２】本発明の原理に従う電子為替トランザクション処理を示す。
【図４３】ポータルの１つの可能なユーザインターフェースを示す。
【図４４】ポータルのもう１つの可能なユーザインターフェースを示す。
【図４５】本発明に従う１トランザクション方法におけるステップを示す。
【図４６】本発明に従う１トランザクション方法におけるステップを示す。
【図４７】本発明に従う１つのプラットフォームを示す。
【図４８】プラットフォームを用いる発券処理の特徴を示す高レベルブロック図である。
【図４９】本発明に従って、マーチャントシステムを用いる商人が、種々の特徴及び属性を使用できるようにするプラットフォームを示す。
【図５０】本発明に従って、プロバイダーが、航空会社のシステムまたは関連会社と接続して、種々の特徴及び属性を使用できるようにするプラットフォームを示す。
【図５１】本発明に従って、政府機関システムを用いる政府機関が、種々の特徴及び属性を使用できるようにするプラットフォームを示す。
【図５２】本発明に従って、企業体システムを用いる企業体が、種々の特徴及び属性を使用できるようにするプラットフォームを示す。
【図５３】本発明に従って、健康／フィットネス事業体システムを用いる健康／フィットネス事業体が、種々の特徴及び属性を使用できるようにするプラットフォームを示す。
【図５４】本発明に従って、宗教法人システムを用いる宗教法人が、種々の特徴及び属性を使用できるようにするプラットフォームを示す。
【図５５】本発明に従って、スポーツ事業体システムを用いるスポーツ事業体が、種々の特徴及び属性を使用できるようにするプラットフォームを示す。
【図５６】本発明に従って、保険事業体システムを用いる保険事業体が、種々の特徴及び属性を使用できるようにするプラットフォームを示す。
【図５７】本発明に従って、大学システムを用いる大学が、種々の特徴及び属性を使用できるようにするプラットフォームを示す。
【図５８】本発明に従って、政治団体システムを用いる政治団体が、種々の特徴及び属性を使用できるようにするプラットフォームを示す。
【図５９】本発明に従って、製薬システムを用いる製薬事業体が、種々の特徴及び属性を使用できるようにするプラットフォームを示す。
【図６０】本発明に従って、商品システムを用いる商品取引事業体が、種々の特徴及び属性を使用できるようにするプラットフォームを示す。
【図６１】本発明に従って、エンターティメント（娯楽）システムを用いるエンターティメント事業体が、種々の特徴及び属性を使用できるようにするプラットフォームを示す。
【図６２】多次元データベース構造の特定の１実施形態の概念図である。
【図６３】本発明に従うシステムを用いて配備されたユーザ中心のサービスセットを示す。
【図６４】発券処理の手順を示す一般化した流れ図である。
【図６５】本発明に従う１トランザクション処理におけるステップを示す。
【図６６】本発明に従う１トランザクション処理におけるステップを示す。
【図６７】P2P（個人間）サービス用のシステムを示す。
【図６８】P2Pサービス処理の手順を示す一般化した流れ図である。
【図６９】本発明に従う１つのP2Pトランザクション処理におけるステップを示す。
【図７０】P2Pサービス用の典型的なユーザインターフェースの流れを示す。
【図７１】プリペイド式トップアップサービス用のシステムを示す。
【図７２】プリペイド式トップアップ処理の手順を示す一般化した流れ図である。
【図７３】登録されたユーザに対するプリペイド式トップアップ処理の手順を示す一般化した流れ図である。
【図７４】登録されていないユーザに対するプリペイド式トップアップ処理の手順を示す一般化した流れ図である。
【図７５】プリペイド式トップアップサービスに関する典型的なユーザインターフェースの流れを示す。
【図７６】プリペイド式トップアップサービスに関する別の典型的なユーザインターフェースの流れを示す。
【図７７】本発明に従う１つのプリペイド式トップアップトランザクション処理におけるステップを示す。
【図７８】本発明に従う別のプリペイド式トップアップトランザクション処理におけるステップを示す。
【図７９】本発明に従うさらに別のプリペイド式トップアップトランザクション処理におけるステップを示す。
【図８０】本発明に従うさらに別のプリペイド式トップアップトランザクション処理におけるステップを示す。
【図８１】本発明に従うさらに別のプリペイド式トップアップトランザクション処理におけるステップを示す。
【図８２】Ｎ×Ｎ×Ｎのセキュリティ目標を満たすメインサービスファシリティの外観である。
【図８３】多層化データセキュリティモデルを示す。
【図８４】データをグルーピングして、異なる鍵で暗号化するための複数のデータストリームの使用態様を示す。
【図８５】通信プロトコルの抽象的な定義を示す。
【図８６】PKIセキュリティモデルベースの通信プロトコルの論理スキーマを示す。
【図８７】トランザクションの流れの一例を示す。
【図８８】電子トランザクションファシリティとトランザクションサーバーとの間のエンドツーエンドのセキュリティ設定を示す。
【図８９】メインサービスファシリティのセキュアプロキシ(Secure Proxy)を示す。
【図１】
2009512018.tif 000002
【図２】
2009512018.tif 000003
【図３】
2009512018.tif 000004
【図４】
2009512018.tif 000005
【図５】
2009512018.tif 000006
【図６】
2009512018.tif 000007
【図７】
2009512018.tif 000008
【図８】
2009512018.tif 000009
【図９】
2009512018.tif 000010
【図１０】
2009512018.tif 000011
【図１１】
2009512018.tif 000012
【図１２】
2009512018.tif 000013
【図１３】
2009512018.tif 000014
【図１４】
2009512018.tif 000015
【図１５】
2009512018.tif 000016
【図１６】
2009512018.tif 000017
【図１７】
2009512018.tif 000018
【図１８】
2009512018.tif 000019
【図１９】
2009512018.tif 000020
【図２０】
2009512018.tif 000021
【図２１】
2009512018.tif 000022
【図２２】
2009512018.tif 000023
【図２３】
2009512018.tif 000024
【図２４】
2009512018.tif 000025
【図２５】
2009512018.tif 000026
【図２６】
2009512018.tif 000027
【図２７】
2009512018.tif 000028
【図２８】
2009512018.tif 000029
【図２９】
2009512018.tif 000030
【図３０】
2009512018.tif 000031
【図３１】
2009512018.tif 000032
【図３２】
2009512018.tif 000033
【図３３】
2009512018.tif 000034
【図３４】
2009512018.tif 000035
【図３５】
2009512018.tif 000036
【図３６】
2009512018.tif 000037
【図３７】
2009512018.tif 000038
【図３８】
2009512018.tif 000039
【図３９】
2009512018.tif 000040
【図４０】
2009512018.tif 000041
【図４１】
2009512018.tif 000042
【図４２】
2009512018.tif 000043
【図４３】
2009512018.tif 000044
【図４４】
2009512018.tif 000045
【図４５】
2009512018.tif 000046
【図４６】
2009512018.tif 000047
【図４７】
2009512018.tif 000048
【図４８】
2009512018.tif 000049
【図４９】
2009512018.tif 000050
【図５０】
2009512018.tif 000051
【図５１】
2009512018.tif 000052
【図５２】
2009512018.tif 000053
【図５３】
2009512018.tif 000054
【図５４】
2009512018.tif 000055
【図５５】
2009512018.tif 000056
【図５６】
2009512018.tif 000057
【図５７】
2009512018.tif 000058
【図５８】
2009512018.tif 000059
【図５９】
2009512018.tif 000060
【図６０】
2009512018.tif 000061
【図６１】
2009512018.tif 000062
【図６２】
2009512018.tif 000063
【図６３】
2009512018.tif 000064
【図６４】
2009512018.tif 000065
【図６５】
2009512018.tif 000066
【図６６】
2009512018.tif 000067
【図６７】
2009512018.tif 000068
【図６８】
2009512018.tif 000069
【図６９】
2009512018.tif 000070
【図７０】
2009512018.tif 000071
【図７１】
2009512018.tif 000072
【図７２】
2009512018.tif 000073
【図７３】
2009512018.tif 000074
【図７４】
2009512018.tif 000075
【図７５】
2009512018.tif 000076
【図７６】
2009512018.tif 000077
【図７７】
2009512018.tif 000078
【図７８】
2009512018.tif 000079
【図７９】
2009512018.tif 000080
【図８０】
2009512018.tif 000081
【図８１】
2009512018.tif 000082
【図８２】
2009512018.tif 000083
【図８３】
2009512018.tif 000084
【図８４】
2009512018.tif 000085
【図８５】
2009512018.tif 000086
【図８６】
2009512018.tif 000087
【図８７】
2009512018.tif 000088
【図８８】
2009512018.tif 000089
【図８９】
2009512018.tif 000090